(57)【要約】【課題】輸送および据付けが容易で、冬期の作業の際に加熱した当接板を必要としない、低いダム高さ用の現在の制水ゲートの低コストの代替品を提供する。【解決手段】制水ゲート２４、６１４および関連する膨張式アクチュエータ２０３、９０３、ならびに関連するシール５００２の製造操作装置および方法。空気継手の設計、膨張したブラダの応力除去、膨張式ブラダの強度強化２、水ゲートに関連する摺動摩擦の緩和、当接シールおよび他の貯水シール７３、ゲート・パネル２４の製造、交通に対応する貯水構造６１２、６１４、および水ゲート・パネル・システムの動作効率、ならびにナップ曝気９５００、ヒンジ、およびブラダの製造技術が、本明細書中に開示された進歩の一部である。【選択図】図Ｅ１
2006312874.tif 000002
【特許請求の範囲】
【請求項１】
ほぼ細長の、ほぼ横断面が涙滴型の、収縮ブラダ折り目膜インサート要素を含む、膨張ブラダ応力低下装置。
【請求項２】
前記ほぼ細長の、ほぼ横断面が涙滴型の、収縮ブラダ折り目膜インサート要素が、最小の収縮ブラダ折り目膜曲率半径増加要素である、請求項１に記載の膨張ブラダ応力低下装置。
【請求項３】
前記ほぼ細長の、ほぼ横断面が涙滴型の、収縮ブラダ折り目膜インサート要素が、取り外し可能な収縮ブラダ折り目膜インサート要素である、請求項１に記載の膨張ブラダ応力低下装置。
【請求項４】
前記ほぼ細長の、ほぼ横断面が涙滴型の、収縮ブラダ折り目膜インサート要素が、横断面が涙滴型の、最小の収縮ブラダ折り目膜曲率半径増加要素である、請求項１に記載の膨張ブラダ応力低下装置。
【請求項５】
前記ほぼ細長の、ほぼ横断面が涙滴型の、収縮ブラダ折り目膜インサート要素が、押出成形品である、請求項１に記載の膨張ブラダ応力低下装置。
【請求項６】
前記ほぼ細長の、ほぼ横断面が涙滴型の、収縮ブラダ折り目膜インサート要素が、エラストマーである、請求項１に記載の膨張ブラダ応力低下装置。
【請求項７】
前記ほぼ細長の、ほぼ横断面が涙滴型の、収縮ブラダ折り目膜インサート要素が、ほぼ細長の、平滑に横断面が湾曲した、半円筒形の、内側収縮ブラダ折り目膜面接触可能要素と、前記ほぼ細長の、平滑に横断面が湾曲した、半円筒形の、内側収縮ブラダ折り目膜面接触可能要素に反応する、２つのほぼ対向する、ほぼ平面の、内側収縮ブラダ折り目隣接膜面接触可能要素と、前記２つのほぼ対向する、ほぼ平面の、内側収縮ブラダ折り目隣接膜面接触可能要素に反応する、ほぼ直線の、内側収縮ブラダ折り目隣接膜面接触可能要素交差頂点要素と、前記ほぼ細長の、平滑に横断面が湾曲した、半円筒形の、内側収縮ブラダ折り目膜面接触可能要素、前記２つのほぼ対向する、ほぼ平面の、内側収縮ブラダ折り目隣接膜面接触可能要素、および前記ほぼ直線の、内側収縮ブラダ折り目隣接膜面接触可能要素交差頂点要素の各々の内側に設定される、収縮ブラダ折り目膜インサート要素本体要素とを含む、請求項１に記載の膨張ブラダ応力低下装置。
【請求項８】
前記２つのほぼ対向する、ほぼ平面の、内側収縮ブラダ折り目隣接膜面接触可能要素の１つの少なくとも大部分の表面部が、収縮ブラダ折り目隣接膜面に付着可能である、請求項７に記載の膨張ブラダ応力低下装置。
【請求項９】
前記ほぼ細長の、ほぼ横断面が涙滴型の、収縮ブラダ折り目膜インサート要素が、長手方向空隙囲み収縮ブラダ折り目膜インサート要素である、請求項１に記載の膨張ブラダ応力低下装置。
【請求項１０】
前記長手方向空隙囲み収縮ブラダ折り目膜インサート要素が、圧縮流体を輸送可能な、長手方向空隙囲み収縮ブラダ折り目膜インサート要素である、請求項９に記載の膨張ブラダ応力低下装置。
【請求項１１】
前記圧縮流体を輸送可能な、長手方向空隙囲み収縮ブラダ折り目膜インサート要素が、前記長手方向空隙囲み収縮ブラダ折り目膜インサート要素により設定された長手方向空隙に流体反応する、少なくとも１つのブラダ内側から長手方向空隙への流体輸送孔を含む、請求項１０に記載の膨張ブラダ応力低下装置。
【請求項１２】
少なくとも１つの収縮ブラダ折り目膜で、前記ほぼ細長の、ほぼ横断面が涙滴型の、収縮ブラダ折り目膜インサート要素に反応する膨張式ブラダ膜と、前記膨張式ブラダ膜に反応する加圧流体入口要素とをさらに含む、請求項１に記載の膨張ブラダ応力低下装置。
【請求項１３】
前記ほぼ細長の、ほぼ横断面が涙滴型の、収縮ブラダ折り目膜インサート要素が、溶解可能な収縮ブラダ折り目膜インサート要素である、請求項３に記載の膨張ブラダ応力低下装置。
【請求項１４】
前記膨張式ブラダ膜の少なくとも１つの層の一部が、前記加圧流体入口要素により形成された空隙と、前記長手方向空隙囲みインサート要素により囲まれる長手方向空隙とに流体反応する膜空隙を囲むように構成される、請求項１３に記載の膨張ブラダ応力低下装置。
【請求項１５】
前記膜空隙が、少なくとも１つのブラダ内側から長手方向空隙への流体輸送孔に流体反応する、請求項１４に記載の膨張ブラダ応力低下装置。
【請求項１６】
ほぼ横断面が涙滴型の、収縮ブラダ隅部折り目膜インサート要素をさらに含む、請求項１に記載の膨張ブラダ応力低下装置。
【請求項１７】
前記ほぼ細長の、ほぼ横断面が涙滴型の、収縮ブラダ折り目膜インサート要素に反応する、少なくとも１つの収縮ブラダ折り目膜を有する加圧可能物品をさらに含む、請求項１に記載の膨張ブラダ応力低下装置。
【請求項１８】
前記加圧可能物品が、単一段階加硫された加圧可能物品である、請求項１７に記載の膨張ブラダ応力低下装置。
【請求項１９】
前記加圧可能物品が流体輸送ホースである、請求項１７に記載の膨張ブラダ応力低下装置。
【請求項２０】
前記少なくとも１つの収縮ブラダ折り目膜が、２つの長手方向の、ほぼ平行な収縮ブラダ折り目膜である、請求項１７に記載の膨張ブラダ応力低下装置。
【請求項２１】
前記加圧可能物品が流体輸送ホースであり、前記流体輸送ホースが、加圧流体入口要素と、前記加圧流体入口要素が反応する流体輸送要素と、前記流体輸送要素に反応する別個の加圧流体出口要素とを含み、前記流体輸送ホースが、前記２つの長手方向の、ほぼ平行な収縮ブラダ折り目膜で、前記ほぼ細長の、ほぼ横断面が涙滴型の、収縮ブラダ折り目膜インサート要素に反応する、請求項２０に記載の膨張ブラダ応力低下装置。
【請求項２２】
前記ほぼ細長の、ほぼ横断面が涙滴型の、収縮ブラダ折り目膜インサート要素に反応する、少なくとも１つの収縮ブラダ折り目膜を有する膨張式物品をさらに含む、請求項１に記載の膨張ブラダ応力低下装置。
【請求項２３】
前記膨張式物品が、単一段階加硫された膨張式物品である、請求項２２に記載の膨張ブラダ応力低下装置。
【請求項２４】
前記膨張式物品が、膨張ジャッキ、膨張ホース、膨張式エラストマー・ダム、膨張式シール、膨張式底部ヒンジ留め水ゲート・パネル・アクチュエータ、流体輸送ホース、およびドック・バンパから構成される膨張式物品の群から選択された膨張式物品である、請求項２２に記載の膨張ブラダ応力低下装置。
【請求項２５】
前記少なくとも１つの収縮ブラダ折り目膜が、２つの長手方向の、ほぼ平行な収縮ブラダ折り目膜である、請求項２２に記載の膨張ブラダ応力低下装置。
【請求項２６】
前記膨張式物品が膨張ホースであり、前記膨張ホースが、膨張ホース要素と、前記膨張ホース要素に反応する加圧流体入口要素とを含み、前記膨張ホース要素が、前記２つの長手方向の、ほぼ平行な収縮ブラダ折り目膜で、前記ほぼ細長の、ほぼ横断面が涙滴型の、収縮ブラダ折り目膜インサート要素に反応する、請求項２５に記載の膨張ブラダ応力低下装置。
【請求項２７】
前記膨張式物品がドック・バンパであり、前記ドック・バンパが、膨張式ドック・バンパ要素と、前記膨張式ドック・バンパ要素に反応する加圧流体入口要素とを含み、前記ドック・バンパが、前記２つの長手方向の、ほぼ平行な収縮ブラダ折り目膜で、前記ほぼ細長の、ほぼ横断面が涙滴型の、収縮ブラダ折り目膜インサート要素に反応する、請求項２５に記載の膨張ブラダ応力低下装置。
【請求項２８】
前記膨張式物品が流体輸送ホースであり、前記流体輸送ホースが、流体輸送ホース要素と、前記流体輸送ホース要素に反応する加圧流体入口要素とを含み、前記流体輸送ホース要素が、前記２つの長手方向の、ほぼ平行な収縮ブラダ折り目膜で、前記ほぼ細長の、ほぼ横断面が涙滴型の、収縮ブラダ折り目膜インサート要素に反応する、請求項２５に記載の膨張ブラダ応力低下装置。
【請求項２９】
前記少なくとも１つの収縮ブラダ折り目膜が、１つの平滑な連続した収縮ブラダ折り目膜である、請求項２２に記載の膨張ブラダ応力低下装置。
【請求項３０】
前記膨張式物品が膨張式シールであり、前記膨張式シールが、膨張式シール要素と、前記膨張式シール要素に反応する加圧流体入口要素とを含み、前記膨張式シールが、前記１つの平滑な連続した収縮ブラダ折り目膜で、前記ほぼ細長の、ほぼ横断面が涙滴型の、収縮ブラダ折り目膜インサート要素に反応する、請求項２９に記載の膨張ブラダ応力低下装置。
【請求項３１】
前記膨張式物品が膨張ジャッキであり、前記膨張ジャッキが、膨張式ジャッキ要素と、前記膨張式ジャッキ要素に反応する加圧流体入口要素とを含み、前記膨張式ジャッキ要素が、前記１つの平滑な連続した収縮ブラダ折り目膜で、前記ほぼ細長の、ほぼ横断面が涙滴型の、収縮ブラダ折り目膜インサート要素に反応する、請求項２９に記載の膨張ブラダ応力低下装置。
【請求項３２】
前記膨張式物品がドック・バンパであり、前記ドック・バンパが、膨張式ドック・バンパ要素と、前記膨張式ドック・バンパ要素に反応する加圧流体入口要素とを含み、前記ドック・バンパが、前記１つの平滑な連続した収縮ブラダ折り目膜で、前記ほぼ細長の、ほぼ横断面が涙滴型の、収縮ブラダ折り目膜インサート要素に反応する、請求項２９に記載の膨張ブラダ応力低下装置。
【請求項３３】
前記少なくとも１つの収縮ブラダ折り目膜が、４つの矩形に配置された収縮ブラダ折り目膜である、請求項２２に記載の膨張ブラダ応力低下装置。
【請求項３４】
前記膨張式物品が膨張ジャッキであり、前記膨張ジャッキが、ほぼ矩形の膨張式ジャッキ要素と、前記ほぼ矩形の膨張式要素に反応する加圧流体入口要素とを含み、前記膨張ジャッキが、前記４つの矩形に配置された収縮ブラダ折り目膜で、前記ほぼ細長の、ほぼ横断面が涙滴型の、収縮ブラダ折り目膜インサート要素に反応する、請求項３３に記載の膨張ブラダ応力低下装置。
【請求項３５】
前記膨張式物品がドック・バンパであり、前記ドック・バンパが、膨張式ドック・バンパ要素と、前記膨張式ドック・バンパ要素に反応する加圧流体入口要素とを含み、前記ドック・バンパが、前記４つの矩形に配置された収縮ブラダ折り目膜で、前記ほぼ細長の、ほぼ横断面が涙滴型の、収縮ブラダ折り目膜インサート要素に反応する、請求項３３に記載の膨張ブラダ応力低下装置。
【請求項３６】
前記少なくとも１つの収縮ブラダ折り目膜が、１つのオーバフロー直交長手方向収縮ブラダ折り目膜である、請求項２２に記載の膨張ブラダ応力低下装置。
【請求項３７】
前記膨張式物品が膨張式底部ヒンジ留め水ゲート・パネル・アクチュエータ装置であり、前記膨張式底部ヒンジ留め水ゲート・パネル・アクチュエータ装置が、膨張式アクチュエータ・ブラダと、ゲート・パネル・アクチュエータ／基礎取付要素と、前記膨張式アクチュエータ・ブラダに反応する加圧流体入口要素と、前記ゲート・パネル・アクチュエータ／基礎取付要素に反応する水ゲート・パネル・ヒンジ・フラップとを含み、前記膨張式底部ヒンジ留め水ゲート・パネル・アクチュエータ装置が、前記１つのオーバフロー直交長手方向収縮ブラダ折り目膜で、前記ほぼ細長の、ほぼ横断面が涙滴型の、収縮ブラダ折り目膜インサート要素に反応する、請求項３６に記載の膨張ブラダ応力低下装置。
【請求項３８】
前記膨張式物品が膨張式エラストマー・ダムであり、前記膨張式エラストマー・ダムが、膨張式エラストマー・ダム・ブラダと、前記膨張式エラストマー・ダム・ブラダが反応する膨張式ダム／基礎取付要素と、前記膨張式エラストマー・ダム・ブラダに反応する加圧流体入口要素とを含み、前記膨張式エラストマー・ダムが、前記１つのオーバフロー直交長手方向収縮ブラダ折り目膜で、前記ほぼ細長の、ほぼ横断面が涙滴型の、収縮ブラダ折り目膜インサート要素に反応する、請求項３６に記載の膨張ブラダ応力低下装置。
【請求項３９】
前記少なくとも１つの収縮ブラダ折り目膜が、１つのオーバフロー直交長手方向収縮ブラダ折り目膜および２つの平行なオーバフロー整合収縮ブラダ端部折り目膜である、請求項２２に記載の膨張ブラダ応力低下装置。
【請求項４０】
前記膨張式物品が膨張式底部ヒンジ留め水ゲート・パネル・アクチュエータ装置であり、前記膨張式底部ヒンジ留め水ゲート・パネル・アクチュエータ装置が、膨張式アクチュエータ・ブラダと、ゲート・パネル・アクチュエータ／基礎取付要素と、前記膨張式アクチュエータ・ブラダに反応する加圧流体入口要素と、前記ゲート・パネル・アクチュエータ／基礎取付要素に反応する水ゲート・パネル・ヒンジ・フラップとを含み、前記膨張式底部ヒンジ留め水ゲート・パネル・アクチュエータ装置が、前記１つのオーバフロー直交長手方向収縮ブラダ折り目膜および前記２つの平行なオーバフロー整合収縮ブラダ端部折り目膜で、前記ほぼ細長の、ほぼ横断面が涙滴型の、収縮ブラダ折り目膜インサート要素に反応する、請求項３９に記載の膨張ブラダ応力低下装置。
【請求項４１】
前記膨張式物品が膨張式エラストマー・ダムであり、前記膨張式エラストマー・ダムが、膨張式エラストマー・ダム・ブラダと、前記膨張式エラストマー・ダム・ブラダが反応する膨張式ダム／基礎取付要素と、前記膨張式エラストマー・ダム・ブラダに反応する加圧流体入口要素とを含み、前記膨張式エラストマー・ダムが、前記１つのオーバフロー直交長手方向収縮ブラダ折り目膜および前記２つの平行なオーバフロー整合収縮ブラダ端部折り目膜で、前記ほぼ細長の、ほぼ横断面が涙滴型の、収縮ブラダ折り目膜インサート要素に反応する、請求項３９に記載の膨張ブラダ応力低下装置。
【請求項４２】
前記少なくとも１つの収縮ブラダ折り目膜が、１つの収縮ブラダ端部折り目膜および前記１つの収縮ブラダ端部折り目膜に直交する２つの平行な収縮ブラダ折り目膜である、請求項２２に記載の膨張ブラダ応力低下装置。
【請求項４３】
前記膨張式物品が膨張ホースであり、前記膨張ホースが、膨張ホース要素と、前記膨張ホース要素に反応する加圧流体入口要素とを含み、前記膨張ホース要素が、前記１つの収縮ブラダ端部折り目膜および前記１つの収縮ブラダ端部折り目膜に直交する２つの平行な収縮ブラダ折り目膜で、前記ほぼ細長の、ほぼ横断面が涙滴型の、収縮ブラダ折り目膜インサート要素に反応する、請求項４２に記載の膨張ブラダ応力低下装置。
【請求項４４】
最小収縮ブラダ折り目膜曲率半径が、膨張式エラストマー・ダム頭上流れ偏向フィンと同一半径で前記フィンの内側に生じる、請求項２に記載の膨張ブラダ応力低下装置。
【請求項４５】
少なくとも１つのオーバフロー直交長手方向収縮ブラダ折り目膜で、前記ほぼ細長の、ほぼ横断面が涙滴型の、収縮ブラダ折り目膜インサート要素に反応する、膨張式水ゲート・パネル・アクチュエータ装置をさらに含み、前記膨張式底部ヒンジ留め水ゲート・パネル・アクチュエータ装置が、膨張式ブラダと、ゲート・パネル・アクチュエータ／基礎取付要素と、前記膨張式ブラダに反応する加圧流体入口要素と、前記膨張式ブラダに反応する水ゲート・パネル・ヒンジ・フラップとを含む、請求項１に記載の膨張ブラダ応力低下装置。
【請求項４６】
前記ゲート・パネル・アクチュエータ／基礎取付要素が、ゲート・パネル・アクチュエータ／基礎クランプ可能保持要素と、前記ゲート・パネル・アクチュエータ／基礎クランプ可能保持要素に反応するゲート・パネル・アクチュエータ／基礎クランプ保持強化要素とを有する、請求項４５に記載の膨張ブラダ応力低下装置。
【請求項４７】
前記膨張式底部ヒンジ留め水ゲート・パネル・アクチュエータ装置が、単一段階加硫を使用して形成される、請求項４６に記載の膨張ブラダ応力低下装置。
【請求項４８】
請求項１に記載された、前記ほぼ細長の、ほぼ横断面が涙滴型の、収縮ブラダ折り目膜インサート要素を含む複数の水ゲート・アクチュエータの少なくとも１つに反応する、膨張式作動水ゲート・パネル・システムをさらに含む、請求項１に記載の膨張ブラダ応力低下装置。
【請求項４９】
ほぼ細長の、ほぼ横断面が涙滴型の、収縮ブラダ折り目膜インサート要素を生成するステップを含む、膨張ブラダ応力低下方法。
【請求項５０】
前記ほぼ細長の、ほぼ横断面が涙滴型の、収縮ブラダ折り目膜インサート要素を生成するステップが、最小の収縮ブラダ折り目膜曲率半径増加要素を生成するステップを含む、請求項４９に記載の膨張ブラダ応力低下方法。
【請求項５１】
前記ほぼ細長の、ほぼ横断面が涙滴型の、収縮ブラダ折り目膜インサート要素を生成するステップが、ほぼ細長の、ほぼ横断面が涙滴型の、収縮ブラダ折り目膜インサート要素を成形製造するステップを含む、請求項４９に記載の膨張ブラダ応力低下方法。
【請求項５２】
前記ほぼ細長の、ほぼ横断面が涙滴型の、収縮ブラダ折り目膜インサート要素を生成するステップが、ほぼ細長の、ほぼ横断面が涙滴型の、収縮ブラダ折り目膜インサート要素を押出成形製造するステップを含む、請求項４９に記載の膨張ブラダ応力低下方法。
【請求項５３】
ほぼ横断面が涙滴型の、収縮ブラダ隅部折り目膜インサート要素を生成するステップをさらに含む、請求項４９に記載の膨張ブラダ応力低下方法。
【請求項５４】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定するステップをさらに含む、請求項４９に記載の膨張ブラダ応力低下方法。
【請求項５５】
前記膨張式ブラダ膜を単一段階加硫するステップをさらに含む、請求項５４に記載の膨張ブラダ応力低下方法。
【請求項５６】
前記膨張式ブラダ膜に反応する加圧流体入口要素を設定するステップをさらに含む、請求項５４に記載の膨張ブラダ応力低下方法。
【請求項５７】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、膨張式ブラダ膜の１つの長手方向収縮ブラダ折り目膜内面に沿って設定するステップを含む、請求項５６に記載の膨張ブラダ応力低下方法。
【請求項５８】
前記ほぼ細長の、ほぼ横断面が涙滴型の、収縮ブラダ折り目膜インサート要素を、膨張式ブラダ膜の１つの長手方向収縮ブラダ折り目膜内面に沿って設定する前記ステップが、前記ほぼ細長の、ほぼ横断面が涙滴型の、収縮ブラダ折り目膜インサート要素を、膨張式エラストマー・ダムの１つの長手方向収縮ブラダ折り目膜内面に沿って設定するステップを含む、請求項５７に記載の膨張ブラダ応力低下方法。
【請求項５９】
前記ほぼ細長の、ほぼ横断面が涙滴型の、収縮ブラダ折り目膜インサート要素を、膨張式ブラダ膜の１つの長手方向収縮ブラダ折り目膜内面に沿って設定する前記ステップが、前記ほぼ細長の、ほぼ横断面が涙滴型の、収縮ブラダ折り目膜インサート要素を、膨張式底部ヒンジ留め制水ゲート・アクチュエータの１つの長手方向収縮ブラダ折り目膜内面に沿って設定するステップを含む、請求項５７に記載の膨張ブラダ応力低下方法。
【請求項６０】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、膨張式ブラダ膜の２つの長手方向の、ほぼ平行な収縮ブラダ折り目膜内面に沿って設定するステップを含む、請求項５４に記載の膨張ブラダ応力低下方法。
【請求項６１】
前記ほぼ細長の、ほぼ横断面が涙滴型の、収縮ブラダ折り目膜インサート要素を、膨張式ブラダ膜の２つの長手方向の、ほぼ平行な収縮ブラダ折り目膜内面に沿って設定する前記ステップが、前記ほぼ細長の、ほぼ横断面が涙滴型の、収縮ブラダ折り目膜インサート要素を、流体輸送ホースの２つの長手方向の、ほぼ平行な収縮ブラダ折り目膜内面に沿って設定するステップを含む、請求項６０に記載の膨張ブラダ応力低下方法。
【請求項６２】
前記ほぼ細長の、ほぼ横断面が涙滴型の、収縮ブラダ折り目膜インサート要素を、膨張式ブラダ膜の２つの長手方向の、ほぼ平行な収縮ブラダ折り目膜内面に沿って設定する前記ステップが、前記ほぼ細長の、ほぼ横断面が涙滴型の、収縮ブラダ折り目膜インサート要素を、膨張ホースの２つの長手方向の、ほぼ平行な収縮ブラダ折り目膜内面に沿って設定するステップを含む、請求項６０に記載の膨張ブラダ応力低下方法。
【請求項６３】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、１つの長手方向収縮ブラダ折り目膜内面および前記１つの長手方向収縮ブラダ折り目膜内面に各々直交する２つの平行な収縮ブラダ端部折り目膜内面に沿って設定するステップを含む、請求項５４に記載の膨張ブラダ応力低下方法。
【請求項６４】
前記ほぼ細長の、ほぼ横断面が涙滴型の、収縮ブラダ折り目膜インサート要素を、１つの長手方向収縮ブラダ折り目膜内面および前記１つの長手方向収縮ブラダ折り目膜内面に各々直交する２つの平行な収縮ブラダ端部折り目膜内面に沿って設定する前記ステップが、前記ほぼ細長の、ほぼ横断面が涙滴型の、収縮ブラダ折り目膜インサート要素を、膨張式底部ヒンジ留め制水ゲート・アクチュエータの１つの長手方向収縮ブラダ折り目膜内面および２つの平行な収縮ブラダ端部折り目膜内面に沿って設定するステップを含む、請求項６３に記載の膨張ブラダ応力低下方法。
【請求項６５】
前記ほぼ細長の、ほぼ横断面が涙滴型の、収縮ブラダ折り目膜インサート要素を、１つの長手方向収縮ブラダ折り目膜内面および前記１つの長手方向収縮ブラダ折り目膜内面に各々直交する２つの平行な収縮ブラダ端部折り目膜内面に沿って設定する前記ステップが、前記ほぼ細長の、ほぼ横断面が涙滴型の、収縮ブラダ折り目膜インサート要素を、膨張式エラストマー・ダムの１つの長手方向収縮ブラダ折り目膜内面および２つの平行な収縮ブラダ端部折り目膜内面に沿って設定するステップを含む、請求項６３に記載の膨張ブラダ応力低下方法。
【請求項６６】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、膨張式ブラダ膜の４つの矩形に配置された長手方向収縮ブラダ折り目膜内面に沿って設定するステップを含む、請求項５４に記載の膨張ブラダ応力低下方法。
【請求項６７】
前記ほぼ細長の、ほぼ横断面が涙滴型の、収縮ブラダ折り目膜インサート要素を、膨張式ブラダ膜の４つの矩形に配置された長手方向収縮ブラダ折り目膜内面に沿って設定する前記ステップが、前記ほぼ細長の、ほぼ横断面が涙滴型の、収縮ブラダ折り目膜インサート要素を、膨張ジャッキの４つの矩形に配置された長手方向収縮ブラダ折り目膜内面に沿って設定するステップを含む、請求項６６に記載の膨張ブラダ応力低下方法。
【請求項６８】
前記ほぼ細長の、ほぼ横断面が涙滴型の、収縮ブラダ折り目膜インサート要素を、膨張式ブラダ膜の４つの矩形に配置された長手方向収縮ブラダ折り目膜内面に沿って設定する前記ステップが、前記ほぼ細長の、ほぼ横断面が涙滴型の、収縮ブラダ折り目膜インサート要素を、ドック・バンパの４つの矩形に配置された長手方向収縮ブラダ折り目膜内面に沿って設定するステップを含む、請求項６６に記載の膨張ブラダ応力低下方法。
【請求項６９】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、膨張式ブラダ膜の２つの平行な長手方向収縮ブラダ折り目膜内面および１つの直交するブラダ折り目膜内面に沿って設定するステップを含む、請求項５４に記載の膨張ブラダ応力低下方法。
【請求項７０】
前記ほぼ細長の、ほぼ横断面が涙滴型の、収縮ブラダ折り目膜インサート要素を、膨張式ブラダ膜の２つの平行な長手方向収縮ブラダ折り目膜内面および１つの直交するブラダ折り目膜内面に沿って設定する前記ステップが、前記ほぼ細長の、ほぼ横断面が涙滴型の、収縮ブラダ折り目膜インサート要素を、流体輸送ホースの２つの平行な長手方向収縮ブラダ折り目膜内面および１つの直交するブラダ折り目膜内面に沿って設定するステップを含む、請求項６９に記載の膨張ブラダ応力低下方法。
【請求項７１】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素を、膨張式ブラダ膜の平滑に周囲が湾曲した収縮ブラダ折り目膜内面に沿って設定するステップを含む、請求項５４に記載の膨張ブラダ応力低下方法。
【請求項７２】
前記ほぼ細長の、ほぼ横断面が涙滴型の、収縮ブラダ折り目膜インサート要素を、膨張式ブラダ膜の平滑に周囲が湾曲した収縮ブラダ折り目膜内面に沿って設定する前記ステップが、前記ほぼ細長の、ほぼ横断面が涙滴型の、収縮ブラダ折り目膜インサート要素を、膨張式シールの平滑に周囲が湾曲した収縮ブラダ折り目膜内面に沿って設定するステップを含む、請求項７１に記載の膨張ブラダ応力低下方法。
【請求項７３】
前記ほぼ細長の、ほぼ横断面が涙滴型の、収縮ブラダ折り目膜インサート要素を、膨張式ブラダ膜の平滑に周囲が湾曲した収縮ブラダ折り目膜内面に沿って設定する前記ステップが、前記ほぼ細長の、ほぼ横断面が涙滴型の、収縮ブラダ折り目膜インサート要素を、ドック・バンパの平滑に周囲が湾曲した収縮ブラダ折り目膜内面に沿って設定するステップを含む、請求項７１に記載の膨張ブラダ応力低下方法。
【請求項７４】
前記ほぼ細長の、ほぼ横断面が涙滴型の、収縮ブラダ折り目膜インサート要素を、膨張式ブラダ膜の平滑に周囲が湾曲した収縮ブラダ折り目膜内面に沿って設定する前記ステップが、前記ほぼ細長の、ほぼ横断面が涙滴型の、収縮ブラダ折り目膜インサート要素を、膨張ジャッキの平滑に周囲が湾曲した収縮ブラダ折り目膜内面に沿って設定するステップを含む、請求項７１に記載の膨張ブラダ応力低下方法。
【請求項７５】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定するステップが、前記ほぼ細長の、ほぼ横断面が涙滴型の、収縮ブラダ折り目膜インサート要素を、膨張ジャッキ、膨張ホース、膨張式エラストマー・ダム、膨張式シール、膨張式底部ヒンジ留め水ゲート・パネル・アクチュエータ、流体輸送ホース、およびドック・バンパから構成される膨張式物品の群から選択された膨張式物品の少なくとも１つの収縮ブラダ折り目膜内面に沿って設定するステップを含む、請求項５４に記載の膨張ブラダ応力低下方法。
【請求項７６】
前記ほぼ細長の、ほぼ横断面が涙滴型の、収縮ブラダ折り目膜インサート要素を生成するステップが、エラストマーの、ほぼ細長の、ほぼ横断面が涙滴型の、収縮ブラダ折り目膜インサート要素を生成するステップを含む、請求項４９に記載の膨張ブラダ応力低下方法。
【請求項７７】
前記ほぼ細長の、ほぼ横断面が涙滴型の、収縮ブラダ折り目膜インサート要素を、膨張式ブラダ膜の少なくとも１つの収縮ブラダ折り目膜内面に沿って設定する前記ステップが、前記ほぼ細長の、ほぼ横断面が涙滴型の、収縮ブラダ折り目膜インサート要素の一部を、収縮ブラダ折り目膜近接面に付着させるステップを含む、請求項５４に記載の膨張ブラダ応力低下方法。
【請求項７８】
前記ほぼ細長の、ほぼ横断面が涙滴型の、収縮ブラダ折り目膜インサート要素の涙滴型外縁内に、長手方向インサート要素空隙を設定するステップをさらに含む、請求項４９に記載の膨張ブラダ応力低下方法。
【請求項７９】
前記膨張式ブラダ膜の少なくとも１つの層の一部を、加圧流体入口要素により形成された空隙および前記長手方向空隙に流体反応する膜空隙を囲むように構成するステップをさらに含む、請求項７８に記載の膨張ブラダ応力低下方法。
【請求項８０】
収縮ブラダ隅部折り目膜インサート要素本体要素を生成するステップと、
ほぼ細長の、平滑に湾曲した、半円筒形の、内側収縮ブラダ折り目膜面接触可能要素を、前記収縮ブラダ隅部折り目膜インサート要素本体要素に近接して外側に設定するステップと、
２つのほぼ対向する、ほぼ平面の、ほぼ細長の、内側収縮ブラダ折り目膜近接面接触可能要素を、前記収縮ブラダ隅部折り目膜インサート要素本体要素に近接して外側に設定するステップと、
前記２つのほぼ対向する、ほぼ平面の、内側収縮ブラダ折り目膜近接面接触可能要素の各々を、前記ほぼ細長の、平滑に湾曲した、半円筒形の、内側収縮ブラダ折り目膜面接触可能要素の対向部分に隣接させるステップと、
前記２つのほぼ対向する、ほぼ平面の、内側収縮ブラダ折り目膜近接面接触可能要素を、ほぼ直線の、内側収縮ブラダ折り目膜面近接面接触可能要素交差頂点要素で隣接させるステップとを含む、膨張ブラダ応力低下方法。
【請求項８１】
少なくとも１つの確実一致膨張応力低下収縮ブラダ折り目膜要素を有する膨張式膜要素と、
前記少なくとも１つの確実一致膨張応力低下収縮ブラダ折り目膜要素に反応する加圧流体入口要素とを含み、
前記少なくとも１つの確実一致膨張応力低下収縮ブラダ折り目膜要素が、最小曲率半径の膨張ブラダ応力低下が著しく増加するように確実に一致し、
収縮ブラダ折り目近接膜形材が、約３０度以上の収縮構成空隙形材点角度を示す、強度強化膨張式ブラダ装置。
【請求項８２】
最小曲率半径が、膨張式エラストマー・ダム流れ偏向フィンと同一半径で前記フィンの内側に生じる、請求項８１に記載の強度強化膨張式ブラダ装置。
【請求項８３】
少なくとも１つの確実一致膨張応力低下収縮ブラダ折り目膜要素が、単一段階加硫中に一致する、請求項８１に記載の強度強化膨張式ブラダ装置。
【請求項８４】
前記強度強化膨張式ブラダ装置が、単一段階加硫中に製造される、請求項８１に記載の強度強化膨張式ブラダ装置。
【請求項８５】
前記少なくとも１つの確実一致膨張応力低下収縮ブラダ折り目膜要素に沿って配置された、最小の収縮ブラダ折り目膜曲率半径増加インサートをさらに含む、請求項８１に記載の強度強化膨張式ブラダ装置。
【請求項８６】
前記膨張式膜要素が、膨張ジャッキ、膨張ホース、流体輸送ホース、膨張式エラストマー・ダム、膨張式シール、膨張式底部ヒンジ留め水ゲート・パネル・アクチュエータ、およびドック・バンパから構成される膨張式物品の群から選択された膨張式物品の一部を形成する、請求項８１に記載の強度強化膨張式ブラダ装置。
【請求項８７】
前記膨張式膜がエラストマーの膨張式膜である、請求項８１に記載の強度強化膨張式ブラダ装置。
【請求項８８】
前記少なくとも１つの確実一致膨張応力低下収縮ブラダ折り目膜要素の前記少なくとも一部が、ほぼまっすぐな長手方向収縮ブラダ折り目膜である、請求項８１に記載の強度強化膨張式ブラダ装置。
【請求項８９】
前記膨張式膜要素が、膨張式底部ヒンジ留め水ゲート・パネル・アクチュエータ装置の一部を形成する、請求項８８に記載の強度強化膨張式ブラダ装置。
【請求項９０】
前記膨張式膜要素が膨張式エラストマー・ダムの一部を形成する、請求項８８に記載の強度強化膨張式ブラダ装置。
【請求項９１】
前記少なくとも１つの確実一致膨張応力低下収縮ブラダ折り目膜要素が、ほぼまっすぐな長手方向収縮ブラダ折り目膜および前記ほぼまっすぐな長手方向収縮ブラダ折り目膜に直交する２つの平行な収縮ブラダ端部折り目膜を含む、請求項８１に記載の強度強化膨張式ブラダ装置。
【請求項９２】
前記膨張式膜要素が、膨張式底部ヒンジ留め水ゲート・パネル・アクチュエータ装置の一部を形成する、請求項９１に記載の強度強化膨張式ブラダ装置。
【請求項９３】
前記少なくとも１つの確実一致膨張応力低下収縮ブラダ折り目膜要素が、２つのほぼまっすぐな、平行な長手方向収縮ブラダ折り目膜である、請求項８１に記載の強度強化膨張式ブラダ装置。
【請求項９４】
前記膨張式膜要素が流体輸送ホースの一部を形成する、請求項９３に記載の強度強化膨張式ブラダ装置。
【請求項９５】
前記膨張式膜要素が膨張ホースの一部を形成する、請求項９３に記載の強度強化膨張式ブラダ装置。
【請求項９６】
前記少なくとも１つの確実一致膨張応力低下収縮ブラダ折り目膜要素が、平滑な曲線の収縮ブラダ折り目である、請求項８１に記載の強度強化膨張式ブラダ装置。
【請求項９７】
前記膨張式膜要素が膨張式シールの一部を形成する、請求項９６に記載の強度強化膨張式ブラダ装置。
【請求項９８】
前記膨張式膜要素が膨張ジャッキの一部を形成する、請求項９６に記載の強度強化膨張式ブラダ装置。
【請求項９９】
前記少なくとも１つの確実一致膨張応力低下収縮ブラダ折り目膜要素が、４つの矩形に配置された収縮ブラダ縁部である、請求項８１に記載の強度強化膨張式ブラダ装置。
【請求項１００】
前記膨張式膜要素が膨張ジャッキの一部を形成する、請求項８１に記載の強度強化膨張式ブラダ装置。
【請求項１０１】
前記膨張式膜要素が膨張ホースの一部を形成する、請求項８１に記載の強度強化膨張式ブラダ装置。
【請求項１０２】
前記膨張式膜要素が一部を形成する、請求項８６に記載の膨張式物品。
【請求項１０３】
請求項８１の膨張式膜要素を持つ少なくとも１つの膨張式ブラダを有する、膨張式作動水ゲート・パネル制水システム。
【請求項１０４】
請求項８８に記載の膨張式膜要素を有するゴム製ダム。
【請求項１０５】
少なくとも１つの収縮ブラダ折り目膜を、膨張ブラダ応力が低下するように確実に一致させて、収縮ブラダ折り目近接膜形材が、約３０度以上の収縮構成空隙形材点角度を示すようにするステップと、
前記収縮ブラダ折り目膜に反応して、前記収縮ブラダ折り目膜を含むように膨張式膜要素を設定するステップと、
前記膨張式膜要素に反応する加圧流体入口要素を設定するステップとを含む、膨張式ブラダ破損抵抗強化方法。
【請求項１０６】
前記少なくとも１つの収縮ブラダ折り目膜要素を、膨張ブラダ応力が低下するように確実に一致させるステップが、前記少なくとも１つの収縮ブラダ折り目膜の最小曲率半径を増加させるステップを含む、請求項１０５に記載の膨張式ブラダ破損抵抗強化方法。
【請求項１０７】
前記少なくとも１つの収縮ブラダ折り目膜要素を、膨張ブラダ応力が低下するように確実に一致させるステップが、長手方向インサート要素を、前記膨張式膜要素の少なくとも１つの収縮ブラダ折り目膜に沿って配置するステップと、前記膨張式膜を加硫するステップと、前記長手方向インサート要素を溶解して除去するステップとを含む、請求項１０５に記載の膨張式ブラダ破損抵抗強化方法。
【請求項１０８】
前記インサート要素が共晶塩インサート要素である、請求項１０７に記載の膨張式ブラダ破損抵抗強化方法。
【請求項１０９】
前記インサート要素がアルミニウム・インサート要素である、請求項１０７に記載の膨張式ブラダ破損抵抗強化方法。
【請求項１１０】
前記少なくとも１つの収縮ブラダ折り目膜を確実に一致させるステップと、前記膨張式膜要素を設定するステップとが各々、単一段階加硫中に行われる、請求項１０５に記載の膨張式ブラダ破損抵抗強化方法。
【請求項１１１】
前記少なくとも１つの収縮ブラダ折り目膜を確実に一致させるステップが、１つのほぼまっすぐな長手方向収縮ブラダ折り目膜を確実に一致させるステップを含む、請求項１０５に記載の膨張式ブラダ破損抵抗強化方法。
【請求項１１２】
前記１つのほぼまっすぐな長手方向収縮ブラダ折り目膜を確実に一致させるステップが、膨張式エラストマー・ダム膜を確実に一致させるステップを含む、請求項１１１に記載の膨張式ブラダ破損抵抗強化方法。
【請求項１１３】
前記１つのほぼまっすぐな長手方向収縮ブラダ折り目膜を確実に一致させるステップが、膨張式底部ヒンジ留め制水ゲート・アクチュエータ膜を確実に一致させるステップを含む、請求項１１１に記載の膨張式ブラダ破損抵抗強化方法。
【請求項１１４】
前記少なくとも１つの収縮ブラダ折り目膜を確実に一致させるステップが、２つの平行な収縮ブラダ端部折り目膜および前記２つの平行な収縮ブラダ端部折り目膜の各々にほぼ直交する１つのほぼまっすぐな長手方向収縮ブラダ折り目膜を確実に一致させるステップを含む、請求項１０５に記載の膨張式ブラダ破損抵抗強化方法。
【請求項１１５】
２つの平行な収縮ブラダ端部折り目膜および前記２つの平行な収縮ブラダ端部折り目膜の各々にほぼ直交する１つのほぼまっすぐな長手方向収縮ブラダ折り目膜を確実に一致させるステップが、膨張式底部ヒンジ留め制水ゲート・アクチュエータ膜を確実に一致させるステップを含む、請求項１１４に記載の膨張式ブラダ破損抵抗強化方法。
【請求項１１６】
２つの平行な収縮ブラダ端部折り目膜および前記２つの平行な収縮ブラダ端部折り目膜の各々にほぼ直交する１つのほぼまっすぐな長手方向収縮ブラダ折り目膜を確実に一致させるステップが、膨張式エラストマー・ダム膜を確実に一致させるステップを含む、請求項１１４に記載の膨張式ブラダ破損抵抗強化方法。
【請求項１１７】
前記少なくとも１つの収縮ブラダ折り目膜を確実に一致させるステップが、１つの平滑な曲線の収縮ブラダ折り目膜を確実に一致させるステップを含む、請求項１０５に記載の膨張式ブラダ破損抵抗強化方法。
【請求項１１８】
前記１つの平滑な曲線の収縮ブラダ折り目膜を確実に一致させるステップが、膨張式シール膜を確実に一致させるステップを含む、請求項１１７に記載の膨張式ブラダ破損抵抗強化方法。
【請求項１１９】
前記１つの平滑な曲線の収縮ブラダ折り目膜を確実に一致させるステップが、膨張ジャッキ膜を確実に一致させるステップを含む、請求項１１７に記載の膨張式ブラダ破損抵抗強化方法。
【請求項１２０】
前記１つの平滑な曲線の収縮ブラダ折り目膜を確実に一致させるステップが、ドック・バンパ膜を確実に一致させるステップを含む、請求項１１７に記載の膨張式ブラダ破損抵抗強化方法。
【請求項１２１】
前記少なくとも１つの収縮ブラダ折り目膜を確実に一致させるステップが、２つの平行な長手方向収縮ブラダ折り目膜および１つの直交する収縮ブラダ端部折り目膜を確実に一致させるステップを含む、請求項１０５に記載の膨張式ブラダ破損抵抗強化方法。
【請求項１２２】
前記１つの平滑な曲線の収縮ブラダ折り目膜を確実に一致させるステップが、膨張ホースを確実に一致させるステップを含む、請求項１２１に記載の膨張式ブラダ破損抵抗強化方法。
【請求項１２３】
前記少なくとも１つの収縮ブラダ折り目膜を確実に一致させるステップが、４つの矩形に配置された収縮ブラダ折り目膜を確実に一致させるステップを含む、請求項１０５に記載の膨張式ブラダ破損抵抗強化方法。
【請求項１２４】
前記４つの矩形に配置された収縮ブラダ折り目膜を確実に一致させるステップが、膨張ジャッキ膜を確実に一致させるステップを含む、請求項１２３に記載の膨張式ブラダ破損抵抗強化方法。
【請求項１２５】
前記４つの矩形に配置された収縮ブラダ折り目膜を確実に一致させるステップが、ドック・バンパ膜を確実に一致させるステップを含む、請求項１２３に記載の膨張式ブラダ破損抵抗強化方法。
【請求項１２６】
前記少なくとも１つの収縮ブラダ折り目膜を確実に一致させるステップが、２つの平行な長手方向収縮ブラダ端部折り目膜を確実に一致させるステップを含む、請求項１０５に記載の膨張式ブラダ破損抵抗強化方法。
【請求項１２７】
前記２つの平行な長手方向収縮ブラダ端部折り目膜を確実に一致させるステップが、膨張ホース膜を確実に一致させるステップを含む、請求項１２６に記載の膨張式ブラダ破損抵抗強化方法。
【請求項１２８】
前記２つの平行な長手方向収縮ブラダ端部折り目膜を確実に一致させるステップが、流体輸送ホース膜を確実に一致させるステップを含む、請求項１２６に記載の膨張式ブラダ破損抵抗強化方法。
【請求項１２９】
前記２つの平行な長手方向収縮ブラダ端部折り目膜を確実に一致させるステップが、ドック・バンパ膜を確実に一致させるステップを含む、請求項１２６に記載の膨張式ブラダ破損抵抗強化方法。
【請求項１３０】
前記膨張式ブラダ破損抵抗強化方法膜要素を設定するステップが、前記少なくとも１つの水ゲート・パネルの上流前縁部を中心に少なくとも１つの水ゲート・パネルを回転させるように構成されたエラストマー膨張式水ゲート・アクチュエータ膜を設定するステップを含む、請求項１０５に記載の膨張式ブラダ破損抵抗強化方法。
【請求項１３１】
膨張式膜と、
前記膨張式膜に反応する頭上流れ偏向フィンと、
前記膨張式膜が反応する膨張式膜／基礎取付要素とを含み、
前記膨張式膜が、前記頭上流れ偏向フィンとほぼ同一半径で前記フィンの内側に配置された長手方向インサート要素を含む、膨張式エラストマー・ダム装置。
【請求項１３２】
前記長手方向インサート要素が、横断面が涙滴型のインサート要素である、請求項１３１に記載の膨張式エラストマー・ダム装置。
【請求項１３３】
前記膨張式膜／基礎取付要素が、前記膨張式膜が反応する膨張式膜／基礎クランプ可能保持要素と、前記膨張式膜／基礎クランプ可能保持要素が反応する膨張式膜／基礎クランプ保持強化要素とを含む、請求項１３１に記載の膨張式エラストマー・ダム装置。
【請求項１３４】
前記膨張式膜／基礎取付要素と前記膨張式膜とが各々エラストマーである、請求項１３１に記載の膨張式エラストマー・ダム装置。
【請求項１３５】
膨張式膜と、
前記膨張式膜に反応する流れ偏向フィンと、
膨張式膜／基礎取付要素とを含み、
前記膨張式膜が、最小曲率半径の膨張ブラダ応力低下が著しく増加するように確実に一致した、流れ偏向フィン近接内部ブラダ部分を含み、
収縮ブラダ流れ偏向フィン近接形材が、約３０度以上の空隙形材点角度およびほぼ円弧状の内部ブラダ湾曲を示す、膨張式エラストマー・ダム装置。
【請求項１３６】
膨張式膜／基礎取付要素が、楔型膨張式膜／基礎クランプ保持要素を含む、請求項１３５に記載の膨張式エラストマー・ダム装置。
【請求項１３７】
膨張式膜／基礎取付要素が、ほぼ平坦な膨張式膜／基礎クランプ可能保持要素と、前記ほぼ平坦な膨張式膜／基礎クランプ可能保持要素が反応する膨張式膜／基礎クランプ保持強化要素とを含む、請求項１３５に記載の膨張式エラストマー・ダム装置。
【請求項１３８】
膨張式膜と、
前記膨張式膜に反応する流れ偏向フィンと、
膨張式膜／基礎取付要素とを含み、
前記膨張式膜が、角丸の内向き曲率半径を有するように確実に一致した、流れ偏向フィン近接内部ブラダ部分を含み、
収縮ブラダ流れ偏向フィン近接形材が、約３０度以上の空隙形材点角度およびほぼ円弧状の内部ブラダ湾曲を示す、膨張式エラストマー・ダム装置。
【請求項１３９】
膨張式膜／基礎取付要素が、楔型膨張式膜／基礎クランプ保持要素を含む、請求項１３８に記載の膨張式エラストマー・ダム装置。
【請求項１４０】
膨張式膜／基礎取付要素が、ほぼ平坦な膨張式膜／基礎クランプ可能保持要素と、前記ほぼ平坦な膨張式膜／基礎クランプ可能保持要素が反応する膨張式膜／基礎クランプ保持強化要素とを含む、請求項１３８に記載の膨張式エラストマー・ダム装置。
【請求項１４１】
頭上流れ偏向フィン近接ブラダ折り目膜を、膨張ブラダ応力が低下するように確実に一致させて、頭上流れ偏向フィン近接ブラダ折り目膜形材が、約３０度以上の収縮構成空隙形材点角度を示すようにするステップと、
前記頭上流れ偏向フィン近接ブラダ折り目膜に反応する膨張式膜要素を設定するステップと、
前記膨張式膜要素に反応する加圧流体入口要素を設定するステップとを含む、膨張式エラストマー・ダム破損抵抗強化方法。
【請求項１４２】
頭上流れ偏向フィン近接ブラダ折り目膜を、膨張ブラダ応力が低下するように確実に一致させて、頭上流れ偏向フィン近接ブラダ折り目膜形材の外形を確実に円弧状にするステップと、
前記頭上流れ偏向フィン近接ブラダ折り目膜に反応する膨張式膜要素を設定するステップと、
前記膨張式膜要素に反応する加圧流体入口要素を設定するステップとを含む、膨張式エラストマー・ダム破損抵抗強化方法。
【請求項１４３】
膨張式ブラダ要素と、
前記膨張式ブラダ要素に反応する加圧流体入口要素と、
前記膨張式ブラダ要素が反応する膨張式ブラダ／基礎取付要素とを含み、
前記膨張式ブラダ要素が、少なくとも１つの円周方向に連続した、一体に隣接する内側ブラダ層を含み、該内側ブラダ層が、差し迫った流れの方向に水平且つ垂直な長手方向中心軸を有する据付膨張構成を有する、膨張式物品装置。
【請求項１４４】
前記少なくとも１つの円周方向に連続した、一体に隣接する内側ブラダ層が、補強ブラダ・プライである、請求項１４３に記載の膨張式物品装置。
【請求項１４５】
前記少なくとも１つの円周方向に連続した、一体に隣接する内側ブラダ層が、最も内側の補強ブラダ・プライである、請求項１４３に記載の膨張式物品装置。
【請求項１４６】
前記少なくとも１つの円周方向に連続した、一体に隣接する内側ブラダ層が、少なくとも１つのオーバフロー直交収縮ブラダ継目横断プライである、請求項１４３に記載の膨張式物品装置。
【請求項１４７】
前記少なくとも１つのオーバフロー直交収縮ブラダ継目横断プライが、少なくとも１つの継目横断補強プライである、請求項１４６に記載の膨張式物品装置。
【請求項１４８】
前記少なくとも１つの継目横断補強プライが、２つの継目横断補強プライである、請求項１４７に記載の膨張式物品装置。
【請求項１４９】
前記少なくとも１つの円周方向に連続した、一体に隣接する内側ブラダ層が、ブラダ膨張軸に平行であり、かつ垂直ベクトルが、保持された水の水平力成分にほぼ垂直である面内に位置する円周に沿って連続した層を含む、請求項１４３に記載の膨張式物品装置。
【請求項１５０】
前記膨張式ブラダに反応するゲート・パネル・ヒンジ・フラップ要素をさらに含む、請求項１４３に記載の膨張式物品装置。
【請求項１５１】
前記膨張式ブラダ／基礎取付要素が、膨張式ブラダ／基礎クランプ可能保持要素と、前記膨張式ブラダ／基礎クランプ可能保持要素が反応する膨張式ブラダ／基礎クランプ保持強化要素とを含む、請求項１４３に記載の膨張式物品装置。
【請求項１５２】
前記膨張式ブラダ／基礎取付要素が、楔型膨張式ブラダ／基礎クランプ保持要素を含む、請求項１４３に記載の膨張式物品装置。
【請求項１５３】
前記膨張式ブラダが、膨張式水ゲート・アクチュエータ・ブラダおよび膨張式ダムから構成される膨張式ブラダの群から選択された膨張式ブラダである、請求項１４３に記載の膨張式物品装置。
【請求項１５４】
前記膨張式ブラダが、ドック・バンパおよび膨張式シールから構成される膨張式ブラダの群から選択された膨張式ブラダである、請求項１４３に記載の膨張式物品装置。
【請求項１５５】
請求項１４７に記載の膨張式物品装置を含む、膨張式作動ゲート制水システム。
【請求項１５６】
請求項１４７に記載の膨張式物品装置を含む、ゴム製ダム。
【請求項１５７】
膨張式制水ブラダ要素と、
前記膨張式制水ブラダ要素に反応する加圧流体入口要素と、
前記膨張式制水ブラダ要素が反応する膨張式ブラダ／基礎取付要素とを含み、
前記膨張式制水ブラダ要素が、切迫した流れ方向に水平かつ垂直な、据付け膨張構成長手方向中心軸を有する少なくとも１つの一体に隣接する内側ブラダ層を含む、膨張式物品装置。
【請求項１５８】
前記少なくとも１つの一体に隣接する内側ブラダ層が、補強ブラダ・プライである、請求項１５７に記載の膨張式物品装置。
【請求項１５９】
前記少なくとも１つの一体に隣接する内側ブラダ層が、最も内側の補強ブラダ・プライである、請求項１５７に記載の膨張式物品装置。
【請求項１６０】
前記少なくとも１つの一体に隣接する内側ブラダ層が、少なくとも１つのオーバフロー直交収縮ブラダ継目横断プライである、請求項１５７に記載の膨張式物品装置。
【請求項１６１】
前記少なくとも１つのオーバフロー直交収縮ブラダ継目横断プライが、少なくとも１つの継目横断補強プライである、請求項１６０に記載の膨張式物品装置。
【請求項１６２】
前記少なくとも１つの継目横断補強プライが、２つの継目横断補強プライである、請求項１６１に記載の膨張式物品装置。
【請求項１６３】
前記少なくとも１つの一体に隣接する内側ブラダ層が、ブラダ膨張軸に平行であり、かつ垂直ベクトルが、保持された水の水平力成分にほぼ垂直である面内に位置する円周に沿って連続した層を含む、請求項１５７に記載の膨張式物品装置。
【請求項１６４】
前記膨張式制水ブラダに反応するゲート・パネル・ヒンジ・フラップ要素をさらに含む、請求項１５７に記載の膨張式物品装置。
【請求項１６５】
前記膨張式ブラダ／基礎取付要素が、膨張式ブラダ／基礎クランプ可能保持要素と、前記膨張式ブラダ／基礎クランプ可能保持要素が反応する膨張式ブラダ／基礎クランプ保持強化要素とを含む、請求項１５７に記載の膨張式物品装置。
【請求項１６６】
前記膨張式ブラダ／基礎取付要素が、楔型膨張式ブラダ／基礎クランプ保持要素を含む、請求項１５７に記載の膨張式物品装置。
【請求項１６７】
前記膨張式制水ブラダが、膨張式水ゲート・アクチュエータ・ブラダおよび膨張式ダムから構成される膨張式制水ブラダの群から選択された膨張式制水ブラダである、請求項１５７に記載の膨張式物品装置。
【請求項１６８】
前記膨張式制水ブラダが、膨張式水ゲート・アクチュエータ・ブラダおよび膨張式ダムから構成される膨張式制水ブラダの群から選択された膨張式制水ブラダである、請求項１５７に記載の膨張式物品装置。
【請求項１６９】
据付け時に制水ゲート・パネル底縁部に取り付けられるように構成された、膨張式制水ブラダ要素と、
前記膨張式制水ブラダ要素に反応する加圧流体入口要素と、
前記膨張式制水ブラダ要素が反応する膨張式ブラダ／基礎取付要素とを含み、
前記膨張式制水ブラダ要素が、少なくとも１つのオーバフロー直交収縮ブラダ継目横断プライを含む、制水装置。
【請求項１７０】
前記膨張式制水ブラダ要素が、一体に隣接する内側ブラダ層を含む、請求項１６９に記載の制水装置。
【請求項１７１】
前記少なくとも１つのオーバフロー直交収縮ブラダ継目横断プライが、少なくとも１つのオーバフロー直交継目横断補強プライである、請求項１６９に記載の制水装置。
【請求項１７２】
前記少なくとも１つのオーバフロー直交継目横断補強プライが、２つの継目横断補強プライである、請求項１７１に記載の膨張式物品装置。
【請求項１７３】
少なくとも１つの補強膨張可能内層を設定して、連続して隣接する垂直平面周囲を有するステップと、
前記少なくとも１つの補強膨張可能内層に反応する膨張式物品端部を設定するステップと、
少なくとも１つの補強膨張可能内層の外側の、補強膨張可能内層に直接接触する少なくとも１つの補強膨張可能外層の一部を設定するステップと、
加圧流体入口要素を設定して、前記少なくとも１つの補強膨張可能内層と前記少なくとも１つの補強膨張可能外層の一部とを通して流体通行ポートを生成するステップと、
前記少なくとも１つの補強膨張可能外層の残りの部分を、前記少なくとも１つの補強膨張可能内層から層分岐ラインに沿って分岐するステップと、
前記少なくとも１つの補強膨張可能外層の前記少なくとも残りの部分を持つ膨張式ブラダ／基礎取付要素を設定するステップとを含む、膨張式物品強度強化方法。
【請求項１７４】
前記少なくとも１つの補強膨張可能外層の前記少なくとも残りの部分を持つ膨張式ブラダ／基礎取付要素を設定する前記ステップが、前記少なくとも１つの補強膨張可能外層の前記少なくとも残りの部分を持つ水ゲート／膨張式水ゲート・アクチュエータ取付要素を設定するステップをさらに含む、請求項１７３に記載の膨張式物品強度強化方法。
【請求項１７５】
前記膨張式物品が膨張式水ゲート・パネル制御アクチュエータ要素である、請求項１７４に記載の膨張式物品強度強化方法。
【請求項１７６】
前記膨張式物品が膨張式エラストマー・ダム・ブラダである、請求項１７３に記載の膨張式物品強度強化方法。
【請求項１７７】
前記少なくとも１つの補強膨張可能内層を設定するステップが、少なくとも１つの補強エラストマー内層を設定するステップを含み、前記少なくとも１つの補強膨張可能外層の一部のみを設定するステップが、少なくとも１つの補強エラストマー外層の一部のみを設定するステップを含む、請求項１７３に記載の膨張式物品強度強化方法。
【請求項１７８】
加圧流体輸送装置係合要素と、
前記加圧流体輸送装置係合要素に反応する厚さ強化内縁要素と、
前記厚さ強化加圧流体輸送装置係合要素近接内縁要素に反応する、膨張式膜分離湾曲近接膜に接触可能な据付け構成である厚さ減少外縁要素と、
前記厚さ強化加圧流体輸送装置係合要素近接内縁要素と前記厚さ減少外縁要素との間に位置する厚さ変化本体要素とを含む、加圧流体入口装置。
【請求項１７９】
前記加圧流体輸送装置係合要素が、加圧空気輸送装置係合要素である、請求項１７８に記載の加圧流体入口装置。
【請求項１８０】
前記加圧流体入口装置が、加圧流体出口装置としても動作する、請求項１７８に記載の加圧流体入口装置。
【請求項１８１】
前記加圧流体輸送装置係合要素がねじ切り係合要素である、請求項１７８に記載の加圧流体入口装置。
【請求項１８２】
前記厚さ変化本体要素が、真鍮の厚さ変化本体要素である、請求項１７８に記載の加圧流体入口装置。
【請求項１８３】
前記加圧流体輸送装置係合要素と、前記厚さ強化内縁要素と、前記厚さ減少外縁要素とが各々真鍮から作られる、請求項１７８に記載の加圧流体入口装置。
【請求項１８４】
前記厚さ減少外縁要素がほぼ円形である、請求項１７８に記載の加圧流体入口装置。
【請求項１８５】
前記厚さ変化本体要素が、切頭円錐形の膨張式膜接触可能縁部と、対向して面する平面の環状膨張式膜接触可能縁部とを含む、請求項１７８に記載の加圧流体入口装置。
【請求項１８６】
前記切頭円錐形の膨張式膜接触可能縁部が、外側膜接触可能縁部である、請求項１８５に記載の加圧流体入口装置。
【請求項１８７】
前記厚さ強化内縁要素が、厚さ強化加圧流体輸送装置係合要素近接内縁要素である、請求項１７８に記載の加圧流体入口装置。
【請求項１８８】
前記厚さ減少外縁要素が、外縁曲率半径を有する、外側が角丸の外縁要素である、請求項１７８に記載の加圧流体入口装置。
【請求項１８９】
前記外縁曲率半径が、前記膨張式膜分離湾曲での空隙の形成を防止するのに十分に小さい、請求項１８８に記載の加圧流体入口装置。
【請求項１９０】
前記外縁曲率半径が、約０．１５８８ｃｍ（０．０６２５インチ）である、請求項１８９に記載の加圧流体入口装置。
【請求項１９１】
請求項１７８に記載の加圧流体入口装置を有するエラストマー膨張式物体。
【請求項１９２】
請求項１７８に記載の加圧流体入口装置を有するドック・バンパ。
【請求項１９３】
請求項１７８に記載の加圧流体入口装置を有する膨張式エラストマー・ダム。
【請求項１９４】
請求項１７８に記載の加圧流体入口装置を有する膨張式水ゲート・パネル・アクチュエータ。
【請求項１９５】
前記加圧流体入口装置が、最初の加硫中に、エラストマー膨張式物品膜に据え付けられる、請求項１７８に記載の加圧流体入口装置。
【請求項１９６】
請求項１７８に記載の加圧流体入口装置を有する、少なくとも１つの膨張式水ゲート・アクチュエータを含む、膨張式作動水ゲート制水システム。
【請求項１９７】
加圧流体入口要素孔を有する加圧流体入口要素を寸法付けするステップと、
２つの接触隣接膨張式物品層間に前記加圧流体入口要素を設定するステップと、
前記加圧流体入口要素孔と同軸の膨張式物品層孔を設定するステップとを含む、加圧流体を膨張式物品に対して輸送する方法。
【請求項１９８】
前記２つの隣接膨張式物品層間に前記加圧流体入口要素を設定するステップが、２つの接触隣接補強エラストマー膨張式物品層間に前記加圧流体入口要素を設定するステップを含み、前記膨張式物品層孔を設定するステップが、エラストマー膨張式物品層孔を設定するステップを含む、請求項１９７に記載の加圧流体を膨張式物品に対して輸送する方法。
【請求項１９９】
加圧流体入口孔が、請求項１９８に記載の方法を使用して設定される、加圧流体を膨張式物品に対して輸送する方法。
【請求項２００】
加圧流体輸送装置係合要素を生成するステップと、
前記加圧流体輸送装置係合要素に反応する厚さ強化内縁要素を設定するステップと、
前記厚さ強化内縁要素に反応する、少なくとも１つの膨張式膜分離湾曲近接膜に接触可能な厚さ減少外縁要素を設定するステップと、
前記厚さ強化内縁要素と前記厚さ減少外縁要素との間に厚さ変化本体要素を設定するステップとを含む、加圧流体の膨張式物品に対する輸送を促進する方法。
【請求項２０１】
前記加圧流体輸送装置係合要素と、前記厚さ強化内縁要素と、前記厚さ減少外縁要素と、膨張式膜の２つの接触隣接層間の前記厚さ変化本体要素とから構成された加圧流体入口要素を設定するステップをさらに含む、請求項２００に記載の加圧流体の膨張式物品に対する輸送を促進する方法。
【請求項２０２】
前記膨張式膜が、制水ゲート・アクチュエータ要素膨張式膜である、請求項２０１に記載の加圧流体の膨張式物品に対する輸送を促進する方法。
【請求項２０３】
請求項２００に記載の方法により作られた加圧流体入口要素を有する、水ゲート制御アクチュエータ要素。
【請求項２０４】
前記加圧流体輸送装置係合要素を生成するステップが、加圧空気輸送装置係合要素を生成するステップを含む、請求項２００に記載の加圧流体の膨張式物品に対する輸送を促進する方法。
【請求項２０５】
前記加圧流体輸送装置係合要素を生成するステップが、ねじ切り加圧流体輸送装置係合要素を生成するステップを含む、請求項２００に記載の加圧流体の膨張式物品に対する輸送を促進する方法。
【請求項２０６】
前記厚さ強化内縁要素を設定するステップが、真鍮の厚さ強化内縁要素を設定するステップを含み、前記厚さ減少外縁要素を設定するステップが、真鍮の厚さ減少外縁要素を設定するステップを含み、前記厚さ変化本体要素を設定するステップが、真鍮の厚さ変化本体要素を設定するステップを含む、請求項２００に記載の加圧流体の膨張式物品に対する輸送を促進する方法。
【請求項２０７】
前記厚さ変化本体要素を設定するステップが、切頭円錐形の内側膨張式膜接触縁部と、対向して面する平面の環状外側膨張式膜接触縁部とを設定するステップを含む、請求項２００に記載の加圧流体の膨張式物品に対する輸送を促進する方法。
【請求項２０８】
前記切頭円錐形の内側膨張式膜接触縁部と、対向して面する平面の環状外側膨張式膜接触縁部とを設定するステップが、切頭円錐形の外側膨張式膜接触縁部を設定するステップを含む、請求項２０７に記載の加圧流体の膨張式物品に対する輸送を促進する方法。
【請求項２０９】
前記厚さ減少外縁要素を設定するステップが、ほぼ円形の厚さ減少外縁要素を設定するステップを含む、請求項２００に記載の加圧流体の膨張式物品に対する輸送を促進する方法。
【請求項２１０】
前記厚さ減少外縁要素を設定するステップが、外縁曲率半径を有する、外側が角丸の外縁要素を設定するステップを含む、請求項２００に記載の加圧流体の膨張式物品に対する輸送を促進する方法。
【請求項２１１】
前記外縁曲率半径を有する、外側が角丸の外縁要素を設定するステップが、前記少なくとも１つの膨張式膜分離湾曲での空隙の形成を防止するのに十分な外縁曲率半径を有する、外側が角丸の外縁要素を設定するステップを含む、請求項２１０に記載の加圧流体の膨張式物品に対する輸送を促進する方法。
【請求項２１２】
前記外縁曲率半径を有する、外側が角丸の外縁要素を設定するステップが、約０．１５８８ｃｍ（０．０６２５インチ）の外縁曲率半径を有する、外側が角丸の外縁要素を設定するステップを含む、請求項２１１に記載の加圧流体の膨張式物品に対する輸送を促進する方法。
【請求項２１３】
内部パネル・シール／基礎クランプ保持強化要素と、
前記内部パネル・シール／基礎クランプ保持強化要素に反応する内部パネル・シール／基礎クランプ可能保持要素と、
前記内部パネル・シール／基礎クランプ可能保持要素に反応する上部オーバフロー直交水ゲート・パネル縁部一致水シール・ヒンジ要素と、
第１の水ゲート・パネルの第１の縁部近接部と第２の水ゲート・パネルの第２の縁部近接部とに固定して取付可能な内部パネル・シール要素とを含み、
前記第１の水ゲート・パネルの前記第１の縁部近接部が前記第２の水ゲート・パネルの前記第２の縁部近接部に隣接して配置され、前記第１の水ゲート・パネルが前記第２の水ゲート・パネルに隣接して配置される、貯水漏れ防止装置。
【請求項２１４】
前記内部パネル・シール／基礎クランプ保持強化要素に反応する前記内部パネル・シール／基礎クランプ可能保持要素が、膨張式水ゲート・アクチュエータ／基礎クランプ保持強化要素に隣接して据付け可能である、請求項２１３に記載の貯水漏れ防止装置。
【請求項２１５】
前記内部パネル・シール／基礎クランプ保持強化要素の外形が、据付け構成隣接膨張式水ゲート・アクチュエータ／基礎クランプ保持強化要素の外形とほぼ類似する、請求項２１３に記載の貯水漏れ防止装置。
【請求項２１６】
前記内部パネル・シール／基礎クランプ保持強化要素と、前記内部パネル・シール／基礎クランプ可能保持要素と、前記上部オーバフロー直交水ゲート・パネル縁部一致水シール・ヒンジ要素とが各々、据付け時に隣接する貯水シール要素に圧縮封止して嵌合するような大きさに作られる、請求項２１３に記載の貯水漏れ防止装置。
【請求項２１７】
前記内部パネル・シール要素のオーバフロー直交水ゲート・アクチュエータ・ヒンジ・フラップ要素隣接部が、据付け構成隣接膨張式水ゲート・アクチュエータ・ヒンジ・フラップ要素に圧縮封止して嵌合するような大きさに作られる、請求項２１６に記載の貯水漏れ防止装置。
【請求項２１８】
前記圧縮封止嵌合が締まり嵌めである、請求項２１６に記載の貯水漏れ防止装置。
【請求項２１９】
前記内部パネル・シール／基礎クランプ可能保持要素と、前記上部オーバフロー直交水ゲート・パネル縁部一致水シール・ヒンジ要素と、前記内部パネル・シール要素とが各々エラストマーである、請求項２１３に記載の貯水漏れ防止装置。
【請求項２２０】
据付け時に前記内部パネル・シール要素の下に封止可能に貼付された、薄い防水シール補足シートをさらに含む、請求項２１３に記載の貯水漏れ防止装置。
【請求項２２１】
前記内部パネル・シール／基礎クランプ可能保持要素が、ほぼ平坦な内部パネル・シール／余水路クランプ可能保持要素である、請求項２１３に記載の貯水漏れ防止装置。
【請求項２２２】
前記内部パネル・シール／基礎クランプ保持強化要素が、コンマ型インサートを含む、請求項２１３に記載の貯水漏れ防止装置。
【請求項２２３】
前記第１の水ゲート・パネルと前記第２の水ゲート・パネルとをさらに含む、請求項２１３に記載の貯水漏れ防止装置。
【請求項２２４】
据付け構成隣接膨張式水ゲート・アクチュエータ装置をさらに含む、請求項２１３に記載の貯水漏れ防止装置。
【請求項２２５】
前記内部パネル・シール要素が、ゲート・パネル下流限界を超えて突出する、請求項２１３に記載の貯水漏れ防止装置。
【請求項２２６】
前記突出する内部パネル・シール要素が、ナップ切断要素である、請求項２２５に記載の貯水漏れ防止装置。
【請求項２２７】
前記ナップ切断要素が、頭上流れモード動的物体衝撃可撓性ナップ切断装置である、請求項２２６に記載の貯水漏れ防止装置。
【請求項２２８】
前記頭上流れモード動的物体衝撃可撓性ナップ切断装置が、補強エラストマー・ナップ切断装置である、請求項２２７に記載の貯水漏れ防止装置。
【請求項２２９】
前記上部オーバフロー直交水ゲート・パネル縁部一致シール・ヒンジ要素が、オーバフロー直交垂直内部パネル・シール／基礎クランプ面当接隅部増強縁部要素を含む、請求項２１３に記載の貯水漏れ防止装置。
【請求項２３０】
前記上部オーバフロー直交水ゲート・パネル縁部一致シール・ヒンジ要素の前記オーバフロー直交垂直内部パネル・シール／基礎クランプ面当接隅部増強縁部要素が、オーバフロー直交内部パネル・シール／基礎クランプ面のほぼすべての近接部に当接するように構成される、請求項２２９に記載の貯水漏れ防止装置。
【請求項２３１】
請求項２１３に記載の少なくとも１つの貯水漏れ防止装置を含む、作動水ゲート・パネル制水システム。
【請求項２３２】
請求項２２２に記載の少なくとも１つの貯水漏れ防止装置を含む、膨張式作動水ゲート・パネル制水システム。
【請求項２３３】
ほぼ細長の内部パネル・シール要素を生成するステップと、
前記ほぼ細長の内部パネル・シール要素を、第１の水ゲート・パネルの第１の縁部近接部と第２の水ゲート・パネルの第２の縁部近接部とに固定して取り付けられるように構成し、前記第１の水ゲート・パネルの前記第１の縁部近接部が前記第２の水ゲート・パネルの前記第２の縁部近接部に隣接して据え付けられ、前記第１の水ゲート・パネルが前記第２の水ゲート・パネルに隣接して配置されるステップと、
前記ほぼ細長の内部パネル・シール要素が反応する内部パネル・シール／基礎クランプ可能保持要素を設定するステップと、
前記内部パネル・シール／基礎クランプ可能保持要素が反応する内部パネル・シール／基礎クランプ保持強化要素を設定するステップと、
前記ほぼ平坦な内部パネル・シール／基礎クランプ可能保持要素に反応する内部パネル・シール・ヒンジ要素を設定するステップと、
前記内部パネル・シール／基礎クランプ可能保持要素の外形を、据付け構成隣接水ゲート・アクチュエータ／基礎クランプ可能保持要素の外形に一致させるステップとを含む、制水ゲート・システムにより貯水の漏れを防止する方法。
【請求項２３４】
前記内部パネル・シール・ヒンジ要素が、上部オーバフロー直交水ゲート・パネル縁部一致内部パネル・シール・ヒンジ要素を設定するステップをさらに含む、請求項２３３に記載の制水ゲート・システムにより貯水の漏れを防止する方法。
【請求項２３５】
前記内部パネル・シール／基礎クランプ保持強化要素を、据付け構成隣接水ゲート・アクチュエータ／基礎クランプ保持強化要素に一致させるステップをさらに含む、請求項２３３に記載の制水ゲート・システムにより貯水の漏れを防止する方法。
【請求項２３６】
前記内部パネル・シール／基礎クランプ可能保持要素を締まりシールにより据え付けるステップと、前記内部パネル・シール／基礎クランプ保持強化要素を、近接制水アクチュエータ取付要素間に締まりシールにより据え付けるステップとをさらに含む、請求項２３３に記載の制水ゲート・システムにより貯水の漏れを防止する方法。
【請求項２３７】
前記ほぼ細長の内部パネル・シール要素と、前記内部パネル・シール／基礎クランプ可能保持要素と、前記内部パネル・シール／基礎クランプ可能保持要素とが各々エラストマーである、請求項２３３に記載の制水ゲート・システムにより貯水の漏れを防止する方法。
【請求項２３８】
前記ほぼ細長の内部パネル・シール要素と、下にある水ゲート・パネルとの間に、少なくとも１枚の薄い防水シール補足シートを設定するステップをさらに含む、請求項２３３に記載の制水ゲート・システムにより貯水の漏れを防止する方法。
【請求項２３９】
前記ほぼ細長の内部パネル・シール要素を、ゲート・パネル下流限界を超えて据付け突出させるステップをさらに含む、請求項２３３に記載の制水ゲート・システムにより貯水の漏れを防止する方法。
【請求項２４０】
前記ほぼ細長の内部パネル・シール要素を、ゲート・パネル下流限界を超えて据付け突出させる前記ステップが、前記ほぼ細長の内部パネル・シール要素を、ナップ切断要素を生成するのに十分に突出させるステップを含む、請求項２３９に記載の制水ゲート・システムにより貯水の漏れを防止する方法。
【請求項２４１】
前記ナップ切断要素が、頭上流れモード動的物体衝撃可撓性ナップ切断装置である、請求項２４０に記載の制水ゲート・システムにより貯水の漏れを防止する方法。
【請求項２４２】
請求項２３３に記載の水ゲート・システムにより貯水の漏れを防止する方法を使用して貯水を封止する、膨張式作動水ゲート・パネル貯水システム。
【請求項２４３】
前記内部パネル・シール・ヒンジ要素の上部オーバフロー直交縁部を隅部増強させて、オーバフロー直交垂直内部パネル・シール／基礎クランプ面縁部に一致させるステップをさらに含む、請求項２４２に記載の膨張式作動水ゲート・パネル貯水システム。
【請求項２４４】
膨張式ブラダ要素と、
前記膨張式ブラダ要素に反応する加圧流体入口要素と、
前記膨張式ブラダ要素が反応する膨張式ブラダ／基礎取付要素と、
前記膨張式ブラダ／基礎取付要素に反応する、オーバフロー直交垂直膨張式ブラダ／基礎クランプ面当接隅部増強縁部要素を含む、一体型水ゲート・パネル・ヒンジ・フラップ要素とを含む、膨張式水ゲート・アクチュエータ装置。
【請求項２４５】
前記膨張式ブラダ／基礎取付要素が、膨張式ブラダ／基礎クランプ可能保持要素と、前記膨張式膜／基礎クランプ可能保持要素が反応する膨張式ブラダ／基礎クランプ保持強化要素とを含む、請求項２４４に記載の膨張式水ゲート・アクチュエータ装置。
【請求項２４６】
前記膨張式ブラダ／基礎取付要素が、楔型ブラダ／基礎クランプ保持要素を含む、請求項２４４に記載の膨張式水ゲート・アクチュエータ装置。
【請求項２４７】
前記一体型水ゲート・パネル・ヒンジ・フラップ要素の前記オーバフロー直交垂直膨張式ブラダ／基礎クランプ面当接隅部増強縁部要素が、オーバフロー直交垂直膨張式ブラダ／基礎クランプ面のほぼすべての近接部に当接するように構成される、請求項２４４に記載の膨張式水ゲート・アクチュエータ装置。
【請求項２４８】
前記膨張式ブラダ要素と、前記膨張式ブラダ／基礎取付要素と、前記一体型水ゲート・パネル・ヒンジ・フラップ要素とが各々エラストマーである、請求項２４４に記載の膨張式水ゲート・アクチュエータ装置。
【請求項２４９】
請求項２４４に記載の少なくとも１つの膨張式水ゲート・アクチュエータ装置を含む、膨張式作動水ゲート制水システム。
【請求項２５０】
膨張式ブラダ要素を生成するステップと、
前記膨張式ブラダ要素に反応する加圧流体入口要素を設定するステップと、
前記膨張式ブラダ要素が反応する膨張式ブラダ／基礎取付要素を設定するステップと、
前記膨張式ブラダ／基礎取付要素に反応する、一体型水ゲート・パネル・ヒンジ・フラップ取付要素を設定するステップと、
前記一体型水ゲート・パネル・ヒンジ・フラップ取付要素の上部オーバフロー直交縁部を隅部増強させて、垂直膨張式ブラダ／基礎クランプ面に一致させるステップとを含む、膨張式水ゲート・アクチュエータ・システム強化方法。
【請求項２５１】
前記膨張式ブラダ／基礎取付要素を設定するステップが、膨張式ブラダ／基礎クランプ可能保持要素を設定するステップと、前記膨張式ブラダ／基礎クランプ可能保持要素が反応する膨張式ブラダ／基礎クランプ保持強化要素を設定するステップとを含む、請求項２５０に記載の膨張式水ゲート・アクチュエータ・システム強化方法。
【請求項２５２】
前記膨張式ブラダ／基礎取付要素を設定するステップが、楔型膨張式ブラダ／基礎クランプ保持要素を設定するステップを含む、請求項２５０に記載の膨張式水ゲート・アクチュエータ・システム強化方法。
【請求項２５３】
前記膨張式ブラダ要素を生成するステップが、膨張式エラストマー・ブラダ要素を生成するステップを含む、請求項２５０に記載の膨張式水ゲート・アクチュエータ・システム強化方法。
【請求項２５４】
基礎摺動面隣接水ゲート・パネルの基礎摺動面隣接縁部近接部に固定して取付可能であり、
水ゲート・パネル一致可能シール要素と、
前記水ゲート・パネル一致可能シール要素に反応する基礎摺動面隣接貯水シール要素と、
前記水ゲート・パネル一致可能シール要素と前記基礎摺動面隣接貯水シール要素とのほぼ間に設定された、長手方向隅部シール要素とを含む上部貯水シール要素と、
前記上部貯水シール要素に反応する厚さ減少ヒンジ可能上部オーバフロー直交水ゲート・パネル縁部一致水シール要素と、
前記厚さ減少ヒンジ可能上部オーバフロー直交水ゲート・パネル縁部一致水シール要素が反応する当接シール／基礎取付要素とを含む、貯水シール装置。
【請求項２５５】
前記当接シール／基礎取付要素が、当接シール／基礎クランプ可能保持要素と、当接シール／基礎クランプ可能保持要素が反応する当接シール／基礎クランプ保持強化要素とを含む、請求項２５４に記載の貯水シール装置。
【請求項２５６】
前記当接シール／基礎クランプ可能保持要素の外形が、据付け構成隣接膨張式水ゲート・アクチュエータ／基礎クランプ可能要素の外形とほぼ類似する、請求項２５５に記載の貯水シール装置。
【請求項２５７】
前記当接シール／基礎クランプ可能保持要素がエラストマーであり、ほぼ平坦である、請求項２５６に記載の貯水シール装置。
【請求項２５８】
前記当接シール／基礎クランプ保持強化要素の外形が、据付け構成隣接膨張式水ゲート・アクチュエータ／基礎クランプ保持強化要素の外形とほぼ類似する、請求項２５６に記載の貯水シール装置。
【請求項２５９】
当接シール／基礎クランプ可能保持要素が、ほぼ平坦な当接シール／基礎クランプ可能保持要素である、請求項２５５に記載の貯水シール装置。
【請求項２６０】
前記当接シール／基礎クランプ可能保持要素が、据付け構成隣接膨張式水ゲート・アクチュエータ／基礎クランプ可能要素の外形を示す、請求項２５９に記載の貯水シール装置。
【請求項２６１】
前記当接シール／基礎クランプ保持強化要素が、ほぼ円形横断面のインサートを含む、請求項２５５に記載の貯水シール装置。
【請求項２６２】
前記当接シール／基礎クランプ保持強化要素が、コンマ型インサートを含む、請求項２６１に記載の貯水シール装置。
【請求項２６３】
前記当接シール／基礎取付要素が、楔形当接シール／基礎クランプ保持要素を含む、請求項２５４に記載の貯水シール装置。
【請求項２６４】
前記楔型当接シール／基礎クランプ保持要素が、据付け構成隣接楔型ゲート・パネル・アクチュエータ／基礎取付要素の外形を有するように構成される、請求項２６３に記載の貯水シール装置。
【請求項２６５】
前記基礎摺動面隣接貯水シール要素が、コンクリート基礎摺動面隣接貯水シール要素である、請求項２５４に記載の貯水シール装置。
【請求項２６６】
前記基礎摺動面隣接貯水シール要素が、当接板隣接貯水シール要素である、請求項２５４に記載の貯水シール装置。
【請求項２６７】
前記当接板隣接貯水シール要素がステンレス鋼である、請求項２６６に記載の貯水シール装置。
【請求項２６８】
前記当接板隣接貯水シール要素がポリマーである、請求項２６６に記載の貯水シール装置。
【請求項２６９】
前記当接板隣接貯水シール要素がポリエチレンである、請求項２６８に記載の貯水シール装置。
【請求項２７０】
前記基礎摺動面隣接貯水シール要素が、低摩擦摩耗貯水シール要素を含む、請求項２５４に記載の貯水シール装置。
【請求項２７１】
前記低摩擦摩耗面貯水シール要素が、ポリマー・シール要素を含む、請求項２７０に記載の貯水シール装置。
【請求項２７２】
前記ポリマー・シール要素が、ポリエチレン・シール要素を含む、請求項２７１に記載の貯水シール装置。
【請求項２７３】
前記ポリエチレン・シール要素が、超高分子量ポリエチレン・シール要素を含む、請求項２７２に記載の貯水シール装置。
【請求項２７４】
前記ポリエチレン・シール要素が、高密度ポリエチレン・シール要素を含む、請求項２７２に記載の貯水シール装置。
【請求項２７５】
前記ポリマー・シール要素が、ＥＰＤＭゴムを含む補強エラストマーと共加硫される、請求項２７１に記載の貯水シール装置。
【請求項２７６】
前記ポリエチレン・シール要素が、ＥＰＤＭゴムおよびクロロブチルを含む補強エラストマーと共加硫される、請求項２７１に記載の貯水シール装置。
【請求項２７７】
前記基礎摺動面隣接貯水シール要素が、ステンレス鋼基礎摺動面隣接貯水シール要素である、請求項２７６に記載の貯水シール装置。
【請求項２７８】
前記基礎摺動面隣接貯水シール要素が、ゴム基礎摺動面隣接貯水シール要素である、請求項２７６に記載の貯水シール装置。
【請求項２７９】
前記基礎摺動面隣接貯水シール要素が、ゴム・シール要素を含む、請求項２５４に記載の貯水シール装置。
【請求項２８０】
前記基礎摺動面隣接貯水シール要素が、ポリマー基礎摺動面隣接貯水シール要素である、請求項２７９に記載の貯水シール装置。
【請求項２８１】
前記基礎摺動面隣接貯水シール要素が、ステンレス鋼シール要素を含む、請求項２５４に記載の貯水シール装置。
【請求項２８２】
前記基礎摺動面隣接貯水シール要素が、ポリマー基礎摺動面隣接貯水シール要素である、請求項２８１に記載の貯水シール装置。
【請求項２８３】
前記基礎摺動面隣接貯水シール要素が、コンクリート基礎摺動面隣接貯水シール要素である、請求項２５４に記載の貯水シール装置。
【請求項２８４】
前記コンクリート基礎摺動面隣接貯水シール要素が、塗装コンクリート基礎摺動面隣接貯水シール要素である、請求項２８３に記載の貯水シール装置。
【請求項２８５】
前記基礎摺動面隣接貯水シール要素が、弾性的に角度偏倚される、請求項２５４に記載の貯水シール装置。
【請求項２８６】
前記弾性的な角度偏倚が、補強プライ強化による偏倚である、請求項２８５に記載の貯水シール装置。
【請求項２８７】
前記基礎摺動面隣接水ゲート・パネルをさらに含む、請求項２５４に記載の貯水シール装置。
【請求項２８８】
据付け構成隣接水ゲート・パネル・アクチュエータ装置をさらに含む、請求項２５４に記載の貯水シール装置。
【請求項２８９】
据付け構成隣接基礎摺動面をさらに含む、請求項２５４に記載の貯水シール装置。
【請求項２９０】
前記厚さ減少ヒンジ可能上部オーバフロー直交水ゲート・パネル縁部一致シール要素が、垂直オーバフロー直交当接シール／基礎クランプ面当接隅部増強縁部要素を含む、請求項２５４に記載の貯水シール装置。
【請求項２９１】
前記垂直当接シール／基礎クランプ面当接隅部増強オーバフロー直交縁部要素が、当接シール／基礎クランプ面のほぼすべての近接部に当接するように構成される、請求項２９０に記載の貯水シール装置。
【請求項２９２】
前記厚さ減少ヒンジ可能上部オーバフロー直交水ゲート・パネル縁部一致水シール要素と前記当接シール／基礎取付要素とが、締まりシール幅に寸法付けされる、請求項２５４に記載の貯水シール装置。
【請求項２９３】
前記基礎摺動面隣接貯水シール要素が熱反応する発熱体をさらに含む、請求項２５４に記載の貯水シール装置。
【請求項２９４】
前記基礎摺動面隣接貯水シール要素が、前記基礎摺動面隣接貯水シール要素の長さにほぼ沿って設定された、一体に加硫された発熱体を含む、請求項２５４に記載の貯水シール装置。
【請求項２９５】
請求項２５４に記載の少なくとも１つの貯水シール装置を含む、作動制水システム。
【請求項２９６】
水ゲート・パネル一致可能シール要素を生成するステップと、
前記水ゲート・パネル一致可能シール要素が反応する基礎摺動面隣接貯水シール要素を設定するステップと、
前記水ゲート・パネル一致可能シール要素と前記基礎摺動面隣接貯水シール要素とのほぼ間に長手方向隅部シール要素を設定し、
前記水ゲート・パネル一致可能シール要素と、前記基礎摺動面隣接貯水シール要素と、前記長手方向隅部シール要素とが共に、上部貯水シール要素を形成するステップと、
前記上部貯水シール要素を、基礎摺動面隣接水ゲート・パネルの基礎摺動面隣接縁部近接部に固定して取り付けられるように構成するステップと、
厚さ減少ヒンジ可能上部オーバフロー直交水ゲート・パネル縁部一致シール要素を、前記上部貯水シール要素にヒンジで取り付けるステップと、
前記厚さ減少ヒンジ可能上部オーバフロー直交水ゲート・パネル縁部一致シール要素が反応する当接シール／基礎取付要素を設定するステップとを含む、貯水シール方法。
【請求項２９７】
前記当接シール／基礎取付要素を設定するステップが、当接シール／基礎クランプ可能保持要素と、前記当接シール／基礎クランプ可能保持要素に反応する当接シール／基礎クランプ保持強化要素とを設定するステップを含む、請求項２９６に記載の貯水シール方法。
【請求項２９８】
前記当接シール／基礎クランプ可能保持要素を設定するステップが、隣接膨張式水ゲート・アクチュエータ／基礎クランプ可能要素の外形とほぼ類似する当接シール／基礎クランプ可能保持要素を設定するステップを含む、請求項２９７に記載の貯水シール方法。
【請求項２９９】
前記当接シール／基礎クランプ可能保持要素を設定するステップが、エラストマーのほぼ平坦な当接シール／基礎クランプ可能保持要素を設定するステップを含む、請求項２９８に記載の貯水シール方法。
【請求項３００】
前記当接シール／基礎クランプ保持強化要素を設定するステップが、据付け構成隣接膨張式水ゲート・アクチュエータ／基礎クランプ保持強化要素の外形とほぼ類似する外形を有する当接シール／基礎クランプ保持強化要素を設定するステップを含む、請求項２９８に記載の貯水シール方法。
【請求項３０１】
前記当接シール／基礎クランプ可能保持要素を設定するステップが、ほぼ平坦な当接シール／基礎クランプ可能保持要素を設定するステップを含む、請求項２９７に記載の貯水シール方法。
【請求項３０２】
前記当接シール／基礎クランプ可能保持要素を設定するステップが、据付け構成隣接膨張式水ゲート・アクチュエータ／基礎クランプ可能要素の外形を有する当接シール／基礎クランプ可能保持要素を設定するステップを含む、請求項３０１に記載の貯水シール方法。
【請求項３０３】
前記当接シール／基礎クランプ保持強化要素を設定するステップが、ほぼ円形横断面のインサートを設定するステップを含む、請求項２９７に記載の貯水シール方法。
【請求項３０４】
前記ほぼ円形横断面のインサートを設定するステップが、コンマ型インサートを設定するステップを含む、請求項３０３に記載の貯水シール方法。
【請求項３０５】
前記当接シール／基礎取付要素を設定するステップが、楔形当接シール／基礎クランプ保持要素を設定するステップを含む、請求項２９６に記載の貯水シール方法。
【請求項３０６】
前記楔型当接シール／基礎クランプ保持要素を設定するステップが、据付け構成隣接楔型ゲート・パネル・アクチュエータ／基礎取付要素の外形を有する楔型当接シール／基礎クランプ保持要素を設定するステップを含む、請求項３０５に記載の貯水シール方法。
【請求項３０７】
前記基礎摺動面隣接貯水シール要素を設定するステップが、コンクリート基礎摺動面隣接貯水シール要素を設定するステップを含む、請求項２９６に記載の貯水シール方法。
【請求項３０８】
前記基礎摺動面隣接貯水シール要素を設定するステップが、当接板隣接貯水シール要素を設定するステップを含む、請求項２９６に記載の貯水シール方法。
【請求項３０９】
前記当接板隣接貯水シール要素を設定するステップが、ステンレス鋼当接板隣接貯水シール要素を設定するステップを含む、請求項３０８に記載の貯水シール方法。
【請求項３１０】
前記当接板隣接貯水シール要素を設定するステップが、ポリエチレン当接板隣接貯水シール要素を設定するステップを含む、請求項３０８に記載の貯水シール方法。
【請求項３１１】
前記基礎摺動面隣接貯水シール要素を設定するステップが、低摩擦摩耗貯水シール要素を設定するステップを含む、請求項２９６に記載の貯水シール方法。
【請求項３１２】
前記低摩擦摩耗貯水シール要素を設定するステップが、ポリマー・シール要素を設定するステップを含む、請求項３１１に記載の貯水シール方法。
【請求項３１３】
前記低摩擦摩耗貯水シール要素を設定するステップが、ポリエチレン・シール要素を設定するステップを含む、請求項３１２に記載の貯水シール方法。
【請求項３１４】
前記ポリエチレン・シール要素を設定するステップが、超高分子量ポリエチレン・シール要素を設定するステップを含む、請求項３１３に記載の貯水シール方法。
【請求項３１５】
前記ポリエチレン・シール要素を設定するステップが、高密度ポリエチレン・シール要素を設定するステップを含む、請求項３１４に記載の貯水シール方法。
【請求項３１６】
前記ポリエチレン・シール要素を設定するステップが、前記ポリエチレン・シール要素を、ＥＰＤＭゴムを含む補強エラストマーと共加硫するステップを含む、請求項３１５に記載の貯水シール方法。
【請求項３１７】
前記ポリエチレン・シール要素を設定するステップが、前記ポリエチレン・シール要素を、ＥＰＤＭゴムおよびクロロブチルを含む補強エラストマーと共加硫するステップを含む、請求項３１６に記載の貯水シール方法。
【請求項３１８】
前記基礎摺動面隣接貯水シール要素を設定するステップが、基礎摺動面隣接貯水シール要素を設定するステップを含む、請求項３１７に記載の貯水シール方法。
【請求項３１９】
前記基礎摺動面隣接貯水シール要素を設定するステップが、ステンレス鋼基礎摺動面隣接貯水シール要素を設定するステップを含む、請求項３１８に記載の貯水シール方法。
【請求項３２０】
前記基礎摺動面隣接貯水シール要素を設定するステップが、ゴム貯水シール要素を設定するステップを含む、請求項２９６に記載の貯水シール方法。
【請求項３２１】
前記基礎摺動面隣接貯水シール要素を設定するステップが、ポリエチレン基礎摺動面隣接貯水シール要素を設定するステップを含む、請求項３２０に記載の貯水シール方法。
【請求項３２２】
前記基礎摺動面隣接貯水シール要素を設定するステップが、ステンレス鋼貯水シール要素を設定するステップを含む、請求項２９６に記載の貯水シール方法。
【請求項３２３】
前記基礎摺動面隣接貯水シール要素を設定するステップが、ポリエチレン基礎摺動面隣接貯水シール要素を設定するステップを含む、請求項３２２に記載の貯水シール方法。
【請求項３２４】
前記水ゲート・パネル一致可能シール要素が反応する前記基礎摺動面隣接貯水シール要素を設定するステップが、前記基礎摺動面隣接貯水シール要素を弾性的に角度偏倚させるステップを含む、請求項２９６に記載の貯水シール方法。
【請求項３２５】
前記基礎摺動面隣接貯水シール要素を弾性的に角度偏倚させる前記ステップが、前記基礎摺動面隣接貯水シール要素を補強エラストマー・プライ強化により偏倚させるステップを含む、請求項３２４に記載の貯水シール方法。
【請求項３２６】
前記厚さ減少ヒンジ可能上部オーバフロー直交水ゲート・パネル縁部一致シール要素の上部オーバフロー直交縁部を隅部増強させて、平面当接シール／基礎クランプ面のほぼすべての近接部にほぼ当接させるステップをさらに含む、請求項２９６に記載の貯水シール方法。
【請求項３２７】
前記厚さ減少ヒンジ可能上部オーバフロー直交水ゲート・パネル縁部一致シール要素と前記当接シール／基礎取付要素とを、締まりシール幅に寸法付けするステップをさらに含む、請求項２９６に記載の貯水シール方法。
【請求項３２８】
前記基礎摺動面隣接貯水シール要素が熱反応する発熱体を設定するステップをさらに含む、請求項２９６に記載の貯水シール方法。
【請求項３２９】
前記基礎摺動面隣接貯水シール要素の一部として、前記発熱体を一体に加硫するステップをさらに含む、請求項３２８に記載の貯水シール方法。
【請求項３３０】
前記基礎摺動面隣接貯水シール要素を設定するステップが、ほぼ垂直に同一平面の、垂直基礎摺動面隣接貯水シール要素を設定するステップを含む、請求項２９６に記載の貯水シール方法。
【請求項３３１】
可能な水ゲート位置垂直縁部範囲全体を通して平面の当接シール面に接触するように寸法付けされたポリマー板要素と、
前記ポリマー板要素が反応する板／基礎面取付要素とを含む、水ゲート・パネル摺動摩擦減少装置。
【請求項３３２】
前記ポリマー板要素がポリエチレン板要素である、請求項３３１に記載の水ゲート・パネル摺動摩擦減少装置。
【請求項３３３】
前記ポリエチレン板要素が超高分子量ポリエチレン板要素である、請求項３３２に記載の水ゲート・パネル摺動摩擦減少装置。
【請求項３３４】
前記ポリエチレン板要素が高密度ポリエチレン板要素である、請求項３３２に記載の水ゲート・パネル摺動摩擦減少装置。
【請求項３３５】
前記ポリマー板要素が暗色ポリマー板要素である、請求項３３１に記載の水ゲート・パネル摺動摩擦減少装置。
【請求項３３６】
前記ポリマー板要素が超高分子量ポリマー板要素である、請求項３３１に記載の水ゲート・パネル摺動摩擦減少装置。
【請求項３３７】
前記ポリマー板要素が高密度ポリマー板要素である、請求項３３１に記載の水ゲート・パネル摺動摩擦減少装置。
【請求項３３８】
前記ポリマー板要素が補強ポリマー板要素である、請求項３３１に記載の水ゲート・パネル摺動摩擦減少装置。
【請求項３３９】
前記補強ポリマー板要素がガラス繊維補強ポリマー板要素である、請求項３３８に記載の水ゲート・パネル摺動摩擦減少装置。
【請求項３４０】
前記板／基礎面取付要素が、平均最短留め具孔分離距離により分離された複数の留め具孔を含む、請求項３３１に記載の水ゲート・パネル摺動摩擦減少装置。
【請求項３４１】
ポリマー板要素厚さにより分割された前記平均最短留め具孔分離距離が、約２０未満である、請求項３４０に記載の水ゲート・パネル摺動摩擦減少装置。
【請求項３４２】
前記ポリマー板要素厚さにより分割された前記平均最短留め具孔分離距離が、約１２未満である、請求項３４１に記載の水ゲート・パネル摺動摩擦減少装置。
【請求項３４３】
複数の留め具孔縁部が凹んだ留め具孔縁部である、請求項３４２に記載の水ゲート・パネル摺動摩擦減少装置。
【請求項３４４】
前記ポリマー板要素厚さにより分割された前記平均最短留め具孔分離距離が、約８である、請求項３４２に記載の水ゲート・パネル摺動摩擦減少装置。
【請求項３４５】
前記板／基礎面取付要素が、ほぼ等しい水平留め具孔分離距離およびほぼ等しい垂直留め具孔分離距離により分離された、複数の水平整合留め具孔および垂直整合留め具孔を含む、請求項３３１に記載の水ゲート・パネル摺動摩擦減少装置。
【請求項３４６】
ポリマー板要素厚さにより分割された前記留め具孔分離距離の各々が、約２０未満である、請求項３４５に記載の水ゲート・パネル摺動摩擦減少装置。
【請求項３４７】
前記ポリマー板要素厚さにより分割された前記留め具孔分離距離の各々が、約１２未満である、請求項３４６に記載の水ゲート・パネル摺動摩擦減少装置。
【請求項３４８】
複数の留め具孔縁部が、凹んだ留め具孔縁部である、請求項３４７に記載の水ゲート・パネル摺動摩擦減少装置。
【請求項３４９】
前記ポリマー板要素厚さにより分割された前記留め具孔分離距離の各々が、約８である、請求項３４７に記載の水ゲート・パネル摺動摩擦減少装置。
【請求項３５０】
前記板／垂直基礎面取付要素が、複数の凹んだ留め具孔縁部を含む、請求項３３１に記載の水ゲート・パネル摺動摩擦減少装置。
【請求項３５１】
前記複数の凹んだ留め具孔縁部の大部分が各々、板要素面一低熱伝導材料留め具後退充填材を保持するように構成される、請求項３５０に記載の水ゲート・パネル摺動摩擦減少装置。
【請求項３５２】
前記板要素面一低熱伝導材料留め具後退充填材が、板要素面一ポリエチレン留め具後退充填材である、請求項３５１に記載の水ゲート・パネル摺動摩擦減少装置。
【請求項３５３】
前記ポリマー板要素が単一のポリマー板である、請求項３３１に記載の水ゲート・パネル摺動摩擦減少装置。
【請求項３５４】
前記単一のポリマー板がポリエチレン板である、請求項３５３に記載の水ゲート・パネル摺動摩擦減少装置。
【請求項３５５】
前記ポリマー板要素が複数のポリマー板を含む、請求項３３１に記載の水ゲート・パネル摺動摩擦減少装置。
【請求項３５６】
前記複数のポリマー板のうち少なくとも２枚が、シーラント収容溝により、据付け構成で分離されるように構成される、請求項３５５に記載の水ゲート・パネル摺動摩擦減少装置。
【請求項３５７】
前記複数のポリマー板が、前記垂直基礎面に固定して取り付けられる、請求項３５５に記載の水ゲート・パネル摺動摩擦減少装置。
【請求項３５８】
前記固定して取り付けられた複数のポリマー板が、シーラント収容溝により分離される、請求項３５７に記載の水ゲート・パネル摺動摩擦減少装置。
【請求項３５９】
前記複数のポリマー板が複数のポリエチレン板である、請求項３５５に記載の水ゲート・パネル摺動摩擦減少装置。
【請求項３６０】
前記複数のポリエチレン板のうち少なくとも２枚が、シーラント収容溝により、据付け構成で分離されるように調節される、請求項３５９に記載の水ゲート・パネル摺動摩擦減少装置。
【請求項３６１】
前記複数のポリエチレン板が、前記基礎面に固定して取り付けられる、請求項３５９に記載の水ゲート・パネル摺動摩擦減少装置。
【請求項３６２】
前記固定して取り付けられた複数のポリエチレン板が、シーラント収容溝により分離される、請求項３６１に記載の水ゲート・パネル摺動摩擦減少装置。
【請求項３６３】
前記ポリマー板要素が、熱板座屈の影響を弱める有効な数の留め具孔を含む、請求項３３１に記載の水ゲート・パネル摺動摩擦減少装置。
【請求項３６４】
前記ポリマー板要素が、熱板座屈の影響を弱める厚さを有する、請求項３６３に記載の水ゲート・パネル摺動摩擦減少装置。
【請求項３６５】
熱板座屈の影響を弱める厚さが約１５ｍｍである、請求項３６４に記載の水ゲート・パネル摺動摩擦減少装置。
【請求項３６６】
熱板座屈の影響を弱める厚さが約２５ｍｍである、請求項３６４に記載の水ゲート・パネル摺動摩擦減少装置。
【請求項３６７】
前記ポリマー板要素が、熱板座屈の影響を弱める厚さを有する、請求項３３１に記載の水ゲート・パネル摺動摩擦減少装置。
【請求項３６８】
熱板座屈の影響を弱める厚さが約１５ｍｍである、請求項３６７に記載の水ゲート・パネル摺動摩擦減少装置。
【請求項３６９】
熱板座屈の影響を弱める厚さが約２５ｍｍである、請求項３６７に記載の水ゲート・パネル摺動摩擦減少装置。
【請求項３７０】
ポリマー材料を寸法付けして、可能な水ゲート縁部範囲全体を通して当接シール面に接触可能なほぼ平面のポリマー板要素を形成するステップと、
前記ほぼ平面のポリマー板要素が反応する板／基礎面取付要素を設定するステップとを含む、水ゲート摺動摩擦減少方法。
【請求項３７１】
前記ポリマー材料を寸法付けするステップが、暗色ポリマー材料を寸法付けするステップを含む、請求項３７０に記載の水ゲート摺動摩擦減少方法。
【請求項３７２】
前記ポリマー材料を寸法付けするステップが、超高分子量ポリマー材料を寸法付けするステップを含む、請求項３７０に記載の水ゲート摺動摩擦減少方法。
【請求項３７３】
前記ポリマー材料を寸法付けするステップが、高密度ポリマー材料を寸法付けするステップを含む、請求項３７０に記載の水ゲート摺動摩擦減少方法。
【請求項３７４】
前記ポリマー材料を寸法付けするステップが、補強ポリマー材料を寸法付けするステップを含む、請求項３７０に記載の水ゲート摺動摩擦減少方法。
【請求項３７５】
前記補強ポリマー材料を寸法付けするステップが、ガラス繊維補強ポリマー材料を寸法付けするステップを含む、請求項３７４に記載の水ゲート摺動摩擦減少方法。
【請求項３７６】
前記ポリマー材料を寸法付けするステップが、ポリエチレン材料を寸法付けするステップを含む、請求項３７０に記載の水ゲート摺動摩擦減少方法。
【請求項３７７】
前記ポリエチレン材料を寸法付けするステップが、暗色ポリエチレン材料を寸法付けするステップを含む、請求項３７０に記載の水ゲート摺動摩擦減少方法。
【請求項３７８】
前記ポリエチレン材料を寸法付けするステップが、超高分子量ポリエチレン材料を寸法付けするステップを含む、請求項３７０に記載の水ゲート摺動摩擦減少方法。
【請求項３７９】
前記ポリエチレン材料を寸法付けするステップが、高密度ポリエチレン材料を寸法付けするステップを含む、請求項３７０に記載の水ゲート摺動摩擦減少方法。
【請求項３８０】
前記ポリエチレン材料を寸法付けするステップが、補強ポリエチレン材料を寸法付けするステップを含む、請求項３７０に記載の水ゲート摺動摩擦減少方法。
【請求項３８１】
前記補強ポリエチレン材料を寸法付けするステップが、ガラス繊維補強ポリエチレン材料を寸法付けするステップを含む、請求項３８０に記載の水ゲート摺動摩擦減少方法。
【請求項３８２】
前記ほぼ平面のポリマー板要素が反応する板／基礎面取付要素を設定するステップが、平均最短留め具孔分離距離により分離された複数の留め具孔を設定するステップを含む、請求項３７０に記載の水ゲート摺動摩擦減少方法。
【請求項３８３】
前記平均最短留め具孔分離距離により分離された複数の留め具孔を設定するステップが、平均最短留め具孔分離距離と板厚との比が約２０：１未満となるように前記複数の留め具孔を分離するステップを含む、請求項３８２に記載の水ゲート摺動摩擦減少方法。
【請求項３８４】
前記平均最短留め具孔分離距離と板厚との比が約２０：１未満となるように前記複数の留め具孔を分離するステップが、平均最短留め具孔分離距離と板厚との比が約１２：１未満となるように前記複数の留め具孔を分離するステップを含む、請求項３８３に記載の水ゲート摺動摩擦減少方法。
【請求項３８５】
前記平均最短留め具孔分離距離と板厚との比が約１２：１未満となるように前記複数の留め具孔を分離するステップが、平均最短留め具孔分離距離と板厚との比が約８：１となるように前記複数の留め具孔を分離するステップを含む、請求項３８４に記載の水ゲート摺動摩擦減少方法。
【請求項３８６】
前記ほぼ平面のポリマー板要素が反応する板／基礎面取付要素を設定する前記ステップが、前記留め具孔の縁部を凹ませるステップをさらに含む、請求項３８２に記載の水ゲート摺動摩擦減少方法。
【請求項３８７】
前記ほぼ平面のポリマー板要素が反応する板／基礎面取付要素を設定する前記ステップが、板要素面一低熱伝導材料留め具後退充填材を保持するように、前記凹んだ留め具孔縁部を構成するステップを含む、請求項３８６に記載の水ゲート摺動摩擦減少方法。
【請求項３８８】
前記板要素面一低熱伝導材料留め具後退充填材を保持するように、前記凹んだ留め具孔縁部を構成するステップが、板要素面一ポリマー留め具後退充填材を保持するように、前記凹んだ留め具孔縁部を構成するステップを含む、請求項３８７に記載の水ゲート摺動摩擦減少方法。
【請求項３８９】
前記平均最短留め具孔分離距離により分離された複数の留め具孔を設定するステップが、ほぼ等しい水平留め具孔分離距離およびほぼ等しい垂直留め具孔分離距離により、前記複数の留め具孔を分離するステップを含む、請求項３８２に記載の水ゲート摺動摩擦減少方法。
【請求項３９０】
前記ほぼ等しい水平留め具孔分離距離およびほぼ等しい垂直留め具孔分離距離により前記複数の留め具孔を分離するステップが、垂直留め具孔分離距離と板厚との比が約２０：１未満となるように前記複数の留め具孔を垂直に分離するステップと、水平留め具孔分離距離と板厚との比が約２０：１未満となるように前記複数の留め具孔を水平に分離するステップとを含む、請求項３８９に記載の水ゲート摺動摩擦減少方法。
【請求項３９１】
前記垂直留め具孔分離距離と板厚との比が約２０：１未満となるように前記複数の留め具孔を垂直に分離するステップが、垂直留め具孔分離距離と板厚との比が約１２：１未満となるように前記複数の留め具孔を垂直に分離するステップを含み、前記水平留め具孔分離距離と板厚との比が約２０：１未満となるように前記複数の留め具孔を水平に分離するステップが、水平留め具孔分離距離と板厚との比が約１２：１未満となるように前記複数の留め具孔を水平に分離するステップを含む、請求項３９０に記載の水ゲート摺動摩擦減少方法。
【請求項３９２】
前記垂直留め具孔分離距離と板厚との比が約１２：１未満となるように前記複数の留め具孔を垂直に分離するステップが、垂直留め具孔分離距離と板厚との比が約８：１となるように前記複数の留め具孔を垂直に分離するステップを含み、前記水平留め具孔分離距離と板厚との比が約１２：１未満となるように前記複数の留め具孔を水平に分離するステップが、水平留め具孔分離距離と板厚との比が約８：１となるように前記複数の留め具孔を水平に分離するステップを含む、請求項３９１に記載の水ゲート摺動摩擦減少方法。
【請求項３９３】
前記平均最短留め具孔分離距離により分離された複数の留め具孔を設定するステップが、熱板座屈の影響を弱める有効な数の留め具孔を設定するステップを含む、請求項３８２に記載の水ゲート摺動摩擦減少方法。
【請求項３９４】
前記ほぼ平面のポリマー板要素を、前記板／基礎面取付要素を使用して基礎摺動面に取り付けるステップをさらに含む、請求項３７０に記載の水ゲート摺動摩擦減少方法。
【請求項３９５】
前記ポリマー材料を寸法付けして、可能な水ゲート縁部範囲全体を通して当接シール面に接触可能なほぼ平面のポリマー板要素を形成する前記ステップが、前記ポリマー材料を寸法付けして単一のポリマー板を形成するステップを含む、請求項３７０に記載の水ゲート摺動摩擦減少方法。
【請求項３９６】
前記ポリマー材料を寸法付けして、可能な水ゲート縁部範囲全体を通して当接シール面に接触可能なほぼ平面のポリマー板要素を形成する前記ステップが、前記ポリマー材料を寸法付けして複数のポリマー板を形成するステップを含む、請求項３７０に記載の水ゲート摺動摩擦減少方法。
【請求項３９７】
前記複数のポリマー板を、前記板／基礎面取付要素を使用して基礎摺動面に取り付けるステップをさらに含む、請求項３９６に記載の水ゲート摺動摩擦減少方法。
【請求項３９８】
前記ほぼ平面のポリマー板要素を基礎摺動面に取り付ける前記ステップが、前記複数のポリマー板のうち少なくとも２枚を、シーラント収容溝により分離するステップを含む、請求項３９７に記載の水ゲート摺動摩擦減少方法。
【請求項３９９】
前記ほぼ平面のポリマー板要素が熱反応する発熱体を設定するステップをさらに含む、請求項３７０に記載の水ゲート摺動摩擦減少方法。
【請求項４００】
前記ポリマー材料を寸法付けするステップが、前記ポリマー材料を寸法付けして単一のポリマー板を形成するステップを含む、請求項３７０に記載の水ゲート摺動摩擦減少方法。
【請求項４０１】
前記ポリマー材料を寸法付けするステップが、前記ポリマー材料を寸法付けして複数のポリマー板を形成するステップを含む、請求項３７０に記載の水ゲート摺動摩擦減少方法。
【請求項４０２】
前記複数のポリマー板を、前記板／基礎面取付要素を使用して基礎摺動面に取り付けるステップをさらに含む、請求項４０１に記載の水ゲート摺動摩擦減少方法。
【請求項４０３】
前記ほぼ平面の板要素を基礎摺動面に取り付ける前記ステップが、前記複数のポリマー板のうち少なくとも２枚を、シーラント収容溝により分離するステップを含む、請求項４０１に記載の水ゲート摺動摩擦減少方法。
【請求項４０４】
前記ポリマー材料を寸法付けして、可能な水ゲート位置垂直縁部範囲全体を通して垂直平面当接シール面に接触可能なほぼ平面のポリマー板要素を形成する前記ステップが、熱板座屈の影響を弱める厚さを有するように前記ポリマー材料を寸法付けするステップを含む、請求項３７０に記載の水ゲート摺動摩擦減少方法。
【請求項４０５】
前記熱板座屈の影響を弱める厚さを有するように前記ポリエチレン材料を寸法付けするステップが、約１５ｍｍの厚さを有するように前記ポリマー材料を寸法付けするステップを含む、請求項４０４に記載の水ゲート摺動摩擦減少方法。
【請求項４０６】
前記熱板座屈の影響を弱める厚さを有するように前記ポリエチレン材料を寸法付けするステップが、約２５ｍｍの厚さを有するように前記ポリマー材料を寸法付けするステップを含む、請求項４０４に記載の水ゲート摺動摩擦減少方法。
【請求項４０７】
コンクリート制水ゲート・パネル本体要素と、
前記コンクリート制水ゲート・パネル本体要素に反応する、摺動摩擦減少アクチュエータ側制水ゲート・パネル面要素と、
オーバフロー直交据付け水ゲート・パネル底縁部に固定して配置された、前記コンクリート制水ゲート・パネル本体要素が反応する、水平軸回転ヒンジ／水ゲート・パネル取付要素とを含む制水装置。
【請求項４０８】
前記摺動摩擦減少アクチュエータ側制水ゲート・パネル面要素が、摺動摩擦減少アクチュエータ側下流据付け制水ゲート・パネル面要素である、請求項４０７に記載の制水装置。
【請求項４０９】
前記水平軸回転ヒンジ／水ゲート・パネル取付要素が反応し、前記コンクリート制水ゲート・パネルが回転反応する、エラストマー水平軸回転ヒンジ要素をさらに含む、請求項４０７に記載の制水装置。
【請求項４１０】
前記摺動摩擦減少アクチュエータ側制水ゲート・パネル面要素が、平滑コンクリート面である、請求項４０７に記載の制水装置。
【請求項４１１】
前記摺動摩擦減少アクチュエータ側制水ゲート・パネル面要素が、ＵＨＭＷポリエチレン面である、請求項４０７に記載の制水装置。
【請求項４１２】
水平軸回転ヒンジ／水ゲート・パネル取付要素が、コンクリート制水ゲート・パネル本体収容取付要素を含む、請求項４０７に記載の制水装置。
【請求項４１３】
前記コンクリート制水ゲート・パネル本体要素が、繊維で補強されたコンクリート制水ゲート・パネル本体要素である、請求項４０７に記載の制水装置。
【請求項４１４】
前記コンクリート制水ゲート・パネル本体要素が、鉄筋で補強されたコンクリート制水ゲート・パネル本体要素である、請求項４０７に記載の制水装置。
【請求項４１５】
前記コンクリート制水ゲート・パネル本体要素が、支柱引張棒で補強されたコンクリート制水ゲート・パネル本体要素である、請求項４０７に記載の制水装置。
【請求項４１６】
前記コンクリート制水ゲート・パネル本体要素が、前記摺動摩擦減少アクチュエータ側制水ゲート・パネル面要素が上昇して反応する、膨張式制水ゲート・アクチュエータをさらに含む、請求項４０７に記載の制水装置。
【請求項４１７】
請求項４０７に記載の少なくとも１つの制水装置を含む、作動可能な水ゲート制水システム。
【請求項４１８】
コンクリート制水ゲート・パネル本体要素を生成するステップと、
前記コンクリート制水ゲート・パネル本体要素に反応する、摺動摩擦減少アクチュエータ側制水ゲート・パネル面要素を設定するステップと、
オーバフロー直交据付け水ゲート・パネル縁部に位置する、前記コンクリート制水ゲート・パネル本体要素が反応する、水平軸回転ヒンジ／水ゲート・パネル取付要素を設定するステップとを含む、貯水を制御する方法。
【請求項４１９】
前記オーバフロー直交据付け水ゲート・パネル縁部に位置する、前記コンクリート制水ゲート・パネル本体要素が反応する、水平軸回転ヒンジ／水ゲート・パネル取付要素を設定するステップが、前記水平軸回転ヒンジ／水ゲート・パネル取付要素が回転反応する、エラストマー水平軸回転ヒンジ要素を設定するステップを含む、請求項４１８に記載の貯水を制御する方法。
【請求項４２０】
前記コンクリート制水ゲート・パネル本体要素に反応する、摺動摩擦減少アクチュエータ側制水ゲート・パネル面要素を設定する前記ステップが、平滑コンクリート面を設定するステップを含む、請求項４１８に記載の貯水を制御する方法。
【請求項４２１】
前記コンクリート制水ゲート・パネル本体要素に反応する、摺動摩擦減少アクチュエータ側制水ゲート・パネル面要素を設定する前記ステップが、ポリマー面を設定するステップを含む、請求項４１８に記載の貯水を制御する方法。
【請求項４２２】
前記オーバフロー直交据付け水ゲート・パネル底縁部に位置する、前記コンクリート制水ゲート・パネル本体要素が反応する、水平軸回転ヒンジ／水ゲート・パネル取付要素を設定するステップが、前記水平軸回転ヒンジ／水ゲート・パネル取付要素の少なくとも一部をコンクリートに収容するステップを含む、請求項４１８に記載の貯水を制御する方法。
【請求項４２３】
前記コンクリート制水ゲート・パネル本体要素を生成するステップが、繊維で補強されたコンクリート制水ゲート・パネル本体要素を設定するステップを含む、請求項４１８に記載の貯水を制御する方法。
【請求項４２４】
前記コンクリート制水ゲート・パネル本体要素を生成するステップが、鉄筋で補強されたコンクリート制水ゲート・パネル本体要素を設定するステップを含む、請求項４１８に記載の貯水を制御する方法。
【請求項４２５】
前記コンクリート制水ゲート・パネル本体要素を生成するステップが、支柱引張棒で補強されたコンクリート制水ゲート・パネル本体要素を設定するステップを含む、請求項４１８に記載の貯水を制御する方法。
【請求項４２６】
前記摺動摩擦減少アクチュエータ側制水ゲート・パネル面要素が上昇して反応する、膨張式制水ゲート・アクチュエータを設定するステップをさらに含む、請求項４１８に記載の貯水を制御する方法。
【請求項４２７】
伸張可能過度底部ヒンジ留め水ゲート・パネル回転防止要素と、
前記伸張可能過度底部ヒンジ留め水ゲート・パネル回転防止要素が反応する、端部近接水ゲート・パネル・アクチュエータに対向して面する端部間に固定して設定される、下部過度ゲート回転防止要素／基礎取付要素と、
前記伸張可能過度底部ヒンジ留め水ゲート・パネル回転防止要素に反応する、上部過度ゲート回転防止要素／ゲート・パネル取付要素とを含む、改良された貯水制御システム動作維持装置。
【請求項４２８】
前記端部隣接水ゲート・パネル・アクチュエータが、端部隣接膨張式水ゲート・パネル作動ブラダである、請求項４２７に記載の改良された貯水制御システム動作維持装置。
【請求項４２９】
前記端部隣接膨張式水ゲート・パネル作動ブラダの最下流縁部が、ほぼ滴面に位置する、請求項４２８に記載の改良された貯水制御システム動作維持装置。
【請求項４３０】
前記端部近接水ゲート・パネル・アクチュエータの各々が、少なくとも１つの水ゲート・アクチュエータ／基礎取付要素に反応する、請求項４２７に記載の改良された貯水制御システム動作維持装置。
【請求項４３１】
前記端部近接水ゲート・パネル・アクチュエータの各々が反応する水ゲート・アクチュエータ／基礎取付要素が、楔型ゲート・パネル・アクチュエータ／基礎クランプ保持要素である、請求項４３０に記載の改良された貯水制御システム動作維持装置。
【請求項４３２】
近接する楔型ゲート・パネル・アクチュエータ／基礎クランプ保持要素のほぼ対向端部間に配置された、楔型ゲート・パネル・アクチュエータ／基礎クランプ保持要素置換インサートをさらに含む、請求項４３１に記載の改良された貯水制御システム動作維持装置。
【請求項４３３】
隣接水ゲート・アクチュエータ／基礎外形模倣インサートをさらに含む、請求項４２７に記載の改良された貯水制御システム動作維持装置。
【請求項４３４】
請求項２１３に記載の貯水漏れ防止装置をさらに含む、請求項４２７に記載の改良された貯水制御システム動作維持装置。
【請求項４３５】
前記端部近接水ゲート・パネル・アクチュエータが、端部近接水ゲート・パネル浮遊要素である、請求項４２７に記載の改良された貯水制御システム動作維持装置。
【請求項４３６】
伸張可能過度底部ヒンジ留め水ゲート・パネル回転防止要素長さと、上部過度ゲート回転防止要素／ゲート・パネル取付要素位置と、下部過度ゲート回転防止要素／基礎取付要素位置とが相関して、前記伸張可能過度底部ヒンジ留め水ゲート・パネル回転防止要素の最下流端部が下降構成で制水ゲート・パネル要素のほぼ下に位置するようにする、請求項４２７に記載の改良された貯水制御システム動作維持装置。
【請求項４３７】
伸張可能過度底部ヒンジ留め水ゲート・パネル回転防止要素が、伸張可能折畳み式過度底部ヒンジ留め水ゲート・パネル回転防止要素である、請求項４２７に記載の改良された貯水制御システム動作維持装置。
【請求項４３８】
請求項４２７に記載の改良された貯水制御システム動作維持装置を含む、作動可能な水ゲート・パネル制水システム。
【請求項４３９】
伸張可能過度底部ヒンジ留め水ゲート・パネル回転防止要素と、
前記伸張可能過度底部ヒンジ留め水ゲート・パネル回転防止要素が反応する、水ゲート・パネル・アクチュエータとほぼ垂直な基礎面との間に固定して設定される、下部過度ゲート回転防止要素／基礎取付要素と、
前記伸張可能過度底部ヒンジ留め水ゲート・パネル回転防止要素に反応する、上部過度ゲート回転防止要素／ゲート・パネル取付要素とを含む、改良された貯水制御システム動作維持装置。
【請求項４４０】
前記水ゲート・パネル・アクチュエータが、膨張式水ゲート・パネル・アクチュエータである、請求項４３９に記載の改良された貯水制御システム動作維持装置。
【請求項４４１】
前記端部隣接膨張式水ゲート・パネル作動ブラダの最下流縁部が、ほぼ滴面に位置する、請求項４４０に記載の改良された貯水制御システム動作維持装置。
【請求項４４２】
前記水ゲート・パネル・アクチュエータが反応する水ゲート・アクチュエータ／基礎取付要素が、楔型ゲート・パネル・アクチュエータ／基礎クランプ保持要素である、請求項４３９に記載の改良された貯水制御システム動作維持装置。
【請求項４４３】
楔型ゲート・パネル・アクチュエータ／基礎クランプ保持要素と前記ほぼ垂直な基礎面とのほぼ間に配置された、楔型ゲート・パネル・アクチュエータ／基礎クランプ保持要素置換インサートをさらに含む、請求項４４２に記載の改良された貯水制御システム動作維持装置。
【請求項４４４】
隣接水ゲート・アクチュエータ／基礎外形模倣インサートをさらに含む、請求項４３９に記載の改良された貯水制御システム動作維持装置。
【請求項４４５】
請求項２１３に記載の貯水漏れ防止装置をさらに含む、改良された貯水制御システム動作維持装置。
【請求項４４６】
前記水ゲート・パネル・アクチュエータが、水ゲート・パネル浮遊要素である、請求項４３９に記載の改良された貯水制御システム動作維持装置。
【請求項４４７】
前記伸張可能過度底部ヒンジ留め水ゲート・パネル回転防止要素が、伸張可能過度底部ヒンジ留め水ゲート・パネル回転防止要素である、請求項４３９に記載の改良された貯水制御システム動作維持装置。
【請求項４４８】
伸張可能過度底部ヒンジ留め水ゲート・パネル回転防止要素長さと、上部過度ゲート回転防止要素／ゲート・パネル取付要素位置と、下部過度ゲート回転防止要素／基礎取付要素位置とが相関して、前記伸張可能過度底部ヒンジ留め水ゲート・パネル回転防止要素の最下流端部が下降構成で制水ゲート・パネル要素のほぼ下に位置するようにする、請求項４４７に記載の改良された貯水制御システム動作維持装置。
【請求項４４９】
請求項４３９に記載の貯水制御システム動作維持装置を含む、作動可能な水ゲート・パネル制水システム。
【請求項４５０】
伸張可能過度底部ヒンジ留め水ゲート・パネル回転防止要素を寸法付けするステップと、
前記伸張可能過度底部ヒンジ留め水ゲート・パネル回転防止要素が反応する、近接垂直突出流れ制御要素の近接端部間に固定して設定される、下部過度ゲート回転防止要素／基礎取付要素を設定するステップと、
前記伸張可能過度底部ヒンジ留め水ゲート・パネル回転防止要素に反応する上部過度ゲート回転防止要素／ゲート・パネル取付要素を設定するステップとを含む、下降構成の制水ゲート・システムの外観を改良するための方法。
【請求項４５１】
前記伸張可能過度底部ヒンジ留め水ゲート・パネル回転防止要素が反応する、垂直突出流れ制御要素の近位端部間に固定して設定される、下部過度ゲート回転防止要素／基礎取付要素を設定する前記ステップが、前記伸張可能過度底部ヒンジ留め水ゲート・パネル回転防止要素が反応する、水ゲート・パネル・アクチュエータの近接端部間に固定して設定される、下部過度ゲート回転防止要素／基礎取付要素を設定するステップを含む、請求項４５０に記載の下降構成の制水ゲート・システムの外観を改良するための方法。
【請求項４５２】
前記伸張可能過度底部ヒンジ留め水ゲート・パネル回転防止要素が反応する、水ゲート・パネル・アクチュエータの近接端部間に固定して設定される、下部過度ゲート回転防止要素／基礎取付要素を設定する前記ステップが、前記伸張可能過度底部ヒンジ留め水ゲート・パネル回転防止要素が反応する、膨張式水ゲート・パネル・アクチュエータ・ブラダの近接端部間に固定して設定される、下部過度ゲート回転防止要素／基礎取付要素を設定するステップを含む、請求項４５１に記載の下降構成の制水ゲート・システムの外観を改良するための方法。
【請求項４５３】
前記伸張可能過度底部ヒンジ留め水ゲート・パネル回転防止要素が反応する、水ゲート・パネル・アクチュエータの近接端部間に固定して設定される、下部過度ゲート回転防止要素／基礎取付要素を設定する前記ステップが、前記伸張可能過度底部ヒンジ留め水ゲート・パネル回転防止要素が反応する、浮遊式水ゲート・パネル・アクチュエータの近接端部間に固定して設定される、下部過度ゲート回転防止要素／基礎取付要素を設定するステップを含む、請求項４５１に記載の下降構成の制水ゲート・システムの外観を改良するための方法。
【請求項４５４】
前記伸張可能折畳み式過度底部ヒンジ留め水ゲート・パネル回転防止要素が反応する、垂直突出流れ制御要素の近接端部間に固定して設定される、下部過度ゲート回転防止要素／基礎取付要素を設定する前記ステップが、前記伸張可能折畳み式過度底部ヒンジ留め水ゲート・パネル回転防止要素が反応する、基礎摺動面と水ゲート・パネル・アクチュエータの近接端部との間に固定して設定される、下部過度ゲート回転防止要素／基礎取付要素を設定するステップを含む、請求項４５０に記載の下降構成の制水ゲート・システムの外観を改良するための方法。
【請求項４５５】
前記近接垂直突出流れ制御要素の少なくとも１つが反応する水ゲート・アクチュエータ／基礎取付要素が、楔型ゲート・パネル・アクチュエータ／基礎クランプ保持要素である、請求項４５０に記載の下降構成の制水ゲート・システムの外観を改良するための方法。
【請求項４５６】
楔型ゲート・パネル・アクチュエータ／基礎クランプ保持要素置換インサートを、楔型内部パネル・シール／基礎保持強化要素の下方、および近接垂直突出流れ制御要素の貯水流れ近接対向端部間に設定するステップをさらに含む、請求項４５５に記載の下降構成の制水ゲート・システムの外観を改良するための方法。
【請求項４５７】
機能性隣接水ゲート・アクチュエータ／基礎外形模倣インサートを設定するステップをさらに含む、請求項４５０に記載の下降構成の制水ゲート・システムの外観を改良するための方法。
【請求項４５８】
請求項２３３に記載の制水ゲート・システムにより貯水の漏れを防止する方法のステップをさらに含む、請求項４５０に記載の下降構成の制水ゲート・システムの外観を改良するための方法。
【請求項４５９】
前記伸張可能過度底部ヒンジ留め水ゲート・パネル回転防止要素が反応する下部過度ゲート回転防止要素／基礎取付要素を設定する前記ステップが、下部過度ゲート回転防止要素／基礎取付要素をほぼ滴面に設定するステップを含む、請求項４５０に記載の下降構成の制水ゲート・システムの外観を改良するための方法。
【請求項４６０】
前記伸張可能過度底部ヒンジ留め水ゲート・パネル回転防止要素の長さを、前記下部過度ゲート回転防止要素／基礎取付要素および前記上部過度ゲート回転防止要素／ゲート・パネル取付要素に相関させて、弛緩された抑制のない構成の、伸張可能過度底部ヒンジ留め水ゲート・パネル回転防止要素の最下流端部が下降制水ゲート・パネルの下に位置するようにするステップをさらに含む、請求項４５０に記載の下降構成の制水ゲート・システムの外観を改良するための方法。
【請求項４６１】
前記伸張可能過度底部ヒンジ留め水ゲート・パネル回転防止要素が反応する、近接垂直突出流れ制御要素の近接端部間に固定して設定される、下部過度ゲート回転防止要素／基礎取付要素を設定する前記ステップが、前記伸張可能過度底部ヒンジ留め水ゲート・パネル回転防止要素が反応する、端部隣接膨張式水ゲート・パネル作動ブラダの対向して面する端部間に固定して設定される、下部過度ゲート回転防止要素／基礎取付要素を設定するステップを含む、請求項４５０に記載の下降構成の制水ゲート・システムの外観を改良するための方法。
【請求項４６２】
前記伸張可能過度底部ヒンジ留め水ゲート・パネル回転防止要素を得るステップが、伸張可能折畳み式過度底部ヒンジ留め水ゲート・パネル回転防止要素を得るステップを含む、請求項４５０に記載の下降構成の制水ゲート・システムの外観を改良するための方法。
【請求項４６３】
頭上流れモード動的物体衝撃可撓性ナップ切断要素と、
前記頭上流れモード動的物体衝撃可撓性ナップ切断要素が反応する、切り離し可能な可撓性ナップ切断要素／貯水要素取付要素とを含むナップ曝気装置。
【請求項４６４】
前記頭上流れモード動的物体衝撃可撓性ナップ切断要素が、補強エラストマー・ナップ切断装置である、請求項４６３に記載のナップ曝気装置。
【請求項４６５】
前記貯水要素が、膨張式作動水ゲート・パネル、膨張式エラストマー・ダム、およびコンクリート・ダムから構成される貯水要素の群から選択された貯水要素である、請求項４６３に記載のナップ曝気装置。
【請求項４６６】
前記貯水要素が水ゲート・パネルである、請求項４６３に記載のナップ曝気装置。
【請求項４６７】
頭上流れモード動的物体衝撃可撓性ナップ切断要素を生成するステップと、
前記頭上流れモード動的物体衝撃可撓性ナップ切断要素が反応する、切り離し可能なナップ切断要素／貯水要素取付要素を設定するステップとを含む、ダム頭上ナップを曝気する方法。
【請求項４６８】
前記頭上流れモード動的物体衝撃可撓性ナップ切断要素を生成するステップが、補強エラストマー・ナップ切断装置を生成するステップを含む、請求項４６７に記載のダム頭上ナップを曝気する方法。
【請求項４６９】
前記頭上流れモード動的物体衝撃可撓性ナップ切断要素が反応する、切り離し可能なナップ切断要素／貯水要素取付要素を設定する前記ステップが、切り離し可能なナップ切断要素／膨張式作動水ゲート・パネル取付要素を設定するステップを含む、請求項４６７に記載のダム頭上ナップを曝気する方法。
【請求項４７０】
前記頭上流れモード動的物体衝撃可撓性ナップ切断要素が反応する、切り離し可能なナップ切断要素／貯水要素取付要素を設定する前記ステップが、切り離し可能なナップ切断要素／コンクリート・ダム取付要素を設定するステップを含む、請求項４６７に記載のダム頭上ナップを曝気する方法。
【請求項４７１】
前記頭上流れモード動的物体衝撃可撓性ナップ切断要素を、前記切り離し可能なナップ切断要素／貯水要素取付要素を使用して上部貯水構造面に取り付けるステップをさらに含む、請求項４６７に記載のダム頭上ナップを曝気する方法。
【請求項４７２】
複数の水ゲート要素と、
前記複数の水ゲート要素のほぼ真下に再配置可能な、並進可能な水ゲート・アクチュエータ要素と、
前記並進可能な水ゲート・アクチュエータ要素が作動的に反応する、再配置要素と、
前記複数の水ゲート要素の少なくとも１つの個々のゲート要素が各々に反応する、複数の支持要素とを含む、貯水制御システム。
【請求項４７３】
前記複数の水ゲート要素が、底部ヒンジ留め水ゲート要素である、請求項４７２に記載の貯水制御システム。
【請求項４７４】
前記並進可能な水ゲート・アクチュエータ要素が、少なくとも１つの膨張式水ゲート・アクチュエータを含む、請求項４７２に記載の貯水制御システム。
【請求項４７５】
前記少なくとも１つの膨張式アクチュエータが、２つの膨張式水ゲート・アクチュエータ要素を含む、請求項４７４に記載の貯水制御システム。
【請求項４７６】
前記２つの膨張式水ゲート・アクチュエータ要素が縦に積み重なる、請求項４７５に記載の貯水制御システム。
【請求項４７７】
前記再配置要素が、水ゲート・アクチュエータ再配置ホース・アセンブリを含む、請求項４７２に記載の貯水制御システム。
【請求項４７８】
前記複数の支持要素が少なくとも１つの支柱要素を含む、請求項４７２に記載の貯水制御システム。
【請求項４７９】
前記少なくとも１つの支柱要素が、上部支柱部材と下部支柱部材とを含み、前記下部支柱部材が、少なくとも２つの隣接する支柱要素に隣接する水平に長手方向のトルク・チューブにより、前記上部支柱部材に枢動反応する、請求項４７８に記載の貯水制御システム。
【請求項４８０】
請求項４７２に記載の貯水制御システムが含む、並進可能な水ゲート・アクチュエータ要素。
【請求項４８１】
複数の水ゲート要素を基礎に設定するステップと、
前記複数の水ゲート要素のほぼ真下に再配置可能な、少なくとも１つの並進可能な水ゲート・アクチュエータ要素を設定するステップと、
前記少なくとも１つの並進可能な水ゲート・アクチュエータ要素が作動的に反応する再配置要素を設定するステップと、
前記複数の水ゲート要素の少なくとも１つの個々のゲート要素が各々に反応する、複数の支持要素を設定するステップとを含む、貯水制御方法。
【請求項４８２】
前記複数の水ゲート要素を設定するステップが、複数の底部ヒンジ留め水ゲート要素を設定するステップを含む、請求項４８１に記載の貯水制御方法。
【請求項４８３】
前記複数の水ゲート要素のほぼ真下に再配置可能な、少なくとも１つの並進可能な水ゲート・アクチュエータ要素を設定する前記ステップが、少なくとも１つの並進可能な膨張式水ゲート・アクチュエータ要素を設定するステップを含む、請求項４８１に記載の貯水制御方法。
【請求項４８４】
前記少なくとも１つの並進可能な膨張式水ゲート・アクチュエータ要素を設定するステップが、２つの膨張式の並進可能な水ゲート・アクチュエータ要素を設定するステップを含む、請求項４８３に記載の貯水制御方法。
【請求項４８５】
前記２つの膨張式の並進可能な水ゲート・アクチュエータ要素を設定するステップが、２つの膨張式の並進可能な、縦に積み重なった水ゲート・アクチュエータ要素を設定するステップを含む、請求項４８４に記載の貯水制御方法。
【請求項４８６】
前記再配置要素を設定するステップが、水ゲート・アクチュエータ再配置ホース・アセンブリを設定するステップを含む、請求項４８１に記載の貯水制御方法。
【請求項４８７】
前記複数の支持要素を設定するステップが、少なくとも１つの支柱要素を設定するステップを含む、請求項４８１に記載の貯水制御方法。
【請求項４８８】
前記少なくとも１つの支柱要素を設定するステップが、上部支柱部材を設定するステップと、少なくとも２つの隣接する支柱要素に隣接する水平に長手方向のトルク・チューブにより、前記上部支柱部材に枢動反応する下部支柱部材を設定するステップとを含む、請求項４８７に記載の貯水制御方法。
【請求項４８９】
膨張式貯水要素アクチュエータ要素と、
前記膨張式貯水要素アクチュエータ要素が反応する、横断面が拡大した膨張式アクチュエータ／基礎クランプ保持改良要素を含む膨張式アクチュエータ／基礎取付要素と、
前記膨張式貯水要素アクチュエータ要素に反応する頭上交通可能貯水要素と、
前記頭上交通可能貯水要素が反応する可撓性繊維補強ヒンジ要素と、
前記可撓性繊維補強ヒンジ要素に反応するヒンジ／貯水要素取付要素と、
前記可撓性繊維補強ヒンジが反応するヒンジ／基礎取付要素とを含み、
前記頭上交通可能貯水要素の回転軸がほぼ頭上交通可能貯水要素端部にあり、前記頭上交通可能貯水要素が面一の交通可能上面を有する貯水装置。
【請求項４９０】
前記横断面が拡大した膨張式アクチュエータ／基礎クランプ保持改良要素が、楔型膨張式アクチュエータ／基礎クランプ保持要素である、請求項４８９に記載の貯水装置。
【請求項４９１】
前記横断面が拡大した膨張式アクチュエータ／基礎クランプ保持改良要素が、コンマ型膨張式アクチュエータ／基礎クランプ保持強化要素インサートを含む、請求項４８９に記載の貯水装置。
【請求項４９２】
前記可撓性繊維補強ヒンジ要素が一体型８の字可撓性ヒンジを含む、請求項４８９に記載の貯水装置。
【請求項４９３】
前記一体型８の字可撓性ヒンジが反応するエラストマー・ヒンジ・カバーをさらに含む、請求項４９２に記載の貯水装置。
【請求項４９４】
前記可撓性繊維補強ヒンジ要素がモジュラ型８の字可撓性ヒンジを含む、請求項４８９に記載の貯水装置。
【請求項４９５】
前記可撓性繊維補強ヒンジ要素がＳ型可撓性ヒンジを含む、請求項４８９に記載の貯水装置。
【請求項４９６】
前記可撓性繊維補強ヒンジ要素がＷ型可撓性ヒンジを含む、請求項４８９に記載の貯水装置。
【請求項４９７】
前記可撓性繊維補強ヒンジ要素の少なくとも１つの可撓性繊維が、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された可撓性繊維である、請求項４８９に記載の貯水装置。
【請求項４９８】
前記頭上交通可能貯水要素に枢動反応する交通面ヒンジ・カバーをさらに含む、請求項４８９に記載の貯水装置。
【請求項４９９】
前記膨張式貯水要素アクチュエータ要素に反応する前記頭上交通可能貯水要素が、頭上車両交通可能貯水要素である、請求項４８９に記載の貯水装置。
【請求項５００】
前記膨張式貯水要素アクチュエータ要素に反応する前記頭上交通可能貯水要素が、頭上歩行者交通可能貯水要素である、請求項４８９に記載の貯水装置。
【請求項５０１】
前記膨張式貯水要素アクチュエータ要素に反応する前記頭上交通可能貯水要素が、頭上鉄道交通可能貯水要素である、請求項４８９に記載の貯水装置。
【請求項５０２】
前記膨張式貯水要素アクチュエータ要素が、ダウンフロー側に配置された、膨張式貯水要素アクチュエータ要素である、請求項４８９に記載の貯水装置。
【請求項５０３】
上昇構成で前記頭上交通可能貯水要素が反応する、過度貯水要素回転防止要素をさらに含む、請求項４８９に記載の貯水装置。
【請求項５０４】
前記過度貯水要素回転防止要素が、伸張可能折畳み式過度貯水要素回転防止要素である、請求項５０３に記載の貯水装置。
【請求項５０５】
前記過度貯水要素回転防止要素が、少なくとも１つの静止過度回転妨害止めである、請求項５０３に記載の貯水装置。
【請求項５０６】
前記膨張式貯水要素アクチュエータ要素が、貯水側に配置された、膨張式貯水要素アクチュエータ要素である、請求項４８９に記載の貯水装置。
【請求項５０７】
前記頭上交通可能貯水要素が、浮遊式頭上交通可能貯水要素である、請求項５０６に記載の貯水装置。
【請求項５０８】
前記頭上交通可能貯水要素が浮遊式に反応する、浮遊式貯水要素アクチュエータ要素をさらに含む、請求項５０６に記載の貯水装置。
【請求項５０９】
前記浮遊式貯水要素アクチュエータ要素が、前記頭上交通可能貯水要素のほぼ真下に設定される、請求項５０８に記載の貯水装置。
【請求項５１０】
前記浮遊式貯水要素アクチュエータ要素が、前記頭上交通可能貯水要素の一部を形成する、請求項５０８に記載の貯水装置。
【請求項５１１】
浮遊式に上昇可能な頭上交通可能貯水要素と、
前記浮遊式に上昇可能な頭上交通可能貯水要素が反応する可撓性繊維補強ヒンジ要素と、
前記可撓性繊維補強ヒンジ要素に反応するヒンジ／貯水要素取付要素と、
前記浮遊式に上昇可能な頭上交通可能貯水要素が浮遊反応する浮遊要素と、
前記可撓性繊維補強ヒンジが反応するヒンジ／基礎取付要素とを含み、
前記浮遊式に上昇可能な頭上交通可能貯水要素が面一な上面を有する貯水装置。
【請求項５１２】
前記浮遊式に上昇可能な頭上交通可能貯水要素の回転軸が、ほぼ貯水要素端部にある、請求項５１１に記載の貯水装置。
【請求項５１３】
前記浮遊式に上昇可能な頭上交通可能貯水要素が、浮遊式に上昇可能な頭上車両交通可能貯水要素である、請求項５１１に記載の貯水装置。
【請求項５１４】
前記浮遊式に上昇可能な頭上交通可能貯水要素が、浮遊式に上昇可能な頭上歩行者交通可能貯水要素である、請求項５１１に記載の貯水装置。
【請求項５１５】
前記浮遊式に上昇可能な頭上交通可能貯水要素が、浮遊式に上昇可能な頭上鉄道交通可能貯水要素である、請求項５１１に記載の貯水装置。
【請求項５１６】
前記浮遊式に上昇可能な頭上交通可能貯水要素に枢動反応する交通面ヒンジ・カバーをさらに含む、請求項５１１に記載の貯水装置。
【請求項５１７】
前記可撓性繊維補強ヒンジ要素が一体型８の字可撓性ヒンジを含む、請求項５１１に記載の貯水装置。
【請求項５１８】
前記一体型８の字可撓性ヒンジが反応するエラストマー・カバーをさらに含む、請求項５１７に記載の貯水装置。
【請求項５１９】
前記可撓性繊維補強ヒンジ要素がモジュラ型８の字可撓性ヒンジを含む、請求項５１１に記載の貯水装置。
【請求項５２０】
前記可撓性繊維補強ヒンジ要素がＳ型可撓性ヒンジを含む、請求項５１１に記載の貯水装置。
【請求項５２１】
前記可撓性繊維補強ヒンジ要素がＷ型可撓性ヒンジを含む、請求項５１１に記載の貯水装置。
【請求項５２２】
前記可撓性繊維補強ヒンジ要素の少なくとも１つの可撓性繊維が、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された可撓性繊維である、請求項５１１に記載の貯水装置。
【請求項５２３】
上昇構成で前記浮遊式に上昇可能な頭上交通可能貯水要素が反応する、過度貯水要素回転防止要素をさらに含む、請求項５１１に記載の貯水装置。
【請求項５２４】
前記過度貯水要素回転防止要素が、伸張可能折畳み式過度貯水要素回転防止要素である、請求項５２３に記載の貯水装置。
【請求項５２５】
前記過度貯水要素回転防止要素が、少なくとも１つの静止過度回転妨害止めである、請求項５２３に記載の貯水装置。
【請求項５２６】
膨張式貯水要素アクチュエータ要素と、
前記膨張式貯水要素アクチュエータ要素が反応する、横断面が拡大した膨張式アクチュエータ／基礎クランプ保持改良要素を含む膨張式アクチュエータ／基礎取付要素と、
前記膨張式貯水要素アクチュエータ要素に反応する貯水要素と、
前記貯水要素が反応する可撓性繊維補強ヒンジ要素と、
前記可撓性繊維補強ヒンジ要素に反応するヒンジ／貯水要素取付要素と、
前記可撓性繊維補強ヒンジが反応するヒンジ／基礎取付要素とを含み、
前記貯水要素の回転軸がほぼ貯水要素端部にある貯水装置。
【請求項５２７】
前記横断面が拡大した膨張式アクチュエータ／基礎クランプ保持改良要素が、楔型膨張式アクチュエータ／基礎クランプ保持強化要素である、請求項５２６に記載の貯水装置。
【請求項５２８】
前記横断面が拡大した膨張式アクチュエータ／基礎クランプ保持改良要素が、コンマ型膨張式アクチュエータ／基礎クランプ保持強化要素インサートを含む、請求項５２６に記載の貯水装置。
【請求項５２９】
前記可撓性繊維補強ヒンジ要素が一体型８の字可撓性ヒンジを含む、請求項５２６に記載の貯水装置。
【請求項５３０】
前記一体型８の字可撓性ヒンジが反応するエラストマー・カバーをさらに含む、請求項５２９に記載の貯水装置。
【請求項５３１】
前記可撓性繊維補強ヒンジ要素がモジュラ型８の字可撓性ヒンジを含む、請求項５２６に記載の貯水装置。
【請求項５３２】
前記可撓性繊維補強ヒンジ要素がＳ型可撓性ヒンジを含む、請求項５２６に記載の貯水装置。
【請求項５３３】
前記可撓性繊維補強ヒンジ要素がＷ型可撓性ヒンジを含む、請求項５２６に記載の貯水装置。
【請求項５３４】
前記可撓性繊維補強ヒンジ要素の少なくとも１つの可撓性繊維が、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された可撓性繊維である、請求項５２６に記載の貯水装置。
【請求項５３５】
前記膨張式貯水要素アクチュエータ要素が、海に向かって配置された膨張式貯水要素アクチュエータ要素である、請求項５２６に記載の貯水装置。
【請求項５３６】
前記膨張式貯水要素アクチュエータ要素が、川に向かって配置された膨張式貯水要素アクチュエータ要素である、請求項５２６に記載の貯水装置。
【請求項５３７】
上昇構成で前記膨張式貯水要素が反応する、過度貯水要素回転防止要素をさらに含む、請求項５２６に記載の貯水装置。
【請求項５３８】
前記過度貯水要素回転防止要素が、伸張可能折畳み式過度貯水要素回転防止要素である、請求項５３７に記載の貯水装置。
【請求項５３９】
前記過度貯水要素回転防止要素が、少なくとも１つの静止過度回転妨害止めである、請求項５３７に記載の貯水装置。
【請求項５４０】
前記貯水装置が反応する上昇貯水要素位置維持要素をさらに含む、請求項５２６に記載の貯水装置。
【請求項５４１】
横断面が拡大した膨張式アクチュエータ／基礎クランプ保持改良要素を含む膨張式アクチュエータ／基礎取付要素を使用して、膨張式貯水要素アクチュエータを基礎に固定するステップと、
前記膨張式貯水要素アクチュエータに反応する頭上交通可能貯水要素を設定するステップと、
前記頭上交通可能貯水要素を、面一の交通可能上面を有するように構成するステップと、
前記頭上交通可能貯水要素が反応する可撓性繊維補強ヒンジ要素を設定するステップと、
ヒンジ／貯水要素取付要素を、ほぼ頭上交通可能貯水要素端部に固定するステップと、
前記可撓性繊維補強ヒンジが反応するヒンジ／基礎取付要素を固定するステップとを含む貯水方法。
【請求項５４２】
前記横断面が拡大した膨張式アクチュエータ／基礎クランプ保持改良要素を含む膨張式アクチュエータ／基礎取付要素を使用して、膨張式貯水要素アクチュエータを基礎に固定するステップが、楔型膨張式アクチュエータ／基礎クランプ保持要素を含む膨張式アクチュエータ／基礎取付要素を使用して、膨張式貯水要素アクチュエータを基礎に固定するステップを含む、請求項５４１に記載の貯水方法。
【請求項５４３】
前記横断面が拡大した膨張式アクチュエータ／基礎クランプ保持改良要素を含む膨張式アクチュエータ／基礎取付要素を使用して、膨張式貯水要素アクチュエータを基礎に固定するステップが、コンマ型膨張式アクチュエータ／基礎クランプ保持強化インサート要素を含む膨張式アクチュエータ／基礎取付要素を使用して、膨張式貯水要素アクチュエータを基礎に固定するステップを含む、請求項５４１に記載の貯水方法。
【請求項５４４】
前記可撓性繊維補強ヒンジ要素を設定するステップが、一体型８の字可撓性ヒンジを設定するステップを含む、請求項５４１に記載の貯水方法。
【請求項５４５】
前記一体型８の字可撓性ヒンジに反応するエラストマー・ヒンジ・カバーを設定するステップをさらに含む、請求項５４４に記載の貯水方法。
【請求項５４６】
前記可撓性繊維補強ヒンジ要素を設定するステップが、モジュラ型８の字可撓性ヒンジを設定するステップを含む、請求項５４１に記載の貯水方法。
【請求項５４７】
前記可撓性繊維補強ヒンジ要素を設定するステップが、Ｓ型可撓性ヒンジを設定するステップを含む、請求項５４１に記載の貯水方法。
【請求項５４８】
前記可撓性繊維補強ヒンジ要素を設定するステップが、Ｗ型可撓性ヒンジを設定するステップを含む、請求項５４１に記載の貯水方法。
【請求項５４９】
前記可撓性繊維補強ヒンジ要素を設定するステップが、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された少なくとも１つの可撓性繊維を含む可撓性繊維補強ヒンジ要素を設定するステップを含む、請求項５４１に記載の貯水方法。
【請求項５５０】
前記頭上交通可能貯水要素に枢動反応する交通面ヒンジ・カバーを設定するステップをさらに含む、請求項５４１に記載の貯水方法。
【請求項５５１】
前記頭上交通可能貯水要素を設定するステップが、頭上車両交通可能貯水要素を設定するステップを含む、請求項５４１に記載の貯水方法。
【請求項５５２】
前記頭上交通可能貯水要素を設定するステップが、頭上歩行者交通可能貯水要素を設定するステップを含む、請求項５４１に記載の貯水方法。
【請求項５５３】
前記頭上交通可能貯水要素を設定するステップが、頭上鉄道交通可能貯水要素を設定するステップを含む、請求項５４１に記載の貯水方法。
【請求項５５４】
前記膨張式貯水要素アクチュエータ要素に反応する頭上交通可能貯水要素を設定するステップが、ダウンフロー側膨張式貯水要素アクチュエータ要素に反応する頭上交通可能貯水要素を設定するステップを含む、請求項５４１に記載の貯水方法。
【請求項５５５】
上昇構成で前記頭上交通可能貯水要素が反応する、過度貯水要素回転防止要素を設定するステップをさらに含む、請求項５４１に記載の貯水方法。
【請求項５５６】
前記過度貯水要素回転防止要素を設定するステップが、少なくとも１つの伸張可能折畳み式過度貯水要素回転防止要素を設定するステップを含む、請求項５５５に記載の貯水方法。
【請求項５５７】
前記過度貯水要素回転防止要素を設定するステップが、少なくとも１つの静止過度回転妨害止めを設定するステップを含む、請求項５５５に記載の貯水方法。
【請求項５５８】
前記膨張式貯水要素アクチュエータ要素に反応する頭上交通可能貯水要素を設定するステップが、アップフロー側に配置された膨張式貯水要素アクチュエータ要素に反応する頭上交通可能貯水要素を設定するステップを含む、請求項５４１に記載の貯水方法。
【請求項５５９】
前記頭上交通可能貯水要素を設定するステップが、浮遊式頭上交通可能貯水要素を設定するステップを含む、請求項５５８に記載の貯水方法。
【請求項５６０】
前記頭上交通可能貯水要素が浮遊反応する、浮遊式貯水要素アクチュエータ要素を設定するステップをさらに含む、請求項５５８に記載の貯水方法。
【請求項５６１】
前記浮遊式貯水要素アクチュエータ要素を設定するステップが、前記浮遊式貯水要素を前記頭上交通可能貯水要素のほぼ真下に設定するステップを含む、請求項５６０に記載の貯水方法。
【請求項５６２】
前記浮遊式貯水要素アクチュエータ要素を設定するステップが、前記浮遊式貯水要素を頭上交通可能貯水要素の一部として設定するステップを含む、請求項５６０に記載の貯水方法。
【請求項５６３】
可撓性繊維補強ヒンジ要素に反応する、浮遊式に上昇可能な頭上交通可能貯水要素を設定するステップと、
前記可撓性繊維補強ヒンジ要素に反応するヒンジ／貯水要素取付要素を設定するステップと、
前記浮遊式に上昇可能な頭上交通可能貯水要素を、面一の交通可能上面を有するように構成するステップと、
前記可撓性繊維補強ヒンジ要素が反応するヒンジ／基礎取付要素を固定するステップとを含む貯水方法。
【請求項５６４】
前記ヒンジ／貯水要素取付要素を設定するステップが、ほぼ貯水要素端部でヒンジ／貯水要素取付要素を設定するステップを含む、請求項５６３に記載の貯水方法。
【請求項５６５】
前記浮遊式に上昇可能な頭上交通可能貯水要素を設定するステップが、頭上車両交通可能貯水要素を設定するステップを含む、請求項５６３に記載の貯水方法。
【請求項５６６】
前記浮遊式に上昇可能な頭上交通可能貯水要素が、頭上歩行者交通可能貯水要素を設定するステップを含む、請求項５６３に記載の貯水方法。
【請求項５６７】
前記浮遊式に上昇可能な頭上交通可能貯水要素が、頭上鉄道交通可能貯水要素を設定するステップを含む、請求項５６３に記載の貯水方法。
【請求項５６８】
前記浮遊式に上昇可能な頭上交通可能貯水要素に枢動反応する交通面ヒンジ・カバーを設定するステップをさらに含む、請求項５６３に記載の貯水方法。
【請求項５６９】
前記一体型８の字ヒンジに反応するエラストマー・ヒンジ・カバーを設定するステップをさらに含む、請求項５６３に記載の貯水方法。
【請求項５７０】
前記可撓性繊維補強ヒンジ要素を設定するステップが、モジュラ型８の字可撓性ヒンジを設定するステップを含む、請求項５６３に記載の貯水方法。
【請求項５７１】
前記可撓性繊維補強ヒンジ要素を設定するステップが、Ｓ型可撓性ヒンジを設定するステップを含む、請求項５６３に記載の貯水方法。
【請求項５７２】
前記可撓性繊維補強ヒンジ要素を設定するステップが、Ｗ型可撓性ヒンジを設定するステップを含む、請求項５６３に記載の貯水方法。
【請求項５７３】
前記可撓性繊維補強ヒンジ要素を設定するステップが、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された少なくとも１つの可撓性繊維を含む可撓性繊維補強ヒンジ要素を設定するステップを含む、請求項５６３に記載の貯水方法。
【請求項５７４】
上昇構成で前記浮遊式に上昇可能な頭上交通可能貯水要素が反応する、過度貯水要素回転防止要素を設定するステップをさらに含む、請求項５６３に記載の貯水方法。
【請求項５７５】
前記過度貯水要素回転防止要素を設定するステップが、少なくとも１つの伸張可能折畳み式過度貯水要素回転防止要素を設定するステップを含む、請求項５７４に記載の貯水方法。
【請求項５７６】
前記過度貯水要素回転防止要素を設定するステップが、少なくとも１つの静止過度回転妨害止めを設定するステップを含む、請求項５７４に記載の貯水方法。
【請求項５７７】
横断面が拡大した膨張式アクチュエータ／基礎クランプ保持改良要素を含む膨張式アクチュエータ／基礎取付要素を使用して、膨張式貯水要素アクチュエータ要素を基礎に固定するステップと、
前記膨張式貯水要素アクチュエータ要素に反応する貯水要素を設定するステップと、
前記貯水要素が反応する可撓性繊維補強ヒンジ要素を設定するステップと、
ヒンジ／貯水要素取付要素を、ほぼ貯水要素長手方向端部に設定するステップと、
前記可撓性繊維補強ヒンジ要素が反応するヒンジ／基礎取付要素を固定するステップとを含む貯水方法。
【請求項５７８】
前記可撓性繊維補強ヒンジ要素を設定するステップが、モジュラ型８の字可撓性ヒンジを設定するステップを含む、請求項５７７に記載の貯水方法。
【請求項５７９】
前記可撓性繊維補強ヒンジ要素を設定するステップが、Ｓ型可撓性ヒンジを設定するステップを含む、請求項５７７に記載の貯水方法。
【請求項５８０】
前記可撓性繊維補強ヒンジ要素を設定するステップが、Ｗ型可撓性ヒンジを設定するステップを含む、請求項５７７に記載の貯水方法。
【請求項５８１】
前記可撓性繊維補強ヒンジ要素を設定するステップが、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、およびエラストマーに覆われた織布で構成される可撓性繊維の群から選択された少なくとも１つの可撓性繊維を含む可撓性繊維補強ヒンジ要素を設定するステップを含む、請求項５７７に記載の貯水方法。
【請求項５８２】
前記膨張式貯水要素アクチュエータ要素に反応する貯水要素を設定するステップが、海に向かった膨張式貯水要素アクチュエータ要素に反応する貯水要素を設定するステップを含む、請求項５７７に記載の貯水方法。
【請求項５８３】
前記膨張式貯水要素アクチュエータ要素に反応する貯水要素を設定するステップが、川に向かった膨張式貯水要素アクチュエータ要素に反応する貯水要素を設定するステップを含む、請求項５７７に記載の貯水方法。
【請求項５８４】
上昇構成で前記膨張式貯水要素が反応する、過度貯水要素回転防止要素を設定するステップをさらに含む、請求項５７７に記載の貯水方法。
【請求項５８５】
前記過度貯水要素回転防止要素を設定するステップが、少なくとも１つの伸張可能折畳み式過度貯水要素回転防止要素を設定するステップを含む、請求項５７７に記載の貯水方法。
【請求項５８６】
前記過度貯水要素回転防止要素を設定するステップが、少なくとも１つの静止過度回転妨害止めを設定するステップを含む、請求項５７７に記載の貯水方法。
【請求項５８７】
上昇構成貯水要素位置維持要素を設定するステップをさらに含む、請求項５７７に記載の貯水方法。
【請求項５８８】
前記横断面が拡大した膨張式アクチュエータ／基礎クランプ保持改良要素を含む膨張式アクチュエータ／基礎取付要素を使用して、膨張式貯水要素アクチュエータ要素を基礎に固定するステップが、楔型膨張式アクチュエータ／基礎クランプ保持要素を含む膨張式アクチュエータ／基礎取付要素を使用して、膨張式貯水要素アクチュエータ要素を基礎に固定するステップを含む、請求項５７７に記載の貯水方法。
【請求項５８９】
前記横断面が拡大した膨張式アクチュエータ／基礎クランプ保持改良要素を含む膨張式アクチュエータ／基礎取付要素を使用して、膨張式貯水要素アクチュエータ要素を基礎に固定するステップが、コンマ型膨張式アクチュエータ／基礎クランプ保持強化要素インサートを含む膨張式アクチュエータ／基礎取付要素を使用して、膨張式貯水要素アクチュエータ要素を基礎に固定するステップを含む、請求項５８８に記載の貯水方法。
【請求項５９０】
膨張式ブラダ製造フレームに反応する曲げ抵抗収縮ブラダ折り目生成促進要素を設定するステップと、
前記曲げ抵抗収縮ブラダ折り目生成促進要素の周りで少なくとも１つのエラストマー層の少なくとも一部を折り畳んで、少なくとも１つの最も内側のブラダ層を生成するステップと、
対向して面する最内層を生成するステップと、
前記対向して面する最も内側のブラダ層の隣接を防止するステップと、
少なくとも１つの生成されたエラストマー折り目から前記曲げ抵抗収縮ブラダ折り目生成促進要素を除去するステップとを含む、膨張式物品製造方法。
【請求項５９１】
前記曲げ抵抗収縮ブラダ折り目生成促進要素を設定するステップが、ほぼまっすぐな曲げ抵抗収縮ブラダ折り目生成促進要素を設定するステップを含む、請求項５９０に記載の膨張式物品製造方法。
【請求項５９２】
前記曲げ抵抗収縮ブラダ折り目生成促進要素を設定するステップが、伸張可能ワイヤの曲げ抵抗収縮ブラダ折り目生成促進要素を設定するステップを含む、請求項５９０に記載の膨張式物品製造方法。
【請求項５９３】
前記曲げ抵抗収縮ブラダ折り目生成促進要素を設定するステップが、伸張可能棒の曲げ抵抗収縮ブラダ折り目生成促進要素を設定するステップを含む、請求項５９０に記載の膨張式物品製造方法。
【請求項５９４】
前記曲げ抵抗収縮ブラダ折り目生成促進要素を設定するステップが、金属製の曲げ抵抗収縮ブラダ折り目生成促進要素を設定するステップを含む、請求項５９０に記載の膨張式物品製造方法。
【請求項５９５】
前記曲げ抵抗収縮ブラダ折り目生成促進要素を設定するステップが、収縮ブラダ折り目生成促進要素を伸張させるステップを含む、請求項５９０に記載の膨張式物品製造方法。
【請求項５９６】
前記収縮ブラダ折り目生成促進要素を伸張させるステップが、収縮ブラダ折り目生成促進要素を手動で伸張させるステップを含む、請求項５９５に記載の膨張式物品製造方法。
【請求項５９７】
前記収縮ブラダ折り目生成促進要素を伸張させるステップが、収縮ブラダ折り目生成促進要素を自動で伸張させるステップを含む、請求項５９５に記載の膨張式物品製造方法。
【請求項５９８】
前記収縮ブラダ折り目生成促進要素を伸張させるステップが、収縮ブラダ折り目生成促進要素を油圧で伸張させるステップを含む、請求項５９５に記載の膨張式物品製造方法。
【請求項５９９】
前記曲げ抵抗収縮ブラダ折り目生成促進要素を設定するステップが、少なくとも２つの曲げ抵抗収縮ブラダ折り目生成促進装置を設定するステップを含む、請求項５９０に記載の膨張式物品製造方法。
【請求項６００】
前記少なくとも２つの曲げ抵抗収縮ブラダ折り目生成促進装置を設定するステップが、少なくとも２つの平行な曲げ抵抗収縮ブラダ折り目生成促進装置を設定するステップを含む、請求項５９９に記載の膨張式物品製造方法。
【請求項６０１】
前記少なくとも２つの平行な曲げ抵抗収縮ブラダ折り目生成促進装置を設定するステップが、ほぼ細長の、ほぼ横断面が涙滴型の、収縮ブラダ折り目膜インサート要素を、前記少なくとも２つの平行な曲げ抵抗収縮ブラダ折り目生成促進要素の少なくとも１つの周りに設定するステップと、ブラダ／基礎クランプ保持強化インサートを、前記少なくとも２つの平行な曲げ抵抗収縮ブラダ折り目生成促進装置の別の少なくとも１つの周りに設定するステップとを含む、請求項６００に記載の膨張式物品製造方法。
【請求項６０２】
前記少なくとも２つの平行な曲げ抵抗収縮ブラダ折り目生成促進装置を設定するステップが、ほぼ細長の、ほぼ横断面が涙滴型の、収縮ブラダ折り目膜インサート要素を、前記少なくとも２つの平行な曲げ抵抗収縮ブラダ折り目生成促進要素の少なくとも１つの周りに設定するステップと、ブラダ／基礎クランプ保持強化インサートを、前記少なくとも２つの平行な曲げ抵抗収縮ブラダ折り目生成促進装置の別の少なくとも１つの周りに設定するステップと、パネル／パネル・アクチュエータ要素クランプ保持強化インサートを、前記少なくとも２つの平行な曲げ抵抗収縮ブラダ折り目生成促進装置の別の少なくとも１つの周りに設定するステップとを含む、請求項６００に記載の膨張式物品製造方法。
【請求項６０３】
前記少なくとも２つの曲げ抵抗収縮ブラダ折り目生成促進装置を設定するステップが、少なくとも４つの矩形に構成された曲げ抵抗収縮ブラダ折り目生成促進装置を設定するステップを含む、請求項５９９に記載の膨張式物品製造方法。
【請求項６０４】
ほぼ細長の、ほぼ横断面が涙滴型の、収縮ブラダ折り目膜インサート要素を、前記曲げ抵抗収縮ブラダ折り目生成促進要素の少なくとも一部の周りに設定するステップをさらに含む、請求項５９０に記載の膨張式物品製造方法。
【請求項６０５】
前記ほぼ細長の、ほぼ横断面が涙滴型の、収縮ブラダ折り目膜インサート要素を、前記曲げ抵抗収縮ブラダ折り目生成促進要素の少なくとも一部の周りに設定するステップが、前記曲げ抵抗収縮ブラダ折り目生成促進要素の周りで少なくとも１つのエラストマー層の少なくとも一部を折り畳む前記ステップの前に行われる、請求項６０４に記載の膨張式物品製造方法。
【請求項６０６】
クランプ保持促進インサート要素を、前記曲げ抵抗収縮ブラダ折り目生成促進要素の少なくとも一部の周りに設定するステップをさらに含む、請求項５９０に記載の膨張式物品製造方法。
【請求項６０７】
前記クランプ保持促進インサート要素を、前記曲げ抵抗収縮ブラダ折り目生成促進要素の少なくとも一部の周りに設定するステップが、前記曲げ抵抗収縮ブラダ折り目生成促進要素の周りで少なくとも１つのエラストマー層の少なくとも一部を折り畳む前記ステップの前に行われる、請求項６０６に記載の膨張式物品製造方法。
【請求項６０８】
請求項５９０の膨張式物品製造方法に記載された、膨張式ブラダ製造フレーム。
【請求項６０９】
前記ほぼ細長の、ほぼ横断面が涙滴型の、収縮ブラダ折り目膜インサート要素を除去するステップをさらに含む、請求項５４に記載の方法。
【請求項６１０】
前記ほぼ細長の、ほぼ横断面が涙滴型の、収縮ブラダ折り目膜インサート要素を溶解するステップをさらに含む、請求項６０９に記載の方法。
【請求項６１１】
前記膨張式膜／基礎取付要素が、楔型膨張式膜／基礎クランプ保持要素を含む、請求項１３３に記載の膨張式エラストマー・ダム装置。
【請求項６１２】
コンクリート制水ゲート・パネル本体要素を生成するステップと、摺動摩擦減少アクチュエータ側制水ゲート・パネル面要素を設定するステップと、水平軸回転ヒンジ／水ゲート・パネル取付要素を、オーバフロー直交据付け水ゲート・パネル縁部に設定するステップとが各々、コンクリート水ゲート・パネルの据付け現場で行われる、請求項４１８に記載の貯水を制御する方法。
【請求項６１３】
ナップ切断要素と、
前記ナップ切断要素が反応する、切り離し可能なナップ切断要素／貯水要素取付要素と、
衝撃撓み要素とを含む、ナップ曝気装置。
【請求項６１４】
前記ナップ切断要素が、補強エラストマー・ナップ切断装置である、請求項６１３に記載のナップ曝気装置。
【請求項６１５】
前記貯水要素が、コンクリート・ダム、膨張式エラストマー・ダム、および水ゲート・パネルから構成される貯水要素の群から選択された貯水要素である、請求項６１３に記載のナップ曝気装置。
【請求項６１６】
ナップ切断要素を設定するステップと、
前記ナップ切断要素が反応する、切り離し可能なナップ切断要素／貯水要素取付要素を設定するステップと、
前記ナップ切断要素が反応する衝撃撓み要素を設定するステップとを含む、ダム頭上ナップを曝気する方法。
【請求項６１７】
前記ナップ切断要素を生成するステップが、補強エラストマー・ナップ切断装置を生成するステップを含む、請求項６１６に記載のダム頭上ナップを曝気する方法。
【請求項６１８】
前記ナップ切断要素が反応する衝撃撓み要素を設定する前記ステップが、エラストマー衝撃撓み要素を設定するステップを含む、請求項６１６に記載のダム頭上ナップを曝気する方法。
【請求項６１９】
前記ナップ切断要素が反応する、切り離し可能なナップ切断要素／貯水要素取付要素を設定する前記ステップが、切り離し可能なナップ切断要素／膨張式作動水ゲート・パネル取付要素を設定するステップを含む、請求項６１６に記載のダム頭上ナップを曝気する方法。
【請求項６２０】
前記ナップ切断要素が反応する、切り離し可能なナップ切断要素／貯水要素取付要素を設定する前記ステップが、切り離し可能なナップ切断要素／膨張式エラストマー・ダム水ゲート・パネル取付要素を設定するステップを含む、請求項６１６に記載のダム頭上ナップを曝気する方法。
【請求項６２１】
前記ナップ切断要素が反応する、切り離し可能なナップ切断要素／貯水要素取付要素を設定する前記ステップが、切り離し可能なナップ切断要素／コンクリート・ダム水ゲート・パネル取付要素を設定するステップを含む、請求項６１６に記載のダム頭上ナップを曝気する方法。
【請求項６２２】
前記頭上流れモード動的物体衝撃可撓性ナップ切断要素を、前記切り離し可能なナップ切断要素／貯水要素取付要素を使用して上部貯水構造面に取り付けるステップをさらに含む、請求項６１６に記載のダム頭上ナップを曝気する方法。
【請求項６２３】
前記浮遊要素が、前記頭上交通可能貯水要素の一部を形成する、請求項５１１に記載の貯水装置。
【請求項６２４】
前記浮遊要素が、前記頭上交通可能貯水要素の外側に配置される、請求項５１１に記載の貯水装置。
【請求項６２５】
前記ヒンジ／貯水要素取付要素が、横断面拡大クランプ保持改良要素を含む、請求項５１１に記載の貯水装置。
【請求項６２６】
前記ヒンジ／基礎取付要素が、横断面拡大クランプ保持改良要素を含む、請求項５１１に記載の貯水装置。
【請求項６２７】
前記ヒンジ／貯水要素取付要素を設定するステップが、横断面拡大クランプ保持改良要素を設定するステップを含む、請求項５６３に記載の貯水装置。
【請求項６２８】
前記可撓性繊維補強ヒンジ要素が反応するヒンジ／基礎取付要素を固定するステップが、ヒンジ／貯水要素取付要素を設定するステップを含み、横断面拡大クランプ保持改良要素を設定するステップを含む、請求項５６３に記載の貯水装置。
【発明の詳細な説明】
【技術分野】
【０００１】
本発明は、参照により本明細書に各々組み込まれている、２００１年７月９日付出願の米国仮出願第６０／３０４２６３号、２００１年１０月１３日付出願の米国仮出願第６０／３２９０９０号、２００１年１０月１８日付出願の米国仮出願第６０／３３４８７０号、２００１年１０月１９日付出願の米国仮出願第６０／３４３８３４号、２００２年５月９日付出願の米国仮出願第６０／３７９４０１号の恩恵を主張する。
【０００２】
本発明は、限定されないが、ダム余水路、水力発電プロジェクト、洪水制御構造、河川分流、用水路抑止構造、道路の水バリア、堤防の横断、駐車場の水バリアと組み合わせて使用される制水ゲートおよび制水用の膨張式ダム、そのための膨張式アクチュエータ、膨張式アクチュエータ一般、そのための補強エラストマー・ヒンジ、および、プレス、ダンネージ・バッグ、膨張式ジャッキ、折畳み式ホース等の装置用のアクチュエータ等の膨張式物品一般に関する。本明細書中で開示される膨張式アクチュエータには他の多くの適用があり、特に低コスト、長寿命、および信頼性が重要である。
【背景技術】
【０００３】
経済的な制水ゲートの開発について、種々の試みがなされている。多くの場合、最も経済的な制水ゲートは、空気作動底部ヒンジ留めゲートおよび膨張式ダムである。唯一の利点として、膨張式アクチュエータ圧力を調節することにより、複数の制水ゲートの位置を、無限に調節することができる。空気作動底部ヒンジ留めゲートおよび膨張式ダムに関する種々の特許が本出願に添付され、参照により本明細書に組み込まれている。従来技術に関する種々の他の材料も添付され、参照により本明細書に組み込まれている。一般に、油圧式または機械式ゲートは、特に、必要な関連する橋脚、装置プラットホーム、サービス・クレーン、および橋を構築する費用を考慮すると、前記の空気式ゲートおよび膨張式ダムよりも費用がかかる。膨張式ダムの従来の制限には、下流の折り目に発生する高い応力が含まれる。単一の平坦なシートから製造された膨張式ダムの場合、膨張式ダムが収縮構成にある状態で、エラストマー材料にこれらの応力が発生する。流れが揺動するように分離する角丸の可撓面に関連する流れ誘発振動と組み合わせて、ダム本体を曲げることによる、最外層の引張応力の組合せにより、破損が生じる。折り畳まれたシートとして製造された膨張式ダムの場合、ダム膨張時に、高い引張応力が、エラストマーのインナ・ライナと補強布の最も内側のプライとの両方に生じる。このような補強布の高応力のため、ナイロンの長期にわたる防水性がポリエステルに比べて劣るにもかかわらず、ナイロン等の伸び率の高い繊維を使用することが要求される。高応力は、一般に、安全率を低下させ、またはこのような膨張式ダムの総費用を増加させる。さらに、補強材の損傷が避けられても、エラストマーのインナ・ライナの高い引張応力によりひび割れが生じて、繊維補強材に空気漏れが生じる。この繊維補強材は他の場所で露出されるので、膨張式ダムから徐々に望ましくない空気損失が生じる。さらに、内側プライの圧力が増加することにより、ダム本体が長期にわたって酸素劣化し、外カバーが膨れやすくなる。
【０００４】
底部ヒンジ留め空気作動ゲートの従来の制限は、シールを特別に現場で嵌合する必要があること、着氷状態時に当接板を加熱する必要があること、および、２メートル以下等の低いダム高さ用のゲートの、利点に対する費用がやや高くなることである。すなわち、２メートル以下等の低いダム高さ用のゲートに関し、従来技術の設計は、一般に２つのカテゴリーに入る。第１のカテゴリーは、Ｏｂｅｒｍｅｙｅｒの米国特許第５０９２７０７号、Ｏｂｅｒｍｅｙｅｒの米国特許第５５３８３６０号、Ｏｂｅｒｍｅｙｅｒ他の米国特許第５７１３６９９号に記載されたもの等の設計である。この第１のカテゴリーの設計は、クランプ棒の下で継目を接合するための二次加硫プロセスを必要とする。二次加硫プロセス（さらなる第２の加硫プロセス）には余分な費用がかかり、これにより生じる継目は、本発明の少なくとも１つにより使用される単一段階加硫（１回のみの加硫プロセス）を使用して作られるものよりも信頼性が低い。さらに、前記二次加硫プロセスは、せいぜいクランプ棒の下でエラストマー・シールを提供するだけである。空気ブラダの膨張可能部分の周りの円周補強材の連続性は、二次加硫ステップでクランプ継目を結合しシールするだけでは達成することができない。Ｏｂｅｒｍｅｙｅｒの米国特許第５７０９５０２号に開示された楔型クランプ・システムの使用により、クランプ・システムの下の加硫継目は不要になるが、ダム高さが低くなるにつれてクランプ・システム自体がかなり高価なものになる。
【０００５】
クランプされた非加硫継目を持つ膨張式ダムと、加硫継目を持つ空気作動底部ヒンジ留めゲートとの両方に共通の欠点は、クランプ・システムにより圧縮されたエラストマーのクリープ現象である。各システムの適切な機能は、一般に、クランプによる十分な圧縮応力に依存して、空気漏れを防止する。圧縮応力が高くなるほど、関連する剪断応力も高くなり、クリープ率が増加する。したがって、このようなクランプを堅く締めるほど、締め直しが必要になる頻度が高くなる。適切な維持には、漏れまたはシステムの故障を発生させる不十分な締めと、高いクリープ率およびシステムの故障につながる過度の締めとの入念なバランスが必要となる。
【０００６】
従来の膨張式ダムは、越水状態時に振動を受ける。ナップを曝気して、フィンの寸法を変化させることにより、または別個のフィンを設けることにより、フィンを残す試みがなされている。このような緩和的な方法があっても、ある流れ状態では、振動が依然として問題となる。
【０００７】
さらに、従来技術の空気作動底部ヒンジ留めゲートおよび膨張式ダムと組み合わせて最も一般的に使用される空気継手は、据付け時に保護を必要とし、鋭利に機械加工された縁部を含む。複数の空気ブラダが出荷用に積み重なっている場合、または長い膨張式ダムを巻き上げる前にこのような継手を据え付けるようとする場合に、これらの空気継手の鋭利な縁部は、隣接する空気ブラダを損傷させ、または貫通する。
【０００８】
さらに、現存するシステムの空気作動底部ヒンジ留めゲートおよび膨張式ダムは、一般に、下降位置または収縮位置で、車両または歩行者の交通に十分に合わせたものにはなっていない。従来の底部ヒンジ留め制水ゲートには、凹凸のヒンジと補強リブとが装着されているが、これにより水流を遮断することはできず、危険を生じさせ、車両または歩行者の交通に対する障壁ともなり得る。
【０００９】
従来の底部ヒンジ留め制水ゲートは、抑制ストラップも組み込んでおり、この抑制ストラップは下降したゲート・パネルの真下から突出する。前記抑制ストラップが突出していると、歩行者の交通にとって危険である。このような突出する抑制ストラップは、車両の交通によって損傷を受けることがある。さらに、この抑制ストラップの突出は、交通が設計基準ではない場合でも、ある制水の適用には望ましくない。
【００１０】
従来の底部ヒンジ留め道路および歩道水バリアが、機械式ヒンジを使用する場合があるが、この機械式ヒンジは水漏れおよび腐食を受ける。また、機械式アクチュエータを使用する場合があるが、この機械式アクチュエータは腐食を受ける。さらに、このような機械式ヒンジは正確な整合を必要とするため、費用がかかる。
【００１１】
浮袋（膨張式ジャッキ）、ドック・バンパ、ホース、膨張式ダム、および余水路ゲート・アクチュエータ等の膨張式物品は、一般に、２つの方法のうちの１つにより製造される。第１の方法では、内部マンドレルまたはツールを使用して、角丸の縁部を持つ内面を画定する。この方法は、マンドレルまたはツールを取り外す開口をシールするための二次結合動作または特別な装置を必要とする。第２の方法では、内部を単に平坦に折り曲げることができ、内面は剥離フィルムにより結合しないようになっている。これにより、膨張状態でインナ・ライナの過度の応力集中が生じ、補強材が多層であるため、補強材の層の間で非常に不均一な荷重分割が生じる。第３の方法は、共晶塩、アルミニウム、張り子等の３次元可溶性マンドレルを使用する。このタイプの可溶性マンドレルは高価であり、時間がかかり、塩の場合には非常に壊れやすい。
【００１２】
従来の余水路および航行ダム・ゲートは、個々のアクチュエータを備え、または、場合によっては、作業ボートまたは頭上のケーブル・ホイストから１つずつ上昇位置および固定位置へ持ち上げられる。ボートまたは索道によりゲートを頭上から持ち上げるには、非常に熟練したオペレータによる危険な作業が必要である。個々のアクチュエータは、プロジェクトによっては費用がかかりすぎる。堤防の代わりに作動制水ゲートを非常に長期間にわたって使用するには、現存するシステムでは桁外れな費用がかかることが多い。
【００１３】
従来の余水路ゲートは、ナップ切断装置を使用して、少量の越水状態で振動を防止することが多い。このようなナップ切断装置は、一般に鋼製であり、冬期の氷の流れにより損傷を受けやすい。
【発明の開示】
【発明が解決しようとする課題】
【００１４】
本発明の目的は、輸送および据付けが容易で、冬期の作業の際に加熱した当接板を必要としない、低いダム高さ用の現在の制水ゲートの低コストの代替品を提供することである。本発明の別の目的は、一実施例において、ゲート・システムに過度の危険または損傷を与えることなく、その上を車で走行したり歩行したりすることのできるゲート・システムを提供することである。本発明の別の目的は、長距離に架けるのに適した低コストの洪水制御バリアを提供することである。
【課題を解決するための手段】
【００１５】
本発明の少なくとも１つによれば、例えば品質管理の目的で、余水路または特別な試験備品に固定する必要なしに膨張することのできる空気ブラダが提供される。
【００１６】
本発明の別の態様によれば、前記空気ブラダは補強材のプライを含み、このプライは、継目を除いて、前記膨張した空気ブラダの周囲に連続し、前記空気ブラダの膨張部分と前記空気ブラダのクランプ部とを接続する継目を横切る。空気ブラダが加圧されて、クランプがまだ据え付けられていないか、または堅くクランプされていないときに、連続した補強材の前記プライにより、クランプ棒の下に延びる補強材の結合層の剥離が防止される。一部の従来の設計で生じる剥離は、構造上の完全性を低下させ、漏れを生じさせる。
【００１７】
本発明の別の態様では、空気ブラダを単一段階加硫プロセスで加硫することができ、二次加硫ステップは必要ない。この単一段階加硫により、構造全体の完全性が向上し、製造コストを最小化することができる。
【００１８】
本発明の別の態様によれば、空気ブラダを、例えば単純な矩形のクランプ棒によりダム余水路に固定することができる。この単純な矩形のクランプ棒は、安価で、据え付けやすく、代替クランプ・システムよりも必要なスペースが小さい。このようなゲート・システムを後付けする現存の余水路のスペースは、非常に限られている。
【００１９】
本発明の別の態様によれば、空気ブラダは、適合する内部パネル・シールおよび当接シールを装着する正確に成形された端部を備え、最小の据付け時間で、漏れのないアセンブリを作り出す。
【００２０】
本発明の別の態様によれば、前記クランプ棒の下流面にぴったりと一致する一体型ヒンジ・フラップが設けられる。このような構成により、ヒンジ・フラップとクランプ棒との間の砂または砂利の閉込めが避けられる。ヒンジ・フラップとクランプ棒との間に閉じ込められた砂および砂利は、ある時間にわたってゲート・システムを作動させる間に、ヒンジ・フラップに損傷を与え、またはクランプ棒から防食剤を除去する。
【００２１】
本発明の別の態様によれば、空気ブラダは、損傷を与える突出部または損傷を受ける突出部のない空気継手を備える。これは、本明細書中で開示されるように、膨張式空気ブラダの下部膜内に完全に含まれる継手により達成される。
【００２２】
本発明の別の態様によれば、前記空気継手は、一般に円盤状であり、中央に位置する貫通孔にあるパイプねじ山等の接続部を特徴とする。
【００２３】
本発明の別の態様によれば、前記空気継手は、補強布の方向への望ましくない変化を制限する先細の外形を特徴とする。補強布の方向への過度の変化により、補強材の層が互いに剥離し、または埋め込まれた空気継手から補強材が外れる。
【００２４】
本発明の別の態様によれば、空気継手は、継手が前記補強布を切断するのを防止する、角丸の外縁部を特徴とする。
【００２５】
本発明の別の態様によれば、エラストマー内での空隙の形成が回避され、補強コードと空気継手との直接の接触が回避されるように、前記角丸の外縁部の半径が十分に小さくなっている。
【００２６】
本発明の別の態様によれば、空気継手は（一部または全体が）、加硫中に前記膨張式ブラダのエラストマー本体に結合する材料から作られ、またはこの材料で被覆される。
【００２７】
本発明の別の態様によれば、前記空気継手は真鍮から作られる。
【００２８】
本発明の別の態様によれば、内部パネル・シールは横断面に曲げを備えて据付け時の可撓性を高め、隣接するゲート・パネル間の距離が、平面図で湾曲した、余水路上等のゲート作動角度と共に変化する。
【００２９】
本発明の別の態様によれば、関連する空気ブラダのクランプ縁部と同一または同様の外形を持つ内部パネル・シールが設けられる。このようにして、内部パネル・シールおよび空気ブラダは、同一のクランプ構成を持つダム余水路に同時に固定される。
【００３０】
本発明の別の態様によれば、関連する空気ブラダのクランプ縁部と同一または同様の外形を持つ当接シールが設けられる。このようにして、当接シールおよび空気ブラダは、同一のクランプ構成を持つダム余水路に同時に固定される。
【００３１】
本発明の別の態様によれば、エラストマー当接シールは、ポリエチレンまたはＰＴＦＥ等の結合低摩擦磨耗面を備える。
【００３２】
本発明の別の態様によれば、ポリエチレンの磨耗面が、ＥＰＤＭ（エチレン−プロピレン−ジエン−メチレンゴム）を含む補強エラストマーと共加硫される。
【００３３】
本発明の別の態様によれば、ポリエチレンの磨耗面が、ＥＰＤＭおよびクロロブチル（Ｃｈｌｏｒｏｂｕｔｙｌ）を含む混合物から構成される補強エラストマーと共加硫される。
【００３４】
本発明の別の態様によれば、熱伝導性および氷付着性の低い当接板が設けられる。
【００３５】
本発明のさらに別の態様によれば、前記当接板が、多数の留め具を備え、ポリエチレン等の材料の低熱膨張係数および高熱膨張係数により生じる座屈（反りを含む）を防止するように、比較的厚くなっている。
【００３６】
本発明の別の態様によれば、留め具の間隔と厚さとの比は、約２０対１以下であり、好ましくは１２対１未満（おそらく８対１）である。このようにして、直射日光に当たる際の当接板の座屈が避けられる。一般に、当接板の後側で漏れ通路が開くため、座屈は望ましくない。この漏れ通路は、当接板材料のクリープまたは破片の詰まりのため、再び完全に閉じることはできない。また、隣接するゲート・パネルおよびシール・アセンブリの自由な走行を妨げるため、座屈は望ましくない。
【００３７】
本発明の別の態様によれば、留め具が前記当接板の面の下方へ凹む。
【００３８】
本発明の別の態様によれば、留め具が、ポリエチレン・プラグまたは車体充填材のような材料で覆われて、ゲート当接シールが走行する平滑面を残す。
【００３９】
本発明の別の態様によれば、シーラントの配置および保持を可能にするように、複数の当接板部分の各々の周囲に溝が設けられる。
【００４０】
本発明の別の態様によれば、当接板材料が、カーボンブラック等の暗色顔料を含み、ソーラ・ヒーティングを促進させ、ポリエチレン等のポリマーに損傷を与える紫外線放射を遮断する。
【００４１】
本発明の別の態様によれば、当接板材料が超高分子量（ＵＨＭＷ）ポリエチレンである。
【００４２】
本発明の別の態様によれば、当接板が高密度ポリエチレンから構成される。
【００４３】
本発明の別の態様によれば、当接板が、熱伝導性が低く当接板に剛性を与えるガラス繊維等の補強材を組み込む。
【００４４】
本発明の別の態様によれば、加熱したシール・アセンブリまたは他の加熱手段（または、おそらく発熱体）を、前記低熱伝導性当接板に関連するゲート・パネルに取り付けて、共に移動させることができる。
【００４５】
本発明の別の態様によれば、折り畳まれた「収縮」位置で加硫されるが、下流縁部の内側に沿った所定の有限内側半径を特徴とする膨張式ダムが設けられる。この内側半径は、例えば、取り外し可能なツール、可溶性ツールにより形成することができ、または製造後に定位置に残る押出成形エラストマー形材により形成することができる。
【００４６】
本発明の別の態様によれば、制水ゲートまたはゴム製ダム本体のための膨張式アクチュエータ等の膨張式物品のクランプされていない縁部は、エラストマー形材を組み込み、このエラストマー形材は、押出成形され予備硬化された後に、一部が膨張式物品の内側周縁部に結合される。このエラストマー形材は「涙滴型」であり、中央を通る孔を特徴とする。この孔を使用して、製造中に形材を配置させることができ、またはこの孔を潰れにくい空気供給マニホルドとして使用することができる。エラストマー形材は膨張式物品の内側に一側に沿って結合され、角丸の面および反対の平坦側は結合されないままになっている。このようにして、形材により束縛されることなく、物品を膨張させることができる。さらに、成形された通りの望ましい角丸形状が膨張式物品の内部に与えられ、同一の目的で使用されるツールを取り外す必要がなくなる。前記形材の一部が、例えばゴム接着剤で選択的に結合され、または、製造に使用される化合物および方法に従って、剥離フィルムまたは剥離剤を使用して選択的に結合しないようにする。
【００４７】
一部のプロジェクトの経済状態では、ゲート・パネルごとに個々のアクチュエータを使用することができない。したがって、本発明の目的は、単純な手動式ゲートの経済状態を維持しながら、個々のゲート・アクチュエータを持つ高価なシステムの安全遠隔作動能力を提供する、制水ゲート・システムを提供することである。
【００４８】
本発明のさらなる目的は、大規模なゲートにも経済的な構築方法を提供することである。
【００４９】
本発明の別の目的は、道路、歩道、または道路床面として働くゲート・パネルを提供することである。
【００５０】
本発明の別の目的は、容易かつ信頼性のある空気作動に備え、しかも車両および歩行者の交通のための平滑で安全な上面を提供する制水ゲート・システムを提供することである。
【００５１】
本発明の別の目的は、広範囲のゲート高さについて経済的な構築方法を提供することである。
【００５２】
本発明の別の目的は、時間と費用のかかる現場での整合手順を要する精密回転軸受を必要とすることなく、高定格荷重を有するゲート・ヒンジ機構を提供することである。
【００５３】
本発明の別の目的は、流体、粒子、または汚染物質がヒンジ・アセンブリを通過するのを防止するシールとして働くヒンジ機構を提供することである。
【００５４】
本発明の別の目的は、ヒンジ機構を腐食性流体またはガスから保護し、かつヒンジ機構を研磨粒子または損傷粒子から保護する可撓性バリアを提供することである。
【００５５】
本発明のさらなる目的は、２つのヒンジ留めされた物体間の剪断荷重を、結合化学接続により、可撓性ケーブル、コード、または繊維要素から剛性要素へ伝えることのできるヒンジを提供することである。
【００５６】
本発明のさらなる目的は、前記結合化学接続が弾性接続であり、応力集中を低下させてアセンブリの能力を最適化し、不整合を吸収し、損傷なく動荷重を吸収するのに役立つ。このような弾性接続は、ＥＰＤＭ、ブチルゴム、天然ゴム、スチレンブタジエンゴム、ニトリルゴム、クロロプレンゴム、またはこれらの混合物等の加硫可能なエラストマーを使用して製造することができる。
【００５７】
本発明のさらなる目的は、ヒンジの角度設計限界内でのヒンジ軸を中心とした回転にはほとんど抵抗しないが、ヒンジ軸に垂直な面のあらゆる方向の荷重に抵抗するように、かつヒンジ軸に平行な剪断荷重に抵抗することができるように、可撓性の、好ましくは撚りコード、ケーブル、または他の手段を構成することである。
【００５８】
本発明のさらなる目的は、好ましくはゴムまたは他のエラストマーに埋め込まれた一方向タイヤ・コード布のストリップ等の、事前に組み立てられたコード群を使用することである。
【００５９】
本発明のさらなる目的は、転がり接触領域に、剛性ヒンジ要素と可撓性要素との非結合ゾーンを提供することである。
【００６０】
本発明のさらなる目的は、転がり接触ゾーンと可撓性要素が逆転する縁部との両方に、可撓性コード要素に隣接する平滑な角丸の縁部を提供することである。
【００６１】
本発明のさらなる目的は、好ましくは、支持用の約５０％の固体材料分、および前記可撓性要素の逆曲げの巻付き用の約５０％の長孔長さ分だけ、可撓性要素が巻き付く剛性要素の部分に頑強な機械的支持を提供することである。
【００６２】
本発明のさらなる目的は、硬質の金属またはセラミック面を必要とせず、エポキシ、ポリエステル等の基材中の炭素繊維、アラミド繊維、セラミック繊維、またはガラス繊維等の軽量繊維補強複合材から剛性要素を製造することができる、低摩擦かつ低磨耗の頑強なヒンジ機構を提供することである。
【００６３】
本発明のさらなる目的は、収縮した空気ブラダを通して圧縮軸受荷重を伝えることにより、下降したゲート・パネルに機械的支持を提供することである。
【００６４】
本発明のさらなる目的は、水の自由な流れを妨げる沈殿物、破片、または他の固形物の閉込めを防止するように、制水ゲートと組み合わせて平滑上面を提供することである。
【００６５】
本発明のさらなる目的は、筏、カヤック、およびカヌーの通行等の娯楽としての水の使用に危険を及ぼすことのない、平滑面を提供することである。
【００６６】
本発明のさらなる目的は、水泳施設およびアミューズメント・パークの水を使う出し物の利用者に平滑で安全な面を提供することである。このような平滑面は、ＥＰＤＭ、ブチルゴム、天然ゴム、スチレンブタジエンゴム、ニトリルゴム、またはこれらの混合物等の加硫可能なエラストマーから成形することができる。
【００６７】
本発明のさらなる目的は、研磨および磨耗による汚染を受ける摺動面を必要としない、小型の密閉ヒンジ機構を提供することである。
【００６８】
本発明のさらなる目的は、空気ブラダが過度の磨耗または摩擦なしで摺動することのできる、コンクリート・ゲート・パネルの底部に固定された平滑面を提供することである。このような平滑面は、例えば適宜のコンクリート・アンカと組み合わせてＵＨＭＷポリエチレンから製造することができる。
【００６９】
本発明のさらなる目的は、膨張した空気ブラダが過度の磨耗または摩擦なしで周りを摺動することのできるゲート・パネルの上流縁部の下に、平滑な低摩擦隅部を提供することである。このような隅部は、例えばナイロンまたはＵＨＭＷポリエチレンの棒から製造することができる。
【００７０】
本発明のさらなる実施例は、道路または歩道内の取付要素にヒンジで取り付けられ、前記ゲート・システムの関節パネルの下に配置された膨張式アクチュエータにより作動される関節ゲートを提供することである。膨張式アクチュエータには、据付け後にシムが入れられ、下降したゲート・パネルから基礎スラブへ下方に圧縮荷重を伝える。大規模な据付けでは、好ましくは、ゲート・パネルが鉄筋コンクリートの代わりに構築される。これにより、重いゲート・パネルを現場まで輸送する必要がなくなるだけでなく、製造後に完成したゲート・パネルを再配置する必要もなくなる。
【００７１】
本発明の別の態様は、抑制ストラップが、隣接する空気ブラダの端部間と、オプションとして、空気ブラダ隣接当接部とこれらの当接部との間に配置される、制水ゲート・システムを提供することである。この構成により、抑制ストラップと組み合わせて大型の低圧空気ブラダを同時に使用することが可能になる。この抑制ストラップは、前記ゲート・パネルが完全に下降位置にあるときにゲート・パネルにより覆われ保護されたままとなるのに十分な短さである。大型の低圧空気ブラダは、これを使用することにより、一般に関連するヒンジ・アセンブリでの反力を減少させ、ゲート・パネル荷重を減少させ、かつ前記空気ブラダ自体の内部の荷重を減少させる点で、一般に望ましい。
【００７２】
本発明の別の態様は、例えば空気ブラダが製造される材料と同様のエラストマー材料から作られたダミー・インサートをクランプ・システム内に設けて、前記空気ブラダが切頭形になって抑制ストラップ用の間隙を提供する位置で、空気ブラダを交換することである。場合によって、隣接する空気ブラダの膨張半径と組み合わせて、製造された通りの形状で提供される半径は、前記抑制ストラップに十分な間隙を提供することができる。
【００７３】
本発明のさらなる目的は、堤防を通過する鉄道の場合等、洪水レベルより下方に位置する線路のための洪水保護バリア手段（または、おそらく洪水保護バリア要素）を提供することである。すなわち、本発明は、下にある基礎により膨張式アクチュエータを通して支持されるゲート・パネルに取り付けられて支持されるレールを考慮している。
【００７４】
本発明の別の態様は、ゲート・パネルおよびそのレール部分が上昇するにつれて、固定レール上を摺動することのできるレールの関節部分を提供することである。
【００７５】
本発明のさらなる目的は、例えば、場所打ちポリウレタンの平滑面を、平坦ではないゲート・クランプ・システム上に提供することである。
【００７６】
本発明のさらなる目的は、カバー板を使用して、ゲートのヒンジ留め角度の上方移動に必要な、ヒンジ上方の間隙上に、平滑面を提供することである。前記カバー板は、一縁部でヒンジにより固定され、ゲートが上下するにつれて摺動するように、他縁部で支持される。好ましい構成は、ゲート・パネルに枢動可能に取り付けられ、ゲート・パネルが上昇するにつれてクランプ領域上へ上流方向に摺動可能なカバー板を提供することである。
【００７７】
本発明のさらなる目的は、個々のゲート・パネル間のシール漏れが重大な問題にならないような、十分に大きなゲート・パネルを提供することである。
【００７８】
本発明の別の態様は、遠隔乾燥位置から安全に位置決めされ操作される可動アクチュエータである。単一のアクチュエータを使用して、大量の個々のゲート・パネルまたは部分を、例えば連続して持ち上げることができる。持上げ後、各ゲート・パネルまたは部分は、安価な機械支柱、ラッチ、または引張部材等により上昇位置に保持される。これらの抑制手段は、高い上流レベル、またはゲートにかかる増加した静水荷重に自動的に反応して解放するように設計される。
【００７９】
一部の洪水制御の適用では、好ましくは、ゲート・パネルが鉄筋コンクリートの代わりに構築され、これにより、現場に輸送する必要がなくなるだけでなく、おそらくゲート・パネルを製造時にすべて一度に再配置または持ち上げる必要がなくなる。
【００８０】
本発明の一実施例の別の態様は、関連するヒンジ要素を前記ゲート・パネルに組み込むように、コンクリート・ゲート・パネルを鋳造することである。ヒンジ留め具の費用、および完成したゲート・パネルにヒンジを固定するのに必要な労力を省くことができる。
【００８１】
本発明の別の態様は、氷の流れによる損傷に耐える可撓性ナップ切断装置（またはエアレータ）を提供することである。この可撓性ナップ切断装置は、例えば補強エラストマーから製造することができる。
【００８２】
本発明のさらなる態様は、可撓性ナップ切断装置としても働く、垂直に延びる内部パネル・シールまたは当接シールを提供することである。
【００８３】
以下の図面は、１つまたは複数の実施例にのみ関するものであり、本発明、実施例、特許請求の範囲、または要素を限定するものではないことに注目されたい。本発明のその他の目的、利点、および能力は、以下の図面と組み合わせて説明を読み進めるにつれて明らかになろう。
【実施例】
【００８４】
本発明の少なくとも１つの実施例は、少なくとも１つの実施例でエラストマーであり、かつ膨張式物品（膨張式物体、装置、構造、または製品を定義するのに使用する一般的な用語）の膨張時に膨張式物品の内面に固定されたままとなる押出成形形材またはインサート等の膨張ブラダ応力低下装置を使用する。この構成により、製造プロセス中に外形付けツールまたはマンドレルを除去または溶解する必要がなくなる。（しかし、要素が溶解または除去されるときに一時的にのみインサートとして働くにもかかわらず、要素がインサートと呼ばれることにより、要素があらゆる場合にインサートとして働くために、膨張式装置からのインサートの除去または溶解が妨げられることがないことが望ましい場合には、インサートは実際に（単に力により）除去可能である（または溶解可能である））。涙滴型の押出成形形材上の一面は、一般には、ほぼ細長の、ほぼ横断面が涙滴型の、収縮ブラダ折り目膜インサート要素（少なくとも一実施例では部分２で示される）、または膨張応力除去インサート２（すなわち、単なる応力除去インサートまたは長手方向インサート要素）と呼ばれるが、膨張式物品の内面の一部（内側収縮ブラダ折り目膜面の一部）８に結合されたままとなる。一方、湾曲面９と残りの面７（平坦である）とは、例として剥離フィルムを使用することにより、剥離剤を使用することにより、または結合剤を使用しないことにより、製造中に結合しないようになっている。本明細書中で説明全体を通して使用されるエラストマー（ｅｌａｓｔｏｍｅｒｉｃ）という語は、１０％以上の弾性限界を有するものと定義され、これは、少なくとも１０％の可逆性の伸び率を持つ（すなわち、１０％未満の伸び率は塑性変形を生じない）ことを意味する。これに関連して、ブラダという語は、内部加圧時に実質的に膨張する（すなわち、空気金属酸素タンク等の、ある加圧可能だが非膨張式の物品の、ほんの僅かな膨張を超えて膨張する）装置を含むものであることを理解することが重要である。要素がエラストマーであると限定されているが、すべての可能な伸長方向に弾性である必要はなく、少なくとも一方向のみでよい。実際に、エラストマー材料は、結果として生じる製品が少なくとも一方向のみに弾性であれば、エラストマーでない材料を含むことができる。
【００８５】
（前記２のような）符号の部分へのすべての参照は、参照により明確にしたい部分または要素の一例のみを示すものであることを理解することが重要である。参照は、参照部分または要素が、所望の機能を果たすのに十分な唯一の形状、大きさ、タイプ、または構成であることを示すのではなく、所望の作業を適切に行う部分または要素、あるいは要素として適切に働き機能する部分または要素の一例として単に示すものである。ほぼ細長の、ほぼ横断面が涙滴型の、収縮ブラダ折り目膜インサート要素２（または、単に膨張応力除去インサート要素もしくは応力除去インサート要素）が、最小の収縮ブラダ折り目膜曲率半径増加要素として動作する。涙滴型（断面が）という語は広範囲の形状を示すものであり、唯一必要なのは、涙滴の一部がほぼ湾曲し、涙滴の他側では２本の線がほぼ交差している（交差が点である必要はない）ことである。さらに、涙滴型という語は、（１つの横断面軸を中心に対称であるものに加えて）、横断面軸を中心に対称になっていない涙滴をも含むものである。ほぼ細長という語は、単独で、または他の同様に隣接配置された要素と組み合わせて、最大横断面幅よりも長い要素を含み、まっすぐな要素および湾曲した要素も含む。要素という語は、１つの図示したタイプの構造等のみを含むものではなく、複数の図示したタイプの構造等を含むものであることに注目することが重要である。例えば、ほぼ細長の、ほぼ横断面が涙滴型の、収縮ブラダ折り目膜インサート要素は、一縁部に沿った１つのインサートおよび第２の縁部に沿った第２のインサートとすることができる。この語の要素の意図した使用は、本出願全体を通して当てはまる。
【００８６】
収縮ブラダ折り目は、膨張式物品が収縮するときに膨張式膜に現れる複数の折り目の１つである。この語は、収縮構成に折り畳まれて、膨張構成でも存在する膨張式膜の一部を示し、この状況では、収縮構成で折り畳まれる膜部分を示す。この定義によるアプローチは、内部加圧流体が膨張構成で収縮折り目膜に加える応力の性質、大きさ、および集中を左右するのが収縮折り目の横断面形状および大きさであるため、正確に行われる。実際に、収縮折り目膜の曲率半径が小さくなるほど、膨張構成での膜の応力が大きくなることが予想される。さらに、収縮折り目膜が、収縮構成のすべての横断面湾曲のうちで最も鋭利であり、この曲げが、加圧内部流体が再構成しなければならず、そこから加圧物品を逸らさなければならない弛緩構成を示す場合、収縮折り目膜は、一般に、過度の内圧による破損を受けやすくなる。この理由の１つは、結果としての膨張形状が、弛緩した収縮構成から最も大きく逸れていることである。本発明の少なくとも１つの実施例では、最小の収縮ブラダ折り目膜曲率半径増加要素が、膨張式ブラダ（または膨張式ブラダ要素）の最も脆弱な領域、すなわち収縮ブラダ折り目膜の破損を、膨張状態で収縮折り目膜の曲率半径を増加させることにより、また収縮状態でこれを増加させることにより、防止するか、少なくとも遅らせることを求める。これに関連し、急な横断面収縮ブラダ湾曲の一つの原因は、各々小さい曲率半径を持つ急な折り目を必ず（または意図的に）含む収縮したほぼ平坦な構成で、ブラダを加硫する製造方法であると考えられる。これに関連し、本発明の少なくとも１つの実施例の収縮構成では、ほぼ細長の、ほぼ横断面が涙滴型の、収縮ブラダ折り目膜インサート要素２を、収縮ブラダ収納促進要素とすることができる。これは、インサート要素２により、ブラダの収縮構成の製造が可能になり（インサート２がなければ、容認できないほど急な、膨張の失敗を生じさせる折り目になるため、不可能である）、収縮構成に弛緩してほぼ同様の予測可能な収縮構成を想定するブラダとなるからである。さらに、ほぼ細長の、ほぼ横断面が涙滴型の、収縮ブラダ折り目膜インサート要素２は、膨張した外形の収縮ブラダ折り目（収縮構成にある）が、当接する、または隣接収納される収縮ブラダ（コイル内にあるものとして）から生じる圧力、または収縮ブラダに近接する物品の配置から生じる圧力に耐えることができるという点で、収納を促進する働きをする。インサート２がなければ（または、収縮折り目膜が増加した最小曲率半径を有するように確実に一致しなければ）、収納圧力（例えばコイルから生じる）により、収縮折り目膜に対して構造上の損傷が生じる。これに関連して、所望の膨張式物品形状を作り出すために、一部の製造プロセスでは非線形の折り目が作られることを理解することが重要である。
【００８７】
再び、本出願の図面または説明は、少なくとも１つの実施例のものであって、本発明、実施例、特許請求の範囲、または要素を限定するものとして読むべきではない。図１は、このような膨張式物品の破断図である。膨張式膜３は、ほぼ細長の、ほぼ横断面が涙滴型の、収縮ブラダ折り目膜インサート要素（押出成形部材または押出成形品である）２に巻き付く。ホース（一般には、加圧流体輸送装置）４により事前成形形材１を通して空気が供給される。少なくとも１つの実施例では、インサート要素２はエラストマーであるが、他の適宜の材料（ポリマー等）も本発明の主題の範囲内にあると考えられる。
【００８８】
図２は、図１に示す膨張式物品の破断平面図である。膨張式膜３が押出成形部材２を囲む。好ましくは、押出成形部材２は、膨張式物品３ａの周囲に延びる。隅部材（ほぼ横断面が涙滴型の、収縮ブラダ隅部折り目膜インサート要素とも呼ばれる）１は、隅部の膨張応力を除去する働きをする。隅部材１を通して、またはチューブ、ホース、もしくは隔壁型継手等の他の手段により、あるいは後述する改良された継手を通して、空気または他の流体が導入される。
【００８９】
ほぼ細長の、ほぼ横断面が涙滴型の、収縮ブラダ折り目膜インサート要素は、複数の部分を含むものと考えられる。すなわち、インサート要素は、ほぼ細長の、平滑に横断面が湾曲した、半円筒形の、内側収縮ブラダ折り目膜面接触可能要素（収縮構成で半円筒形の内側折り目膜に接触可能なインサートの表面部分）と、ほぼ細長の、平滑に横断面が湾曲した、半円筒形の、内側収縮ブラダ折り目膜面接触可能要素に反応する、２つのほぼ対向する、ほぼ平面の、内側収縮ブラダ折り目隣接膜面接触可能要素１００６と、前記２つのほぼ対向する、ほぼ平面の、内側収縮ブラダ折り目隣接膜面接触可能要素に反応する、内側収縮ブラダ折り目隣接膜面接触可能要素交差頂点要素と、前記ほぼ細長の、平滑に横断面が湾曲した、半円筒形の、内側収縮ブラダ折り目膜面接触可能要素、前記２つのほぼ対向する、ほぼ平面の、内側収縮ブラダ折り目隣接膜面接触可能要素、および前記内側収縮ブラダ折り目隣接膜面接触可能要素交差頂点要素の各々の内側に設定される、収縮ブラダ折り目膜インサート要素本体要素とを含む。ほぼ細長の、平滑に横断面が湾曲した、半円筒形の、内側収縮ブラダ折り目膜面接触可能要素９は、内側収縮折り目膜面に接触する、半円筒形の部分である（この円筒形は円形断面のみに限定されない）。要素９は、少なくとも収縮構成で内側収縮ブラダ折り目膜面が接触する平滑な横断面湾曲も有する。２つのほぼ対向する、ほぼ平面の、内側収縮ブラダ折り目隣接膜面接触可能要素１００６は、内側収縮折り目膜１００７に隣接１００８する内側収縮ブラダ膜の面に接触するように、各々構成される（一般に、これらの面は収縮ブラダ折り目膜に沿って延びる）。波形面は、すべての湾曲が横断面で平滑であれば、ほぼ平面である（各要素がほぼ平面であり、２つの要素が必ずしもほぼ同一面にあるわけではないことに注目されたい）。２つの要素は、面が互いに傾斜していても、ほぼ対向する。内側収縮ブラダ折り目隣接膜面接触可能要素交差頂点要素は、ほぼ直線（湾曲していても）の２つの内側収縮ブラダ折り目隣接膜面接触可能要素の、頂点における交差部である。すべての面接触可能要素は、インサートの表面に位置するインサートの部分を示すことに注目されたい。収縮ブラダ折り目膜インサート要素本体要素は、他の前記したインサート部分の内側に設定される。収縮ブラダ折り目膜インサート要素は、面接触可能要素（および、内側膜面に接触する、または接触しない交差頂点要素）の内側の構造が明らかにある場合のみを含むのではなく、インサート要素の所要の構造上の剛性が、例えば中空インサートの強力材料面接触可能要素（および交差頂点要素）により提供される場合も含む。この場合、面接触可能要素はまさに強力材料の面である。収縮ブラダ折り目膜インサート要素本体要素は、中空インサートの場合、内層面材料である。
【００９０】
図２の横断面３−３が図３に示される。押出成形形材２（２つのほぼ対向する、ほぼ平面の、内側収縮ブラダ折り目隣接膜面接触可能要素の１つの大部分の表面部で）は、内側収縮ブラダ折り目膜面３の部分１００５（この部分は、収縮ブラダ折り目隣接膜面である）に面８に沿って結合（または付着）されるが、面７に沿っては結合されず、また円弧面９に沿っても結合されない。２つのほぼ対向する、ほぼ平面の、内側収縮ブラダ折り目隣接膜面接触可能要素の１つの大部分の表面部が、収縮ブラダ折り目隣接膜面（すなわち、折り目曲げ自体の内側膜）に付着可能であることに注目されたい。孔５、一般には、長手方向空隙を使用して、長手方向空隙を囲む収縮ブラダ折り目膜インサート要素１００９を介して膨張式物品の周囲に膨張ガスまたは流体を送ることができる。したがって、インサート要素は、圧縮流体を輸送可能な、長手方向空隙を囲む収縮ブラダ折り目膜インサート要素である。前記ガスまたは流体は、連続孔５から通気孔６を通って外へ流れる。通気孔は、インサート要素１００９に見られる長手方向空隙に流体反応する、ブラダ内部から長手方向空隙への流体輸送孔と呼ぶこともできる。
【００９１】
異なるタイプの膨張式物品は、異なる数および構成の収縮ブラダ折り目膜に沿った応力除去インサートを有する。例えば、流体運搬ホース１０１０、膨張式エラストマー・ダム１０１１、膨張ホース１０１０、膨張式ジャッキ（膨張時に物品を持ち上げるのに使用されるタイプの装置）、ドック・バンパ、膨張式制水ゲート・パネル（おそらく、膨張式底部ヒンジ留め水ゲート・パネル）アクチュエータ装置１０１２、ダンネージ・バッグ、および膨張式シール（膨張時にシールするタイプの装置）の各々の膨張式ブラダは、例として、２つの長手方向にほぼ平行な収縮ブラダ折り目膜に沿って、４つの矩形に配置された収縮ブラダ折り目膜に沿って、１つの平滑な連続した（２つの例として円形または楕円形）収縮ブラダ折り目膜に沿って、１つの収縮ブラダ端部折り目膜および１つの端部折り目膜に直交する２つの平行な収縮ブラダ折り目膜に沿って、応力除去インサートを有する。膨張式エラストマー・ダムおよび膨張式水ゲート・パネル（おそらく、膨張式底部ヒンジ留め水ゲート・パネル）アクチュエータ装置は、さらに（代替実施例で）、１つのオーバフロー直交長手方向（長さを有することを意味する）収縮ブラダ折り目膜と、１つのオーバフロー直交長手方向収縮ブラダ折り目膜および２つの平行なオーバフロー整合収縮ブラダ端部折り目膜とに沿って、応力除去インサートを有する。オーバフロー直交（またはオーバフロー整合）という語は、オーバフローが生じたときに、オーバフローの方向に直交する（または整合する）方向を示すように定義される。膨張式水ゲート・パネル・アクチュエータ膜１０１３は、ゲート・パネルの上流前縁部（図１４参照）またはゲート・パネルの下流前縁部（図１０１参照）を中心に水ゲート・パネルを回転させるように構成される。
【００９２】
図４、５、６、および７は、外部ホースを内部応力除去形材に合わせる、オプションの事前成形エラストマー継手１を示す
【００９３】
図８は、膨張式物品３ａに対する応力除去形材２の位置を示す、収縮状態にある膨張式物品３ａの横断面を示す。
【００９４】
図９は、応力除去形材２が前記膨張した物品の内側に固定された、膨張状態にある前記膨張式物品３ａを示す。
【００９５】
ある用語の定義に関し、ドック・バンパ要素は、単にドック・バンパの膨張可能部分であり、膨張式シール要素は、単に膨張式シールの膨張可能部分であり、膨張式ジャッキ要素（例えば、平滑な周囲またはほぼ矩形とすることができる）は、単に膨張式ジャッキの膨張可能部分である。
【００９６】
図１４は、本発明による空気余水路ゲートの横断面図である。除去溝２３が設けられて、空気継手２４を中空の応力除去押出成形品２に接続する。ゲート・パネル２４がヒンジ保持装置２６によりヒンジ・フラップ２５に固定される。
【００９７】
応力除去インサート１０１４は、製造プロセス（加硫等）後に、力により、または溶解により取り外すことができ（取り外し可能な収縮ブラダ折り目膜インサート要素等）、最終の膨張式製品に残らないが、この形材を製造後に保持し、収縮構成にある収縮折り目膜の最小曲率半径が、確実に一致するインサートを使用しない場合よりも大きくなり、したがって収縮折り目膜の膨張応力が膨張時よりも小さくなるようにするという意図をもって、製造プロセス（加硫等）中に収縮ブラダ折り目に確実に一致するように使用されることを理解することが重要である。このような確実一致膨張式ブラダ装置１０１５は、強度強化膨張式ブラダ装置と呼ぶことができ、最小曲率半径１０１７の膨張ブラダ応力低下が著しく増加するように確実に一致する、少なくとも１つの確実一致膨張応力低下（分配）収縮ブラダ折り目膜要素１０１６を含み、収縮ブラダ折り目近接膜形材（収縮ブラダ折り目近くのブラダ膜の形材）１０１８は、約３０度以上の収縮構成空隙形材点角度１０２０を示す。最小曲率半径１０１７の膨張ブラダ応力低下が著しく増加するように確実に一致する、収縮ブラダ折り目膜要素１０１６を、溶解可能または取り外し可能なインサートを使用して確実に一致させて、収縮ブラダ折り目膜１０１６の最小曲率半径１０１７を、収縮ブラダ折り目で破損を生じさせる膨張圧力が顕著に、または機能的に著しく増加する点まで増加させる。ブラダ構造は、収縮ブラダ折り目膜の最小曲率半径の増加により、収縮ブラダ折り目近接膜形材１０１８の収縮構成空隙形材点角度１０２０を増加させ、取り外し可能または溶解可能な応力除去インサートを使用して収縮ブラダ折り目膜を確実に一致させることにより、この点角度１０２０を約３０度以上にするものである。重要なのは、強度強化膨張式ブラダ装置が、単一段階加硫中に製造されることである。確実に一致する収縮ブラダ折り目に関連する製造プロセスは、膨張式ブラダ破損抵抗強化方法と呼ばれ、長手方向除去要素を溶解して除去する（または単に除去する）ステップを含む。この長手方向除去要素は、溶解を促進するために、２つの例として、共晶塩応力除去要素またはアルミニウム応力除去要素とすることができる。応力除去インサートに関連する方法は、応力除去インサートが除去されるか溶解されるかにかかわらず、膨張式ブラダ破損抵抗強化方法と呼ばれる。膨張式水ゲート・パネル・アクチュエータ要素（または膨張式ゲート・パネル・アクチュエータ要素）という語を使用して、水ゲート・パネルを作動させるのに使用する膨張式ブラダを示すことができることに注目されたい。水ゲート・パネル・アクチュエータ要素（またはゲート・パネル・アクチュエータ要素）は、水ゲート・パネル（余水路ゲート、水路、または堰ゲート等の他の制水ゲートに加えて、頭上を交通可能なゲートを含む）を作動させるあらゆるタイプのアクチュエータ（空気式、油圧式等）を示す。
【００９８】
図１０は、収縮状態にある膨張式エラストマー・ダムを示す。膨張式エラストマー・ダム・ブラダ３は、膨張式ダム／基礎取付要素（または膨張式膜／基礎取付要素）により固定される。この取付要素は、上流端部１０で部分１１ａ、１１ｂ、１１ｃ、１１ｄ、および１１ｅから構成される楔型クランプ保持要素１０２１（または楔型膨張式膜（またはブラダ）／基礎クランプ保持要素）、あるいはほぼ平坦１０２２な膨張式膜／基礎クランプ可能保持要素１０２２、およびコンマ型インサート２１を含む膨張式膜／基礎クランプ保持強化要素１０２３を含む取付要素を含む。さらに、加圧流体入口要素２４を加えて、物品を作動可能にする。インサート・プライ１２は、外被がゼロのまたは不十分な外部クランプ力で膨張する場合の引裂きまたは漏れを防止する。フィン（または膨張式エラストマー・ダム頭上流れ偏向フィン、またはオーバフロー偏向フィン）１４は、頭上の流れをエラストマー・ダムから逸らせることができ、同一半径（膨張ブラダの半径）で補強層１６の内側に設定された応力除去インサート１５を含む突出部である。（膨張式物品の）どの補強層も、補強ブラダ・プライまたは補強層と呼ばれ、例えば、ケブラー、ナイロン、ポリエステル等の繊維または布材料、あるいは撚りコード、ワイヤ・ロープ、編みロープ、編布、または織布を含み、いずれもエラストマー材料に埋め込まれるかエラストマー材料で覆われる。フィン１４の補強材１６によりフィン１４の強度および剛性が増加する。最小ブラダ折り目膜曲率半径が、膨張式エラストマー・ダム頭上流れ偏向フィン（実際には、頭上流れ偏向フィン近接ブラダ折り目膜と呼ばれる）と同一半径で、このフィンの内側に生じるように、フィンが設定される。応力除去インサートが取り付けられ、または増加した最小曲率半径を有するように確実に一致した膨張式膜は、流れ偏向フィン近接内部ブラダ部分と呼ばれ、約３０度以上の空隙形材点角度だけでなく、ほぼ円弧状の内部ブラダ湾曲１０２４および角丸の内向き湾曲１０１７も示す。これは、例えば、ブラケット（｝）の右側の点１０２６で生じる極度の応力集中により、収縮ブラダ折り目がブラケット（｝）型１０２５を有するように見える鋭利な折り目を有する設計の改良を示す。関連する方法は、膨張式エラストマー・ダム破損抵抗強化方法と呼ばれる。
【００９９】
図１１は、膨張構成にある図１０の膨張式ダムを示す。膨張式膜３は、フィン１４および応力除去押出成形品２を定位置に保持する。クランプ１７が膨張式ダムを余水路１８に対して保持する。ブラダ膜３の内面は、収縮膜３が応力除去インサート２に一致するように形成されていない場合に生じる応力集中がないことにより、安全な応力限界およびひずみ限界内にあるように設計される。基礎または余水路１８の凹部１８ａにより、インサート２および１５を含む前記膨張式ダムの肉厚下流部分が、収縮構成で基礎１８に対して平坦に位置することができる。
【０１００】
図１２は、「コンマ」型インサート２１および引裂防止補強材１２と組み合わせて単純な矩形クランプ１８を使用する、膨張式ダムの別の実施例を示す。応力除去形材２およびフィン・インサート１５を含む膨張式膜３の肉厚部分が、余水路２２の凹部内に位置する。ナット２０がクランプ１８をアンカ・ボルト１９上に保持する。膨張式ダムとの空気接続部２４は、収縮膜３の上下部間に空気用の間隙を提供する成形溝２３により、中空の押出成形品２に接続される。膨張式ダムは、空気供給継手２４に接続された真空システムにより、内圧を大気圧未満に低下させて収縮するときに、流れ誘発振動損傷を受ける傾向が少ない。これにより、膜３がインサート２に密着し、従来の設計による損傷の問題があるとして知られる位置で、より堅固な構造が生じる。
【０１０１】
図１３は、膨張構成にある、図１２に示すものと同様の膨張式ダムを示す。インサート２１がクランプ棒１８に確実に係合する。段部２２が余水路１８上に見られる。前記段部２２により、膨張式ダムが下側から連続して支持され、前記膨張式ダムの上面のレベル外形が維持される。
【０１０２】
製造プロセスに関し、押出成形製造という語は１タイプの押出成形製造プロセスを使用することを示し、成形製造という語は１タイプの型製造プロセスを使用することを示す。
【０１０３】
図１５は、図１４に示す余水路ゲートの収縮空気ブラダ（または収縮膨張式制水ブラダ要素）を示す。インサート部材２１は、平坦部２８の上流に位置する。平坦部２８を通る孔２９により、図１４のクランプ棒１１８による組立てを行うことができる。水ゲート・パネル・ヒンジ・フラップ（またはゲート・パネル・ヒンジ・フラップ要素）２５の拡大部２７は、ヒンジ・フラップが図１４のヒンジ保持装置２６の下から引き出されるのを防止する。引裂防止層１２（または円周方向に連続した、一体に隣接する内側ブラダ層）は、クランプされていない状態または緩くクランプされた状態で膨張式アクチュエータ・ブラダ２０３が破裂するのを防止する。これは、おそらくループ１０３０を作って取付要素を支持する外側ブラダ層の通路をたどる代わりに、引裂防止層１２が、延びたループを形成して取付要素１０３２を支持する上下据付け構成ブラダ層間の当接継目１０３１を横切るという点による。内側ブラダ層という語は、最も外側のブラダ層以外のすべての層を示すことに注目されたい。円周方向に連続した、一体に隣接する内側ブラダ層は、ブラダ膨張軸（主な膨張の、通常は据付け時に垂直な軸）に平行であり、かつ垂直ベクトルが、保持された水の水平力成分（オーバフロー方向）のほぼ垂直である面内に位置する円周（円形である必要はない）に沿って連続した（すなわち、別の部分の周りに続けてループを作らないときに、当接継目１０３１を形成しない）層を含む。引裂防止層は、最も内側の補強ブラダ・プライ１０３３とすることができ、かつ／または少なくとも１つのオーバフロー直交（または上流もしくは下流）収縮ブラダ継目横断プライ１０３４（おそらく少なくとも１つの補強プライ、および／または、おそらく上流および下流を意味するオーバフロー直交収縮ブラダ継目横断プライ）とすることができる。一体に隣接する内側ブラダ層は、切迫した流れ方向に水平かつ垂直な、据付け構成での長手方向中心軸（すなわち、据付け膨張構成長手方向中心軸）１０３５を有する。制水ブラダ要素は、据付け時に制水ゲート・パネル底縁部に取り付けられるようになっており、これは、制水ブラダ要素を制水ゲート・パネル縁部（据付け構成では底縁部）に取り付けることができることを単に意味する。ゲート・パネル・アクチュエータ／基礎取付要素１０３２（または膨張式膜／基礎取付要素もしくは膨張式ブラダ／基礎取付要素）は、図１５に示すように平坦なクランプ可能部分であるゲート・パネル・アクチュエータ／基礎クランプ可能保持要素（または、おそらく膨張式ブラダ／基礎クランプ可能保持要素）１０２２と、少なくとも１つの実施例でコンマ型クランプ保持強化要素２１であるゲート・パネル・アクチュエータ／基礎クランプ保持強化要素（または、おそらく膨張式ブラダ／基礎クランプ保持強化要素）１０２３とを有するものとして図１５に示されるが、ゲート・パネル・アクチュエータ／基礎取付要素１０３２は、図１０に示すように楔型ゲート・パネル／アクチュエータ・クランプ保持要素（または楔型ブラダ／基礎クランプ保持要素）１０２１としてもよい。ゲート・パネル・アクチュエータ／基礎取付要素は、その名称から提示されるように、水ゲート・パネル・アクチュエータ装置全体を、例として、余水路（図９２の１０３５）、道路基礎、流路基礎、洪水路基礎等の基礎に取り付けるのに役立つ。ゲート・パネル・アクチュエータ装置は、加圧流体入口要素をさらに含む。少なくとも１つの水ゲート・パネル、およびおそらく過度の水ゲート・パネル回転防止要素と共に、膨張式水ゲート・パネル・アクチュエータ装置（底部がヒンジ留めされている）は膨張式作動水ゲート・パネル・システムを含む。
【０１０４】
膨張式物品強度強化方法も、本発明の技術の範囲内にあると考えられる。このような方法の１つは、少なくとも１つの補強膨張可能内層（例えば、可撓性繊維補強エラストマー層）１０３６を設定して、連続して隣接する垂直平面周囲（一体に隣接された内側ブラダ層とも呼ぶ）１０３３を有するステップと、膨張式物品端部（長手方向ブラダ部の端部を形成する）を設定するステップと、補強膨張可能内層１０３６の外側の、補強膨張可能内層１０３６に直接接触する少なくとも１つの補強膨張可能外層１０３７（外層は、最内層以外のすべての層として定義される）の一部のみを設定するステップと、加圧流体入口要素２４を設定して、少なくとも１つ補強膨張可能内層１０３６と少なくとも１つの補強膨張可能外層１０３７の一部とを通して流体通行ポート１０３８を生成するステップと、少なくとも１つの補強膨張可能外層１０３９の残りの部分を、少なくとも１つの補強膨張可能内層１０３６から層分岐ライン１０３９（前記当接継目に一致する）に沿って分岐するステップと、少なくとも１つの補強膨張可能外層１０４１の少なくとも残りの部分を持つ膨張式ブラダ／基礎取付要素１０４０を設定するステップとを含む。
【０１０５】
応力除去インサート２を、中央を通る空気供給孔を使って、または使わずに使用することができる。膨張中に応力除去インサート２から分離しなければならない膨張式外被の一部は、例えば水溶紙、シリコン被覆ナイロン剥離フィルムまたは布等の手段により、または結合剤を使用しないことにより、加硫中に結合しないようになっている。
【０１０６】
図Ｂ３では、孔５を含む応力除去インサート２が、位置８で剥離プライ２０６に結合され、剥離プライ２０６はインナ・ライナ２１０に結合される。インナ・ライナ２０７には補強プライ２０８、２０９が結合され、次に外カバー２１０が結合される。応力除去インサート２は、領域８を除いて結合されないままとなる。
【０１０７】
図Ｂ４は、膨張構成にある図Ｂ３の横断面を示す。
【０１０８】
図Ｂ６は、図Ｂ７の余水路ゲートの収縮空気ブラダを示し、インサート部材２１は平坦部２８の上流に位置する。平坦部２８を通る孔２９により、図Ｂ７のクランプ棒１１８による組立てを行うことができる。ヒンジ・フラップ（または水ゲート／膨張式水ゲート・アクチュエータ取付要素）２５の拡大部２７は、ヒンジ・フラップがＢ７のヒンジ保持装置２６の下から引き出されるのを防止する。押出成形形材２、２１、２７を通る孔５は、製造プロセスの組立て段階中に、前記押出成形形材を位置決めするのに使用される配置ワイヤを収容する。
【０１０９】
図Ｂ７は、本発明により製造された膨張式アクチュエータ・ブラダ２０３を使用してダム余水路１８に取り付けられた、空気余水路ゲート・システムの横断面を示す。除去溝２３が、空気継手２４を中空の応力除去押出成形品２に接続する。ゲート・パネル２４が、ヒンジ保持装置２６によりヒンジ・フラップ２５に固定される。膨張式アクチュエータ・ブラダ２０３は、クランプ棒１１８によりダム余水路３０にクランプされる。
【０１１０】
図Ｂ８は、図Ｂ７のＡ−Ａ断面であり、空気供給溝２３が膨張式物品膜３の内面１１９に成形される。
【０１１１】
図１６は、図１４のＡ−Ａ断面で膨張式膜３に成形された空気供給溝２３を示す。
【０１１２】
図６０ａ、６０ｂ、６０ｃは、本発明の一実施例による空気ブラダの横断面を示す。クランプ部８６１が、例えば単純な矩形の鋼クランプ棒によりダム余水路に固定される。空気ブラダ８５３の垂直面８６５が成形されて、ヒンジ・フラップ８６２の移動範囲全体を通して前記クランプ棒にぴったりと一致する。このようにして、前記クランプ棒とヒンジ・フラップ８６２との間の砂および砂利の閉込めが避けられ、前記空気ブラダ８５３の寿命を長くすることができる。膨張式キャビティ８６６は、ほぼ位置８６６ａまで上流へ延びる。好ましくは、補強材は、流れ方向および空気ブラダの軸から約５４度４４分の方向にある。前記コード角度であれば、前記空気ブラダが加圧中に伸長または収縮する著しい傾向は見られない。前記補強コード・プライは、好ましくは、左手および右手の対で使用される。前記空気ブラダの膨張可能部分は、好ましくは、前記空気ブラダの全周の右手方向および左手方向に、ほぼ前記の角度で、継目での十分な重なりを含む連続した補強材を有する。図示した構成では、前記補強材の３つのプライがすべて共に作用して、この必要性を満たす。プライ８０７は、前記空気ブラダを第１の方向へ補強するのに役立つ。プライ８０７は、膨張式キャビティ８６６を取り囲み、これに重なって接合管状形状を形成する。プライ８０８は、前記空気ブラダを第２の方向へ補強するのに役立つ。プライ８０８の上下部は、クランプ部８６１に渡って延び、したがって上流インサート８２１の周りへ延び、平坦なクランプ部８６１の下流へ戻り、ヒンジ・フラップ８６２を渡って延び、ヒンジ・フラップ・インサート８２７の周りへ延び、ヒンジ・フラップ８６２を渡って上流へ戻り、クランプ部８６１を渡ってさらに上流へ延び、インサート２１近くで終端する。プライ８０７、８０８は共に、プライ８０８がクランプ部８６１の下で上流へ延びる不連続部を除いて、膨張式キャビティ８６６の周りに連続補強を提供する。前記プライ８０７、８０８は、クランプ部６１が堅くクランプされるときに、膨張式キャビティ８６６を十分に補強する。クランプされていない状態または緩くクランプされた状態で十分な補強を提供するために、プライ８６０を加えて、膨張式キャビティ８６６の上流端でプライ８０８と同一のプライ方向に連続補強を提供することができる。このようにして、前記空気ブラダは、クランプされることなく安全に膨張され、ダム余水路に緩く締結されることによる初期破損を受けることがない。
【０１１３】
図１７および図１８は、本発明による膨張式ホースを示す。応力除去インサート２を使用して、前記ホースの製造を促進し、深海浸入時等の高い外圧状態下で前記ホースが完全に崩壊するのを防止する。前記完全な崩壊は、応力除去インサート２のない従来技術の平坦なホースに損傷を生じさせる応力を加える。膨張式ホースという語は、膨張ホース（膨張特性により機械圧力印加装置として働くことができる）だけでなく、流体輸送ホースをも含むように定義される。この流体輸送ホースの主な機能は流体を送ることであり、膨張に関しては単に付随的なものであるが、それにもかかわらず膨張が生じる（通常は、例えば膨張ホースの程度まで行かないとしても）ので、膨張式ホースの群として含まれるのが妥当である。両タイプのホース、およびそれに関するすべての膨張式物品を加圧可能物品と呼ぶことができる。
【０１１４】
流体輸送ホース１０１０は、加圧流体をある方向に加圧して輸送するのに役立つ流体輸送要素１０４２と、加圧流体入口要素と、輸送された加圧流体の流出を可能にする別個の（所与の時点で入口要素と異なることを意味する）加圧流体出口要素とを一部として含む。膨張ホースは、膨張ホース要素１０４２（十分に加圧されると、ホースを膨張させて外圧を加え、または外側膨張式膜を変位させる）と、加圧流体出口要素としても働く加圧流体入口要素とを含む。
【０１１５】
本発明の技術の別の態様は、膨張式ブラダ／基礎クランプ１１８（膨張式ブラダ／基礎取付要素１０４０のクランプ可能保持要素１０２２をクランプする）の当接面１０５１にぴったりと一致するように構成された、（膨張式水ゲート・パネル・アクチュエータ装置の）一体型水ゲート・パネル・ヒンジ・フラップ１０５０である。前置きとして、一体型水ゲート・ヒンジ・フラップは、水ゲート・パネル・アクチュエータ装置と一体の、ゲート・パネルを水ゲート・パネル・アクチュエータ装置に取り付ける要素として働くフラップであり、一体型水ゲート・パネル・ヒンジ・フラップ取付要素と呼ばれる。基本的に、一体型水ゲート・パネル・ヒンジ・フラップ１０５０は、オーバフロー直交垂直膨張式ブラダ／基礎クランプ面当接隅部増強縁部要素１０５２を含み、この要素１０５２は、膨張式ブラダ／基礎クランプ１１８のオーバフロー直交（例えば下流）垂直面１０５１に当接する隅部１０５３を有するように増強された縁部要素である。この縁部要素は、オーバフロー直交垂直膨張式ブラダ／基礎クランプ面１０５１のほぼすべての近接部に当接するように構成される。関連する方法は、一体型水ゲート・パネル・ヒンジ・フラップ取付要素１０５０の上縁部を隅部増強して、オーバフロー直交垂直膨張式ブラダ／基礎クランプ面１０５１に一致させるステップを含む。
【０１１６】
膨張式物品製造方法は、膨張式ブラダ製造フレーム２１１に反応する曲げ抵抗収縮ブラダ折り目生成促進要素２０１（収縮ブラダ折り目を生成するためにエラストマー材料層を周りで曲げる堅い支持部として働く）を設定するステップと、曲げ抵抗収縮ブラダ折り目生成促進要素２０１の周りで少なくとも１つのエラストマー層２０７の少なくとも一部を折り畳んで、少なくとも１つの最も内側のブラダ層２０７（促進要素と層との接触は不要）を生成するステップと、対向して面する最内層１０６０を生成するステップと、対向して面する最内層１０６０の隣接を防止する（一例として、綿または他の非付着性シート２０６の最内層間に挿入して、加圧流体の流入によりキャビティを膨張させる）ステップと、少なくとも１つの生成されたエラストマー折り目から曲げ抵抗収縮ブラダ折り目生成促進要素２０１を除去するステップとを含む。曲げ抵抗という語は、曲げ抵抗収縮ブラダ折り目生成促進要素の長さに直交して生じる曲げ（曲げ抵抗収縮ブラダ折り目生成促進要素の周りでエラストマー層を急に曲げることを求める製造プロセス（おそらく手動プロセス）の圧力により生じる）に対する抵抗を示すことに注目されたい。定義されたように曲げに抵抗するために、曲げ抵抗収縮ブラダ折り目生成促進要素は、曲げに関連するすべての撓みまたは変位に抵抗できる必要はなく、完成したブラダ製品の完全性および形状を損なう量のみに抵抗できればよい。
【０１１７】
曲げ抵抗収縮ブラダ折り目生成促進要素は、ほぼまっすぐな曲げ抵抗収縮ブラダ折り目生成促進要素２０１であり、伸張可能ワイヤ（ケーブル）の曲げ抵抗収縮ブラダ折り目生成促進要素２０１であってもよく、伸張可能棒の曲げ抵抗収縮ブラダ折り目生成促進要素１０６１であってもよく、金属製の曲げ抵抗収縮ブラダ折り目生成促進要素２０１であってもよい。曲げ抵抗収縮ブラダ折り目生成促進要素を伸張させるステップは、収縮ブラダ折り目生成促進要素を手動または自動で伸張させるステップを含む。伸張は、単独で、または別の方式による張力生成に加えて、油圧式で（自動的でもそうでなくてもよい）達成することもできる。少なくとも２つの曲げ抵抗収縮ブラダ折り目生成促進要素を設定するステップは、少なくとも２つの平行な曲げ抵抗収縮ブラダ折り目生成促進要素１０６２を設定するステップを含み、このステップは、ほぼ細長の、ほぼ横断面が涙滴型の、収縮ブラダ折り目膜インサート２を、少なくとも２つの平行な曲げ抵抗収縮ブラダ折り目生成促進要素１０６２の少なくとも１つの周りに設定するステップと、ブラダ／基礎クランプ保持強化インサート１０２３（ブラダを基礎へクランプ保持するのを強化するのに役立つインサート）を、少なくとも２つの平行な曲げ抵抗収縮ブラダ折り目生成促進要素１０６２の別の少なくとも１つの周りに設定するステップとを含む。この方法は、パネル／パネル・アクチュエータ要素クランプ保持強化インサート１０６５（水ゲート・パネルを膨張式とすることができるアクチュエータ要素へクランプ保持するのを強化するのに役立つインサート）を、少なくとも２つの平行な曲げ抵抗収縮ブラダ折り目生成促進要素１０６２の別の少なくとも１つの周りに設定するステップをさらに含む。少なくとも２つの平行な曲げ抵抗収縮ブラダ折り目生成促進要素１０６２を設定するステップは、少なくとも４つの矩形に構成された曲げ抵抗収縮ブラダ折り目生成促進要素１０６７を設定するステップを含む（このステップは、より平行な（または他の方向を向いた）曲げ抵抗収縮ブラダ折り目生成促進要素を生成するステップを加えるのを妨げないことに注目されたい）。一般的な方法は、ほぼ細長の、ほぼ横断面が涙滴型の、収縮ブラダ折り目膜インサート要素２を、曲げ抵抗収縮ブラダ折り目生成促進要素の少なくとも一部の周りに設定するステップをさらに含み、このステップは、曲げ抵抗収縮ブラダ折り目生成促進要素２０１の周りで少なくとも１つのエラストマー層２０７の少なくとも一部を折り畳むステップの前に行われる。一般的な方法は、クランプ保持促進インサート要素１０６８（クランプ部が受ける力に対向するある種の障害を設けることにより、クランプ保持または要素を強化するのに役立つインサート）を、曲げ抵抗収縮ブラダ折り目生成促進要素２０１の少なくとも一部の周りに設定するステップをさらに含む。このステップは、曲げ抵抗収縮ブラダ折り目生成促進要素２０１の周りで少なくとも１つのエラストマー層２０７の少なくとも一部を折り畳むステップの前に行われる。
【０１１８】
図Ｂ１では、剛性フレーム２１１がワイヤ２０１を位置決めし、このワイヤ２０１は締付け要素２０４によりぴんと張った状態になる。図では、インナ・ライナ２０７に結合される剥離プライ２０６がワイヤ２０１に固定される。開口２１２が剥離プライ２０６の４隅の各々に残って、インナ・ライナ２０７が剥離層２０６に結合し、膨張式物品の各隅部でシールを形成できるようになっている。第１の補強プライ８が、後からインナ・ライナ２０７に巻き付き、次に第２の補強プライ２０９、その次に外カバー２１０が巻き付く。
【０１１９】
図Ｂ２では、応力除去インサート２がワイヤ２０１上に位置決めされる。膨張式膜３が応力除去インサート２の周りにぴったりと巻き付く。
【０１２０】
図Ｂ５では、ワイヤ２０１が剥離プライ２０６を位置決めし、剥離プライ２０６は、次のプライが加えられる矩形の箱形を画定する。剥離プライ２０６が隅領域２１２内に延びていないため、前記隅領域２１２は、結合して閉鎖され、加硫プロセス中に永久シールを提供することに注目されたい。
【０１２１】
図Ｂ９では、縁部画定ワイヤ２１２が縁部画定ワイヤ２０１に取り付けられ、縁部画定ワイヤ１の撓みを制限するように構成される。
【０１２２】
図Ｂ１０では、支持フレーム２１１が締付け手段２０４により固定されたワイヤ２０１を位置決めする。３本の平行なワイヤ２０１のセット２２９は、図Ｂ６に示すヒンジ・フラップ・インサート２７等の補助装備を配置することに備える。
【０１２３】
図Ｂ１１では、単一のワイヤ・ロープ２２８を使用して、膨張式物品２１８の４つの縁部すべての配置制御が行われる。空気シリンダ等の締付け手段（または、おそらく張力要素）３０４を固定アタッチメント２１４と組み合わせて使用して、ワイヤ・ロープ２２８を張った状態に維持する。リング２２３を使用して、ワイヤ・ロープ２２８の隣接走路を膨張式物品２１８の隅部２２６で接続する。
【０１２４】
図Ｂ１２では、膨張式物品２１８が型３１４内に配置される。型３１４の溝３１５を使用して、位置決めワイヤ２０１（他の図）が孔５から引き出された後に、応力除去インサート２を型内の定位置に維持するのを助ける。あるいは、溝３１５と同様の溝をそのような型の片側のみに設けてもよい。あるいは、傾斜縁部を持つ膨張式物品３１８の平坦面に幾分連続して接触する平坦なツールを使用することができる。
【０１２５】
図Ｂ１３では、バイアス・プライ補強層２２２が前記ワイヤ２０１の周りで折り畳まれる前に、前記補強層２２２がワイヤ２０１に対して定位置にある状態を示す。
【０１２６】
図Ｂ１４では、標準的な両頭ホース・ニップル等の空気継手２１６がチューブ２１７上に配置され、チューブ２１７はワイヤ２１０上に配置される。これを使用して、空気継手２１６を膨張式物品３１８に対して正確な位置に固定することができる。
【０１２７】
頭上交通に対応する貯水装置は、膨張式貯水要素アクチュエータ要素２０００（例えば膨張式アクチュエータ）と、膨張式貯水要素アクチュエータ要素が反応する、横断面が拡大した膨張式アクチュエータ／基礎クランプ保持改良要素２００１（楔型膨張式アクチュエータ／基礎クランプ保持要素１０２１であってもよく、または、例として、円形横断面形状（コンマ型等）の膨張式アクチュエータ／基礎クランプ保持強化要素インサート２１を含んでいてもよい）を含む膨張式アクチュエータ／基礎取付要素１０３２と、膨張式貯水要素アクチュエータ要素２０００に反応する頭上交通可能な貯水要素４０１（下降時に種々のタイプのうちの少なくとも１つの頭上交通を支持することのできる制水ゲート等）と、頭上交通可能貯水要素が反応する可撓性繊維補強ヒンジ要素（Ｓ型可撓性ヒンジ２００２、一体型８の字可撓性ヒンジ２００３、モジュラ型８の字可撓性ヒンジ２００４、Ｗ型可撓性ヒンジ２００５、および圧縮ヒンジ２００６とすることができる）と、可撓性繊維補強ヒンジ要素に反応するヒンジ／貯水要素取付要素２００７（可撓性繊維補強ヒンジを貯水要素に取り付けるのに役立つ要素）と、可撓性繊維補強ヒンジ要素が反応するヒンジ／基礎取付要素２００８（ヒンジの反対側を基礎に取り付けるのに役立つ要素、例として当接する道路、歩道、鉄道線路支持部）とを含み、頭上交通可能貯水要素４０１の回転軸（ヒンジの回転軸と正確に一致する）がほぼ頭上交通可能貯水要素端部２０１１にあり、頭上交通可能貯水要素４０１が面一の交通可能上面２０１２（頭上交通可能貯水要素が交通長さに沿って面一ではなく、交通方向直交端部２０１３が近接する非貯水構造面と面一であることを意味する）を有する。取付要素がクランプを含むことに注目されたい。面一は、間隙、隆起および／または谷が全くないことを意味する必要はなく、これらが面に沿った交通の通行を阻害したり危険を生じさせたりするのに十分なものでなければよい。装置は、さらにヒンジ（一体型８の字可撓性ヒンジ等）の少なくとも上半分をほぼ囲むエラストマー・ヒンジ・カバーをさらに含む。可撓性繊維補強ヒンジ要素の可撓性繊維は、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、エラストマーに覆われた織布で構成される可撓性繊維の群から選択された可撓性繊維であり、各々が、例として、さらにエラストマーに覆われるか、埋め込まれるか、層状に積み重ねられる。装置は、頭上交通可能貯水要素に枢動反応し、ヒンジ上方に同一平面を提供するのに役立ち、貯水要素４０１の回転を妨げないように枢動する面ヒンジカバー４２２をさらに含む。頭上交通可能貯水要素４０１は、頭上車両交通可能貯水要素２０１５（車両の交通を支持することを意味する）、頭上歩行者交通可能貯水要素（歩行者の交通を支持することを意味する）、および頭上鉄道交通可能貯水要素２０１６（鉄道の交通を支持することを意味する）とすることができる。膨張式貯水要素アクチュエータ要素２０００は、（貯水要素に対して）ダウンフロー側に配置されるか、または貯水側（もしくはアップフロー）に配置された２０１８、膨張式貯水要素アクチュエータ要素とすることができる（図１０１参照）。さらに、過度貯水要素回転防止要素または上昇貯水要素位置維持要素４２１（貯水要素の望ましくない過度の回転を防止する働きをする）は、少なくとも１つの静止した過度回転妨害止め（図１０２ａに示す）であり、これは上昇位置にある貯水構造に隣接する基礎部分（当接部等）におそらく配置された貯水要素回転妨害部分である。膨張式貯水要素アクチュエータ要素が、貯水側に配置された膨張式貯水要素アクチュエータ要素である構成（図１０１参照）では、頭上交通可能貯水が浮遊式頭上交通可能貯水要素であり、または装置が、頭上交通可能貯水要素が浮遊式に反応する（浮遊式アクチュエータ要素の浮力により貯水要素が上昇することを意味する）浮遊式貯水要素アクチュエータ要素をさらに含む。この浮遊式貯水要素アクチュエータ要素は、頭上交通可能貯水要素のほぼ真下に設定され、かつ／または頭上交通可能貯水要素の一部を形成する。
【０１２８】
別の貯水要素装置は、浮遊式に上昇可能な頭上交通可能貯水要素（図１０３参照）（例えば、下降構成で頭上交通を支持することのできるゲート等の貯水要素であり、浮遊式要素により上昇可能である）と、浮遊式に上昇可能な頭上交通可能貯水要素が反応する可撓性繊維補強ヒンジ要素と、可撓性繊維補強ヒンジ要素に反応するヒンジ／貯水要素取付要素２００７と、浮遊要素２００９（頭上交通可能貯水要素の一部を形成するか、または、頭上交通可能貯水要素の外側に配置される）と、可撓性繊維補強ヒンジ要素が反応するヒンジ／基礎取付要素２００８とを含み、浮遊式に上昇可能な頭上交通可能貯水要素が面一な上面を有する。浮遊式に上昇可能な頭上交通可能貯水要素の回転軸（ヒンジの回転軸と正確に一致する）は、ほぼ貯水要素端部２０１０にある。さらに、浮遊式に上昇可能な頭上交通可能貯水要素は、浮遊式に上昇可能な頭上車両交通可能貯水要素、浮遊式に上昇可能な頭上歩行者交通可能貯水要素、および／または浮遊式に上昇可能な頭上鉄道交通可能貯水要素とすることができる。ヒンジ／貯水要素取付要素２００７は、横断面拡大クランプ保持改良要素２００１（例として、楔型クランプ保持要素１０２１であってもよく、またはコンマ型クランプ保持強化要素インサート２１等の円形横断面形状２１を含んでいてもよい）を含む。同様に、ヒンジ／基礎取付要素２０８は、横断面拡大クランプ保持改良要素２００１を含む。平坦要素は、頭上交通可能貯水要素の一部を形成し、または貯水要素の外側に配置される。
【０１２９】
特に海の大波による洪水から保護するための別の貯水装置は、膨張式貯水要素アクチュエータ要素（図１０２参照）と、膨張式貯水要素アクチュエータ要素が反応する、横断面拡大膨張式アクチュエータ／基礎クランプ保持改良要素２０２０を含む膨張式アクチュエータ／基礎取付要素と、膨張式貯水要素アクチュエータ要素２０００に反応する貯水要素２０２１と、貯水要素２０２１が反応する可撓性繊維補強ヒンジ要素と、可撓性繊維補強ヒンジ要素に反応するヒンジ／貯水要素取付要素２００７と、可撓性繊維補強ヒンジ要素２０２５が反応するヒンジ／基礎取付要素２００８とを含み、貯水要素の回転軸（ヒンジの回転軸と正確に一致する）は、ほぼ貯水要素端部にある。膨張式貯水要素アクチュエータ要素は、海に向かって配置された膨張式貯水要素アクチュエータ要素、または川に向かって配置された膨張式貯水要素アクチュエータ要素とすることができる。
【０１３０】
軽量化し、塩化カルシウムの影響を減らすため、かつ強度を向上させるために、頭上交通可能ゲートを、例として、ガラス繊維、トラス、樹脂、複合樹脂を含むコンクリート等の多数の種々の複合材料から作ることができることに注目することが重要である。
【０１３１】
図Ｃ１では、ゲート・パネル４０１がヒンジ手段４８により固定フレーム４０６に固定され、固定フレーム４０６は道路４０７内に埋め込まれる。空気ブラダ４０３等のアクチュエータ要素は、水圧４９に対して上昇位置でゲート・パネル４０１を支持する。
【０１３２】
図Ｃ２は、図Ｃ１のゲート・アセンブリに示すヒンジの、ゲート下降位置での詳細断面図である。ゲート・パネル４０１は、コード４５が「８の字」のパターンで通る長孔４０２を組み込むことにより、ゲート・パネル４０１を固定要素４９に接続する。固定要素４９は、コード４５を切断しないように角丸の縁部を有し、取付ボルト４１６により、埋め込まれたフレーム４０６に固定される。
【０１３３】
図Ｃ３では、ゲート・パネル４０１にコンクリート４１５が充填され、ゲート・パネル４０１が下降位置にある。ゲート・パネル４０１の外周は、フレーム部材４１３、４１４と図示しないゲート・パネルの端部の対応する同様の部材とにより画定される。固定ヒンジ要素４０９は、図Ｃ６に示す可撓性コードにより可動ヒンジ要素４１２に接続される。
【０１３４】
図Ｃ４では、ゲート・パネル４０１が上昇位置にある。低摩擦面４２７がアンカ・アセンブリ４５０によりコンクリートに固定される。アンカ・ボルト４１６はクランプ棒４１７を固定し、クランプ棒４１７はその拡大端部４１８により空気ブラダ３３３を固定する。
【０１３５】
図Ｃ５およびＣ６に関し、図Ｃ５はゲート・アセンブリ・ヒンジの平面図であり、図Ｃ６はゲート・アセンブリ・ヒンジの側面図上の縁部を示す。固定構造部材４０９が可撓性引張部材４４５により可動構造部材４４２に接続され、可撓性引張部材４４５は、構造部材４０９、４４２の角丸の縁部長孔４０２を通過する。上部エラストマー・カバー４１２は、構造部材４０９、４４２と可撓性引張部材４４５とに結合される。可撓性引張部材４４５は、構造部材４０９、４４２間に転がり接触が生じる場合を除いて、構造部材４０９、４４２に結合される。
【０１３６】
図Ｃ７では、可撓性引張部材４４５が管状部材４３８に巻き付き、転がり動作４４０のない領域で管状部材４３８に結合されるが、転がり接触４４１の領域では管状部材４３８に結合されない。管状部材４３８は構造部材４３９に接続され、構造部材４３９は、ヒンジ構造および固定構造の残りの部分の一部を成すか、またはこれに取り付けられる。
【０１３７】
図Ｃ８およびＣ９は、上昇位置および下降位置にあるゲート・アセンブリの横断面をそれぞれ示し、ゲート・パネル４０１にはコンクリート４１５が充填され、ゲート・パネル４０１は、クランプ４３７を保持するアンカ・ボルト４１６により基礎４２６に取り付けられ、保持クランプ４３７は、ゲート・パネル４０１が接続されるヒンジ・フラップ４３６を保持する。充填材料４２３と組み合わせたヒンジ留めカバー４２２を使用して、道路４０７およびゲート・パネル４０１と面一の平滑面を提供する。
【０１３８】
図Ｃ１０およびＣ１１では、鉄道レール４２９がゲート・パネル４０１に固定される。レール部分４３０は、ブラケット４３５により基礎に枢動可能に取り付けられる。ゲート・パネル４０１は、収縮空気ブラダ４０３および軸受パッド４２５によりレール荷重に対して支持される。抑制チェーン４２１がゲート・パネル４０１の移動を制限する。
【０１３９】
図Ｃ１２およびＣ１３では、ゲート・パネル４０１が、上昇位置で空気ブラダ３により支持され、抑制手段４２１により抑制される。
【０１４０】
図Ｃ１４では、上昇位置にあるゲート・パネル４０１が、空気ブラダ３３３により支持され、ヒンジ４４８により埋込みフレーム４０６に取り付けられる。フレーム４０６は、道路４０７と面一に埋め込まれる。
【０１４１】
図Ｄ１、Ｄ２、Ｄ３、Ｄ４、Ｄ５、およびＤ７では、ゲート・パネル４０１が空気ブラダ３３により側部シール５６に対して支持される。固定ヒンジ要素６１が空気ブラダ３３３の拡大縁部を溝構成フレーム５０６、溝要素５１、およびスクリード５２内に保持する。固定ヒンジ要素６１は、固定手段５５により埋込みフレーム５０６に固定される。シール５６は、保持装置５７により壁５９に固定され、保持装置５７は留め具５８により固定される。接続遮断部５４は、図Ｄ５に示す埋込みフレームの一体部分である。図Ｄ５の埋め込みフレーム５０６は、上縁部５６０、フレーム要素５０６、フレーム要素５１、スクリード５２および空気接続遮断部５４を含む。図Ｄ６は、拡大空気ブラダ縁部の代替設計の横断面を示す。楔６２が空気ブラダ３３３の補強層６３を保持する。
【０１４２】
図８７ａ（ゲート上昇）および図８７ｂ（ゲート下降）は、本発明の別の実施例による車両走行洪水制御ゲートを示す。ゲート・パネル９１４は空気ブラダ３３３により作動される。ゲート９１４は、下降位置にあるときに、空気ブラダ３３３を通して交通荷重を基礎部分４２６へ伝える。例えばゴム・シートから切断したシムを使用して、均一な荷重伝達を促進する。このようにして、ゲートのコストおよび重量を適度なレベルに維持しながら、振動レベルおよび騒音レベルを最小化する。ヒンジ要素９０は、好ましくは、補強ゴム材料から製造される。ヒンジ要素クランプ部９２、９１、９１４ａは、好ましくは、ヒンジ枢動軸をできるだけ高く配置して、ヒンジ要素９０の引張応力を最小化しながら、ゲート・パネル９１４を下降させた状態で、歩行者および車両の交通に安全な平坦な上面を提供するように形成される。シール要素９２を使用して、ゲート・パネル９１４の周囲をシールすることにより、システムの寿命を短くしたり、システムの信頼性を低下させたりする塵、砂、水、塩化カルシウム等の侵入を最小化する。
【０１４３】
可動アクチュエータを含む貯水制御システムは、複数の水ゲート要素（水ゲート・パネル等）６１４ａ、６１４ｂ、６１４ｃと、複数の水ゲート要素のほぼ真下に再配置可能な、並進可能な水ゲート・アクチュエータ要素６１２と、並進可能な水ゲート・アクチュエータ要素６１２が作動的に反応する、再配置要素（異なる水ゲート要素の下に水ゲート・アクチュエータ要素を再配置するのに使用可能）６０８と、複数の水ゲート要素の少なくとも１つの個々のゲート要素が各々に反応する、複数の支持要素７（上昇した水ゲートを上昇位置に維持して、並進可能な水ゲート・アクチュエータ要素６１２を別の水ゲート要素の真下に再配置して上昇させるのに役立つ）とを含む。並進可能な水ゲート・アクチュエータ要素６１２は、少なくとも１つ実施例では、２つの縦に積み重なった水ゲート・アクチュエータ要素（膨張可能）を含む。再配置要素６０８は、希望に応じて並進可能な水ゲート・アクチュエータ要素を移動させるように動作可能な、並進可能な水ゲート・アクチュエータ要素のガイドまたは走路をおそらく含む、水ゲート・アクチュエータ再配置ホース・アセンブリ６０８または他のタイプのシステムを含む。複数の支持要素は、少なくとも１つの支柱要素を含み、この支柱要素は、上部支柱部材と下部支柱部材とを含み、下部支柱部材は、少なくとも２つの隣接する支柱要素に隣接する水平に長手方向のトルク・チューブにより、上部支柱部材に枢動反応する。
【０１４４】
図Ｅ１ａでは、ゲート・パネル１４ａがヒンジ手段６０１により余水路６０５に固定され、洪水の流れを効率的に通過させるのに必要な下降位置に示される。ゲート・パネル６１４ｂは、上部チャンバ６１２ａおよび下部チャンバ６１２ｂを含む空気ブラダ・アクチュエータ６１２に関連して上昇位置に示される。ゲート・パネル６１４ｃ、６１４ｄは、支柱６０７により上昇した状態に維持される上昇位置に示される。アクチュエータ６１２は、ホース・アセンブリ６０８によりゲート・パネルの下に位置することができる。ホース・アセンブリ６０８は、プーリ６０８ｂ、６０８ｃ、６０８ｄ、６０８ｅ、および６０８ｆの周りを通る位置決めケーブルとして働く。プーリ６０８ｆは、駆動機構６０８ｆに接続される。当接部または橋脚６１１内のアクセス・ピット６０９は、余水路６０５上の流れから離れてアクチュエータ６１２の修理または交換を行うことを考慮している。好ましい作動手段は、図Ｅ１に示す２つのチャンバの付いた空気ブラダ６１２であるが、下降したゲート・パネルの下に適合するように十分に低い外形を持って構成されたものであれば、スクリュ・ジャッキまたは油圧シリンダ等の代替持上げ装置を使用することもできる。
【０１４５】
図Ｅ２は、図Ｅ１と同一の装置構成の詳細を示す。
【０１４６】
図Ｅ３では、ゲート・パネル６１４を支柱６０７により支持できることがわかる。この支柱支持手段は従来のものであり、それ自体、本発明の一部ではない。チャンバ６１２ａ、６１２ｂを含む空気ブラダ６１２は、埋込み６０４により下流への移動から固定され、ゲート・パネル６１４はヒンジ手段６０１により余水路６０５に固定される。位置決めホース６０８は、ワイヤ・ロープ、またはワイヤ・ロープとホースとの組合せであるが、空気ブラダ６１２等の作動手段の移動と反対方向へ導管６０８ａを通って移動する。
【０１４７】
図Ｅ４は、図Ｅ３と同一の装置構成を示すが、ゲート・パネル６１４が下降位置にある。
【０１４８】
図Ｅ５は、本発明の別の実施例を示し、ゲート・パネル６１４ｅが、要素６０７ｄ、６０７ｇ、６０７ｆからなる支柱手段により上昇位置に保持される。
【０１４９】
図Ｅ５ａは、作動空気ブラダ６１２が膨張構成にある、図Ｅ５の実施例を示す。
【０１５０】
図Ｅ６では、図Ｅ５のゲート・パネル６１４ｅが下降位置にあり、ここでは上面が基礎６０５ａの上縁部と面一になっている。この同一面は、道路、歩道、または鉄道床面を提供することができ、この構成を、永久固定コンクリート洪水壁または土の堤防の代わりに洪水バリアとして使用するのに非常に適したものにする。図示した支柱手段は、トルク・チューブ６０７ｇにより調整され、下部要素６０７ｆに枢動可能に接続された上部要素６０７ｄを含む。ゲート・パネル６１４ｆ、６１４ｇ、６１４ｈについて２つの支持点が示されるが、経済状態および技術上の考慮の要求に応じて、使用する支持点の数をこれより少なくしても多くしてもよい。
【０１５１】
図Ｅ６ａは、空気ブラダ６１２が収縮構成にある、図Ｅ６の実施例を示す。
【０１５２】
図Ｅ７ａおよびＥ７ｂは、図Ｅ５、Ｅ５ａ、Ｅ６、Ｅ６ａの実施例を、下流（洪水保護側）および上流（洪水側）のそれぞれから示す。ゲート・パネル６１４ｆは下降している。ゲート・パネル６１４ｇは、作動空気ブラダ６１２が真下にある状態で上昇している。ゲート・パネル１４ｈ、１４ｉは、支柱アセンブリ６０７により上昇されて支持される。下部支柱部材６０７ｆに対する上部支柱部材６０７ｄの折畳みは、トルク・チューブ６０７ｇにより調整される。
【０１５３】
別の制水装置は、コンクリート・ゲート・パネルを含み、コンクリート制水ゲート・パネル本体要素３０００と、前記コンクリート制水ゲート・パネル本体要素に反応する、摺動摩擦減少アクチュエータ側制水ゲート・パネル面要素３００１（例えば、水ゲート・パネル・アクチュエータ・ブラダ等のアクチュエータとの摺動摩擦を減少させるための、平滑コンクリート面またはポリエチレン面）と、オーバフロー直交据付け水ゲート・パネル底縁部３００３に固定して配置され、前記コンクリート制水ゲート・パネル本体要素が反応する、水平軸回転ヒンジ／水ゲート・パネル取付要素３００２（コンクリート・ゲート・パネルを水平軸回転ヒンジに取り付けることができる）とを含む。摺動摩擦減少アクチュエータ側制水ゲート・パネル面要素は、下流据付け制水ゲート・パネル面要素３００４とすることができる。装置は、エラストマー水平軸回転ヒンジ要素をさらに含む。水平軸回転ヒンジ／水ゲート・パネル取付要素は、コンクリート制水ゲート・パネル本体収容取付要素を含む。コンクリート制水ゲート・パネル本体要素は、繊維、鉄筋、または支柱引張棒で補強されたコンクリート制水ゲート・パネル本体要素とすることができる。関連する方法は、コンクリート制水ゲート・パネル本体要素３０００を生成するステップと、摺動摩擦減少アクチュエータ側制水ゲート・パネル面要素３００１を設定するステップと、水平軸回転ヒンジ／水ゲート・パネル取付要素３００２を設定するステップとを含み、各ステップが、コンクリート水ゲート・パネルの据付け現場で行われる（したがって、重たく嵩張る物品の輸送が不要である）。
【０１５４】
ゲート・パネル１４の一般に好ましい材料は、鉄筋コンクリートであるが、鋼、ガラス繊維、その他の構成もあるプロジェクトには好ましい。鉄筋コンクリートの使用は、別の場所で製造した場合に輸送が困難になる大型のゲート・パネルを簡単に現場で製造することを考慮している。コンクリート・パネルの好ましい鋳造方法は、コンクリート成形片を基礎６０５ａに挿入してゲート・パネル６１４ｅの下側を形成し、次に、ワイヤ・ロープ６０１ｂをヒンジ・チューブ６０１ｃに固定しながら、必要な補強埋め込み可動ヒンジ要素６０６によりコンクリートをゲート・パネル６１４ｅ内に配置する。
【０１５５】
図８ａ、８ｂ、８ｃは、自動トリッピング・システムを示す。管状の支柱７０７ｈが、上流の水の圧力に対してゲート・パネル７１４を支持する。支柱７０７ｈの下端部は、揺動シュー７０７ｋにより余水路７０５の段部に対して支持される。揺動シュー７０７ｋは、接続棒７０７ｉによりパドル７０７ｊに接続される。パドル７０７ｊに作用する高位の水は、接続棒７０７ｉを引き、揺動シュー７ｋを水平位置に向かって回転させるように作用することにより、支柱７０７ｈを解放し、ゲート・パネル７１４を下降させる。このようにして、複数のゲート・パネルを自動的に下降させて上流の洪水を防止する。余水路７０５を持つアクチュエータをオプションとして使用して、揺動シュー７０７ｋを水平位置に押圧することにより、ゲート・パネル７１４を遠隔制御により下降させる。
【０１５６】
図６３〜７１は、本発明の一態様による改良された空気継手（一般には、加圧流体入口要素）９６５を示す。空気継手９６５には、損傷を与える突出部または損傷を受ける突出部がない。前記継手９６５は、好ましくは、本明細書中に開示されるように、膨張式空気ブラダの下部膜内の補強プライ８０６、８０７、８０８間に配置される。
【０１５７】
好ましくは、前記空気継手８６５は、一般に円盤形であり、中央に位置する貫通孔にあるパイプねじ山８６５ｂ等の接続手段を特徴とする。
【０１５８】
前記空気継手９６５は、補強布プライ９０６、９０７、９０８の方向への望ましくない変化を制限する先細の外形９６５ｃを特徴とする。補強布の方向への過度の変化により、前記補強材の層が互いに剥離し、または埋め込まれた空気継手９６５から前記補強材が外れる。
【０１５９】
前記空気継手９６５は、前記継手が前記補強布を切断するのを防止する、角丸の外縁部９６５ａを特徴とする。
【０１６０】
エラストマーの位置９６５ｄでの空隙の形成、ならびに補強コードと前記空気継手９６５との直接の接触が回避されるように、前記角丸の外縁部の半径Ｒは、十分に小さくなっており、例えば０．１５８８ｃｍ（０．０６２５インチ）である。
【０１６１】
空気継手９６５は、加硫中に前記膨張式ブラダのエラストマー本体に結合する材料から構成されるか、またはこの材料で被覆される。
【０１６２】
空気継手（一般には、加圧流体入口装置）９６５は、加圧流体輸送装置係合要素３０５０（ホースまたはパイプ等の加圧流体輸送装置に何らかの方法で係合可能である）と、厚さ強化内縁要素３０５１（装置の残りの部分よりも厚い、装置の内縁部）と、膜３０５４（接触隣接層が分岐して装置の周りを通過するときに、装置の外縁部で分離する膨張式膜）に近接する膨張式膜分離湾曲３０５３に接触可能な据付け構成である、厚さ減少外縁要素３０５２（厚さ強化内縁要素よりも薄い半径方向外縁部）と、前記厚さ強化内縁要素と前記厚さ減少外縁要素との間に位置する厚さ変化本体要素３０５５（装置本体を形成し、外縁要素を装置の内縁要素３０５２に接続する）とを含む。厚さ強化内縁要素３０５１は、加圧流体輸送装置係合要素３０５０が装置の中央または中央近くに配置される場合に（加圧流体輸送装置係合要素３０５０がねじ切り係合要素３０６０である場合と同様に）、厚さ強化加圧流体輸送装置係合要素近接内縁要素３０５７である。加圧流体入口装置３０６１は、加圧流体出口装置として動作する。厚さ減少外縁要素は、ほぼ円形である（外縁要素にノッチ３０６２がある場合にも当てはまる記述的な用語）。さらに、厚さ減少外縁要素の外側は角丸３０６４であり、膨張式膜分離湾曲３０５３での空隙の形成を防止するのに十分小さい外縁曲率半径３０６５を有する（例えば、曲率半径は約０．１５８８ｃｍ（０．０６２５インチ）である）。厚さ減少外縁要素は平面図で矩形（正方形を含む記述的な用語）である。厚さ変化本体要素は、２つの要素の間に位置するために内縁要素および／または外縁要素に接触する必要がなく、切頭円錐形の内側（ブラダの膨張式キャビティに近いことを意味する）膨張式膜接触縁部３０５８と、対向して面する平面（ほぼ平坦）の環状外側膨張式膜接触縁部３０５９（この縁部が外気側にあることを意味する）とを有する。重要なのは、膨張式物品の接触隣接層間に配置できるのは前記の形状の装置であり、これにより、膨張式物品の外面から凹んだ、したがって、例えばブラダが上を摺動する外側部分により損傷を受ける（または外側部分に損傷を与える）ことができない、加圧流体入口装置が生じることである。
【０１６３】
関連する方法も本発明の技術の範囲内に含まれる。加圧流体を膨張式物品に対して輸送するこのような方法の１つは、加圧流体入口要素孔３０７０を有する加圧流体入口要素３０６１を寸法付けする（例えば、成形により形作る等）ステップと、２つの接触隣接（並んで部分的に接触することを意味する）膨張式物品層（または膨張式膜層）３０７１間に加圧流体入口要素３０６１を設定するステップと、加圧流体入口要素孔と同軸の膨張式物品層孔を設定するステップとを含む。層はエラストマー層または補強エラストマー層であり、したがって、膨張式物品層孔はエラストマー膨張式層孔である。
【０１６４】
当接板装置（または水ゲート・パネル摺動摩擦当接装置）は、可能な水ゲート位置縁部範囲４００２（可能な接触移動範囲）全体を通して平面当接シール面（例えば垂直である）４００１に接触する大きさに作られたポリマー板要素４０００と、板／基礎面取付要素４０２０（留め具孔４００４等）とを含む。ポリマー板要素４０００は、例として、ポリエチレン板要素（超高分子量ポリエチレン板要素および／または高密度ポリエチレン板要素）であり、暗色ポリマー板要素４００５（加熱に有利）であり、高密度ポリマー板要素および／または超高分子量ポリマー板要素であり、補強ポリマー板要素（ガラス繊維等）である。
【０１６５】
図７２ａ、７２ｂ、７２ｃ、７２ｄ、７３、および７４は、ＵＨＭＷポリエチレンの当接板９６６と関連するアンカ・システムとを示す。前記当接板６６は、関連するゲート・パネル・シールに対して低い熱伝導性、低い氷付着性、および低い摩擦係数を特徴とする。厚さＴに対する孔間隙の寸法Ｘ（水平整合留め具孔の）およびＹ（垂直整合留め具孔の）は、好ましくは、２０対１または１２対１未満、好ましくは８対１に維持される。ポリマー板要素厚さにより分割された水平または垂直留め具孔分離距離（または関連する水平留め具孔分離距離と板厚との比および垂直留め具孔分離距離と板厚との比）は、約２０未満（または、比で表すと約２０対１未満）、約１２未満（または、比で表すと約１２対１未満）、または約８に等しい（または、比で表すと約８対１）。関連する指標である、ポリマー板要素の厚さにより分割された平均最短留め具孔分離距離（最短留め具孔分離距離の平均の測定値）（または関連する平均最短留め具孔分離距離と板厚との比）は、約２０未満（または、比で表すと約２０対１未満）、約１２未満（または、比で表すと約２０対１未満）、または約８に等しい（または、比で表すと約８対１）。勿論、平均最短留め具孔分離距離を判定するために、すべての最短留め具孔分離距離を測定して、全体から平均値を計算する。方法は、板要素面一低熱伝導材料留め具後退充填材を保持するために、留め具孔の縁部を凹ませるステップをさらに含む。
【０１６６】
すべての留め具孔４００４は、板要素面一低熱伝導材料留め具後退充填材を収容するために、凹んだ留め具孔縁部４００５を有する。充填材は、例えば、板要素同一ポリエチレン留め具後退充填材とすることができる。板要素面一は、据え付けられる充填材料が当接板面と同一レベルで同一平面にあることを意味する。ポリマー板要素は、熱板座屈の影響を弱める有効な数の留め具孔（予想した動作環境状態で、動作を損なう熱板座屈を防止するのに十分なほぼ均一な距離のみによって分離された留め具孔の数）を含む。ポリマー板要素は、熱板座屈の影響を弱める厚さ（予想した動作環境状態で動作を損なう熱板座屈を防止するのに十分な厚さ）を有する。実際の厚さ寸法は、熱板座屈の影響を弱める有効な数の留め具孔を使用して板が取り付けられるか否かによって決まる。可能な厚さ寸法は、約１５ｍｍおよび約２５であるが、他の寸法も可能である。
【０１６７】
ポリマー板要素は、単一のポリマー板４００８（すなわち、１枚の板要素）であっても、複数のポリマー板４００９であってもよく、複数のポリマー板のうち少なくとも２枚を、シーラント収容溝４０１０により、据付け構成で分離させることができる。固定は、好ましくは、ねじ切りコンクリート・アンカ９６８に係合する皿ボルトにより行われる。ボルト９６７は、好ましくは、据付け後に、ポリエチレン・プラグまたは車体充填材等の取り外し可能な低熱伝導材料で覆われる。
【０１６８】
関連する水ゲート摺動摩擦減少方法は、ポリマー材料を寸法付けして、可能な水ゲート縁部範囲４００２全体を通して当接シール面４０１５に接触可能なほぼ平面のポリマー板要素４０００を形成するステップと、前記ほぼ平面のポリマー板要素４０００が反応する板／基礎面取付要素４０２０を設定するステップとを含む。ポリマー材料は、例えば、暗色、超高分子量、高密度、ポリエチレン、または補強ポリマー材料とすることができる。ポリエチレン材料は、例えば、暗色、超高分子量、高密度、または補強ポリエチレン材料とすることができる。補強はガラス繊維等により行うことができる。他のステップは、平均最短留め具孔分離距離により分離された複数の留め具孔の設定を含む。
【０１６９】
内部パネル・シール（一般には、貯水漏れ防止装置）７３の一実施例は、内部パネル・シール／基礎クランプ保持強化要素５００１と、前記内部パネル・シール／基礎クランプ保持強化要素５００１に反応する内部パネル・シール／基礎クランプ可能保持要素５００２と、前記内部パネル・シール／基礎クランプ可能保持要素５００２に反応する上部オーバフロー直交水ゲート・パネル縁部一致水シール・ヒンジ要素５００３と、第１の水ゲート・パネル５００７の第１の縁部近接部５００６と第２の水ゲート・パネル５００９の第２の縁部近接部５００８とに固定して取付可能な内部パネル・シール要素５００４とを含み、前記第１の水ゲート・パネル５００７の前記第１の縁部近接部５００６が前記第２の水ゲート・パネル５００９の前記第２の縁部近接部５００８に隣接して配置され、前記第１の水ゲート・パネル５００７が前記第２の水ゲート・パネル５００９に隣接して配置される。すべてのクランプ保持強化要素と同様に、内部パネル・シール／基礎クランプ保持強化要素５００２は、膨張した横断面領域部分５０１０（おそらくコンマ型インサート５０１１を有する）であり、この部分５０１０は、クランプ面の移動に障害を設けることにより、クランプ動作を向上させるのに役立つ（勿論、内部パネル・シール／基礎クランプ保持強化要素５００１および内部パネル・シール／基礎クランプ可能保持要素５００２は、内部パネル・シール７３を、例えばダム余水路面である基礎５０１２に取り付けるように動作する）。上部オーバフロー直交水ゲート・パネル縁部一致水シール・ヒンジ要素５００３は、ヒンジとして働く、据付け構成で２つの上流の、例えば水ゲート・パネル縁部５０１７のうちの上側であるオーバフロー直交（例えば上流）水ゲート・パネル縁部５０１６に一致する装置の一部である。第１の水ゲート・パネル５００７の第１の縁部近接部５００６および第２の水ゲート・パネル５００９の第２の縁部近接部５００８に固定して取付可能な内部パネル・シール要素は、２つの隣接する（据付け状態で）水ゲート・パネル（第１および第２の水ゲート・パネル）間のシールの大部分を達成する部分である。水ゲート・パネルの縁部近接部は、据付け構成で互いに隣接する異なる水ゲート・パネルの縁部近くにある水ゲート・パネルの部分である。内部パネル・シール要素がほぼ細長の内部パネル・シール要素であることに注目されたい（長さを有することを意味する）。
【０１７０】
内部パネル・シール取付要素の外形（横断面形状および大きさ）は、隣接する（または据付け構成隣接）取付要素（据付け構成隣接膨張式水ゲート・アクチュエータ／基礎クランプ保持強化要素（図７７参照）、または据付け構成隣接水ゲート・アクチュエータ／基礎クランプ可能保持要素（図７７参照）等）の外形とほぼ同一である。さらに、部分が、据付け時に隣接する貯水シール要素（図７７参照）に圧縮封止して嵌合するような大きさに作られる。これは、据付け中に当接縁部が互いに圧縮するように部分の大きさを決めることにより、締まり嵌めが作られることを意味する。圧縮封止という語は、クランプ５０２０の下方のクランプ可能保持要素５００２が膨張して、当接据付けクランプ保持要素に対して密に嵌合するように十分なクランプ圧力を加えることを意味する。内部パネル・シール要素５００４のオーバフロー直交水ゲート・アクチュエータ・ヒンジ・フラップ要素隣接部（据付け構成で水ゲート・アクチュエータ・ヒンジ・フラップ要素に隣接する内部パネル・シール要素の部分）は、据付け構成隣接膨張式水ゲート・アクチュエータ・ヒンジ・フラップ要素に対して圧縮封止して嵌合するような大きさに作られる。基礎は、例えば余水路であり、したがって、内部パネル・シール／基礎クランプ可能保持要素５００２は内部パネル・シール／余水路クランプ可能保持要素５００２である。上部オーバフロー直交水ゲート・パネル縁部一致水シール・ヒンジ要素５００３は、オーバフロー直交垂直内部パネル・シール／基礎クランプ面当接隅部増強縁部要素５０５０を含み、縁部要素５０５０は、据付け構成で内部パネル・シール／基礎クランプ１１８のオーバフロー直交（例えば下流）垂直面１０５１に当接する隅部５０５１を形成するように増強された、ヒンジ要素の縁部である。理想的には、この縁部要素は、オーバフロー直交内部パネル・シールのほぼすべての近接部を基礎クランプ面１１８に当接させるように構成されて、シールおよびクランプ動作を損なう、砂および粒子や破片を閉じ込める他の流れを効果的に遮断する。関連する方法は、内部パネル・シール・ヒンジ要素の上部オーバフロー直交縁部を隅部増強させて（例えばエラストマー材料を加えて隅部を形成して）、オーバフロー直交垂直内部パネル・シール／基礎クランプ面縁部に一致させるステップを含む（関連して、部分１０５１、１０５２参照）。
【０１７１】
内部パネル・シール要素５００４は、ゲート・パネル下流限界５０５２を超えて突出し、ナップ切断要素５０５３またはナップ切断装置５０５３（形成されるナップを曝気して、揺動するナップのマイナスの影響を避けるのに役立つ）を形成する。このナップ切断要素は、頭上流れモード動的物体衝撃可撓性ナップ切断装置（図７６参照）とすることができ、また例えば補強エラストマー・ナップ切断装置とすることができる。頭上流れモード動的物体衝撃可撓性ナップ切断装置という語は、ナップ切断要素が、頭上の流れの中を流れると予想される動的物体からの衝撃を、破損または実質的な塑性変形なしに吸収して曲がるのに十分な可撓性を有することを意味する。
【０１７２】
ゴム製の筏、および他の小型船（乗客がいるものもいないものも）は、頭上の流れと共に流れると予想される物品である。ここでは、乗客の安全が問題であり、十分に可撓性のあるナップ切断装置（または衝撃撓み要素に反応するもの）は、ゴム製の筏がぶつかったときに、従来のナップ切断装置のようにパンクしたり切断されたりするのではなく、曲がるようになっている。関連する方法は、ゲート・パネル下流限界を超えてほぼ細長の内部パネル・シール要素を据付け突出させる（結果として据付け時に突出する）ステップを含む。
【０１７３】
図７６、７７はそれぞれ、本発明の一態様によるダム余水路ゲート据付けの斜視図および分解図である。内部パネル・シール７３（貯水漏れ防止装置の１タイプ）が、クランプ棒７６（内部パネル・シール／基礎クランプ可能保持要素５００２）の下で、空気ブラダ・クランプ可能保持要素（膨張式水ゲート・アクチュエータ／基礎クランプ可能保持要素）と同一の外形を有する。空気ブラダ９０３と内部パネル・シール７３との隣接面、空気ブラダ９０３と当接シール７５との隣接面、および当接板９６６と当接シール７５との隣接面が、好ましくは、据付け中にわずかな締まり嵌めにより密に嵌合するように形成される。このようにして、クランプ棒７６からのクランプ力を連続して印可することにより、前記隣接要素が水平方向に互いにぴったりと膨張し、これにより封止継目が作られる。前記継目のシールは、薄い可撓性の防水シート（または薄い防水シール補足シート）７０、７４を使用することにより補足される。
【０１７４】
図７８は、図７６および７７の内部パネル・シール７３の横断面を示す。この内部パネル・シールは、関連する隣接空気ブラダに外形が一致する場合に最もよく機能する。
【０１７５】
図８１は、図７６および７８の内部パネル・シール７３の斜視図である。
【０１７６】
図７９および８０は、図７６および７７の当接シール７５を示す。当接シール装置（または貯水シール装置）７５は、水圧と可能な弾性動作との組合せにより対応する当接板または当接部（一般には、基礎摺動面）６００２に対して堅く保持される可撓性フラップ部（一般には、基礎摺動面隣接貯水シール要素）８０を特徴とする、基礎摺動面隣接水ゲート・パネル６００１に固定して取付可能な上部貯水シール要素６０００と、水ゲート・パネル一致可能シール要素６００３と、長手方向隅部シール要素６００４および厚さ減少ヒンジ可能上部オーバフロー直交水ゲート・パネル縁部一致シール要素６００６と、当接シール／基礎取付要素８２とを含む。基礎摺動面６００２という語は、基礎の一部または基礎へのアタッチメント（例えば、当接板）として、水ゲート・パネルの回転時に貯水シール（すなわち、基礎摺動面隣接貯水シール要素８０）が摺動する面である材料を含むものである。ダム設定における基礎は、余水路または当接部等のダム（通常はコンクリート）の本体であり、はるかに小型の貯水の適用では、基礎は本体（下にある部分および側部）である。制水の適用では、基礎は、基本的に、補足の制水部分を加える前に存在する固体の本体部分であり、補足部分を取り付けるものである。補強コード７９を設けることにより、弾性動作が強化される。可撓性部分（または厚さ減少ヒンジ可能上部オーバフロー直交水ゲート・パネル縁部一致水シール要素）８１により、当接シールが関連するブラダ・ヒンジ・フラップと共に曲がる（図６０ａの部分８６２）。部分８２は、好ましくは、厚さ（Ｄ）および長さ（Ｂ）が関連する空気ブラダに一致する。当接シール装置は、ダムの余水路等の基礎に装置を取り付けるのに役立つ当接シール／基礎取付要素８２をさらに含む。この取付要素は、当接シール／基礎クランプ可能保持要素（例えば、ほぼ平坦である）と、当接シール／基礎クランプ保持強化要素とを含む。当接シール／基礎クランプ可能保持要素６００５は、ほぼ平坦な上面または下面を有する場合にほぼ平坦であると呼ばれる（ほぼ平らなクランプ可能保持要素に当てはまる用語上の定義）ことに注目されたい。可撓性フラップ部８０は、例えばステンレス鋼またはエポキシで仕上げされた当接部に対して使用されるポリエチレン等の低摩擦仕上材料を組み込む。前記仕上げは、ＵＨＭＷ（超高分子量）ポリエチレン当接板の場合には不要である。当接シール／基礎クランプ保持強化要素６００７は、コンマ型インサート２１等のほぼ円形横断面のインサートを有する。当接シール／基礎取付要素８２は、楔型当接シール／基礎クランプ保持要素（関連して、図１０の部分１０参照）を含み、据付け構成隣接楔型ゲート・パネル・アクチュエータ／基礎取付要素外形を有するように構成される。
【０１７７】
基礎摺動面隣接貯水シール要素は、当接板隣接貯水シール要素（当接板に隣接して配置可能である（または実際に配置される）ことを意味する）、またはコンクリート基礎摺動面隣接貯水シール要素（コンクリート基礎摺動面に隣接して配置可能である（または実際に配置される）ことを意味する）である。当接板は、ポリマー（ポリエチレン等）、ステンレス鋼、ゴム、または低摩擦摩耗材料である。摺動面の適合性に関する限定は確かにあるが、ポリエチレン（および一般にポリマー）が、ゴム、ステンレス鋼、およびコンクリートに対して最もよく（すなわち最小の摩擦で）摺動する。基礎摺動面隣接貯水シール要素は、ポリマー（ポリエチレン等）シール要素である低摩擦摩耗貯水シール要素を含む。ポリエチレンは、超高分子量ポリエチレン・シール要素とすることができ、かつ／または高密度ポリエチレン・シール要素とすることができる。ポリマー・シール要素は、ＥＰＤＭ（エチレン−プロピレン−ジエン−メチレン）ゴムを含む補強エラストマーと共加硫されるか、または、ＥＰＤＭゴムおよびクロロブチルを含む補強エラストマーと共加硫される。さらに、基礎摺動面隣接貯水シール要素は、ゴムシール要素またはステンレス鋼シール要素を代わりに含むこともできる。基礎摺動面隣接貯水シール要素を、おそらく補強プライ強化バイアスと共に弾性的に角度偏倚させて、基礎摺動面とのシールを強化することもできる。厚さ減少ヒンジ可能上部オーバフロー直交水ゲート・パネル縁部一致シール要素は、当接シール／基礎クランプ面１０５１のほぼすべての近接部に当接するように構成された、垂直オーバフロー直交当接シール／基礎クランプ面当接隅部増強縁部要素６０１０を含む。さらに、厚さ減少ヒンジ可能上部オーバフロー直交水ゲート・パネル縁部一致シール要素および当接シール／基礎取付要素は、締まりシール幅に寸法付けされ、これは据付け時に堅い圧縮嵌めを可能にするように要素の幅が僅かに大きくなっている（例えば、おそらく０．６３５ｃｍ（０．２５インチ））ことを意味する。発熱体６０１２（どのタイプのヒータ（例えば電気）でもよい）が据え付けられ（おそらく基礎摺動面隣接貯水シール要素内へ、またはシール要素の長さにほぼ沿って発熱体を一体に加硫することにより）、基礎摺動面隣接貯水シール要素が発熱体に熱反応して、摺動を妨げる氷の形成を防止することができる。ほぼ長さに沿ってという語は、長さの大部分のみにほぼ沿っていることを含む。
【０１７８】
図８２ａ、８２ｂ、８２ｃ、８２ｄ、および８６は、図８６に示す楔型クランプ・システムと組み合わせて使用されるように構成された、本発明の一態様による当接シールを示す。楔部８４は、横断面が隣接ヒンジ部材８６に一致するように構成される。曲げ可能な部分８１により、ゲート・パネル９１４が上下するにつれて当接シール７５をヒンジ部材８６と共に曲げることができる。補強部分８５はゲート・パネル９１４にクランプされる。可撓性部分８０は、弾性力と水圧との組合せにより封止位置に保持されながら、隣接当接板９６６に載置される。面８７は、好ましくは、僅かな締まり嵌めにより隣接ヒンジ部材８６に装着される。可撓性部分８０は、例えばＵＨＭＷポリエチレンから構成される低摩擦面８８を特徴とする。シール面８９は、好ましくは、隣接当接板に密に嵌合するように設計される。当接シールのこの部分の走行距離が短いため、低摩擦仕上８８は、一般に、必要ではなく、また望ましいものではないが、それにもかかわらず、ある理由である適用に含まれる。
【０１７９】
図８８、８９、９０、および９１は、本発明の一態様による膨張式ダム（または膨張式エラストマー・ダム）を示す。スワール誘導リブ９３が交互方向に設けられて、前記膨張式ダム上の水の流れ方向を変化させて主な流れ方向に垂直な水平成分を含むようにする。組み合わせると、前記水平流れ成分は、膨張したダムの本体に垂直な速度成分を含む対向循環流れパターン９６、９７を形成する。このようにして、フィン９５の効果が増強される。フィン構成のみの場合よりも高い越水度で、安定した動作を行うことが可能である。応力除去形材９４により、膨張したダムの内部応力が低下し、片持ちフィン装備９５の剛性が増加する。膨張式ダム９８３は、クランプ１０１および余水路溝１０２により、ダム余水路または基礎９９５に固定される。
【０１８０】
貯水構造からあふれる破片による破壊に対する耐性を維持し、かつ小型船にあまり害を与えずに維持しながら、揺動または振動するナップの不都合な破壊をもたらすおそれのある影響を避けるナップ曝気装置も、本発明の技術の範囲内にある。ナップ曝気装置は、頭上流れモード動的物体衝撃可撓性ナップ切断要素９５００と、前記頭上流れモード動的物体衝撃可撓性ナップ切断要素が反応する、切り離し可能な可撓性ナップ切断要素／貯水要素取付要素９５０１とを含む。切り離し可能な可撓性ナップ切断要素／貯水要素取付要素９５０１という語は、ナップ切断装置の取外しを可能にする部分（例えば、磁石および／またはボルト孔を含む）を示す。頭上流れモード動的物体衝撃可撓性ナップ切断要素という語は、ナップ切断要素が、頭上の流れの中を流れると予想される動的物体からの衝撃を、破損または実質的な塑性変形なしに吸収して曲がるのに十分な可撓性を有する（弾性的である、すなわち衝撃後に衝撃前の構成に実質的に戻ることを意味する）ことを意味する。ゴム製の筏、および他の小型船（乗客がいるものもいないものも）は、頭上の流れと共に流れると予想される物品である。ここでは、乗客の安全が問題であり、十分に可撓性のあるナップ切断装置は、ゴム製の筏がぶつかったときに、多くの可撓性でないナップ切断装置のようにパンクしたり切断されたりするのではなく、曲がるようになっている。ナップ切断要素は、補強弾性ナップ切断装置である。
【０１８１】
別のナップ曝気装置は、ナップ切断要素９５０５と、前記ナップ切断要素が反応する、切り離し可能なナップ切断要素／貯水要素取付要素９５０６と、前記ナップ切断要素が反応する、頭上流れモード動的物体衝撃撓み要素９５０７とを含む。基本的に、この第２の装置では、衝撃時の曲げが、ナップ切断装置自体によってではなく（このタイプの曲げはエラストマーから作られたナップ切断装置により可能になる）、ナップ切断装置が反応する（アタッチメント等により）、コイルばね要素または可撓性取付軸（例として）等の別個の撓み要素により提供される。この撓み要素は、頭上の流れの中を流れると予想される動的物体からの衝撃を、破損または実質的な塑性変形なしに吸収するように曲がる（弾性的に、すなわち衝撃後に衝撃前の構成に実質的に戻ることを意味する）。取付要素と見られるものが衝撃時の撓みを可能にするのに役立つ場合（可撓性軸の場合）、取付要素は単に取付けを可能にする部分として定義され（おそらく、エポキシ樹脂で接着し、後から取り外すことのできる、軸の底部または軸の底部の表面に留め具孔がある）、装置の異なる要素の分離性を維持する。
【０１８２】
改良された貯水制御システム動作維持装置は、収納構成で、貯水構造（ダム等）の外観を損なうことのない過度水ゲート・パネル回転防止要素を含む。改良された貯水制御システム動作維持装置は、伸張可能過度底部ヒンジ留め水ゲート・パネル回転防止要素７０２０（例として、ナイロン、エラストマー材料、またはエラストマー・コードから作られ、水ゲート・パネルの過度の回転を防止することができる、抑制ストラップ等の引張りに強い材料）と、伸張可能過度底部ヒンジ留め水ゲート・パネル回転防止要素が反応する、端部近接水ゲート・パネル・アクチュエータ７００３の対向面端部７００２間に固定して設定される、下部過度ゲート回転防止要素／基礎取付要素７００１（伸張可能過度底部ヒンジ留め水ゲート・パネル回転防止要素を基礎に取り付けるのに役立つ）と、伸張可能過度底部ヒンジ留め水ゲート・パネル回転防止要素１０３に反応する、過度ゲート回転防止要素／ゲート・パネル取付要素（伸張可能過度底部ヒンジ留め水ゲート・パネル回転防止要素７０２０を水ゲート・パネル７０５２の一部に取り付けるのに役立つ）とを含む。端部隣接水ゲート・パネル・アクチュエータ７００３は、端部隣接膨張式水ゲート・パネル作動ブラダ７００５であり、端部隣接膨張式水ゲート・パネル作動ブラダ７００６の最下流縁部がほぼ滴面１０６に位置する。さらに、各端部近接水ゲート・パネル・アクチュエータ７００３は少なくとも１つの水ゲート・アクチュエータ／基礎取付要素７００７に反応し、取付要素７００７は楔型ゲート・パネル・アクチュエータ／基礎クランプ保持要素７００８とすることができる。この場合、装置は、近接する楔型ゲート・パネル・アクチュエータ／基礎クランプ保持要素７００９のほぼ対向端部間に配置される、楔型ゲート・パネル・アクチュエータ／基礎クランプ保持要素置換インサート１０５をさらに含む。このインサートは、隣接水ゲート・アクチュエータ／基礎外形模倣インサート１０５とも呼ばれる。端部近接水ゲート・パネル・アクチュエータは、膨張式アクチュエータの代わりに端部近接水ゲート・パネル浮遊要素とすることができる。伸張可能過度底部ヒンジ留め水ゲート・パネル回転防止要素長さ７０１０、上部過度ゲート回転防止要素／ゲート・パネル取付要素位置７０１１、および下部過度ゲート回転防止要素／基礎取付要素位置７０１２は相関して、前記伸張可能過度底部ヒンジ留め水ゲート・パネル回転防止要素７０２０の最下流端部が下降構成（図９３）で制水ゲート・パネル要素７０５２のほぼ下に位置することにより、下降構成１０４で突出する過度ゲート・パネル回転防止装置の目障りな外観をなくす。伸張可能過度底部ヒンジ留め水ゲート・パネル回転防止要素７０２０は、伸張可能折畳み式過度底部ヒンジ留め水ゲート・パネル回転防止要素１０３とすることができ、これは、要素７０２０を折り曲げたり、伸縮させたり、巻き付けたりすることができ、または、例えば、張力解除時に引張モード形状から異なる収納構成への再構成を受けやすいことを意味する。前記改良された貯水制御システム装置を含む、作動可能な水ゲート・パネル制水システム（すなわち、水ゲート・パネル・アクチュエータ、ゲート・パネル、およびシール装置）も本発明の技術の範囲内であると考えられる。
【０１８３】
当接部の領域で過度水ゲート・パネル回転防止要素の本発明の特異な構成に対応する、別の改良貯水制御システム動作維持装置は、伸張可能過度底部ヒンジ留め水ゲート・パネル回転防止要素と、前記伸張可能過度底部ヒンジ留め水ゲート・パネル回転防止要素７０２０が反応する、水ゲート・パネル・アクチュエータとほぼ垂直な基礎面（図１０７，図１０７ａ参照）との間に固定して設定される、下部過度ゲート回転防止要素／基礎取付要素７０１２と、前記伸張可能過度底部ヒンジ留め水ゲート・パネル回転防止要素７０１０に反応する、上部過度ゲート回転防止要素／ゲート・パネル取付要素７０１１とを含む。装置は、楔型ゲート・パネル・アクチュエータ／基礎クランプ保持要素９５７２とほぼ垂直な基礎面９５７１とのほぼ間に配置される、楔型ゲート・パネル・アクチュエータ／基礎クランプ保持要素置換インサート１０５をさらに含む。勿論、この置換インサートおよび他の置換インサートは、隣接する水ゲート・パネル間の間隙のほぼ下方に過度ゲート・パネル回転防止要素を見えないように配置することに対応するために行われる膨張式ブラダの短縮により存在しない、膨張式水ゲート・パネル・アクチュエータ／基礎取付要素の長さに取って代るものである。この配置は、膨張式ブラダの下流（またはアクチュエータが貯水流側にあるシステムでは上流）に配置される過度ゲート・パネル回転防止要素（例えば、抑制ストラップ）の長さが、例えば下降構成で、ストラップの突出を生じさせる長さを超えないように、膨張式ブラダの横断面の大きさを不十分なレベルまで減少させる手法にとって好ましい。
【０１８４】
下降構成の制水ゲート・システムの外観を改良するための関連する方法は、伸張可能過度底部ヒンジ留め水ゲート・パネル回転防止要素７０２０を寸法付けする（例えば製造プロセスにより形作ることを意味する）ステップと、前記伸張可能過度底部ヒンジ留め水ゲート・パネル回転防止要素７０２０が反応する、近接垂直突出流れ制御要素７０３０の近位端部７０２９の間に固定して設定される、下部過度ゲート回転防止要素／基礎取付要素７０１２を設定するステップと、前記伸張可能折畳み式過度底部ヒンジ留め水ゲート・パネル回転防止要素７０２０に反応する上部過度ゲート回転防止要素／ゲート・パネル取付要素を設定するステップとを含む。垂直突出流れ制御要素７０３０は、水ゲート・パネル・アクチュエータ（膨張式水ゲート・パネル・アクチュエータ・ブラダもしくは浮遊式水ゲート・パネル・アクチュエータ等）または当接面のような基礎摺動面等の、垂直に突出する流れ制御要素とすることができる。一実施例では、方法が、楔型ゲート・パネル・アクチュエータ／基礎クランプ保持要素置換インサートを、楔型内部パネル・シール／基礎クランプ保持要素の下方、および近接垂直突出流れ制御要素の貯水流れ近接（アクチュエータがゲート・パネルの下流側にある構成では上流を意味し、アクチュエータがゲート・パネルの上流側にある構成では下流を意味する）対向端部（対向して面する）間に設定するステップをさらに含む。方法は、伸張可能過度底部ヒンジ留め水ゲート・パネル回転防止要素７０２０の長さを、下部過度ゲート回転防止要素／基礎取付要素７０１２および上部過度ゲート回転防止要素／ゲート・パネル取付要素７０１１に相関させて、弛緩された抑制のない構成（例えば、折り畳まれた、かつ／または折り曲げられた構成）の、伸張可能過度底部ヒンジ留め水ゲート・パネル回転防止要素７０４０の最下流端部７０２１が下降制水ゲート・パネル９１４の下に位置するようにするステップをさらに含む。
【０１８５】
図９２、９３、９４、９５は、本発明による底部ヒンジ留め空気作動ゲートを示す。例えば、抑制ストラップ１００３が空気ブラダ３３３の端部に配置され、空気ブラダの大きさを最大化または最適化できるようになっている。一般に、２．５メートルの高さを超えるゲートについては、空気ブラダを、滴線１０６を超えて延びることなく、できるだけ大きく作るべきである。これにより、下降ゲート・パネル９１４の真下から突出する従来の抑制ストラップ１０４が生じる。突出する抑制ストラップを望ましくないと考える顧客や所有者もいる。ゲート・パネル９１４は、好ましくは、凸状に湾曲して十分な曲げ強さを提供し、端部で抑制ストラップ荷重を受ける。空気ブラダ３３４を十分に短縮して、上昇位置および下降位置で抑制ストラップ１０３用の間隙を作ることができる。例えば補強ゴムから作られるインサート１０５を使用して、抑制ストラップ１０３用に設けられる追加の間隙Ｃにより直接隣接しない空気ブラダ３３４間に、クランプ・システムを入れることができる。
【０１８６】
図Ｅ１１は、好ましいヒンジ手段の詳細を示す。可動ガセット８０６が可動ヒンジ・チューブ１ａに溶接される。固定ガセット８０４は、アクチュエータ・ガイド・チューブ８０４ａおよび固定ヒンジ・チューブ８０１ｃに溶接される。ヒンジ・チューブ８０１ａ、８０１ｃは、ワイヤ・ロープ８０１ｂにより適切な関係に保持され、このワイヤ・ロープ８０１ｂは、ヒンジ・チューブ８０１ａ、８０１ｃの周りで螺旋の８の字をたどる。ワイヤ・ロープ８０１ｂは、ガセット８０６とガセット８０４との間でコンクリートに埋め込まれることにより、滑らないようになっている。ワイヤ・ロープ８０１ｂとヒンジ・チューブ８０１ａ、８０１ｃとの転がり接触ゾーンには、コンクリートまたは他の固定手段が残らない。コンクリートで固定されたワイヤ・ロープの場合、ヒンジを修理する必要が生じると、ガセット間のコンクリートが高圧水噴射により選択的に除去される。
【０１８７】
図Ｅ１２は、図Ｅ１１に示す構成の平面図である。
【０１８８】
図Ｃ２は、図Ｃ１のゲート・アセンブリに示すヒンジの、ゲート下降位置での詳細横断面を示す。ゲート・パネル４０１は、コード４５が「８の字」のパターンで通る長孔４０２を組み込むことにより、ゲート・パネル４０１を固定要素４９に接続する。固定要素４９は、コード４５を切断しないように角丸の縁部を有し、取付ボルト４１６により、埋め込まれたフレーム４０６に固定される。
【０１８９】
図Ｃ５およびＣ６に関し、図Ｃ５はゲート・アセンブリ・ヒンジの平面図であり、図Ｃ６はゲート・アセンブリ・ヒンジの側面図上の縁部を示す。固定構造部材４０９が可撓性引張部材４４５により可動構造部材４４２に接続され、可撓性引張部材４４５は、構造部材４０９、４４２の角丸の縁部長孔４０２を通過する。上部エラストマー・カバー４１２は、構造部材４０９、４４２と可撓性引張部材４４５とに結合される。可撓性引張部材４４５は、構造部材４０９、４４２間に転がり接触が生じる場合を除いて、構造部材４０９、４４２に結合される。
【０１９０】
図Ｃ７では、可撓性引張部材４４５が管状部材４３８に巻き付き、転がり動作４４０のない領域で管状部材４３８に結合されるが、転がり接触４４１の領域では管状部材４３８に結合されない。管状部材４３８は、構造部材４３９に接続され、構造部材４３９は、ヒンジ構造および固定構造の残りの部分の一部を成すか、またはこれに取り付けられる。
【０１９１】
図９６、９７、９８は、３つの異なるヒンジ、すなわち「Ｓ型」ヒンジ、一体型８の字ヒンジ、およびモジュラ型８の字ヒンジを示し、各々が本発明の主題の範囲内にある。図８７ａ、８７ｂに示すヒンジは、「Ｗ型」ヒンジと呼ばれる。制水に加えて多くの適用を含む一般的な文脈では、ヒンジ自体に進歩性があり、各々が特許可能であると考えられる。
【０１９２】
前記の説明から容易に理解できるように、本発明の基本概念は、種々の方法で具現化される。本発明は、制水およびアクチュエータ技術、ならびに適宜の制水または作動を達成するための装置を含む。本出願では、記載された種々の装置により達成される結果の一部として、かつ使用に固有のステップとして、制水技術が開示される。これらの技術は、意図したように、かつ記載したように、単に装置を使用することの自然な結果である。さらに、一部の装置が開示されているが、これらの装置はある方法を達成するだけでなく、いくつかの方法で変化させることができることを理解すべきである。前記の説明のすべてに関して、これらの面のすべてが本開示に含まれることを理解すべきであることが重要である。
【０１９３】
本出願に含まれる記述は、基本的な説明としての働きをするものである。読者は、特定の記述がすべての実施例を明示的に説明するものではなく、多くの代替形態が暗黙的にあることに注意すべきである。また、記述は、本発明の包括的な性質を完全に説明するわけではなく、各特徴または要素が、多様な代替要素または等価要素のより広い機能を実際にどのように表すかを明示的に示すものではない。これらは暗黙的に本開示に含まれる。本発明が装置向けの用語で記載される場合、装置の各要素は暗黙的に機能を果たす。装置クレームが、記載した装置に向けたものとして含まれるだけでなく、方法クレームまたはプロセス・クレームが、本発明および各要素が果たす機能に対応するように含まれる。説明および用語のいずれも、本特許出願に含まれる特許請求の範囲を限定するものではない。
【０１９４】
本発明の本質から逸脱することなく、種々の変更を加えることができることを理解すべきである。このような変更は、暗黙的に記述に含まれる。これらは本発明の範囲内にある。図に明示した実施例、暗黙的な種々の代替形態、広範囲の方法またはプロセス等を含む広範囲の開示は、本開示に含まれ、本特許出願の特許請求の範囲について依拠される。このような言い回しの変更および広範囲の請求が、本出願で達成されることを理解すべきである。本特許出願は、出願人の権利の範囲内にあると考えられるものと同等の広さの特許請求の範囲の基礎についての審査を求めるものであり、本発明の多くの態様を、独立して、かつ全体的なシステムとしてカバーする特許が得られるように設計される。
【０１９５】
さらに、本発明の種々の要素および特許請求の範囲の各々は、種々の方法で達成される。本開示はこのような変形形態の各々を含むものであり、装置実施例、方法実施例またはプロセス実施例の一実施例の変形、またはこれらの要素の単なる変形であると理解されるべきである。特に、本開示は本発明の要素に関連しており、機能または結果のみが同じ場合であっても、各要素についての用語が同等の装置用語または方法用語で表されることを理解すべきである。このような等価の、より広い、またはより包括的な用語は、各要素または動作の記述に含まれるものと考えるべきである。このような用語は、希望に応じて、本発明が受ける暗黙的な広い保護範囲を明示するように置き換えることができる。一例として、すべての動作を、その動作を行うための手段として、またはその動作を生じさせる要素として表すことができることを理解すべきである。同様に、開示された各物理的要素は、物理的要素により促進される動作の開示を含むものと理解すべきである。この最後の点に関し、一例として、「作動させるための手段」または「アクチュエータ」の開示は、明示的に記載されていても、そうでなくても、「作動させる」動作の開示を含むものと理解すべきである。逆に、「作動させる」動作の効果的な開示がある場合、このような開示は「アクチュエータ」および「作動させるための手段」の開示を含むものと理解すべきである。このような変更および代替用語は、記述に明示的に含まれるものと理解すべきである。
【０１９６】
本特許出願で言及された法、法令、法規、または規則、あるいは本特許出願で言及された特許、公報、または他の参照物は、参照により本明細書に組み込まれている。さらに、使用される各用語に関し、本出願での使用が解釈と矛盾することがなければ、各用語について一般的な辞書の定義が組み込まれているものと理解すべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ，ｓｅｃｏｎｄ  ｅｄｉｔｉｏｎに含まれるようなすべての定義、代替用語、類義語が参照により本明細書に組み込まれていることを理解すべきである。最後に、Ｒｅｆｅｒｅｎｃｅｓ  Ｔｏ  Ｂｅ  Ｉｎｃｏｒｐｏｒａｔｅｄ  Ｂｙ  Ｒｅｆｅｒｅｎｃｅ  Ｉｎ  Ａｃｃｏｒｄａｎｃｅ  Ｗｉｔｈ  Ｔｈｅ  Ｐａｔｅｎｔ  Ａｐｐｌｉｃａｔｉｏｎ（本特許出願による参照により組み込むべき参照物）のリストに挙げられるすべての参照物または本発明とともに提出される他の情報陳述が本明細書に添付され、参照により組み込まれる。しかし、前記の各々に関し、参照により組み込まれるこのような情報または陳述が本発明の特許性と矛盾すると考えられる程度まで、この陳述が出願人により明らかに考慮されているわけではない。
【０１９７】
したがって、出願人は、少なくとも、ｉ）本明細書中に開示され記載された制水アクチュエータ装置の各々、ｉｉ）開示され記載された関連する方法、ｉｉｉ）これらの装置および方法の各々と同様の、等価の、かつ暗黙的な変形形態、ｉｖ）開示され記載された、図示した機能の各々を達成する代替設計、ｖ）開示され記載されたものを暗黙的に達成する、図示した機能の各々を達成する代替設計および方法、ｖｉ）別個の独立した発明として図示される各特徴、部品、およびステップ、ｖｉｉ）開示された種々のシステムまたは部品により強化される適用、ｖｉｉｉ）このようなシステムまたは部品により製造される製品、ｉｘ）添付の例を参照して前記した方法および装置、ｘ）開示された要素の各々の種々の組合せおよび順列、および、ｘｉ）提示された独立クレームまたは概念の各々に従属する、潜在的な各従属クレームまたは概念を請求するものと理解すべきである。これに関し、実際的な理由で、潜在的な何百のクレームを加えることを避けるために、出願人は最終的に最初の従属のみを特許請求の範囲に提示することを理解すべきである。１つの独立クレームまたは概念の下で提示される種々の従属または他の要素を、他の独立クレームまたは概念の下の従属または要素として加えることを認める、限定されないが欧州特許規則第１２３条（２）および米国特許法３５ＵＳＣ１３２または他のこの種の法を含む、新規事項についての法の下で必要な程度まで、支持があることを理解すべきである。さらに、移行句「ｃｏｍｐｒｉｓｉｎｇ（含む）」を使用する場合、または使用時には、この句の使用により、従来の請求項の解釈に従って、本明細書中で「オープンエンド形式」の請求項が維持される。したがって、文脈から別の要求がなされない限り、「ｃｏｍｐｒｉｓｅ」という語または「ｃｏｍｐｒｉｓｅｓ」または「ｃｏｍｐｒｉｓｉｎｇ」等の変形は、記載された要素もしくはステップ、または要素もしくはステップの群を含むことを暗に意味するが、他の要素もしくはステップ、または要素もしくはステップの群を排除するものではないことを理解すべきである。この語は、出願人に法律上認められる最も広い保護範囲を与えることができるように、最も拡張した形で解釈すべきである。
【図面の簡単な説明】
【０１９８】
【図１】膨張式ジャッキの破断図である。膨張式膜３は押出成形部材２に巻き付く。ホースを通して事前成形形材１に空気が供給される。
【図２】図１に示す膨張式ジャッキの破断平面図である。膨張式膜３が押出成形部材２を囲む。
【図３】図２の断面図である。押出成形部材２は面８に沿って膨張式膜３に結合されるが、面７に沿っては結合されず、また接触部９の円形面に沿っても結合されない。孔５により、膨張式ジャッキの周囲に加圧流体（例えば、加圧空気）を送ることができる。空気は、連続した長手方向の孔５から通気孔６を通って外へ流れる。
【図４】外部ホースを内部応力除去形材に合わせる、オプションの事前成形エラストマー継手を示す図である。
【図５】外部ホースを内部応力除去形材に合わせる、オプションの事前成形エラストマー継手を示す図である。
【図６】外部ホースを内部応力除去形材に合わせる、オプションの事前成形エラストマー継手を示す図である。
【図７】外部ホースを内部応力除去形材に合わせる、オプションの事前成形エラストマー継手を示す図である。
【図８】収縮状態にある膨張式ジャッキの横断面図である。
【図９】応力除去形材が膨張した装置の側部に固定された、膨張状態にある膨張式ジャッキを示す図である。
【図１０】収縮状態にある膨張式ダム本体を示す図である。膨張式膜３が、楔１１ａ、１１ｂ、１１ｃ、１１ｄ、および１１ｅにより上流端部１０に固定される。外部クランプ力なしに外被が膨張する場合でも、インサート（あるいは周方向に連続した、または一体に隣接した、または継目を横切る）層１２により引裂きが防止される。フィン１４は、補強層１６の下にフィン・インサート１５を含む。
【図１１】膨張構成にある図１０の膨張式ダムを示す図である。膨張式膜３は、フィン１４および応力除去押出成形品２を定位置に保持する。ダム／余水路クランプ１７が、膨張式ダムを余水路の基礎１８（余水路）に対して保持する。
【図１２】単純な矩形クランプ棒１１８を「コンマ型」インサート２１および引裂防止補強材１２と組み合わせて使用する、膨張式ダムの別の実施例を示す図である。応力除去形状２およびフィン・インサート１５を含む膨張式膜３の肉厚部分が、余水路２２の凹部内に位置する。ナット２０がクランプ１１８をアンカ・ボルト１９上に保持する。膨張式ダムとの空気接続部２４は、収縮した膜３の上下隣接部間に空気用の間隙を提供する成形溝２３により、中空の押出成形品５に接続される。より一般的な用語で表すと、膨張式ブラダ膜１００２の少なくとも１つの層の一部が、空気供給継手（または加圧流体要素）２４により形成された空隙１００３と、長手方向空隙囲みインサート要素１００４より囲まれる長手方向空隙５とに流体反応する空隙（膜空隙と呼ぶことができる）を囲むように構成される。膜空隙は、ブラダ内側から長手方向空隙への流体輸送孔にも流体反応する。膨張式ダムは、空気供給継手２４に接続された真空システムにより、内圧を大気圧未満に低下させて収縮するときに、流れ誘発振動損傷を受ける傾向が少ない。これにより、膜３がインサート２に密着し、従来の設計による損傷の問題があるとして知られる位置で、より堅固な構造が生じる。
【図１３】膨張構成にある、図１２に示すものと同様の膨張式ダムを示す図である。インサート２１がクランプ棒１１８に確実に係合する。凹部２２が余水路１８上に見られる。
【図１４】本発明による空気余水路ゲートの横断面図である。除去溝２３が、空気継手２４を中空の応力除去押出成形品２に接続する。ゲート・パネル２４が、ヒンジ保持装置２６によりヒンジ・フラップ２５に固定される。
【図１５】図１４に示す余水路ゲートの収縮した空気ブラダを示す図である。「コンマ」型インサート部材２１は平坦部２８の上流に位置する。平坦部２８を通る孔２９により、図１４のクランプ棒１１８による組立てを行うことができる。ヒンジ・フラップ２５の拡大部２７は、ヒンジ・フラップが図１４のヒンジ保持装置２６の下から引き出されるのを防止する。引裂防止層１２は、クランプされていない状態または緩くクランプされた状態で空気ブラダが破裂するのを防止する。
【図１６】膨張式膜３に成形された空気供給溝２３を示す図である。
【図１７】本発明による膨張式ホースを示す図である。
【図１８】本発明による膨張式ホースを示す図である。
【図Ｂ１】４本のワイヤが横切って延びるフレームの斜視図である。ワイヤは、最内層がワイヤ上に位置する膨張式物品の縁部を画定する。後に続く層が分解図で示される。
【図Ｂ２】応力除去インサート内の位置決めロッド（またはワイヤ）を示す膨張式物品の隅部の斜視図である。
【図Ｂ３】収縮構成にある、膨張式物品の縁部の断面図である。
【図Ｂ４】膨張構成にある、膨張式物品の縁部の断面図である。
【図Ｂ５】物品の形状および寸法を画定する、ぴんと張ったワイヤまたはケーブル上に配置された、矩形の箱型膨張式物品の解放布層のみの斜視図である。
【図Ｂ６】本発明の方法により製造される、余水路ゲート・アクチュエータの断面立面図である。
【図Ｂ７】余水路ゲート・システムの他の要素と組み合わせて示す、膨張状態にある図Ｂ６の膨張式アクチュエータの断面立面図である。
【図Ｂ８】膨張式空気ブラダの内面に成形された空気供給溝を示す、図Ｂ７のＡ−Ａ断面図である。
【図Ｂ９】縁部画定ワイヤの撓みを制限する目的で補助ワイヤと組み合わせた、縁部画定ワイヤの構成を示す図である。
【図Ｂ１０】矩形の膨張式空気ブラダの縁部を画定するのに使用される４本のワイヤと、空気ブラダと一体に製造されたヒンジ・フラップの位置を画定するのに使用される第５のワイヤとの構成を示す図である。
【図Ｂ１１】矩形の膨張式「枕形」を製造するのに使用される、矩形の４つの縁部すべてを画定する単一のワイヤ・ロープの使用を示す図である。
【図Ｂ１２】前記物品が内部で加硫される型と組み合わせた、膨張式物品の縁部の斜視破断図である。
【図Ｂ１３】ワイヤに関連するバイアス・プライ層の輪郭を示し、バイアス・プライ層が次にワイヤの周りで折り畳まれる状態を示す図である。
【図Ｂ１４】硬化中に開放流体通路を維持するのに使用される取り外し可能なチューブと組み合わせた、縁部画定ワイヤ上に配置された両頭ホース・ニップルの斜視図である。
【図Ｂ１５】確実に一致した、膨張した応力低下収縮ブラダ折り目膜要素の横断面図である。
【図Ｂ１６】収縮したブラダ折り目付近の、従来設計の膨張式エラストマー・ダムの１タイプの横断面図である。図Ｂ１６ａは収縮構成であり、Ｂ１６ｂは膨張構成である。
【図Ｃ１】上昇位置にある、交通に適合した道路洪水保護バリアの断面立面図である。
【図Ｃ２】ヒンジと空気ブラダとの接続の詳細を示す、図Ｃ１のゲートの詳細断面立面図である。
【図Ｃ３】収縮した作動空気ブラダに関連する下降位置にあるゲートを示す、本発明の断面立面図である。
【図Ｃ４】作動空気ブラダが膨張した上昇位置にある図Ｃ３のゲートを示す、本発明の断面立面図である。
【図Ｃ５】ゴム・カバーを示さない、ヒンジ・アセンブリの平面図である。
【図Ｃ６】ゴム・カバーを示す、図Ｃ５のヒンジのＡ−Ａ断面図である。
【図Ｃ７】軽量複合材料から構成されるヒンジを示す図である。
【図Ｃ８】上昇位置にある道路洪水バリア・ゲート・アセンブリを示す図である。
【図Ｃ９】下降位置にある図Ｃ８のゲートを示す図である。
【図Ｃ１０】下降位置にある、鉄道洪水バリアのために構成されたゲートの断面立面図である。
【図Ｃ１１】図Ｃ１０のゲートの断面図である。
【図Ｃ１２】上昇位置にある図Ｃ１０のゲートの断面立面図である。
【図Ｃ１３】図Ｃ１２に示すゲートの端面図である。
【図Ｃ１４】上昇位置にある図Ｃ３およびＣ４のゲートの斜視図である。
【図Ｃ１５】異なるタイプのクランプの横断面図である。
【図Ｄ１】上昇位置にある、交通に適合した道路洪水保護バリアの断面立面図である。
【図Ｄ２】図Ｄ１にあるゲートの側部シールの詳細断面図である。
【図Ｄ３】図Ｄ１にあるゲートの破断平面図である。
【図Ｄ４】図Ｄ３のＢ−Ｂ断面立面図である。
【図Ｄ５】図Ｄ１のゲート・システム用に埋め込まれたフレームの平面図である。
【図Ｄ６】代替空気ブラダ接続構成の断面図である。
【図Ｄ７】ゲートを下降させた、図Ｄ１のヒンジ領域の詳細断面立面図である。
【図Ｅ１】ダム余水路上に据え付けられた、本発明の一実施例の下流側から見た斜視図である。
【図Ｅ２】ダム余水路上に据え付けられた、図Ｅ１の本発明の一実施例の下流側から見た拡大斜視図である。
【図Ｅ３】膨張した作動空気ブラダに関連する上昇位置にあるゲートを示す、図Ｅ１およびＥ２に示す本発明の実施例の断面立面図である。
【図Ｅ４】洪水保護バリアの形状の、本発明の一実施例の斜視図である。
【図Ｅ５】上昇位置にある、図Ｅ４の実施例の断面立面図である。
【図Ｅ５ａ】作動空気ブラダが膨張構成にある、図Ｅ５の実施例を示す。
【図Ｅ６】ゲート・パネルが下降位置にある、図Ｅ４およびＥ５の実施例の断面立面図である。
【図Ｅ６ａ】空気ブラダが収縮構成にある、図Ｅ６の実施例を示す。
【図Ｅ７】自動トリッピング機構を特徴とする、本発明の一実施例の断面立面図である。
【図Ｅ８】図Ｅ７の一部を示す図である。
【図Ｅ１１】図Ｅ４〜Ｅ６に示す本発明の実施例のヒンジ部の一例の斜視図である。
【図Ｅ１２】図Ｅ４〜Ｅ６およびＥ１１に示す本発明の実施例のヒンジ部の一例の平面図である。
【図６０ａ】本発明の一態様による空気ブラダの横断面の写真である。
【図６０ｂ】本発明の一態様による空気ブラダの横断面の写真である。
【図６０ｃ】本発明の一態様による空気ブラダの横断面の写真である。
【図６３】本発明の一態様による空気継手の横断面の写真である。
【図６４】本発明の一態様による空気継手の横断面の写真である。
【図６５】本発明の一態様による空気継手の横断面の写真である。
【図６６】本発明の一態様による空気ブラダの一部および関連する空気継手の写真である。
【図６７】本発明の一態様による空気ブラダの一部および関連する空気継手の写真である。
【図６８】本発明の一態様による、部分的に構成された空気ブラダの一部および関連する空気継手の写真である。
【図６９】本発明の一態様による空気継手の平面図である。
【図７０】本発明の一態様による図６９の空気継手の立面図である。
【図７１】本発明による図６０〜７０の空気継手の横断面図である。
【図７２ａ】本発明の一態様による当接板の立面図である。
【図７２ｂ】本発明の一態様による当接板の水およびゲート側の写真である。
【図７２ｃ】本発明の一態様による当接板のコンクリート側の写真である。
【図７２ｄ】本発明の一態様による当接板に関連するコンクリート・アンカ・アセンブリの写真である。
【図７３】本発明の一態様による、図７２の当接板の平面図である。
【図７４】本発明の一態様による、図７２および７３の当接板の詳細横断面図である。
【図７６】本発明の一態様による余水路ゲート・アセンブリの分解図である。
【図７７】本発明の一態様による、図７７の余水路ゲート・システムの斜視図である。
【図７８】本発明の一態様による内部パネル・シールの横断面図である。
【図７９】本発明の一態様による当接シールの一実施例の立面図である。
【図８０】本発明の一態様による、図７９のシールの斜視図である。
【図８１】本発明の一態様による内部パネル・シールの斜視図である。
【図８２ａ】本発明の一態様による当接シールの一実施例の当接仕上側の斜視図である。
【図８２ｂ】本発明の一態様による当接シールの一実施例の水側の斜視図である。
【図８２ｃ】図８３の一部の拡大図である。
【図８２ｄ】図８２の一部の拡大図である。
【図８６】図８２〜８５の当接シールを組み込むゲート・システムの分解図である。
【図８７ａ】上昇位置にあるゲートを示す、本発明の一実施例の横断面図である。
【図８７ｂ】下降位置にあるゲートを示す、図８７ａのゲートの横断面図である。
【図８８】本発明の一実施例による、収縮位置にある膨張式ダムの平面図である。
【図８９】本発明の一実施例による、収縮位置にある図８８の膨張式ダムの断面立面図である。
【図９０】前記膨張式ダムが膨張位置にある、図８８および８９の膨張式ダム上への水の流れを示す概略横断面図である。
【図９１】表面テクスチャ特徴がナップの分配に与える影響を示す、図８８〜９０の膨張式ダムの斜視破断図である。
【図９２】上昇位置にある、本発明の一実施例の断面立面図である。
【図９３】下降位置にある、図９２の実施例の断面立面図である。
【図９４】図９２および９３の実施例の、上流に面した立面図である。
【図９５】図９２、９３、および９４の実施例の一部の平面図である。
【図１０１】貯水側の、頭上を通行可能な（道路等）膨張式作動貯水装置を示す図である。図１０１ａは上昇構成を示す。図１０１ｂは下降構成を示す。
【図１０２】海（または嵐）の大波用の膨張式作動制水装置を示す図である。図１０２ａは平面図を示す。図１０２ｂは上昇構成を示す。図１０２ｃは下降構成を示す。
【図１０３】浮遊式に上昇可能な、頭上を通行可能な貯水要素を示す図である。図１０３ａは上昇構成を示す。図１０３ｂは下降構成を示す。
【図１０４】膨張式作動流出水ゲート・パネル装置（またはシステム）の複数の当接板（この場合、傾斜構成）を示す図である。
【図１０５】ナップ切断装置を作る材料により撓みが提供される、ナップ曝気装置を示す図である。図１０５ａは取り付けられていない状態の傾斜図を示す。図１０５ｂは取り付けられた状態の側面図を示す。
【図１０６】撓みが衝撃撓み要素により提供される、ナップ曝気装置を示す図である。
【図１０７】膨張式水ゲート・パネル・アクチュエータ装置と近接する基礎（この場合、ダム当接部）との間に位置する、目立たない抑制ストラップを示す図である。
【図１０７ａ】膨張式水ゲート・パネル・アクチュエータ装置と近接する基礎（この場合、ダム当接部）との間に位置する、目立たない抑制ストラップを示す図である。
【図１】
2006312874.tif 000003
【図２】
2006312874.tif 000004
【図３】
2006312874.tif 000005
【図４】
2006312874.tif 000006
【図５】
2006312874.tif 000007
【図６】
2006312874.tif 000008
【図７】
2006312874.tif 000009
【図８】
2006312874.tif 000010
【図９】
2006312874.tif 000011
【図１０】
2006312874.tif 000012
【図１１】
2006312874.tif 000013
【図１２】
2006312874.tif 000014
【図１３】
2006312874.tif 000015
【図１４】
2006312874.tif 000016
【図１５】
2006312874.tif 000017
【図１６】
2006312874.tif 000018
【図１７】
2006312874.tif 000019
【図１８】
2006312874.tif 000020
【図Ｂ１】
2006312874.tif 000021
【図Ｂ２】
2006312874.tif 000022
【図Ｂ３】
2006312874.tif 000023
【図Ｂ４】
2006312874.tif 000024
【図Ｂ５】
2006312874.tif 000025
【図Ｂ６】
2006312874.tif 000026
【図Ｂ７】
2006312874.tif 000027
【図Ｂ８】
2006312874.tif 000028
【図Ｂ９】
2006312874.tif 000029
【図Ｂ１０】
2006312874.tif 000030
【図Ｂ１１】
2006312874.tif 000031
【図Ｂ１２】
2006312874.tif 000032
【図Ｂ１３】
2006312874.tif 000033
【図Ｂ１４】
2006312874.tif 000034
【図Ｂ１５】
2006312874.tif 000035
【図Ｂ１６】
2006312874.tif 000036
【図Ｃ１】
2006312874.tif 000037
【図Ｃ２】
2006312874.tif 000038
【図Ｃ３】
2006312874.tif 000039
【図Ｃ４】
2006312874.tif 000040
【図Ｃ５】
2006312874.tif 000041
【図Ｃ６】
2006312874.tif 000042
【図Ｃ７】
2006312874.tif 000043
【図Ｃ８】
2006312874.tif 000044
【図Ｃ９】
2006312874.tif 000045
【図Ｃ１０】
2006312874.tif 000046
【図Ｃ１１】
2006312874.tif 000047
【図Ｃ１２】
2006312874.tif 000048
【図Ｃ１３】
2006312874.tif 000049
【図Ｃ１４】
2006312874.tif 000050
【図Ｃ１５】
2006312874.tif 000051
【図Ｄ１】
2006312874.tif 000052
【図Ｄ２】
2006312874.tif 000053
【図Ｄ３】
2006312874.tif 000054
【図Ｄ４】
2006312874.tif 000055
【図Ｄ５】
2006312874.tif 000056
【図Ｄ６】
2006312874.tif 000057
【図Ｄ７】
2006312874.tif 000058
【図Ｅ１】
2006312874.tif 000059
【図Ｅ２】
2006312874.tif 000060
【図Ｅ３】
2006312874.tif 000061
【図Ｅ４】
2006312874.tif 000062
【図Ｅ５】
2006312874.tif 000063
【図Ｅ５ａ】
2006312874.tif 000064
【図Ｅ６】
2006312874.tif 000065
【図Ｅ６ａ】
2006312874.tif 000066
【図Ｅ７】
2006312874.tif 000067
【図Ｅ８】
2006312874.tif 000068
【図Ｅ１１】
2006312874.tif 000069
【図Ｅ１２】
2006312874.tif 000070
【図６０ａ】
2006312874.tif 000071
【図６０ｂ】
2006312874.tif 000072
【図６０ｃ】
2006312874.tif 000073
【図６３】
2006312874.tif 000074
【図６４】
2006312874.tif 000075
【図６５】
2006312874.tif 000076
【図６６】
2006312874.tif 000077
【図６７】
2006312874.tif 000078
【図６８】
2006312874.tif 000079
【図６９】
2006312874.tif 000080
【図７０】
2006312874.tif 000081
【図７１】
2006312874.tif 000082
【図７２ａ】
2006312874.tif 000083
【図７２ｂ】
2006312874.tif 000084
【図７２ｃ】
2006312874.tif 000085
【図７２ｄ】
2006312874.tif 000086
【図７３】
2006312874.tif 000087
【図７４】
2006312874.tif 000088
【図７６】
2006312874.tif 000089
【図７７】
2006312874.tif 000090
【図７８】
2006312874.tif 000091
【図７９】
2006312874.tif 000092
【図８０】
2006312874.tif 000093
【図８１】
2006312874.tif 000094
【図８２ａ】
2006312874.tif 000095
【図８２ｂ】
2006312874.tif 000096
【図８２ｃ】
2006312874.tif 000097
【図８２ｄ】
2006312874.tif 000098
【図８６】
2006312874.tif 000099
【図８７ａ】
2006312874.tif 000100
【図８７ｂ】
2006312874.tif 000101
【図８８】
2006312874.tif 000102
【図８９】
2006312874.tif 000103
【図９０】
2006312874.tif 000104
【図９１】
2006312874.tif 000105
【図９２】
2006312874.tif 000106
【図９３】
2006312874.tif 000107
【図９４】
2006312874.tif 000108
【図９５】
2006312874.tif 000109
【図１０１】
2006312874.tif 000110
【図１０２】
2006312874.tif 000111
【図１０３】
2006312874.tif 000112
【図１０４】
2006312874.tif 000113
【図１０５】
2006312874.tif 000114
【図１０６】
2006312874.tif 000115
【図１０７】
2006312874.tif 000116
【図１０７ａ】
2006312874.tif 000117
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
膨張式ブラダ要素と、
前記膨張式ブラダ要素に反応する加圧流体入口要素と、
前記膨張式ブラダ要素が反応する膨張式ブラダ／基礎取付要素とを含み、
前記膨張式ブラダ要素が、少なくとも１つの円周方向に連続した、一体に隣接する内側ブラダ層を含み、該内側ブラダ層が、差し迫った流れの方向に水平且つ垂直な長手方向中心軸を有する据付膨張構成を有する、膨張式物品装置。
【請求項２】
前記少なくとも１つの円周方向に連続した、一体に隣接する内側ブラダ層が、補強ブラダ・プライである、請求項１に記載の膨張式物品装置。
【請求項３】
前記少なくとも１つの円周方向に連続した、一体に隣接する内側ブラダ層が、最も内側の補強ブラダ・プライである、請求項１に記載の膨張式物品装置。
【請求項４】
前記少なくとも１つの円周方向に連続した、一体に隣接する内側ブラダ層が、少なくとも１つのオーバフロー直交収縮ブラダ継目横断プライである、請求項１に記載の膨張式物品装置。
【請求項５】
前記少なくとも１つのオーバフロー直交収縮ブラダ継目横断プライが、少なくとも１つの継目横断補強プライである、請求項４に記載の膨張式物品装置。
【請求項６】
前記少なくとも１つの継目横断補強プライが、２つの継目横断補強プライである、請求項５に記載の膨張式物品装置。
【請求項７】
前記少なくとも１つの円周方向に連続した、一体に隣接する内側ブラダ層が、ブラダ膨張軸に平行であり、かつ垂直ベクトルが、保持された水の水平力成分にほぼ垂直である面内に位置する円周に沿って連続した層を含む、請求項１に記載の膨張式物品装置。
【請求項８】
前記膨張式ブラダに反応するゲート・パネル・ヒンジ・フラップ要素をさらに含む、請求項１に記載の膨張式物品装置。
【請求項９】
前記膨張式ブラダ／基礎取付要素が、膨張式ブラダ／基礎クランプ可能保持要素と、前記膨張式ブラダ／基礎クランプ可能保持要素が反応する膨張式ブラダ／基礎クランプ保持強化要素とを含む、請求項１に記載の膨張式物品装置。
【請求項１０】
前記膨張式ブラダ／基礎取付要素が、楔型膨張式ブラダ／基礎クランプ保持要素を含む、請求項１に記載の膨張式物品装置。
【請求項１１】
前記膨張式ブラダが、膨張式水ゲート・アクチュエータ・ブラダおよび膨張式ダムから構成される膨張式ブラダの群から選択された膨張式ブラダである、請求項１に記載の膨張式物品装置。
【請求項１２】
前記膨張式ブラダが、ドック・バンパおよび膨張式シールから構成される膨張式ブラダの群から選択された膨張式ブラダである、請求項１に記載の膨張式物品装置。
【請求項１３】
請求項５に記載の膨張式物品装置を含む、膨張式作動ゲート制水システム。
【請求項１４】
請求項５に記載の膨張式物品装置を含む、ゴム製ダム。
【請求項１５】
膨張式制水ブラダ要素と、
前記膨張式制水ブラダ要素に反応する加圧流体入口要素と、
前記膨張式制水ブラダ要素が反応する膨張式ブラダ／基礎取付要素とを含み、
前記膨張式制水ブラダ要素が、切迫した流れ方向に水平かつ垂直な、据付け膨張構成長手方向中心軸を有する少なくとも１つの一体に隣接する内側ブラダ層を含む、膨張式物品装置。
【請求項１６】
前記少なくとも１つの一体に隣接する内側ブラダ層が、補強ブラダ・プライである、請求項１５に記載の膨張式物品装置。
【請求項１７】
前記少なくとも１つの一体に隣接する内側ブラダ層が、最も内側の補強ブラダ・プライである、請求項１５に記載の膨張式物品装置。
【請求項１８】
前記少なくとも１つの一体に隣接する内側ブラダ層が、少なくとも１つのオーバフロー直交収縮ブラダ継目横断プライである、請求項１５に記載の膨張式物品装置。
【請求項１９】
前記少なくとも１つのオーバフロー直交収縮ブラダ継目横断プライが、少なくとも１つの継目横断補強プライである、請求項１８に記載の膨張式物品装置。
【請求項２０】
前記少なくとも１つの継目横断補強プライが、２つの継目横断補強プライである、請求項１９に記載の膨張式物品装置。
【請求項２１】
前記少なくとも１つの一体に隣接する内側ブラダ層が、ブラダ膨張軸に平行であり、かつ垂直ベクトルが、保持された水の水平力成分にほぼ垂直である面内に位置する円周に沿って連続した層を含む、請求項１５に記載の膨張式物品装置。
【請求項２２】
前記膨張式制水ブラダに反応するゲート・パネル・ヒンジ・フラップ要素をさらに含む、請求項１５に記載の膨張式物品装置。
【請求項２３】
前記膨張式ブラダ／基礎取付要素が、膨張式ブラダ／基礎クランプ可能保持要素と、前記膨張式ブラダ／基礎クランプ可能保持要素が反応する膨張式ブラダ／基礎クランプ保持強化要素とを含む、請求項１５に記載の膨張式物品装置。
【請求項２４】
前記膨張式ブラダ／基礎取付要素が、楔型膨張式ブラダ／基礎クランプ保持要素を含む、請求項１５に記載の膨張式物品装置。
【請求項２５】
前記膨張式制水ブラダが、膨張式水ゲート・アクチュエータ・ブラダおよび膨張式ダムから構成される膨張式制水ブラダの群から選択された膨張式制水ブラダである、請求項１５に記載の膨張式物品装置。
【請求項２６】
前記膨張式制水ブラダが、膨張式水ゲート・アクチュエータ・ブラダおよび膨張式ダムから構成される膨張式制水ブラダの群から選択された膨張式制水ブラダである、請求項１５に記載の膨張式物品装置。
【請求項２７】
据付け時に制水ゲート・パネル底縁部に取り付けられるように構成された、膨張式制水ブラダ要素と、
前記膨張式制水ブラダ要素に反応する加圧流体入口要素と、
前記膨張式制水ブラダ要素が反応する膨張式ブラダ／基礎取付要素とを含み、
前記膨張式制水ブラダ要素が、少なくとも１つのオーバフロー直交収縮ブラダ継目横断プライを含む、制水装置。
【請求項２８】
前記膨張式制水ブラダ要素が、一体に隣接する内側ブラダ層を含む、請求項２７に記載の制水装置。
【請求項２９】
前記少なくとも１つのオーバフロー直交収縮ブラダ継目横断プライが、少なくとも１つのオーバフロー直交継目横断補強プライである、請求項２７に記載の制水装置。
【請求項３０】
前記少なくとも１つのオーバフロー直交継目横断補強プライが、２つの継目横断補強プライである、請求項２９に記載の膨張式物品装置。
【手続補正書】
【提出日】平成18年10月2日(2006.10.2)
【手続補正１】
【補正対象書類名】図面
【補正対象項目名】全図
【補正方法】変更
【補正の内容】
【図１】
2006312874.tif 000118
【図２】
2006312874.tif 000119
【図３】
2006312874.tif 000120
【図４】
2006312874.tif 000121
【図５】
2006312874.tif 000122
【図６】
2006312874.tif 000123
【図７】
2006312874.tif 000124
【図８】
2006312874.tif 000125
【図９】
2006312874.tif 000126
【図１０】
2006312874.tif 000127
【図１１】
2006312874.tif 000128
【図１２】
2006312874.tif 000129
【図１３】
2006312874.tif 000130
【図１４】
2006312874.tif 000131
【図１５】
2006312874.tif 000132
【図１６】
2006312874.tif 000133
【図１７】
2006312874.tif 000134
【図１８】
2006312874.tif 000135
【図１９】
2006312874.tif 000136
【図２０】
2006312874.tif 000137
【図２１】
2006312874.tif 000138
【図２２】
2006312874.tif 000139
【図２３】
2006312874.tif 000140
【図２４】
2006312874.tif 000141
【図２５】
2006312874.tif 000142
【図２６】
2006312874.tif 000143
【図２７】
2006312874.tif 000144
【図２８】
2006312874.tif 000145
【図２９】
2006312874.tif 000146
【図３０】
2006312874.tif 000147
【図３１】
2006312874.tif 000148
【図３２】
2006312874.tif 000149
【図３３】
2006312874.tif 000150
【図３４】
2006312874.tif 000151
【図３５】
2006312874.tif 000152
【図３６】
2006312874.tif 000153
【図３７】
2006312874.tif 000154
【図３８】
2006312874.tif 000155
【図３９】
2006312874.tif 000156
【図４０】
2006312874.tif 000157
【図４１】
2006312874.tif 000158
【図４２】
2006312874.tif 000159
【図４３】
2006312874.tif 000160
【図４４】
2006312874.tif 000161
【図４５】
2006312874.tif 000162
【図４６】
2006312874.tif 000163
【図４７】
2006312874.tif 000164
【図４８】
2006312874.tif 000165
【図４９】
2006312874.tif 000166
【図５０】
2006312874.tif 000167
【図５１】
2006312874.tif 000168
【図５２】
2006312874.tif 000169
【図５３】
2006312874.tif 000170
【図５４】
2006312874.tif 000171
【図５５】
2006312874.tif 000172
【図５６】
2006312874.tif 000173
【図５７】
2006312874.tif 000174
【図５８】
2006312874.tif 000175
【図５９】
2006312874.tif 000176
【図６０】
2006312874.tif 000177
【図６１】
2006312874.tif 000178
【図６２】
2006312874.tif 000179
【図６３】
2006312874.tif 000180
【図６４】
2006312874.tif 000181
【図６５】
2006312874.tif 000182
【図６６】
2006312874.tif 000183
【図６７】
2006312874.tif 000184
【図６８】
2006312874.tif 000185
【図６９】
2006312874.tif 000186
【図７０】
2006312874.tif 000187
【図７１】
2006312874.tif 000188
【図７２】
2006312874.tif 000189
【図７３】
2006312874.tif 000190
【図７４】
2006312874.tif 000191
【図７５】
2006312874.tif 000192
【図７６】
2006312874.tif 000193
【図７７】
2006312874.tif 000194
【図７８】
2006312874.tif 000195
【図７９】
2006312874.tif 000196
【図８０】
2006312874.tif 000197
【図８１】
2006312874.tif 000198
【図８２】
2006312874.tif 000199
【図８３】
2006312874.tif 000200
【図８４】
2006312874.tif 000201
【図８５】
2006312874.tif 000202
【図８６】
2006312874.tif 000203
【図８７】
2006312874.tif 000204
【図８８】
2006312874.tif 000205
【図８９】
2006312874.tif 000206
【図９０】
2006312874.tif 000207
【図９１】
2006312874.tif 000208
【図９２】
2006312874.tif 000209
【図９３】
2006312874.tif 000210
【図９４】
2006312874.tif 000211
【図９５】
2006312874.tif 000212
【図９６】
2006312874.tif 000213
【図９７】
2006312874.tif 000214
【図９８】
2006312874.tif 000215
【図９９】
2006312874.tif 000216
【図１００】
2006312874.tif 000217
【図１０１】
2006312874.tif 000218
【図１０２】
2006312874.tif 000219
【図１０３】
2006312874.tif 000220
【図１０４】
2006312874.tif 000221
【図１０５】
2006312874.tif 000222
【図１０６】
2006312874.tif 000223
【図１０７】
2006312874.tif 000224
【図１０８】
2006312874.tif 000225
【図１０９】
2006312874.tif 000226
【図１１０】
2006312874.tif 000227
【図１１１】
2006312874.tif 000228
【図１１２】
2006312874.tif 000229
【図１１３】
2006312874.tif 000230
【図１１４】
2006312874.tif 000231
【図１１５】
2006312874.tif 000232
【手続補正書】
【提出日】平成18年10月2日(2006.10.2)
【手続補正１】
【補正対象書類名】明細書
【補正対象項目名】全文
【補正方法】変更
【補正の内容】
【発明の詳細な説明】
【技術分野】
【０００１】
本発明は、参照により本明細書に各々組み込まれている、２００１年７月９日付出願の米国仮出願第６０／３０４２６３号、２００１年１０月１３日付出願の米国仮出願第６０／３２９０９０号、２００１年１０月１８日付出願の米国仮出願第６０／３３４８７０号、２００１年１０月１９日付出願の米国仮出願第６０／３４３８３４号、２００２年５月９日付出願の米国仮出願第６０／３７９４０１号の恩恵を主張する。
【０００２】
本発明は、限定されないが、ダム余水路、水力発電プロジェクト、洪水制御構造、河川分流、用水路抑止構造、道路の水バリア、堤防の横断、駐車場の水バリアと組み合わせて使用される制水ゲートおよび制水用の膨張式ダム、そのための膨張式アクチュエータ、膨張式アクチュエータ一般、そのための補強エラストマー・ヒンジ、および、プレス、ダンネージ・バッグ、膨張式ジャッキ、折畳み式ホース等の装置用のアクチュエータ等の膨張式物品一般に関する。本明細書中で開示される膨張式アクチュエータには他の多くの適用があり、特に低コスト、長寿命、および信頼性が重要である。
【背景技術】
【０００３】
経済的な制水ゲートの開発について、種々の試みがなされている。多くの場合、最も経済的な制水ゲートは、空気作動底部ヒンジ留めゲートおよび膨張式ダムである。唯一の利点として、膨張式アクチュエータ圧力を調節することにより、複数の制水ゲートの位置を、無限に調節することができる。空気作動底部ヒンジ留めゲートおよび膨張式ダムに関する種々の特許が本出願に添付され、参照により本明細書に組み込まれている。従来技術に関する種々の他の材料も添付され、参照により本明細書に組み込まれている。一般に、油圧式または機械式ゲートは、特に、必要な関連する橋脚、装置プラットホーム、サービス・クレーン、および橋を構築する費用を考慮すると、前記の空気式ゲートおよび膨張式ダムよりも費用がかかる。膨張式ダムの従来の制限には、下流の折り目に発生する高い応力が含まれる。単一の平坦なシートから製造された膨張式ダムの場合、膨張式ダムが収縮構成にある状態で、エラストマー材料にこれらの応力が発生する。流れが揺動するように分離する角丸の可撓面に関連する流れ誘発振動と組み合わせて、ダム本体を曲げることによる、最外層の引張応力の組合せにより、破損が生じる。折り畳まれたシートとして製造された膨張式ダムの場合、ダム膨張時に、高い引張応力が、エラストマーのインナ・ライナと補強布の最も内側のプライとの両方に生じる。このような補強布の高応力のため、ナイロンの長期にわたる防水性がポリエステルに比べて劣るにもかかわらず、ナイロン等の伸び率の高い繊維を使用することが要求される。高応力は、一般に、安全率を低下させ、またはこのような膨張式ダムの総費用を増加させる。さらに、補強材の損傷が避けられても、エラストマーのインナ・ライナの高い引張応力によりひび割れが生じて、繊維補強材に空気漏れが生じる。この繊維補強材は他の場所で露出されるので、膨張式ダムから徐々に望ましくない空気損失が生じる。さらに、内側プライの圧力が増加することにより、ダム本体が長期にわたって酸素劣化し、外カバーが膨れやすくなる。
【０００４】
底部ヒンジ留め空気作動ゲートの従来の制限は、シールを特別に現場で嵌合する必要があること、着氷状態時に当接板を加熱する必要があること、および、２メートル以下等の低いダム高さ用のゲートの、利点に対する費用がやや高くなることである。すなわち、２メートル以下等の低いダム高さ用のゲートに関し、従来技術の設計は、一般に２つのカテゴリーに入る。第１のカテゴリーは、Ｏｂｅｒｍｅｙｅｒの米国特許第５０９２７０７号、Ｏｂｅｒｍｅｙｅｒの米国特許第５５３８３６０号、Ｏｂｅｒｍｅｙｅｒ他の米国特許第５７１３６９９号に記載されたもの等の設計である。この第１のカテゴリーの設計は、クランプ棒の下で継目を接合するための二次加硫プロセスを必要とする。二次加硫プロセス（さらなる第２の加硫プロセス）には余分な費用がかかり、これにより生じる継目は、本発明の少なくとも１つにより使用される単一段階加硫（１回のみの加硫プロセス）を使用して作られるものよりも信頼性が低い。さらに、前記二次加硫プロセスは、せいぜいクランプ棒の下でエラストマー・シールを提供するだけである。空気ブラダの膨張可能部分の周りの円周補強材の連続性は、二次加硫ステップでクランプ継目を結合しシールするだけでは達成することができない。Ｏｂｅｒｍｅｙｅｒの米国特許第５７０９５０２号に開示された楔型クランプ・システムの使用により、クランプ・システムの下の加硫継目は不要になるが、ダム高さが低くなるにつれてクランプ・システム自体がかなり高価なものになる。
【０００５】
クランプされた非加硫継目を持つ膨張式ダムと、加硫継目を持つ空気作動底部ヒンジ留めゲートとの両方に共通の欠点は、クランプ・システムにより圧縮されたエラストマーのクリープ現象である。各システムの適切な機能は、一般に、クランプによる十分な圧縮応力に依存して、空気漏れを防止する。圧縮応力が高くなるほど、関連する剪断応力も高くなり、クリープ率が増加する。したがって、このようなクランプを堅く締めるほど、締め直しが必要になる頻度が高くなる。適切な維持には、漏れまたはシステムの故障を発生させる不十分な締めと、高いクリープ率およびシステムの故障につながる過度の締めとの入念なバランスが必要となる。
【０００６】
従来の膨張式ダムは、越水状態時に振動を受ける。ナップを曝気して、フィンの寸法を変化させることにより、または別個のフィンを設けることにより、フィンを残す試みがなされている。このような緩和的な方法があっても、ある流れ状態では、振動が依然として問題となる。
【０００７】
さらに、従来技術の空気作動底部ヒンジ留めゲートおよび膨張式ダムと組み合わせて最も一般的に使用される空気継手は、据付け時に保護を必要とし、鋭利に機械加工された縁部を含む。複数の空気ブラダが出荷用に積み重なっている場合、または長い膨張式ダムを巻き上げる前にこのような継手を据え付けようとする場合に、これらの空気継手の鋭利な縁部は、隣接する空気ブラダを損傷させ、または貫通する。
【０００８】
さらに、現存するシステムの空気作動底部ヒンジ留めゲートおよび膨張式ダムは、一般に、下降位置または収縮位置で、車両または歩行者の交通に十分に合わせたものにはなっていない。従来の底部ヒンジ留め制水ゲートには、凹凸のヒンジと補強リブとが装着されているが、これにより水流を遮断することはできず、危険を生じさせ、車両または歩行者の交通に対する障壁ともなり得る。
【０００９】
従来の底部ヒンジ留め制水ゲートは、抑制ストラップも組み込んでおり、この抑制ストラップは下降したゲート・パネルの真下から突出する。前記抑制ストラップが突出していると、歩行者の交通にとって危険である。このような突出する抑制ストラップは、車両の交通によって損傷を受けることがある。さらに、この抑制ストラップの突出は、交通が設計基準ではない場合でも、ある制水の適用には望ましくない。
【００１０】
従来の底部ヒンジ留め道路および歩道水バリアが、機械式ヒンジを使用する場合があるが、この機械式ヒンジは水漏れおよび腐食を受ける。また、機械式アクチュエータを使用する場合があるが、この機械式アクチュエータは腐食を受ける。さらに、このような機械式ヒンジは正確な整合を必要とするため、費用がかかる。
【００１１】
浮袋（膨張式ジャッキ）、ドック・バンパ、ホース、膨張式ダム、および余水路ゲート・アクチュエータ等の膨張式物品は、一般に、２つの方法のうちの１つにより製造される。第１の方法では、内部マンドレルまたはツールを使用して、角丸の縁部を持つ内面を画定する。この方法は、マンドレルまたはツールを取り外す開口をシールするための二次結合動作または特別な装置を必要とする。第２の方法では、内部を単に平坦に折り曲げることができ、内面は剥離フィルムにより結合しないようになっている。これにより、膨張状態でインナ・ライナの過度の応力集中が生じ、補強材が多層であるため、補強材の層の間で非常に不均一な荷重分割が生じる。第３の方法は、共晶塩、アルミニウム、張り子等の３次元可溶性マンドレルを使用する。このタイプの可溶性マンドレルは高価であり、時間がかかり、塩の場合には非常に壊れやすい。
【００１２】
従来の余水路および航行ダム・ゲートは、個々のアクチュエータを備え、または、場合によっては、作業ボートまたは頭上のケーブル・ホイストから１つずつ上昇位置および固定位置へ持ち上げられる。ボートまたは索道によりゲートを頭上から持ち上げるには、非常に熟練したオペレータによる危険な作業が必要である。個々のアクチュエータは、プロジェクトによっては費用がかかりすぎる。堤防の代わりに作動制水ゲートを非常に長期間にわたって使用するには、現存するシステムでは桁外れな費用がかかることが多い。
【００１３】
従来の余水路ゲートは、ナップ切断装置を使用して、少量の越水状態で振動を防止することが多い。このようなナップ切断装置は、一般に鋼製であり、冬期の氷の流れにより損傷を受けやすい。
【発明の開示】
【発明が解決しようとする課題】
【００１４】
本発明の目的は、輸送および据付けが容易で、冬期の作業の際に加熱した当接板を必要としない、低いダム高さ用の現在の制水ゲートの低コストの代替品を提供することである。本発明の別の目的は、一実施例において、ゲート・システムに過度の危険または損傷を与えることなく、その上を車で走行したり歩行したりすることのできるゲート・システムを提供することである。本発明の別の目的は、長距離に架けるのに適した低コストの洪水制御バリアを提供することである。
【課題を解決するための手段】
【００１５】
本発明の少なくとも１つによれば、例えば品質管理の目的で、余水路または特別な試験備品に固定する必要なしに膨張することのできる空気ブラダが提供される。
【００１６】
本発明の別の態様によれば、前記空気ブラダは補強材のプライを含み、このプライは、継目を除いて、前記膨張した空気ブラダの周囲に連続し、前記空気ブラダの膨張部分と前記空気ブラダのクランプ部とを接続する継目を横切る。空気ブラダが加圧されて、クランプがまだ据え付けられていないか、または堅くクランプされていないときに、連続した補強材の前記プライにより、クランプ棒の下に延びる補強材の結合層の剥離が防止される。一部の従来の設計で生じる剥離は、構造上の完全性を低下させ、漏れを生じさせる。
【００１７】
本発明の別の態様では、空気ブラダを単一段階加硫プロセスで加硫することができ、二次加硫ステップは必要ない。この単一段階加硫により、構造全体の完全性が向上し、製造コストを最小化することができる。
【００１８】
本発明の別の態様によれば、空気ブラダを、例えば単純な矩形のクランプ棒によりダム余水路に固定することができる。この単純な矩形のクランプ棒は、安価で、据え付けやすく、代替クランプ・システムよりも必要なスペースが小さい。このようなゲート・システムを後付けする現存の余水路のスペースは、非常に限られている。
【００１９】
本発明の別の態様によれば、空気ブラダは、適合する内部パネル・シールおよび当接シールを装着する正確に成形された端部を備え、最小の据付け時間で、漏れのないアセンブリを作り出す。
【００２０】
本発明の別の態様によれば、前記クランプ棒の下流面にぴったりと一致する一体型ヒンジ・フラップが設けられる。このような構成により、ヒンジ・フラップとクランプ棒との間の砂または砂利の閉込めが避けられる。ヒンジ・フラップとクランプ棒との間に閉じ込められた砂および砂利は、ある時間にわたってゲート・システムを作動させる間に、ヒンジ・フラップに損傷を与え、またはクランプ棒から防食剤を除去する。
【００２１】
本発明の別の態様によれば、空気ブラダは、損傷を与える突出部または損傷を受ける突出部のない空気継手を備える。これは、本明細書中で開示されるように、膨張式空気ブラダの下部膜内に完全に含まれる継手により達成される。
【００２２】
本発明の別の態様によれば、前記空気継手は、一般に円盤状であり、中央に位置する貫通孔にあるパイプねじ山等の接続部を特徴とする。
【００２３】
本発明の別の態様によれば、前記空気継手は、補強布の方向への望ましくない変化を制限する先細の外形を特徴とする。補強布の方向への過度の変化により、補強材の層が互いに剥離し、または埋め込まれた空気継手から補強材が外れる。
【００２４】
本発明の別の態様によれば、空気継手は、継手が前記補強布を切断するのを防止する、角丸の外縁部を特徴とする。
【００２５】
本発明の別の態様によれば、エラストマー内での空隙の形成が回避され、補強コードと空気継手との直接の接触が回避されるように、前記角丸の外縁部の半径が十分に小さくなっている。
【００２６】
本発明の別の態様によれば、空気継手は（一部または全体が）、加硫中に前記膨張式ブラダのエラストマー本体に結合する材料から作られ、またはこの材料で被覆される。
【００２７】
本発明の別の態様によれば、前記空気継手は真鍮から作られる。
【００２８】
本発明の別の態様によれば、内部パネル・シールは横断面に曲げを備えて据付け時の可撓性を高め、隣接するゲート・パネル間の距離が、平面図で湾曲した、余水路上等のゲート作動角度と共に変化する。
【００２９】
本発明の別の態様によれば、関連する空気ブラダのクランプ縁部と同一または同様の外形を持つ内部パネル・シールが設けられる。このようにして、内部パネル・シールおよび空気ブラダは、同一のクランプ構成を持つダム余水路に同時に固定される。
【００３０】
本発明の別の態様によれば、関連する空気ブラダのクランプ縁部と同一または同様の外形を持つ当接シールが設けられる。このようにして、当接シールおよび空気ブラダは、同一のクランプ構成を持つダム余水路に同時に固定される。
【００３１】
本発明の別の態様によれば、エラストマー当接シールは、ポリエチレンまたはＰＴＦＥ等の結合低摩擦磨耗面を備える。
【００３２】
本発明の別の態様によれば、ポリエチレンの磨耗面が、ＥＰＤＭ（エチレン−プロピレン−ジエン−メチレンゴム）を含む補強エラストマーと共加硫される。
【００３３】
本発明の別の態様によれば、ポリエチレンの磨耗面が、ＥＰＤＭおよびクロロブチル（Ｃｈｌｏｒｏｂｕｔｙｌ）を含む混合物から構成される補強エラストマーと共加硫される。
【００３４】
本発明の別の態様によれば、熱伝導性および氷付着性の低い当接板が設けられる。
【００３５】
本発明のさらに別の態様によれば、前記当接板が、多数の留め具を備え、ポリエチレン等の材料の低熱膨張係数および高熱膨張係数により生じる座屈（反りを含む）を防止するように、比較的厚くなっている。
【００３６】
本発明の別の態様によれば、留め具の間隔と厚さとの比は、約２０対１以下であり、好ましくは１２対１未満（おそらく８対１）である。このようにして、直射日光に当たる際の当接板の座屈が避けられる。一般に、当接板の後側で漏れ通路が開くため、座屈は望ましくない。この漏れ通路は、当接板材料のクリープまたは破片の詰まりのため、再び完全に閉じることはできない。また、隣接するゲート・パネルおよびシール・アセンブリの自由な走行を妨げるため、座屈は望ましくない。
【００３７】
本発明の別の態様によれば、留め具が前記当接板の面の下方へ凹む。
【００３８】
本発明の別の態様によれば、留め具が、ポリエチレン・プラグまたは車体充填材のような材料で覆われて、ゲート当接シールが走行する平滑面を残す。
【００３９】
本発明の別の態様によれば、シーラントの配置および保持を可能にするように、複数の当接板部分の各々の周囲に溝が設けられる。
【００４０】
本発明の別の態様によれば、当接板材料が、カーボンブラック等の暗色顔料を含み、ソーラ・ヒーティングを促進させ、ポリエチレン等のポリマーに損傷を与える紫外線放射を遮断する。
【００４１】
本発明の別の態様によれば、当接板材料が超高分子量（ＵＨＭＷ）ポリエチレンである。
【００４２】
本発明の別の態様によれば、当接板が高密度ポリエチレンから構成される。
【００４３】
本発明の別の態様によれば、当接板が、熱伝導性が低く当接板に剛性を与えるガラス繊維等の補強材を組み込む。
【００４４】
本発明の別の態様によれば、加熱したシール・アセンブリまたは他の加熱手段（または、おそらく発熱体）を、前記低熱伝導性当接板に関連するゲート・パネルに取り付けて、共に移動させることができる。
【００４５】
本発明の別の態様によれば、折り畳まれた「収縮」位置で加硫されるが、下流縁部の内側に沿った所定の有限内側半径を特徴とする膨張式ダムが設けられる。この内側半径は、例えば、取り外し可能なツール、可溶性ツールにより形成することができ、または製造後に定位置に残る押出成形エラストマー形材により形成することができる。
【００４６】
本発明の別の態様によれば、制水ゲートまたはゴム製ダム本体のための膨張式アクチュエータ等の膨張式物品のクランプされていない縁部は、エラストマー形材を組み込み、このエラストマー形材は、押出成形され予備硬化された後に、一部が膨張式物品の内側周縁部に結合される。このエラストマー形材は「涙滴型」であり、中央を通る孔を特徴とする。この孔を使用して、製造中に形材を配置させることができ、またはこの孔を潰れにくい空気供給マニホルドとして使用することができる。エラストマー形材は膨張式物品の内側に一側に沿って結合され、角丸の面および反対の平坦側は結合されないままになっている。このようにして、形材により束縛されることなく、物品を膨張させることができる。さらに、成形された通りの望ましい角丸形状が膨張式物品の内部に与えられ、同一の目的で使用されるツールを取り外す必要がなくなる。前記形材の一部が、例えばゴム接着剤で選択的に結合され、または、製造に使用される化合物および方法に従って、剥離フィルムまたは剥離剤を使用して選択的に結合しないようにする。
【００４７】
一部のプロジェクトの経済状態では、ゲート・パネルごとに個々のアクチュエータを使用することができない。したがって、本発明の目的は、単純な手動式ゲートの経済状態を維持しながら、個々のゲート・アクチュエータを持つ高価なシステムの安全遠隔作動能力を提供する、制水ゲート・システムを提供することである。
【００４８】
本発明のさらなる目的は、大規模なゲートにも経済的な構築方法を提供することである。
【００４９】
本発明の別の目的は、道路、歩道、または道路床面として働くゲート・パネルを提供することである。
【００５０】
本発明の別の目的は、容易かつ信頼性のある空気作動に備え、しかも車両および歩行者の交通のための平滑で安全な上面を提供する制水ゲート・システムを提供することである。
【００５１】
本発明の別の目的は、広範囲のゲート高さについて経済的な構築方法を提供することである。
【００５２】
本発明の別の目的は、時間と費用のかかる現場での整合手順を要する精密回転軸受を必要とすることなく、高定格荷重を有するゲート・ヒンジ機構を提供することである。
【００５３】
本発明の別の目的は、流体、粒子、または汚染物質がヒンジ・アセンブリを通過するのを防止するシールとして働くヒンジ機構を提供することである。
【００５４】
本発明の別の目的は、ヒンジ機構を腐食性流体またはガスから保護し、かつヒンジ機構を研磨粒子または損傷粒子から保護する可撓性バリアを提供することである。
【００５５】
本発明のさらなる目的は、２つのヒンジ留めされた物体間の剪断荷重を、結合化学接続により、可撓性ケーブル、コード、または繊維要素から剛性要素へ伝えることのできるヒンジを提供することである。
【００５６】
本発明のさらなる目的は、前記結合化学接続が弾性接続であり、応力集中を低下させてアセンブリの能力を最適化し、不整合を吸収し、損傷なく動荷重を吸収するのに役立つ。このような弾性接続は、ＥＰＤＭ、ブチルゴム、天然ゴム、スチレンブタジエンゴム、ニトリルゴム、クロロプレンゴム、またはこれらの混合物等の加硫可能なエラストマーを使用して製造することができる。
【００５７】
本発明のさらなる目的は、ヒンジの角度設計限界内でのヒンジ軸を中心とした回転にはほとんど抵抗しないが、ヒンジ軸に垂直な面のあらゆる方向の荷重に抵抗するように、かつヒンジ軸に平行な剪断荷重に抵抗することができるように、可撓性の、好ましくは撚りコード、ケーブル、または他の手段を構成することである。
【００５８】
本発明のさらなる目的は、好ましくはゴムまたは他のエラストマーに埋め込まれた一方向タイヤ・コード布のストリップ等の、事前に組み立てられたコード群を使用することである。
【００５９】
本発明のさらなる目的は、転がり接触領域に、剛性ヒンジ要素と可撓性要素との非結合ゾーンを提供することである。
【００６０】
本発明のさらなる目的は、転がり接触ゾーンと可撓性要素が逆転する縁部との両方に、可撓性コード要素に隣接する平滑な角丸の縁部を提供することである。
【００６１】
本発明のさらなる目的は、好ましくは、支持用の約５０％の固体材料分、および前記可撓性要素の逆曲げの巻付き用の約５０％の長孔長さ分だけ、可撓性要素が巻き付く剛性要素の部分に頑強な機械的支持を提供することである。
【００６２】
本発明のさらなる目的は、硬質の金属またはセラミック面を必要とせず、エポキシ、ポリエステル等の基材中の炭素繊維、アラミド繊維、セラミック繊維、またはガラス繊維等の軽量繊維補強複合材から剛性要素を製造することができる、低摩擦かつ低磨耗の頑強なヒンジ機構を提供することである。
【００６３】
本発明のさらなる目的は、収縮した空気ブラダを通して圧縮軸受荷重を伝えることにより、下降したゲート・パネルに機械的支持を提供することである。
【００６４】
本発明のさらなる目的は、水の自由な流れを妨げる沈殿物、破片、または他の固形物の閉込めを防止するように、制水ゲートと組み合わせて平滑上面を提供することである。
【００６５】
本発明のさらなる目的は、筏、カヤック、およびカヌーの通行等の娯楽としての水の使用に危険を及ぼすことのない、平滑面を提供することである。
【００６６】
本発明のさらなる目的は、水泳施設およびアミューズメント・パークの水を使う出し物の利用者に平滑で安全な面を提供することである。このような平滑面は、ＥＰＤＭ、ブチルゴム、天然ゴム、スチレンブタジエンゴム、ニトリルゴム、またはこれらの混合物等の加硫可能なエラストマーから成形することができる。
【００６７】
本発明のさらなる目的は、研磨および磨耗による汚染を受ける摺動面を必要としない、小型の密閉ヒンジ機構を提供することである。
【００６８】
本発明のさらなる目的は、空気ブラダが過度の磨耗または摩擦なしで摺動することのできる、コンクリート・ゲート・パネルの底部に固定された平滑面を提供することである。このような平滑面は、例えば適宜のコンクリート・アンカと組み合わせてＵＨＭＷポリエチレンから製造することができる。
【００６９】
本発明のさらなる目的は、膨張した空気ブラダが過度の磨耗または摩擦なしで周りを摺動することのできるゲート・パネルの上流縁部の下に、平滑な低摩擦隅部を提供することである。このような隅部は、例えばナイロンまたはＵＨＭＷポリエチレンの棒から製造することができる。
【００７０】
本発明のさらなる実施例は、道路または歩道内の取付要素にヒンジで取り付けられ、前記ゲート・システムの関節パネルの下に配置された膨張式アクチュエータにより作動される関節ゲートを提供することである。膨張式アクチュエータには、据付け後にシムが入れられ、下降したゲート・パネルから基礎スラブへ下方に圧縮荷重を伝える。大規模な据付けでは、好ましくは、ゲート・パネルが鉄筋コンクリートの代わりに構築される。これにより、重いゲート・パネルを現場まで輸送する必要がなくなるだけでなく、製造後に完成したゲート・パネルを再配置する必要もなくなる。
【００７１】
本発明の別の態様は、抑制ストラップが、隣接する空気ブラダの端部間と、オプションとして、空気ブラダ隣接当接部とこれらの当接部との間に配置される、制水ゲート・システムを提供することである。この構成により、抑制ストラップと組み合わせて大型の低圧空気ブラダを同時に使用することが可能になる。この抑制ストラップは、前記ゲート・パネルが完全に下降位置にあるときにゲート・パネルにより覆われ保護されたままとなるのに十分な短さである。大型の低圧空気ブラダは、これを使用することにより、一般に関連するヒンジ・アセンブリでの反力を減少させ、ゲート・パネル荷重を減少させ、かつ前記空気ブラダ自体の内部の荷重を減少させる点で、一般に望ましい。
【００７２】
本発明の別の態様は、例えば空気ブラダが製造される材料と同様のエラストマー材料から作られたダミー・インサートをクランプ・システム内に設けて、前記空気ブラダが切頭形になって抑制ストラップ用の間隙を提供する位置で、空気ブラダを交換することである。場合によって、隣接する空気ブラダの膨張半径と組み合わせて、製造された通りの形状で提供される半径は、前記抑制ストラップに十分な間隙を提供することができる。
【００７３】
本発明のさらなる目的は、堤防を通過する鉄道の場合等、洪水レベルより下方に位置する線路のための洪水保護バリア手段（または、おそらく洪水保護バリア要素）を提供することである。すなわち、本発明は、下にある基礎により膨張式アクチュエータを通して支持されるゲート・パネルに取り付けられて支持されるレールを考慮している。
【００７４】
本発明の別の態様は、ゲート・パネルおよびそのレール部分が上昇するにつれて、固定レール上を摺動することのできるレールの関節部分を提供することである。
【００７５】
本発明のさらなる目的は、例えば、場所打ちポリウレタンの平滑面を、平坦ではないゲート・クランプ・システム上に提供することである。
【００７６】
本発明のさらなる目的は、カバー板を使用して、ゲートのヒンジ留め角度の上方移動に必要な、ヒンジ上方の間隙上に、平滑面を提供することである。前記カバー板は、一縁部でヒンジにより固定され、ゲートが上下するにつれて摺動するように、他縁部で支持される。好ましい構成は、ゲート・パネルに枢動可能に取り付けられ、ゲート・パネルが上昇するにつれてクランプ領域上へ上流方向に摺動可能なカバー板を提供することである。
【００７７】
本発明のさらなる目的は、個々のゲート・パネル間のシール漏れが重大な問題にならないような、十分に大きなゲート・パネルを提供することである。
【００７８】
本発明の別の態様は、遠隔乾燥位置から安全に位置決めされ操作される可動アクチュエータである。単一のアクチュエータを使用して、大量の個々のゲート・パネルまたは部分を、例えば連続して持ち上げることができる。持上げ後、各ゲート・パネルまたは部分は、安価な機械支柱、ラッチ、または引張部材等により上昇位置に保持される。これらの抑制手段は、高い上流レベル、またはゲートにかかる増加した静水荷重に自動的に反応して解放するように設計される。
【００７９】
一部の洪水制御の適用では、好ましくは、ゲート・パネルが鉄筋コンクリートの代わりに構築され、これにより、現場に輸送する必要がなくなるだけでなく、おそらくゲート・パネルを製造時にすべて一度に再配置または持ち上げる必要がなくなる。
【００８０】
本発明の一実施例の別の態様は、関連するヒンジ要素を前記ゲート・パネルに組み込むように、コンクリート・ゲート・パネルを鋳造することである。ヒンジ留め具の費用、および完成したゲート・パネルにヒンジを固定するのに必要な労力を省くことができる。
【００８１】
本発明の別の態様は、氷の流れによる損傷に耐える可撓性ナップ切断装置（またはエアレータ）を提供することである。この可撓性ナップ切断装置は、例えば補強エラストマーから製造することができる。
【００８２】
本発明のさらなる態様は、可撓性ナップ切断装置としても働く、垂直に延びる内部パネル・シールまたは当接シールを提供することである。
【００８３】
以下の図面は、１つまたは複数の実施例にのみ関するものであり、本発明、実施例、特許請求の範囲、または要素を限定するものではないことに注目されたい。本発明のその他の目的、利点、および能力は、以下の図面と組み合わせて説明を読み進めるにつれて明らかになろう。
【実施例】
【００８４】
本発明の少なくとも１つの実施例は、少なくとも１つの実施例でエラストマーであり、かつ膨張式物品（膨張式物体、装置、構造、または製品を定義するのに使用する一般的な用語）の膨張時に膨張式物品の内面に固定されたままとなる押出成形形材またはインサート等の膨張ブラダ応力低下装置を使用する。この構成により、製造プロセス中に外形付けツールまたはマンドレルを除去または溶解する必要がなくなる。（しかし、要素が溶解または除去されるときに一時的にのみインサートとして働くにもかかわらず、要素がインサートと呼ばれることにより、要素があらゆる場合にインサートとして働くために、膨張式装置からのインサートの除去または溶解が妨げられることがないことが望ましい場合には、インサートは実際に（単に力により）除去可能である（または溶解可能である））。涙滴型の押出成形形材上の一面は、一般には、ほぼ細長の、ほぼ横断面が涙滴型の、収縮ブラダ折り目膜インサート要素（少なくとも一実施例では部分２で示される）、または膨張応力除去インサート２（すなわち、単なる応力除去インサートまたは長手方向インサート要素）と呼ばれるが、膨張式物品の内面の一部（内側収縮ブラダ折り目膜面の一部）８に結合されたままとなる。一方、湾曲面９と残りの面７（平坦である）とは、例として剥離フィルムを使用することにより、剥離剤を使用することにより、または結合剤を使用しないことにより、製造中に結合しないようになっている。本明細書中で説明全体を通して使用されるエラストマー（ｅｌａｓｔｏｍｅｒｉｃ）という語は、１０％以上の弾性限界を有するものと定義され、これは、少なくとも１０％の可逆性の伸び率を持つ（すなわち、１０％未満の伸び率は塑性変形を生じない）ことを意味する。これに関連して、ブラダという語は、内部加圧時に実質的に膨張する（すなわち、空気金属酸素タンク等の、ある加圧可能だが非膨張式の物品の、ほんの僅かな膨張を超えて膨張する）装置を含むものであることを理解することが重要である。要素がエラストマーであると限定されているが、すべての可能な伸長方向に弾性である必要はなく、少なくとも一方向のみでよい。実際に、エラストマー材料は、結果として生じる製品が少なくとも一方向のみに弾性であれば、エラストマーでない材料を含むことができる。
【００８５】
（前記２のような）符号の部分へのすべての参照は、参照により明確にしたい部分または要素の一例のみを示すものであることを理解することが重要である。参照は、参照部分または要素が、所望の機能を果たすのに十分な唯一の形状、大きさ、タイプ、または構成であることを示すのではなく、所望の作業を適切に行う部分または要素、あるいは要素として適切に働き機能する部分または要素の一例として単に示すものである。ほぼ細長の、ほぼ横断面が涙滴型の、収縮ブラダ折り目膜インサート要素２（または、単に膨張応力除去インサート要素もしくは応力除去インサート要素）が、最小の収縮ブラダ折り目膜曲率半径増加要素として動作する。涙滴型（断面が）という語は広範囲の形状を示すものであり、唯一必要なのは、涙滴の一部がほぼ湾曲し、涙滴の他側では２本の線がほぼ交差している（交差が点である必要はない）ことである。さらに、涙滴型という語は、（１つの横断面軸を中心に対称であるものに加えて）、横断面軸を中心に対称になっていない涙滴をも含むものである。ほぼ細長という語は、単独で、または他の同様に隣接配置された要素と組み合わせて、最大横断面幅よりも長い要素を含み、まっすぐな要素および湾曲した要素も含む。要素という語は、１つの図示したタイプの構造等のみを含むものではなく、複数の図示したタイプの構造等を含むものであることに注目することが重要である。例えば、ほぼ細長の、ほぼ横断面が涙滴型の、収縮ブラダ折り目膜インサート要素は、一縁部に沿った１つのインサートおよび第２の縁部に沿った第２のインサートとすることができる。この語の要素の意図した使用は、本出願全体を通して当てはまる。
【００８６】
収縮ブラダ折り目は、膨張式物品が収縮するときに膨張式膜に現れる複数の折り目の１つである。この語は、収縮構成に折り畳まれて、膨張構成でも存在する膨張式膜の一部を示し、この状況では、収縮構成で折り畳まれる膜部分を示す。この定義によるアプローチは、内部加圧流体が膨張構成で収縮折り目膜に加える応力の性質、大きさ、および集中を左右するのが収縮折り目の横断面形状および大きさであるため、正確に行われる。実際に、収縮折り目膜の曲率半径が小さくなるほど、膨張構成での膜の応力が大きくなることが予想される。さらに、収縮折り目膜が、収縮構成のすべての横断面湾曲のうちで最も鋭利であり、この曲げが、加圧内部流体が再構成しなければならず、そこから加圧物品を逸らさなければならない弛緩構成を示す場合、収縮折り目膜は、一般に、過度の内圧による破損を受けやすくなる。この理由の１つは、結果としての膨張形状が、弛緩した収縮構成から最も大きく逸れていることである。本発明の少なくとも１つの実施例では、最小の収縮ブラダ折り目膜曲率半径増加要素が、膨張式ブラダ（または膨張式ブラダ要素）の最も脆弱な領域、すなわち収縮ブラダ折り目膜の破損を、膨張状態で収縮折り目膜の曲率半径を増加させることにより、また収縮状態でこれを増加させることにより、防止するか、少なくとも遅らせることを求める。これに関連し、急な横断面収縮ブラダ湾曲の一つの原因は、各々小さい曲率半径を持つ急な折り目を必ず（または意図的に）含む収縮したほぼ平坦な構成で、ブラダを加硫する製造方法であると考えられる。これに関連し、本発明の少なくとも１つの実施例の収縮構成では、ほぼ細長の、ほぼ横断面が涙滴型の、収縮ブラダ折り目膜インサート要素２を、収縮ブラダ収納促進要素とすることができる。これは、インサート要素２により、ブラダの収縮構成の製造が可能になり（インサート２がなければ、容認できないほど急な、膨張の失敗を生じさせる折り目になるため、不可能である）、収縮構成に弛緩してほぼ同様の予測可能な収縮構成を想定するブラダとなるからである。さらに、ほぼ細長の、ほぼ横断面が涙滴型の、収縮ブラダ折り目膜インサート要素２は、膨張した外形の収縮ブラダ折り目（収縮構成にある）が、当接する、または隣接収納される収縮ブラダ（コイル内にあるものとして）から生じる圧力、または収縮ブラダに近接する物品の配置から生じる圧力に耐えることができるという点で、収納を促進する働きをする。インサート２がなければ（または、収縮折り目膜が増加した最小曲率半径を有するように確実に一致しなければ）、収納圧力（例えばコイルから生じる）により、収縮折り目膜に対して構造上の損傷が生じる。これに関連して、所望の膨張式物品形状を作り出すために、一部の製造プロセスでは非線形の折り目が作られることを理解することが重要である。
【００８７】
再び、本出願の図面または説明は、少なくとも１つの実施例のものであって、本発明、実施例、特許請求の範囲、または要素を限定するものとして読むべきではない。図１は、このような膨張式物品の破断図である。膨張式膜３は、ほぼ細長の、ほぼ横断面が涙滴型の、収縮ブラダ折り目膜インサート要素（押出成形部材または押出成形品である）２に巻き付く。ホース（一般には、加圧流体輸送装置）４により事前成形形材１を通して空気が供給される。少なくとも１つの実施例では、インサート要素２はエラストマーであるが、他の適宜の材料（ポリマー等）も本発明の主題の範囲内にあると考えられる。
【００８８】
図２は、図１に示す膨張式物品の破断平面図である。膨張式膜３が押出成形部材２を囲む。好ましくは、押出成形部材２は、膨張式物品３ａの周囲に延びる。隅部材（ほぼ横断面が涙滴型の、収縮ブラダ隅部折り目膜インサート要素とも呼ばれる）１は、隅部の膨張応力を除去する働きをする。隅部材１を通して、またはチューブ、ホース、もしくは隔壁型継手等の他の手段により、あるいは後述する改良された継手を通して、空気または他の流体が導入される。
【００８９】
ほぼ細長の、ほぼ横断面が涙滴型の、収縮ブラダ折り目膜インサート要素は、複数の部分を含むものと考えられる。すなわち、インサート要素は、ほぼ細長の、平滑に横断面が湾曲した、半円筒形の、内側収縮ブラダ折り目膜面接触可能要素（収縮構成で半円筒形の内側折り目膜に接触可能なインサートの表面部分）と、ほぼ細長の、平滑に横断面が湾曲した、半円筒形の、内側収縮ブラダ折り目膜面接触可能要素に反応する、２つのほぼ対向する、ほぼ平面の、内側収縮ブラダ折り目隣接膜面接触可能要素１００６と、前記２つのほぼ対向する、ほぼ平面の、内側収縮ブラダ折り目隣接膜面接触可能要素に反応する、内側収縮ブラダ折り目隣接膜面接触可能要素交差頂点要素と、前記ほぼ細長の、平滑に横断面が湾曲した、半円筒形の、内側収縮ブラダ折り目膜面接触可能要素、前記２つのほぼ対向する、ほぼ平面の、内側収縮ブラダ折り目隣接膜面接触可能要素、および前記内側収縮ブラダ折り目隣接膜面接触可能要素交差頂点要素の各々の内側に設定される、収縮ブラダ折り目膜インサート要素本体要素とを含む。ほぼ細長の、平滑に横断面が湾曲した、半円筒形の、内側収縮ブラダ折り目膜面接触可能要素９は、内側収縮折り目膜面に接触する、半円筒形の部分である（この円筒形は円形断面のみに限定されない）。要素９は、少なくとも収縮構成で内側収縮ブラダ折り目膜面が接触する平滑な横断面湾曲も有する。２つのほぼ対向する、ほぼ平面の、内側収縮ブラダ折り目隣接膜面接触可能要素１００６は、内側収縮折り目膜１００７に隣接１００８する内側収縮ブラダ膜の面に接触するように、各々構成される（一般に、これらの面は収縮ブラダ折り目膜に沿って延びる）。波形面は、すべての湾曲が横断面で平滑であれば、ほぼ平面である（各要素がほぼ平面であり、２つの要素が必ずしもほぼ同一面にあるわけではないことに注目されたい）。２つの要素は、面が互いに傾斜していても、ほぼ対向する。内側収縮ブラダ折り目隣接膜面接触可能要素交差頂点要素は、ほぼ直線（湾曲していても）の２つの内側収縮ブラダ折り目隣接膜面接触可能要素の、頂点における交差部である。すべての面接触可能要素は、インサートの表面に位置するインサートの部分を示すことに注目されたい。収縮ブラダ折り目膜インサート要素本体要素は、他の前記したインサート部分の内側に設定される。収縮ブラダ折り目膜インサート要素は、面接触可能要素（および、内側膜面に接触する、または接触しない交差頂点要素）の内側の構造が明らかにある場合のみを含むのではなく、インサート要素の所要の構造上の剛性が、例えば中空インサートの強力材料面接触可能要素（および交差頂点要素）により提供される場合も含む。この場合、面接触可能要素はまさに強力材料の面である。収縮ブラダ折り目膜インサート要素本体要素は、中空インサートの場合、内層面材料である。
【００９０】
図２の横断面３−３が図３に示される。押出成形形材２（２つのほぼ対向する、ほぼ平面の、内側収縮ブラダ折り目隣接膜面接触可能要素の１つの大部分の表面部で）は、内側収縮ブラダ折り目膜面３の部分１００５（この部分は、収縮ブラダ折り目隣接膜面である）に面８に沿って結合（または付着）されるが、面７に沿っては結合されず、また円弧面９に沿っても結合されない。２つのほぼ対向する、ほぼ平面の、内側収縮ブラダ折り目隣接膜面接触可能要素の１つの大部分の表面部が、収縮ブラダ折り目隣接膜面（すなわち、折り目曲げ自体の内側膜）に付着可能であることに注目されたい。孔５、一般には、長手方向空隙を使用して、長手方向空隙を囲む収縮ブラダ折り目膜インサート要素１００９を介して膨張式物品の周囲に膨張ガスまたは流体を送ることができる。したがって、インサート要素は、圧縮流体を輸送可能な、長手方向空隙を囲む収縮ブラダ折り目膜インサート要素である。前記ガスまたは流体は、連続孔５から通気孔６を通って外へ流れる。通気孔は、インサート要素１００９に見られる長手方向空隙に流体反応する、ブラダ内部から長手方向空隙への流体輸送孔と呼ぶこともできる。
【００９１】
異なるタイプの膨張式物品は、異なる数および構成の収縮ブラダ折り目膜に沿った応力除去インサートを有する。例えば、流体運搬ホース１０１０、膨張式エラストマー・ダム１０１１、膨張ホース１０１０、膨張式ジャッキ（膨張時に物品を持ち上げるのに使用されるタイプの装置）、ドック・バンパ、膨張式制水ゲート・パネル（おそらく、膨張式底部ヒンジ留め水ゲート・パネル）アクチュエータ装置１０１２、ダンネージ・バッグ、および膨張式シール（膨張時にシールするタイプの装置）の各々の膨張式ブラダは、例として、２つの長手方向にほぼ平行な収縮ブラダ折り目膜に沿って、４つの矩形に配置された収縮ブラダ折り目膜に沿って、１つの平滑な連続した（２つの例として円形または楕円形）収縮ブラダ折り目膜に沿って、１つの収縮ブラダ端部折り目膜および１つの端部折り目膜に直交する２つの平行な収縮ブラダ折り目膜に沿って、応力除去インサートを有する。膨張式エラストマー・ダムおよび膨張式水ゲート・パネル（おそらく、膨張式底部ヒンジ留め水ゲート・パネル）アクチュエータ装置は、さらに（代替実施例で）、１つのオーバフロー直交長手方向（長さを有することを意味する）収縮ブラダ折り目膜と、１つのオーバフロー直交長手方向収縮ブラダ折り目膜および２つの平行なオーバフロー整合収縮ブラダ端部折り目膜とに沿って、応力除去インサートを有する。オーバフロー直交（またはオーバフロー整合）という語は、オーバフローが生じたときに、オーバフローの方向に直交する（または整合する）方向を示すように定義される。膨張式水ゲート・パネル・アクチュエータ膜１０１３は、ゲート・パネルの上流前縁部（図１４参照）またはゲート・パネルの下流前縁部（図１０８参照）を中心に水ゲート・パネルを回転させるように構成される。
【００９２】
図４、５、６、および７は、外部ホースを内部応力除去形材に合わせる、オプションの事前成形エラストマー継手１を示す
【００９３】
図８は、膨張式物品３ａに対する応力除去形材２の位置を示す、収縮状態にある膨張式物品３ａの横断面を示す。
【００９４】
図９は、応力除去形材２が前記膨張した物品の内側に固定された、膨張状態にある前記膨張式物品３ａを示す。
【００９５】
ある用語の定義に関し、ドック・バンパ要素は、単にドック・バンパの膨張可能部分であり、膨張式シール要素は、単に膨張式シールの膨張可能部分であり、膨張式ジャッキ要素（例えば、平滑な周囲またはほぼ矩形とすることができる）は、単に膨張式ジャッキの膨張可能部分である。
【００９６】
図１４は、本発明による空気余水路ゲートの横断面図である。除去溝２３が設けられて、空気継手２４を中空の応力除去押出成形品２に接続する。ゲート・パネル２４がヒンジ保持装置２６によりヒンジ・フラップ２５に固定される。
【００９７】
応力除去インサート１０１４は、製造プロセス（加硫等）後に、力により、または溶解により取り外すことができ（取り外し可能な収縮ブラダ折り目膜インサート要素等）、最終の膨張式製品に残らないが、この形材を製造後に保持し、収縮構成にある収縮折り目膜の最小曲率半径が、確実に一致するインサートを使用しない場合よりも大きくなり、したがって収縮折り目膜の膨張応力が膨張時よりも小さくなるようにするという意図をもって、製造プロセス（加硫等）中に収縮ブラダ折り目に確実に一致するように使用されることを理解することが重要である。このような確実一致膨張式ブラダ装置１０１５は、強度強化膨張式ブラダ装置と呼ぶことができ、最小曲率半径１０１７の膨張ブラダ応力低下が著しく増加するように確実に一致する、少なくとも１つの確実一致膨張応力低下（分配）収縮ブラダ折り目膜要素１０１６を含み、収縮ブラダ折り目近接膜形材（収縮ブラダ折り目近くのブラダ膜の形材）１０１８は、約３０度以上の収縮構成空隙形材点角度１０２０を示す。最小曲率半径１０１７の膨張ブラダ応力低下が著しく増加するように確実に一致する、収縮ブラダ折り目膜要素１０１６を、溶解可能または取り外し可能なインサートを使用して確実に一致させて、収縮ブラダ折り目膜１０１６の最小曲率半径１０１７を、収縮ブラダ折り目で破損を生じさせる膨張圧力が顕著に、または機能的に著しく増加する点まで増加させる。ブラダ構造は、収縮ブラダ折り目膜の最小曲率半径の増加により、収縮ブラダ折り目近接膜形材１０１８の収縮構成空隙形材点角度１０２０を増加させ、取り外し可能または溶解可能な応力除去インサートを使用して収縮ブラダ折り目膜を確実に一致させることにより、この点角度１０２０を約３０度以上にするものである。重要なのは、強度強化膨張式ブラダ装置が、単一段階加硫中に製造されることである。確実に一致する収縮ブラダ折り目に関連する製造プロセスは、膨張式ブラダ破損抵抗強化方法と呼ばれ、長手方向除去要素を溶解して除去する（または単に除去する）ステップを含む。この長手方向除去要素は、溶解を促進するために、２つの例として、共晶塩応力除去要素またはアルミニウム応力除去要素とすることができる。応力除去インサートに関連する方法は、応力除去インサートが除去されるか溶解されるかにかかわらず、膨張式ブラダ破損抵抗強化方法と呼ばれる。膨張式水ゲート・パネル・アクチュエータ要素（または膨張式ゲート・パネル・アクチュエータ要素）という語を使用して、水ゲート・パネルを作動させるのに使用する膨張式ブラダを示すことができることに注目されたい。水ゲート・パネル・アクチュエータ要素（またはゲート・パネル・アクチュエータ要素）は、水ゲート・パネル（余水路ゲート、水路、または堰ゲート等の他の制水ゲートに加えて、頭上を交通可能なゲートを含む）を作動させるあらゆるタイプのアクチュエータ（空気式、油圧式等）を示す。
【００９８】
図１０は、収縮状態にある膨張式エラストマー・ダムを示す。膨張式エラストマー・ダム・ブラダ３は、膨張式ダム／基礎取付要素（または膨張式膜／基礎取付要素）により固定される。この取付要素は、上流端部１０で部分１１ａ、１１ｂ、１１ｃ、１１ｄ、および１１ｅから構成される楔型クランプ保持要素１０２１（または楔型膨張式膜（またはブラダ）／基礎クランプ保持要素）、あるいはほぼ平坦１０２２な膨張式膜／基礎クランプ可能保持要素１０２２、およびコンマ型インサート２１を含む膨張式膜／基礎クランプ保持強化要素１０２３を含む取付要素を含む。さらに、加圧流体入口要素２４を加えて、物品を作動可能にする。インサート・プライ１２は、外被がゼロのまたは不十分な外部クランプ力で膨張する場合の引裂きまたは漏れを防止する。フィン（または膨張式エラストマー・ダム頭上流れ偏向フィン、またはオーバフロー偏向フィン）１４は、頭上の流れをエラストマー・ダムから逸らせることができ、同一半径（膨張ブラダの半径）で補強層１６の内側に設定された応力除去インサート１５を含む突出部である。（膨張式物品の）どの補強層も、補強ブラダ・プライまたは補強層と呼ばれ、例えば、ケブラー、ナイロン、ポリエステル等の繊維または布材料、あるいは撚りコード、ワイヤ・ロープ、編みロープ、編布、または織布を含み、いずれもエラストマー材料に埋め込まれるかエラストマー材料で覆われる。フィン１４の補強材１６によりフィン１４の強度および剛性が増加する。最小ブラダ折り目膜曲率半径が、膨張式エラストマー・ダム頭上流れ偏向フィン（実際には、頭上流れ偏向フィン近接ブラダ折り目膜と呼ばれる）と同一半径で、このフィンの内側に生じるように、フィンが設定される。応力除去インサートが取り付けられ、または増加した最小曲率半径を有するように確実に一致した膨張式膜は、流れ偏向フィン近接内部ブラダ部分と呼ばれ、約３０度以上の空隙形材点角度だけでなく、ほぼ円弧状の内部ブラダ湾曲１０２４および角丸の内向き湾曲１０１７も示す。これは、例えば、ブラケット（｝）の右側の点１０２６で生じる極度の応力集中により、収縮ブラダ折り目がブラケット（｝）型１０２５を有するように見える鋭利な折り目を有する設計の改良を示す。関連する方法は、膨張式エラストマー・ダム破損抵抗強化方法と呼ばれる。
【００９９】
図１１は、膨張構成にある図１０の膨張式ダムを示す。膨張式膜３は、フィン１４および応力除去押出成形品２を定位置に保持する。クランプ１７が膨張式ダムを余水路１８に対して保持する。ブラダ膜３の内面は、収縮膜３が応力除去インサート２に一致するように形成されていない場合に生じる応力集中がないことにより、安全な応力限界およびひずみ限界内にあるように設計される。基礎または余水路１８の凹部１８ａにより、インサート２および１５を含む前記膨張式ダムの肉厚下流部分が、収縮構成で基礎１８に対して平坦に位置することができる。
【０１００】
図１２は、「コンマ」型インサート２１および引裂防止補強材１２と組み合わせて単純な矩形クランプ１８を使用する、膨張式ダムの別の実施例を示す。応力除去形材２およびフィン・インサート１５を含む膨張式膜３の肉厚部分が、余水路２２の凹部内に位置する。ナット２０がクランプ１８をアンカ・ボルト１９上に保持する。膨張式ダムとの空気接続部２４は、収縮膜３の上下部間に空気用の間隙を提供する成形溝２３により、中空の押出成形品２に接続される。膨張式ダムは、空気供給継手２４に接続された真空システムにより、内圧を大気圧未満に低下させて収縮するときに、流れ誘発振動損傷を受ける傾向が少ない。これにより、膜３がインサート２に密着し、従来の設計による損傷の問題があるとして知られる位置で、より堅固な構造が生じる。
【０１０１】
図１３は、膨張構成にある、図１２に示すものと同様の膨張式ダムを示す。インサート２１がクランプ棒１８に確実に係合する。段部２２が余水路１８上に見られる。前記段部２２により、膨張式ダムが下側から連続して支持され、前記膨張式ダムの上面のレベル外形が維持される。
【０１０２】
製造プロセスに関し、押出成形製造という語は１タイプの押出成形製造プロセスを使用することを示し、成形製造という語は１タイプの型製造プロセスを使用することを示す。
【０１０３】
図１５は、図１４に示す余水路ゲートの収縮空気ブラダ（または収縮膨張式制水ブラダ要素）を示す。インサート部材２１は、平坦部２８の上流に位置する。平坦部２８を通る孔２９により、図１４のクランプ棒１１８による組立てを行うことができる。水ゲート・パネル・ヒンジ・フラップ（またはゲート・パネル・ヒンジ・フラップ要素）２５の拡大部２７は、ヒンジ・フラップが図１４のヒンジ保持装置２６の下から引き出されるのを防止する。引裂防止層１２（または円周方向に連続した、一体に隣接する内側ブラダ層）は、クランプされていない状態または緩くクランプされた状態で膨張式アクチュエータ・ブラダ２０３が破裂するのを防止する。これは、おそらくループ１０３０を作って取付要素を支持する外側ブラダ層の通路をたどる代わりに、引裂防止層１２が、延びたループを形成して取付要素１０３２を支持する上下据付け構成ブラダ層間の当接継目１０３１を横切るという点による。内側ブラダ層という語は、最も外側のブラダ層以外のすべての層を示すことに注目されたい。円周方向に連続した、一体に隣接する内側ブラダ層は、ブラダ膨張軸（主な膨張の、通常は据付け時に垂直な軸）に平行であり、かつ垂直ベクトルが、保持された水の水平力成分（オーバフロー方向）のほぼ垂直である面内に位置する円周（円形である必要はない）に沿って連続した（すなわち、別の部分の周りに続けてループを作らないときに、当接継目１０３１を形成しない）層を含む。引裂防止層は、最も内側の補強ブラダ・プライ１０３３とすることができ、かつ／または少なくとも１つのオーバフロー直交（または上流もしくは下流）収縮ブラダ継目横断プライ１０３４（おそらく少なくとも１つの補強プライ、および／または、おそらく上流および下流を意味するオーバフロー直交収縮ブラダ継目横断プライ）とすることができる。一体に隣接する内側ブラダ層は、切迫した流れ方向に水平かつ垂直な、据付け構成での長手方向中心軸（すなわち、据付け膨張構成長手方向中心軸）１０３５を有する。制水ブラダ要素は、据付け時に制水ゲート・パネル底縁部に取り付けられるようになっており、これは、制水ブラダ要素を制水ゲート・パネル縁部（据付け構成では底縁部）に取り付けることができることを単に意味する。ゲート・パネル・アクチュエータ／基礎取付要素１０３２（または膨張式膜／基礎取付要素もしくは膨張式ブラダ／基礎取付要素）は、図１５に示すように平坦なクランプ可能部分であるゲート・パネル・アクチュエータ／基礎クランプ可能保持要素（または、おそらく膨張式ブラダ／基礎クランプ可能保持要素）１０２２と、少なくとも１つの実施例でコンマ型クランプ保持強化要素２１であるゲート・パネル・アクチュエータ／基礎クランプ保持強化要素（または、おそらく膨張式ブラダ／基礎クランプ保持強化要素）１０２３とを有するものとして図１５に示されるが、ゲート・パネル・アクチュエータ／基礎取付要素１０３２は、図１０に示すように楔型ゲート・パネル／アクチュエータ・クランプ保持要素（または楔型ブラダ／基礎クランプ保持要素）１０２１としてもよい。ゲート・パネル・アクチュエータ／基礎取付要素は、その名称から提示されるように、水ゲート・パネル・アクチュエータ装置全体を、例として、余水路（図１０４の１０３５）、道路基礎、流路基礎、洪水路基礎等の基礎に取り付けるのに役立つ。ゲート・パネル・アクチュエータ装置は、加圧流体入口要素をさらに含む。少なくとも１つの水ゲート・パネル、およびおそらく過度の水ゲート・パネル回転防止要素と共に、膨張式水ゲート・パネル・アクチュエータ装置（底部がヒンジ留めされている）は膨張式作動水ゲート・パネル・システムを含む。
【０１０４】
膨張式物品強度強化方法も、本発明の技術の範囲内にあると考えられる。このような方法の１つは、少なくとも１つの補強膨張可能内層（例えば、可撓性繊維補強エラストマー層）１０３６を設定して、連続して隣接する垂直平面周囲（一体に隣接された内側ブラダ層とも呼ぶ）１０３３を有するステップと、膨張式物品端部（長手方向ブラダ部の端部を形成する）を設定するステップと、補強膨張可能内層１０３６の外側の、補強膨張可能内層１０３６に直接接触する少なくとも１つの補強膨張可能外層１０３７（外層は、最内層以外のすべての層として定義される）の一部のみを設定するステップと、加圧流体入口要素２４を設定して、少なくとも１つ補強膨張可能内層１０３６と少なくとも１つの補強膨張可能外層１０３７の一部とを通して流体通行ポート１０３８を生成するステップと、少なくとも１つの補強膨張可能外層１０３９の残りの部分を、少なくとも１つの補強膨張可能内層１０３６から層分岐ライン１０３９（前記当接継目に一致する）に沿って分岐するステップと、少なくとも１つの補強膨張可能外層１０４１の少なくとも残りの部分を持つ膨張式ブラダ／基礎取付要素１０４０を設定するステップとを含む。
【０１０５】
応力除去インサート２を、中央を通る空気供給孔を使って、または使わずに使用することができる。膨張中に応力除去インサート２から分離しなければならない膨張式外被の一部は、例えば水溶紙、シリコン被覆ナイロン剥離フィルムまたは布等の手段により、または結合剤を使用しないことにより、加硫中に結合しないようになっている。
【０１０６】
図２１では、孔５を含む応力除去インサート２が、位置８で剥離プライ２０６に結合され、剥離プライ２０６はインナ・ライナ２１０に結合される。インナ・ライナ２０７には補強プライ２０８、２０９が結合され、次に外カバー２１０が結合される。応力除去インサート２は、領域８を除いて結合されないままとなる。
【０１０７】
図２２は、膨張構成にある図２１の横断面を示す。
【０１０８】
図２４は、図２５の余水路ゲートの収縮空気ブラダを示し、インサート部材２１は平坦部２８の上流に位置する。平坦部２８を通る孔２９により、図２５のクランプ棒１１８による組立てを行うことができる。ヒンジ・フラップ（または水ゲート／膨張式水ゲート・アクチュエータ取付要素）２５の拡大部２７は、ヒンジ・フラップがＢ７のヒンジ保持装置２６の下から引き出されるのを防止する。押出成形形材２、２１、２７を通る孔５は、製造プロセスの組立て段階中に、前記押出成形形材を位置決めするのに使用される配置ワイヤを収容する。
【０１０９】
図２５は、本発明により製造された膨張式アクチュエータ・ブラダ２０３を使用してダム余水路１８に取り付けられた、空気余水路ゲート・システムの横断面を示す。除去溝２３が、空気継手２４を中空の応力除去押出成形品２に接続する。ゲート・パネル２４が、ヒンジ保持装置２６によりヒンジ・フラップ２５に固定される。膨張式アクチュエータ・ブラダ２０３は、クランプ棒１１８によりダム余水路３０にクランプされる。
【０１１０】
図２６は、図２５のＡ−Ａ断面であり、空気供給溝２３が膨張式物品膜３の内面１１９に成形される。
【０１１１】
図１６は、図１４のＡ−Ａ断面で膨張式膜３に成形された空気供給溝２３を示す。
【０１１２】
図７８、図７０、図７１は、本発明の一実施例による空気ブラダの横断面を示す。クランプ部８６１が、例えば単純な矩形の鋼クランプ棒によりダム余水路に固定される。空気ブラダ８５３の垂直面８６５が成形されて、ヒンジ・フラップ８６２の移動範囲全体を通して前記クランプ棒にぴったりと一致する。このようにして、前記クランプ棒とヒンジ・フラップ８６２との間の砂および砂利の閉込めが避けられ、前記空気ブラダ８５３の寿命を長くすることができる。膨張式キャビティ８６６は、ほぼ位置８６６ａまで上流へ延びる。好ましくは、補強材は、流れ方向および空気ブラダの軸から約５４度４４分の方向にある。前記コード角度であれば、前記空気ブラダが加圧中に伸長または収縮する著しい傾向は見られない。前記補強コード・プライは、好ましくは、左手および右手の対で使用される。前記空気ブラダの膨張可能部分は、好ましくは、前記空気ブラダの全周の右手方向および左手方向に、ほぼ前記の角度で、継目での十分な重なりを含む連続した補強材を有する。図示した構成では、前記補強材の３つのプライがすべて共に作用して、この必要性を満たす。プライ８０７は、前記空気ブラダを第１の方向へ補強するのに役立つ。プライ８０７は、膨張式キャビティ８６６を取り囲み、これに重なって接合管状形状を形成する。プライ８０８は、前記空気ブラダを第２の方向へ補強するのに役立つ。プライ８０８の上下部は、クランプ部８６１に渡って延び、したがって上流インサート８２１の周りへ延び、平坦なクランプ部８６１の下流へ戻り、ヒンジ・フラップ８６２を渡って延び、ヒンジ・フラップ・インサート８２７の周りへ延び、ヒンジ・フラップ８６２を渡って上流へ戻り、クランプ部８６１を渡ってさらに上流へ延び、インサート２１近くで終端する。プライ８０７、８０８は共に、プライ８０８がクランプ部８６１の下で上流へ延びる不連続部を除いて、膨張式キャビティ８６６の周りに連続補強を提供する。前記プライ８０７、８０８は、クランプ部６１が堅くクランプされるときに、膨張式キャビティ８６６を十分に補強する。クランプされていない状態または緩くクランプされた状態で十分な補強を提供するために、プライ８６０を加えて、膨張式キャビティ８６６の上流端でプライ８０８と同一のプライ方向に連続補強を提供することができる。このようにして、前記空気ブラダは、クランプされることなく安全に膨張され、ダム余水路に緩く締結されることによる初期破損を受けることがない。
【０１１３】
図１７および図１８は、本発明による膨張式ホースを示す。応力除去インサート２を使用して、前記ホースの製造を促進し、深海浸入時等の高い外圧状態下で前記ホースが完全に崩壊するのを防止する。前記完全な崩壊は、応力除去インサート２のない従来技術の平坦なホースに損傷を生じさせる応力を加える。膨張式ホースという語は、膨張ホース（膨張特性により機械圧力印加装置として働くことができる）だけでなく、流体輸送ホースをも含むように定義される。この流体輸送ホースの主な機能は流体を送ることであり、膨張に関しては単に付随的なものであるが、それにもかかわらず膨張が生じる（通常は、例えば膨張ホースの程度まで行かないとしても）ので、膨張式ホースの群として含まれるのが妥当である。両タイプのホース、およびそれに関するすべての膨張式物品を加圧可能物品と呼ぶことができる。
【０１１４】
流体輸送ホース１０１０は、加圧流体をある方向に加圧して輸送するのに役立つ流体輸送要素１０４２と、加圧流体入口要素と、輸送された加圧流体の流出を可能にする別個の（所与の時点で入口要素と異なることを意味する）加圧流体出口要素とを一部として含む。膨張ホースは、膨張ホース要素１０４２（十分に加圧されると、ホースを膨張させて外圧を加え、または外側膨張式膜を変位させる）と、加圧流体出口要素としても働く加圧流体入口要素とを含む。
【０１１５】
本発明の技術の別の態様は、膨張式ブラダ／基礎クランプ１１８（膨張式ブラダ／基礎取付要素１０４０のクランプ可能保持要素１０２２をクランプする）の当接面１０５１にぴったりと一致するように構成された、（膨張式水ゲート・パネル・アクチュエータ装置の）一体型水ゲート・パネル・ヒンジ・フラップ１０５０である。前置きとして、一体型水ゲート・ヒンジ・フラップは、水ゲート・パネル・アクチュエータ装置と一体の、ゲート・パネルを水ゲート・パネル・アクチュエータ装置に取り付ける要素として働くフラップであり、一体型水ゲート・パネル・ヒンジ・フラップ取付要素と呼ばれる。基本的に、一体型水ゲート・パネル・ヒンジ・フラップ１０５０は、オーバフロー直交垂直膨張式ブラダ／基礎クランプ面当接隅部増強縁部要素１０５２を含み、この要素１０５２は、膨張式ブラダ／基礎クランプ１１８のオーバフロー直交（例えば下流）垂直面１０５１に当接する隅部１０５３を有するように増強された縁部要素である。この縁部要素は、オーバフロー直交垂直膨張式ブラダ／基礎クランプ面１０５１のほぼすべての近接部に当接するように構成される。関連する方法は、一体型水ゲート・パネル・ヒンジ・フラップ取付要素１０５０の上縁部を隅部増強して、オーバフロー直交垂直膨張式ブラダ／基礎クランプ面１０５１に一致させるステップを含む。
【０１１６】
膨張式物品製造方法は、膨張式ブラダ製造フレーム２１１に反応する曲げ抵抗収縮ブラダ折り目生成促進要素２０１（収縮ブラダ折り目を生成するためにエラストマー材料層を周りで曲げる堅い支持部として働く）を設定するステップと、曲げ抵抗収縮ブラダ折り目生成促進要素２０１の周りで少なくとも１つのエラストマー層２０７の少なくとも一部を折り畳んで、少なくとも１つの最も内側のブラダ層２０７（促進要素と層との接触は不要）を生成するステップと、対向して面する最内層１０６０を生成するステップと、対向して面する最内層１０６０の隣接を防止する（一例として、綿または他の非付着性シート２０６の最内層間に挿入して、加圧流体の流入によりキャビティを膨張させる）ステップと、少なくとも１つの生成されたエラストマー折り目から曲げ抵抗収縮ブラダ折り目生成促進要素２０１を除去するステップとを含む。曲げ抵抗という語は、曲げ抵抗収縮ブラダ折り目生成促進要素の長さに直交して生じる曲げ（曲げ抵抗収縮ブラダ折り目生成促進要素の周りでエラストマー層を急に曲げることを求める製造プロセス（おそらく手動プロセス）の圧力により生じる）に対する抵抗を示すことに注目されたい。定義されたように曲げに抵抗するために、曲げ抵抗収縮ブラダ折り目生成促進要素は、曲げに関連するすべての撓みまたは変位に抵抗できる必要はなく、完成したブラダ製品の完全性および形状を損なう量のみに抵抗できればよい。
【０１１７】
曲げ抵抗収縮ブラダ折り目生成促進要素は、ほぼまっすぐな曲げ抵抗収縮ブラダ折り目生成促進要素２０１であり、伸張可能ワイヤ（ケーブル）の曲げ抵抗収縮ブラダ折り目生成促進要素２０１であってもよく、伸張可能棒の曲げ抵抗収縮ブラダ折り目生成促進要素１０６１であってもよく、金属製の曲げ抵抗収縮ブラダ折り目生成促進要素２０１であってもよい。曲げ抵抗収縮ブラダ折り目生成促進要素を伸張させるステップは、収縮ブラダ折り目生成促進要素を手動または自動で伸張させるステップを含む。伸張は、単独で、または別の方式による張力生成に加えて、油圧式で（自動的でもそうでなくてもよい）達成することもできる。少なくとも２つの曲げ抵抗収縮ブラダ折り目生成促進要素を設定するステップは、少なくとも２つの平行な曲げ抵抗収縮ブラダ折り目生成促進要素１０６２を設定するステップを含み、このステップは、ほぼ細長の、ほぼ横断面が涙滴型の、収縮ブラダ折り目膜インサート２を、少なくとも２つの平行な曲げ抵抗収縮ブラダ折り目生成促進要素１０６２の少なくとも１つの周りに設定するステップと、ブラダ／基礎クランプ保持強化インサート１０２３（ブラダを基礎へクランプ保持するのを強化するのに役立つインサート）を、少なくとも２つの平行な曲げ抵抗収縮ブラダ折り目生成促進要素１０６２の別の少なくとも１つの周りに設定するステップとを含む。この方法は、パネル／パネル・アクチュエータ要素クランプ保持強化インサート１０６５（水ゲート・パネルを膨張式とすることができるアクチュエータ要素へクランプ保持するのを強化するのに役立つインサート）を、少なくとも２つの平行な曲げ抵抗収縮ブラダ折り目生成促進要素１０６２の別の少なくとも１つの周りに設定するステップをさらに含む。少なくとも２つの平行な曲げ抵抗収縮ブラダ折り目生成促進要素１０６２を設定するステップは、少なくとも４つの矩形に構成された曲げ抵抗収縮ブラダ折り目生成促進要素１０６７を設定するステップを含む（このステップは、より平行な（または他の方向を向いた）曲げ抵抗収縮ブラダ折り目生成促進要素を生成するステップを加えるのを妨げないことに注目されたい）。一般的な方法は、ほぼ細長の、ほぼ横断面が涙滴型の、収縮ブラダ折り目膜インサート要素２を、曲げ抵抗収縮ブラダ折り目生成促進要素の少なくとも一部の周りに設定するステップをさらに含み、このステップは、曲げ抵抗収縮ブラダ折り目生成促進要素２０１の周りで少なくとも１つのエラストマー層２０７の少なくとも一部を折り畳むステップの前に行われる。一般的な方法は、クランプ保持促進インサート要素１０６８（クランプ部が受ける力に対向するある種の障害を設けることにより、クランプ保持または要素を強化するのに役立つインサート）を、曲げ抵抗収縮ブラダ折り目生成促進要素２０１の少なくとも一部の周りに設定するステップをさらに含む。このステップは、曲げ抵抗収縮ブラダ折り目生成促進要素２０１の周りで少なくとも１つのエラストマー層２０７の少なくとも一部を折り畳むステップの前に行われる。
【０１１８】
図１９では、剛性フレーム２１１がワイヤ２０１を位置決めし、このワイヤ２０１は締付け要素２０４によりぴんと張った状態になる。図では、インナ・ライナ２０７に結合される剥離プライ２０６がワイヤ２０１に固定される。開口２１２が剥離プライ２０６の４隅の各々に残って、インナ・ライナ２０７が剥離層２０６に結合し、膨張式物品の各隅部でシールを形成できるようになっている。第１の補強プライ８が、後からインナ・ライナ２０７に巻き付き、次に第２の補強プライ２０９、その次に外カバー２１０が巻き付く。
【０１１９】
図２０では、応力除去インサート２がワイヤ２０１上に位置決めされる。膨張式膜３が応力除去インサート２の周りにぴったりと巻き付く。
【０１２０】
図２３では、ワイヤ２０１が剥離プライ２０６を位置決めし、剥離プライ２０６は、次のプライが加えられる矩形の箱形を画定する。剥離プライ２０６が隅領域２１２内に延びていないため、前記隅領域２１２は、結合して閉鎖され、加硫プロセス中に永久シールを提供することに注目されたい。
【０１２１】
図２７では、縁部画定ワイヤ２１２が縁部画定ワイヤ２０１に取り付けられ、縁部画定ワイヤ１の撓みを制限するように構成される。
【０１２２】
図２８では、支持フレーム２１１が締付け手段２０４により固定されたワイヤ２０１を位置決めする。３本の平行なワイヤ２０１のセット２２９は、図２４に示すヒンジ・フラップ・インサート２７等の補助装備を配置することに備える。
【０１２３】
図２９では、単一のワイヤ・ロープ２２８を使用して、膨張式物品２１８の４つの縁部すべての配置制御が行われる。空気シリンダ等の締付け手段（または、おそらく張力要素）３０４を固定アタッチメント２１４と組み合わせて使用して、ワイヤ・ロープ２２８を張った状態に維持する。リング２２３を使用して、ワイヤ・ロープ２２８の隣接走路を膨張式物品２１８の隅部２２６で接続する。
【０１２４】
図３０では、膨張式物品２１８が型３１４内に配置される。型３１４の溝３１５を使用して、位置決めワイヤ２０１（他の図）が孔５から引き出された後に、応力除去インサート２を型内の定位置に維持するのを助ける。あるいは、溝３１５と同様の溝をそのような型の片側のみに設けてもよい。あるいは、傾斜縁部を持つ膨張式物品３１８の平坦面に幾分連続して接触する平坦なツールを使用することができる。
【０１２５】
図３１では、バイアス・プライ補強層２２２が前記ワイヤ２０１の周りで折り畳まれる前に、前記補強層２２２がワイヤ２０１に対して定位置にある状態を示す。
【０１２６】
図３２では、標準的な両頭ホース・ニップル等の空気継手２１６がチューブ２１７上に配置され、チューブ２１７はワイヤ２１０上に配置される。これを使用して、空気継手２１６を膨張式物品３１８に対して正確な位置に固定することができる。
【０１２７】
頭上交通に対応する貯水装置は、膨張式貯水要素アクチュエータ要素２０００（例えば膨張式アクチュエータ）と、膨張式貯水要素アクチュエータ要素が反応する、横断面が拡大した膨張式アクチュエータ／基礎クランプ保持改良要素２００１（楔型膨張式アクチュエータ／基礎クランプ保持要素１０２１であってもよく、または、例として、円形横断面形状（コンマ型等）の膨張式アクチュエータ／基礎クランプ保持強化要素インサート２１を含んでいてもよい）を含む膨張式アクチュエータ／基礎取付要素１０３２と、膨張式貯水要素アクチュエータ要素２０００に反応する頭上交通可能な貯水要素４０１（下降時に種々のタイプのうちの少なくとも１つの頭上交通を支持することのできる制水ゲート等）と、頭上交通可能貯水要素が反応する可撓性繊維補強ヒンジ要素（Ｓ型可撓性ヒンジ２００２、一体型８の字可撓性ヒンジ２００３、モジュラ型８の字可撓性ヒンジ２００４、Ｗ型可撓性ヒンジ２００５、および圧縮ヒンジ２００６とすることができる）と、可撓性繊維補強ヒンジ要素に反応するヒンジ／貯水要素取付要素２００７（可撓性繊維補強ヒンジを貯水要素に取り付けるのに役立つ要素）と、可撓性繊維補強ヒンジ要素が反応するヒンジ／基礎取付要素２００８（ヒンジの反対側を基礎に取り付けるのに役立つ要素、例として当接する道路、歩道、鉄道線路支持部）とを含み、頭上交通可能貯水要素４０１の回転軸（ヒンジの回転軸と正確に一致する）がほぼ頭上交通可能貯水要素端部２０１１にあり、頭上交通可能貯水要素４０１が面一の交通可能上面２０１２（頭上交通可能貯水要素が交通長さに沿って面一ではなく、交通方向直交端部２０１３が近接する非貯水構造面と面一であることを意味する）を有する。取付要素がクランプを含むことに注目されたい。面一は、間隙、隆起および／または谷が全くないことを意味する必要はなく、これらが面に沿った交通の通行を阻害したり危険を生じさせたりするのに十分なものでなければよい。装置は、さらにヒンジ（一体型８の字可撓性ヒンジ等）の少なくとも上半分をほぼ囲むエラストマー・ヒンジ・カバーをさらに含む。可撓性繊維補強ヒンジ要素の可撓性繊維は、撚りコード、ワイヤ・ロープ、編みロープ、編布、織布、エラストマーに埋め込まれた撚りコード、エラストマーに埋め込まれたワイヤ・ロープ、エラストマーに埋め込まれた編みロープ、エラストマーに埋め込まれた編布、エラストマーに埋め込まれた織布、エラストマーに覆われた撚りコード、エラストマーに覆われたワイヤ・ロープ、エラストマーに覆われた編みロープ、エラストマーに覆われた編布、エラストマーに覆われた織布で構成される可撓性繊維の群から選択された可撓性繊維であり、各々が、例として、さらにエラストマーに覆われるか、埋め込まれるか、層状に積み重ねられる。装置は、頭上交通可能貯水要素に枢動反応し、ヒンジ上方に同一平面を提供するのに役立ち、貯水要素４０１の回転を妨げないように枢動する面ヒンジカバー４２２をさらに含む。頭上交通可能貯水要素４０１は、頭上車両交通可能貯水要素２０１５（車両の交通を支持することを意味する）、頭上歩行者交通可能貯水要素（歩行者の交通を支持することを意味する）、および頭上鉄道交通可能貯水要素２０１６（鉄道の交通を支持することを意味する）とすることができる。膨張式貯水要素アクチュエータ要素２０００は、（貯水要素に対して）ダウンフロー側に配置されるか、または貯水側（もしくはアップフロー）に配置された２０１８、膨張式貯水要素アクチュエータ要素とすることができる（図１０８参照）。さらに、過度貯水要素回転防止要素または上昇貯水要素位置維持要素４２１（貯水要素の望ましくない過度の回転を防止する働きをする）は、少なくとも１つの静止した過度回転妨害止め（図１０９のａに示す）であり、これは上昇位置にある貯水構造に隣接する基礎部分（当接部等）におそらく配置された貯水要素回転妨害部分である。膨張式貯水要素アクチュエータ要素が、貯水側に配置された膨張式貯水要素アクチュエータ要素である構成（図１０８参照）では、頭上交通可能貯水が浮遊式頭上交通可能貯水要素であり、または装置が、頭上交通可能貯水要素が浮遊式に反応する（浮遊式アクチュエータ要素の浮力により貯水要素が上昇することを意味する）浮遊式貯水要素アクチュエータ要素をさらに含む。この浮遊式貯水要素アクチュエータ要素は、頭上交通可能貯水要素のほぼ真下に設定され、かつ／または頭上交通可能貯水要素の一部を形成する。
【０１２８】
別の貯水要素装置は、浮遊式に上昇可能な頭上交通可能貯水要素（図１１０参照）（例えば、下降構成で頭上交通を支持することのできるゲート等の貯水要素であり、浮遊式要素により上昇可能である）と、浮遊式に上昇可能な頭上交通可能貯水要素が反応する可撓性繊維補強ヒンジ要素と、可撓性繊維補強ヒンジ要素に反応するヒンジ／貯水要素取付要素２００７と、浮遊要素２００９（頭上交通可能貯水要素の一部を形成するか、または、頭上交通可能貯水要素の外側に配置される）と、可撓性繊維補強ヒンジ要素が反応するヒンジ／基礎取付要素２００８とを含み、浮遊式に上昇可能な頭上交通可能貯水要素が面一な上面を有する。浮遊式に上昇可能な頭上交通可能貯水要素の回転軸（ヒンジの回転軸と正確に一致する）は、ほぼ貯水要素端部２０１０にある。さらに、浮遊式に上昇可能な頭上交通可能貯水要素は、浮遊式に上昇可能な頭上車両交通可能貯水要素、浮遊式に上昇可能な頭上歩行者交通可能貯水要素、および／または浮遊式に上昇可能な頭上鉄道交通可能貯水要素とすることができる。ヒンジ／貯水要素取付要素２００７は、横断面拡大クランプ保持改良要素２００１（例として、楔型クランプ保持要素１０２１であってもよく、またはコンマ型クランプ保持強化要素インサート２１等の円形横断面形状２１を含んでいてもよい）を含む。同様に、ヒンジ／基礎取付要素２０８は、横断面拡大クランプ保持改良要素２００１を含む。平坦要素は、頭上交通可能貯水要素の一部を形成し、または貯水要素の外側に配置される。
【０１２９】
特に海の大波による洪水から保護するための別の貯水装置は、膨張式貯水要素アクチュエータ要素（図１０９参照）と、膨張式貯水要素アクチュエータ要素が反応する、横断面拡大膨張式アクチュエータ／基礎クランプ保持改良要素２０２０を含む膨張式アクチュエータ／基礎取付要素と、膨張式貯水要素アクチュエータ要素２０００に反応する貯水要素２０２１と、貯水要素２０２１が反応する可撓性繊維補強ヒンジ要素と、可撓性繊維補強ヒンジ要素に反応するヒンジ／貯水要素取付要素２００７と、可撓性繊維補強ヒンジ要素２０２５が反応するヒンジ／基礎取付要素２００８とを含み、貯水要素の回転軸（ヒンジの回転軸と正確に一致する）は、ほぼ貯水要素端部にある。膨張式貯水要素アクチュエータ要素は、海に向かって配置された膨張式貯水要素アクチュエータ要素、または川に向かって配置された膨張式貯水要素アクチュエータ要素とすることができる。
【０１３０】
軽量化し、塩化カルシウムの影響を減らすため、かつ強度を向上させるために、頭上交通可能ゲートを、例として、ガラス繊維、トラス、樹脂、複合樹脂を含むコンクリート等の多数の種々の複合材料から作ることができることに注目することが重要である。
【０１３１】
図３５では、ゲート・パネル４０１がヒンジ手段４８により固定フレーム４０６に固定され、固定フレーム４０６は道路４０７内に埋め込まれる。空気ブラダ４０３等のアクチュエータ要素は、水圧４９に対して上昇位置でゲート・パネル４０１を支持する。
【０１３２】
図３６は、図３５のゲート・アセンブリに示すヒンジの、ゲート下降位置での詳細断面図である。ゲート・パネル４０１は、コード４５が「８の字」のパターンで通る長孔４０２を組み込むことにより、ゲート・パネル４０１を固定要素４９に接続する。固定要素４９は、コード４５を切断しないように角丸の縁部を有し、取付ボルト４１６により、埋め込まれたフレーム４０６に固定される。
【０１３３】
図３７では、ゲート・パネル４０１にコンクリート４１５が充填され、ゲート・パネル４０１が下降位置にある。ゲート・パネル４０１の外周は、フレーム部材４１３、４１４と図示しないゲート・パネルの端部の対応する同様の部材とにより画定される。固定ヒンジ要素４０９は、図４０に示す可撓性コードにより可動ヒンジ要素４１２に接続される。
【０１３４】
図３８では、ゲート・パネル４０１が上昇位置にある。低摩擦面４２７がアンカ・アセンブリ４５０によりコンクリートに固定される。アンカ・ボルト４１６はクランプ棒４１７を固定し、クランプ棒４１７はその拡大端部４１８により空気ブラダ３３３を固定する。
【０１３５】
図３９および図４０に関し、図３９はゲート・アセンブリ・ヒンジの平面図であり、図４０はゲート・アセンブリ・ヒンジの側面図上の縁部を示す。固定構造部材４０９が可撓性引張部材４４５により可動構造部材４４２に接続され、可撓性引張部材４４５は、構造部材４０９、４４２の角丸の縁部長孔４０２を通過する。上部エラストマー・カバー４１２は、構造部材４０９、４４２と可撓性引張部材４４５とに結合される。可撓性引張部材４４５は、構造部材４０９、４４２間に転がり接触が生じる場合を除いて、構造部材４０９、４４２に結合される。
【０１３６】
図４１では、可撓性引張部材４４５が管状部材４３８に巻き付き、転がり動作４４０のない領域で管状部材４３８に結合されるが、転がり接触４４１の領域では管状部材４３８に結合されない。管状部材４３８は構造部材４３９に接続され、構造部材４３９は、ヒンジ構造および固定構造の残りの部分の一部を成すか、またはこれに取り付けられる。
【０１３７】
図４２および図４３は、上昇位置および下降位置にあるゲート・アセンブリの横断面をそれぞれ示し、ゲート・パネル４０１にはコンクリート４１５が充填され、ゲート・パネル４０１は、クランプ４３７を保持するアンカ・ボルト４１６により基礎４２６に取り付けられ、保持クランプ４３７は、ゲート・パネル４０１が接続されるヒンジ・フラップ４３６を保持する。充填材料４２３と組み合わせたヒンジ留めカバー４２２を使用して、道路４０７およびゲート・パネル４０１と面一の平滑面を提供する。
【０１３８】
図４４および図４５では、鉄道レール４２９がゲート・パネル４０１に固定される。レール部分４３０は、ブラケット４３５により基礎に枢動可能に取り付けられる。ゲート・パネル４０１は、収縮空気ブラダ４０３および軸受パッド４２５によりレール荷重に対して支持される。抑制チェーン４２１がゲート・パネル４０１の移動を制限する。
【０１３９】
図４６および図４７では、ゲート・パネル４０１が、上昇位置で空気ブラダ３により支持され、抑制手段４２１により抑制される。
【０１４０】
図４８では、上昇位置にあるゲート・パネル４０１が、空気ブラダ３３３により支持され、ヒンジ４４８により埋込みフレーム４０６に取り付けられる。フレーム４０６は、道路４０７と面一に埋め込まれる。
【０１４１】
図５０、図５１、図５２、図５３、図５４、および図５６では、ゲート・パネル４０１が空気ブラダ３３により側部シール５６に対して支持される。固定ヒンジ要素６１が空気ブラダ３３３の拡大縁部を溝構成フレーム５０６、溝要素５１、およびスクリード５２内に保持する。固定ヒンジ要素６１は、固定手段５５により埋込みフレーム５０６に固定される。シール５６は、保持装置５７により壁５９に固定され、保持装置５７は留め具５８により固定される。接続遮断部５４は、図５４に示す埋込みフレームの一体部分である。図５４の埋め込みフレーム５０６は、上縁部５６０、フレーム要素５０６、フレーム要素５１、スクリード５２および空気接続遮断部５４を含む。図５５は、拡大空気ブラダ縁部の代替設計の横断面を示す。楔６２が空気ブラダ３３３の補強層６３を保持する。
【０１４２】
図９８（ゲート上昇）および図９９（ゲート下降）は、本発明の別の実施例による車両走行洪水制御ゲートを示す。ゲート・パネル９１４は空気ブラダ３３３により作動される。ゲート９１４は、下降位置にあるときに、空気ブラダ３３３を通して交通荷重を基礎部分４２６へ伝える。例えばゴム・シートから切断したシムを使用して、均一な荷重伝達を促進する。このようにして、ゲートのコストおよび重量を適度なレベルに維持しながら、振動レベルおよび騒音レベルを最小化する。ヒンジ要素９０は、好ましくは、補強ゴム材料から製造される。ヒンジ要素クランプ部９２、９１、９１４ａは、好ましくは、ヒンジ枢動軸をできるだけ高く配置して、ヒンジ要素９０の引張応力を最小化しながら、ゲート・パネル９１４を下降させた状態で、歩行者および車両の交通に安全な平坦な上面を提供するように形成される。シール要素９２を使用して、ゲート・パネル９１４の周囲をシールすることにより、システムの寿命を短くしたり、システムの信頼性を低下させたりする塵、砂、水、塩化カルシウム等の侵入を最小化する。
【０１４３】
可動アクチュエータを含む貯水制御システムは、複数の水ゲート要素（水ゲート・パネル等）６１４ａ、６１４ｂ、６１４ｃと、複数の水ゲート要素のほぼ真下に再配置可能な、並進可能な水ゲート・アクチュエータ要素６１２と、並進可能な水ゲート・アクチュエータ要素６１２が作動的に反応する、再配置要素（異なる水ゲート要素の下に水ゲート・アクチュエータ要素を再配置するのに使用可能）６０８と、複数の水ゲート要素の少なくとも１つの個々のゲート要素が各々に反応する、複数の支持要素７（上昇した水ゲートを上昇位置に維持して、並進可能な水ゲート・アクチュエータ要素６１２を別の水ゲート要素の真下に再配置して上昇させるのに役立つ）とを含む。並進可能な水ゲート・アクチュエータ要素６１２は、少なくとも１つ実施例では、２つの縦に積み重なった水ゲート・アクチュエータ要素（膨張可能）を含む。再配置要素６０８は、希望に応じて並進可能な水ゲート・アクチュエータ要素を移動させるように動作可能な、並進可能な水ゲート・アクチュエータ要素のガイドまたは走路をおそらく含む、水ゲート・アクチュエータ再配置ホース・アセンブリ６０８または他のタイプのシステムを含む。複数の支持要素は、少なくとも１つの支柱要素を含み、この支柱要素は、上部支柱部材と下部支柱部材とを含み、下部支柱部材は、少なくとも２つの隣接する支柱要素に隣接する水平に長手方向のトルク・チューブにより、上部支柱部材に枢動反応する。
【０１４４】
図５７のａでは、ゲート・パネル１４ａがヒンジ手段６０１により余水路６０５に固定され、洪水の流れを効率的に通過させるのに必要な下降位置に示される。ゲート・パネル６１４ｂは、上部チャンバ６１２ａおよび下部チャンバ６１２ｂを含む空気ブラダ・アクチュエータ６１２に関連して上昇位置に示される。ゲート・パネル６１４ｃ、６１４ｄは、支柱６０７により上昇した状態に維持される上昇位置に示される。アクチュエータ６１２は、ホース・アセンブリ６０８によりゲート・パネルの下に位置することができる。ホース・アセンブリ６０８は、プーリ６０８ｂ、６０８ｃ、６０８ｄ、６０８ｅ、および６０８ｆの周りを通る位置決めケーブルとして働く。プーリ６０８ｆは、駆動機構６０８ｆに接続される。当接部または橋脚６１１内のアクセス・ピット６０９は、余水路６０５上の流れから離れてアクチュエータ６１２の修理または交換を行うことを考慮している。好ましい作動手段は、図５７に示す２つのチャンバの付いた空気ブラダ６１２であるが、下降したゲート・パネルの下に適合するように十分に低い外形を持って構成されたものであれば、スクリュ・ジャッキまたは油圧シリンダ等の代替持上げ装置を使用することもできる。
【０１４５】
図５８は、図５７と同一の装置構成の詳細を示す。
【０１４６】
図５９では、ゲート・パネル６１４を支柱６０７により支持できることがわかる。この支柱支持手段は従来のものであり、それ自体、本発明の一部ではない。チャンバ６１２ａ、６１２ｂを含む空気ブラダ６１２は、埋込み６０４により下流への移動から固定され、ゲート・パネル６１４はヒンジ手段６０１により余水路６０５に固定される。位置決めホース６０８は、ワイヤ・ロープ、またはワイヤ・ロープとホースとの組合せであるが、空気ブラダ６１２等の作動手段の移動と反対方向へ導管６０８ａを通って移動する。
【０１４７】
図６０は、図５９と同一の装置構成を示すが、ゲート・パネル６１４が下降位置にある。
【０１４８】
図６１は、本発明の別の実施例を示し、ゲート・パネル６１４ｅが、要素６０７ｄ、６０７ｇ、６０７ｆからなる支柱手段により上昇位置に保持される。
【０１４９】
図６２は、作動空気ブラダ６１２が膨張構成にある、図６１の実施例を示す。
【０１５０】
図６３では、図６１のゲート・パネル６１４ｅが下降位置にあり、ここでは上面が基礎６０５ａの上縁部と面一になっている。この同一面は、道路、歩道、または鉄道床面を提供することができ、この構成を、永久固定コンクリート洪水壁または土の堤防の代わりに洪水バリアとして使用するのに非常に適したものにする。図示した支柱手段は、トルク・チューブ６０７ｇにより調整され、下部要素６０７ｆに枢動可能に接続された上部要素６０７ｄを含む。ゲート・パネル６１４ｆ、６１４ｇ、６１４ｈについて２つの支持点が示されるが、経済状態および技術上の考慮の要求に応じて、使用する支持点の数をこれより少なくしても多くしてもよい。
【０１５１】
図６４は、空気ブラダ６１２が収縮構成にある、図６３の実施例を示す。
【０１５２】
図６５のａおよび図６５のｂは、図６１、図６２、図６３、図６４の実施例を、下流（洪水保護側）および上流（洪水側）のそれぞれから示す。ゲート・パネル６１４ｆは下降している。ゲート・パネル６１４ｇは、作動空気ブラダ６１２が真下にある状態で上昇している。ゲート・パネル１４ｈ、１４ｉは、支柱アセンブリ６０７により上昇されて支持される。下部支柱部材６０７ｆに対する上部支柱部材６０７ｄの折畳みは、トルク・チューブ６０７ｇにより調整される。
【０１５３】
別の制水装置は、コンクリート・ゲート・パネルを含み、コンクリート制水ゲート・パネル本体要素３０００と、前記コンクリート制水ゲート・パネル本体要素に反応する、摺動摩擦減少アクチュエータ側制水ゲート・パネル面要素３００１（例えば、水ゲート・パネル・アクチュエータ・ブラダ等のアクチュエータとの摺動摩擦を減少させるための、平滑コンクリート面またはポリエチレン面）と、オーバフロー直交据付け水ゲート・パネル底縁部３００３に固定して配置され、前記コンクリート制水ゲート・パネル本体要素が反応する、水平軸回転ヒンジ／水ゲート・パネル取付要素３００２（コンクリート・ゲート・パネルを水平軸回転ヒンジに取り付けることができる）とを含む。摺動摩擦減少アクチュエータ側制水ゲート・パネル面要素は、下流据付け制水ゲート・パネル面要素３００４とすることができる。装置は、エラストマー水平軸回転ヒンジ要素をさらに含む。水平軸回転ヒンジ／水ゲート・パネル取付要素は、コンクリート制水ゲート・パネル本体収容取付要素を含む。コンクリート制水ゲート・パネル本体要素は、繊維、鉄筋、または支柱引張棒で補強されたコンクリート制水ゲート・パネル本体要素とすることができる。関連する方法は、コンクリート制水ゲート・パネル本体要素３０００を生成するステップと、摺動摩擦減少アクチュエータ側制水ゲート・パネル面要素３００１を設定するステップと、水平軸回転ヒンジ／水ゲート・パネル取付要素３００２を設定するステップとを含み、各ステップが、コンクリート水ゲート・パネルの据付け現場で行われる（したがって、重たく嵩張る物品の輸送が不要である）。
【０１５４】
ゲート・パネル１４の一般に好ましい材料は、鉄筋コンクリートであるが、鋼、ガラス繊維、その他の構成もあるプロジェクトには好ましい。鉄筋コンクリートの使用は、別の場所で製造した場合に輸送が困難になる大型のゲート・パネルを簡単に現場で製造することを考慮している。コンクリート・パネルの好ましい鋳造方法は、コンクリート成形片を基礎６０５ａに挿入してゲート・パネル６１４ｅの下側を形成し、次に、ワイヤ・ロープ６０１ｂをヒンジ・チューブ６０１ｃに固定しながら、必要な補強埋め込み可動ヒンジ要素６０６によりコンクリートをゲート・パネル６１４ｅ内に配置する。
【０１５５】
図８のａ、ｂ、ｃは、自動トリッピング・システムを示す。管状の支柱７０７ｈが、上流の水の圧力に対してゲート・パネル７１４を支持する。支柱７０７ｈの下端部は、揺動シュー７０７ｋにより余水路７０５の段部に対して支持される。揺動シュー７０７ｋは、接続棒７０７ｉによりパドル７０７ｊに接続される。パドル７０７ｊに作用する高位の水は、接続棒７０７ｉを引き、揺動シュー７ｋを水平位置に向かって回転させるように作用することにより、支柱７０７ｈを解放し、ゲート・パネル７１４を下降させる。このようにして、複数のゲート・パネルを自動的に下降させて上流の洪水を防止する。余水路７０５を持つアクチュエータをオプションとして使用して、揺動シュー７０７ｋを水平位置に押圧することにより、ゲート・パネル７１４を遠隔制御により下降させる。
【０１５６】
図７２〜図８０は、本発明の一態様による改良された空気継手（一般には、加圧流体入口要素）９６５を示す。空気継手９６５には、損傷を与える突出部または損傷を受ける突出部がない。前記継手９６５は、好ましくは、本明細書中に開示されるように、膨張式空気ブラダの下部膜内の補強プライ８０６、８０７、８０８間に配置される。
【０１５７】
好ましくは、前記空気継手８６５は、一般に円盤形であり、中央に位置する貫通孔にあるパイプねじ山８６５ｂ等の接続手段を特徴とする。
【０１５８】
前記空気継手９６５は、補強布プライ９０６、９０７、９０８の方向への望ましくない変化を制限する先細の外形９６５ｃを特徴とする。補強布の方向への過度の変化により、前記補強材の層が互いに剥離し、または埋め込まれた空気継手９６５から前記補強材が外れる。
【０１５９】
前記空気継手９６５は、前記継手が前記補強布を切断するのを防止する、角丸の外縁部９６５ａを特徴とする。
【０１６０】
エラストマーの位置９６５ｄでの空隙の形成、ならびに補強コードと前記空気継手９６５との直接の接触が回避されるように、前記角丸の外縁部の半径Ｒは、十分に小さくなっており、例えば０．１５８８ｃｍ（０．０６２５インチ）である。
【０１６１】
空気継手９６５は、加硫中に前記膨張式ブラダのエラストマー本体に結合する材料から構成されるか、またはこの材料で被覆される。
【０１６２】
空気継手（一般には、加圧流体入口装置）９６５は、加圧流体輸送装置係合要素３０５０（ホースまたはパイプ等の加圧流体輸送装置に何らかの方法で係合可能である）と、厚さ強化内縁要素３０５１（装置の残りの部分よりも厚い、装置の内縁部）と、膜３０５４（接触隣接層が分岐して装置の周りを通過するときに、装置の外縁部で分離する膨張式膜）に近接する膨張式膜分離湾曲３０５３に接触可能な据付け構成である、厚さ減少外縁要素３０５２（厚さ強化内縁要素よりも薄い半径方向外縁部）と、前記厚さ強化内縁要素と前記厚さ減少外縁要素との間に位置する厚さ変化本体要素３０５５（装置本体を形成し、外縁要素を装置の内縁要素３０５２に接続する）とを含む。厚さ強化内縁要素３０５１は、加圧流体輸送装置係合要素３０５０が装置の中央または中央近くに配置される場合に（加圧流体輸送装置係合要素３０５０がねじ切り係合要素３０６０である場合と同様に）、厚さ強化加圧流体輸送装置係合要素近接内縁要素３０５７である。加圧流体入口装置３０６１は、加圧流体出口装置として動作する。厚さ減少外縁要素は、ほぼ円形である（外縁要素にノッチ３０６２がある場合にも当てはまる記述的な用語）。さらに、厚さ減少外縁要素の外側は角丸３０６４であり、膨張式膜分離湾曲３０５３での空隙の形成を防止するのに十分小さい外縁曲率半径３０６５を有する（例えば、曲率半径は約０．１５８８ｃｍ（０．０６２５インチ）である）。厚さ減少外縁要素は平面図で矩形（正方形を含む記述的な用語）である。厚さ変化本体要素は、２つの要素の間に位置するために内縁要素および／または外縁要素に接触する必要がなく、切頭円錐形の内側（ブラダの膨張式キャビティに近いことを意味する）膨張式膜接触縁部３０５８と、対向して面する平面（ほぼ平坦）の環状外側膨張式膜接触縁部３０５９（この縁部が外気側にあることを意味する）とを有する。重要なのは、膨張式物品の接触隣接層間に配置できるのは前記の形状の装置であり、これにより、膨張式物品の外面から凹んだ、したがって、例えばブラダが上を摺動する外側部分により損傷を受ける（または外側部分に損傷を与える）ことができない、加圧流体入口装置が生じることである。
【０１６３】
関連する方法も本発明の技術の範囲内に含まれる。加圧流体を膨張式物品に対して輸送するこのような方法の１つは、加圧流体入口要素孔３０７０を有する加圧流体入口要素３０６１を寸法付けする（例えば、成形により形作る等）ステップと、２つの接触隣接（並んで部分的に接触することを意味する）膨張式物品層（または膨張式膜層）３０７１間に加圧流体入口要素３０６１を設定するステップと、加圧流体入口要素孔と同軸の膨張式物品層孔を設定するステップとを含む。層はエラストマー層または補強エラストマー層であり、したがって、膨張式物品層孔はエラストマー膨張式層孔である。
【０１６４】
当接板装置（または水ゲート・パネル摺動摩擦当接装置）は、可能な水ゲート位置縁部範囲４００２（可能な接触移動範囲）全体を通して平面当接シール面（例えば垂直である）４００１に接触する大きさに作られたポリマー板要素４０００と、板／基礎面取付要素４０２０（留め具孔４００４等）とを含む。ポリマー板要素４０００は、例として、ポリエチレン板要素（超高分子量ポリエチレン板要素および／または高密度ポリエチレン板要素）であり、暗色ポリマー板要素４００５（加熱に有利）であり、高密度ポリマー板要素および／または超高分子量ポリマー板要素であり、補強ポリマー板要素（ガラス繊維等）である。
【０１６５】
図８１、図８２、図８３、図８４、図８５、および図８６は、ＵＨＭＷポリエチレンの当接板９６６と関連するアンカ・システムとを示す。前記当接板６６は、関連するゲート・パネル・シールに対して低い熱伝導性、低い氷付着性、および低い摩擦係数を特徴とする。厚さＴに対する孔間隙の寸法Ｘ（水平整合留め具孔の）およびＹ（垂直整合留め具孔の）は、好ましくは、２０対１または１２対１未満、好ましくは８対１に維持される。ポリマー板要素厚さにより分割された水平または垂直留め具孔分離距離（または関連する水平留め具孔分離距離と板厚との比および垂直留め具孔分離距離と板厚との比）は、約２０未満（または、比で表すと約２０対１未満）、約１２未満（または、比で表すと約１２対１未満）、または約８に等しい（または、比で表すと約８対１）。関連する指標である、ポリマー板要素の厚さにより分割された平均最短留め具孔分離距離（最短留め具孔分離距離の平均の測定値）（または関連する平均最短留め具孔分離距離と板厚との比）は、約２０未満（または、比で表すと約２０対１未満）、約１２未満（または、比で表すと約２０対１未満）、または約８に等しい（または、比で表すと約８対１）。勿論、平均最短留め具孔分離距離を判定するために、すべての最短留め具孔分離距離を測定して、全体から平均値を計算する。方法は、板要素面一低熱伝導材料留め具後退充填材を保持するために、留め具孔の縁部を凹ませるステップをさらに含む。
【０１６６】
すべての留め具孔４００４は、板要素面一低熱伝導材料留め具後退充填材を収容するために、凹んだ留め具孔縁部４００５を有する。充填材は、例えば、板要素同一ポリエチレン留め具後退充填材とすることができる。板要素面一は、据え付けられる充填材料が当接板面と同一レベルで同一平面にあることを意味する。ポリマー板要素は、熱板座屈の影響を弱める有効な数の留め具孔（予想した動作環境状態で、動作を損なう熱板座屈を防止するのに十分なほぼ均一な距離のみによって分離された留め具孔の数）を含む。ポリマー板要素は、熱板座屈の影響を弱める厚さ（予想した動作環境状態で動作を損なう熱板座屈を防止するのに十分な厚さ）を有する。実際の厚さ寸法は、熱板座屈の影響を弱める有効な数の留め具孔を使用して板が取り付けられるか否かによって決まる。可能な厚さ寸法は、約１５ｍｍおよび約２５であるが、他の寸法も可能である。
【０１６７】
ポリマー板要素は、単一のポリマー板４００８（すなわち、１枚の板要素）であっても、複数のポリマー板４００９であってもよく、複数のポリマー板のうち少なくとも２枚を、シーラント収容溝４０１０により、据付け構成で分離させることができる。固定は、好ましくは、ねじ切りコンクリート・アンカ９６８に係合する皿ボルトにより行われる。ボルト９６７は、好ましくは、据付け後に、ポリエチレン・プラグまたは車体充填材等の取り外し可能な低熱伝導材料で覆われる。
【０１６８】
関連する水ゲート摺動摩擦減少方法は、ポリマー材料を寸法付けして、可能な水ゲート縁部範囲４００２全体を通して当接シール面４０１５に接触可能なほぼ平面のポリマー板要素４０００を形成するステップと、前記ほぼ平面のポリマー板要素４０００が反応する板／基礎面取付要素４０２０を設定するステップとを含む。ポリマー材料は、例えば、暗色、超高分子量、高密度、ポリエチレン、または補強ポリマー材料とすることができる。ポリエチレン材料は、例えば、暗色、超高分子量、高密度、または補強ポリエチレン材料とすることができる。補強はガラス繊維等により行うことができる。他のステップは、平均最短留め具孔分離距離により分離された複数の留め具孔の設定を含む。
【０１６９】
内部パネル・シール（一般には、貯水漏れ防止装置）７３の一実施例は、内部パネル・シール／基礎クランプ保持強化要素５００１と、前記内部パネル・シール／基礎クランプ保持強化要素５００１に反応する内部パネル・シール／基礎クランプ可能保持要素５００２と、前記内部パネル・シール／基礎クランプ可能保持要素５００２に反応する上部オーバフロー直交水ゲート・パネル縁部一致水シール・ヒンジ要素５００３と、第１の水ゲート・パネル５００７の第１の縁部近接部５００６と第２の水ゲート・パネル５００９の第２の縁部近接部５００８とに固定して取付可能な内部パネル・シール要素５００４とを含み、前記第１の水ゲート・パネル５００７の前記第１の縁部近接部５００６が前記第２の水ゲート・パネル５００９の前記第２の縁部近接部５００８に隣接して配置され、前記第１の水ゲート・パネル５００７が前記第２の水ゲート・パネル５００９に隣接して配置される。すべてのクランプ保持強化要素と同様に、内部パネル・シール／基礎クランプ保持強化要素５００２は、膨張した横断面領域部分５０１０（おそらくコンマ型インサート５０１１を有する）であり、この部分５０１０は、クランプ面の移動に障害を設けることにより、クランプ動作を向上させるのに役立つ（勿論、内部パネル・シール／基礎クランプ保持強化要素５００１および内部パネル・シール／基礎クランプ可能保持要素５００２は、内部パネル・シール７３を、例えばダム余水路面である基礎５０１２に取り付けるように動作する）。上部オーバフロー直交水ゲート・パネル縁部一致水シール・ヒンジ要素５００３は、ヒンジとして働く、据付け構成で２つの上流の、例えば水ゲート・パネル縁部５０１７のうちの上側であるオーバフロー直交（例えば上流）水ゲート・パネル縁部５０１６に一致する装置の一部である。第１の水ゲート・パネル５００７の第１の縁部近接部５００６および第２の水ゲート・パネル５００９の第２の縁部近接部５００８に固定して取付可能な内部パネル・シール要素は、２つの隣接する（据付け状態で）水ゲート・パネル（第１および第２の水ゲート・パネル）間のシールの大部分を達成する部分である。水ゲート・パネルの縁部近接部は、据付け構成で互いに隣接する異なる水ゲート・パネルの縁部近くにある水ゲート・パネルの部分である。内部パネル・シール要素がほぼ細長の内部パネル・シール要素であることに注目されたい（長さを有することを意味する）。
【０１７０】
内部パネル・シール取付要素の外形（横断面形状および大きさ）は、隣接する（または据付け構成隣接）取付要素（据付け構成隣接膨張式水ゲート・アクチュエータ／基礎クランプ保持強化要素（図８８参照）、または据付け構成隣接水ゲート・アクチュエータ／基礎クランプ可能保持要素（図８８参照）等）の外形とほぼ同一である。さらに、部分が、据付け時に隣接する貯水シール要素（図８８参照）に圧縮封止して嵌合するような大きさに作られる。これは、据付け中に当接縁部が互いに圧縮するように部分の大きさを決めることにより、締まり嵌めが作られることを意味する。圧縮封止という語は、クランプ５０２０の下方のクランプ可能保持要素５００２が膨張して、当接据付けクランプ保持要素に対して密に嵌合するように十分なクランプ圧力を加えることを意味する。内部パネル・シール要素５００４のオーバフロー直交水ゲート・アクチュエータ・ヒンジ・フラップ要素隣接部（据付け構成で水ゲート・アクチュエータ・ヒンジ・フラップ要素に隣接する内部パネル・シール要素の部分）は、据付け構成隣接膨張式水ゲート・アクチュエータ・ヒンジ・フラップ要素に対して圧縮封止して嵌合するような大きさに作られる。基礎は、例えば余水路であり、したがって、内部パネル・シール／基礎クランプ可能保持要素５００２は内部パネル・シール／余水路クランプ可能保持要素５００２である。上部オーバフロー直交水ゲート・パネル縁部一致水シール・ヒンジ要素５００３は、オーバフロー直交垂直内部パネル・シール／基礎クランプ面当接隅部増強縁部要素５０５０を含み、縁部要素５０５０は、据付け構成で内部パネル・シール／基礎クランプ１１８のオーバフロー直交（例えば下流）垂直面１０５１に当接する隅部５０５１を形成するように増強された、ヒンジ要素の縁部である。理想的には、この縁部要素は、オーバフロー直交内部パネル・シールのほぼすべての近接部を基礎クランプ面１１８に当接させるように構成されて、シールおよびクランプ動作を損なう、砂および粒子や破片を閉じ込める他の流れを効果的に遮断する。関連する方法は、内部パネル・シール・ヒンジ要素の上部オーバフロー直交縁部を隅部増強させて（例えばエラストマー材料を加えて隅部を形成して）、オーバフロー直交垂直内部パネル・シール／基礎クランプ面縁部に一致させるステップを含む（関連して、部分１０５１、１０５２参照）。
【０１７１】
内部パネル・シール要素５００４は、ゲート・パネル下流限界５０５２を超えて突出し、ナップ切断要素５０５３またはナップ切断装置５０５３（形成されるナップを曝気して、揺動するナップのマイナスの影響を避けるのに役立つ）を形成する。このナップ切断要素は、頭上流れモード動的物体衝撃可撓性ナップ切断装置（図８７参照）とすることができ、また例えば補強エラストマー・ナップ切断装置とすることができる。頭上流れモード動的物体衝撃可撓性ナップ切断装置という語は、ナップ切断要素が、頭上の流れの中を流れると予想される動的物体からの衝撃を、破損または実質的な塑性変形なしに吸収して曲がるのに十分な可撓性を有することを意味する。
【０１７２】
ゴム製の筏、および他の小型船（乗客がいるものもいないものも）は、頭上の流れと共に流れると予想される物品である。ここでは、乗客の安全が問題であり、十分に可撓性のあるナップ切断装置（または衝撃撓み要素に反応するもの）は、ゴム製の筏がぶつかったときに、従来のナップ切断装置のようにパンクしたり切断されたりするのではなく、曲がるようになっている。関連する方法は、ゲート・パネル下流限界を超えてほぼ細長の内部パネル・シール要素を据付け突出させる（結果として据付け時に突出する）ステップを含む。
【０１７３】
図８７、図８８はそれぞれ、本発明の一態様によるダム余水路ゲート据付けの斜視図および分解図である。内部パネル・シール７３（貯水漏れ防止装置の１タイプ）が、クランプ棒７６（内部パネル・シール／基礎クランプ可能保持要素５００２）の下で、空気ブラダ・クランプ可能保持要素（膨張式水ゲート・アクチュエータ／基礎クランプ可能保持要素）と同一の外形を有する。空気ブラダ９０３と内部パネル・シール７３との隣接面、空気ブラダ９０３と当接シール７５との隣接面、および当接板９６６と当接シール７５との隣接面が、好ましくは、据付け中にわずかな締まり嵌めにより密に嵌合するように形成される。このようにして、クランプ棒７６からのクランプ力を連続して印可することにより、前記隣接要素が水平方向に互いにぴったりと膨張し、これにより封止継目が作られる。前記継目のシールは、薄い可撓性の防水シート（または薄い防水シール補足シート）７０、７４を使用することにより補足される。
【０１７４】
図８９は、図８７および図８８の内部パネル・シール７３の横断面を示す。この内部パネル・シールは、関連する隣接空気ブラダに外形が一致する場合に最もよく機能する。
【０１７５】
図９２は、図８７および図８９の内部パネル・シール７３の斜視図である。
【０１７６】
図９０および図９１は、図８７および図８８の当接シール７５を示す。当接シール装置（または貯水シール装置）７５は、水圧と可能な弾性動作との組合せにより対応する当接板または当接部（一般には、基礎摺動面）６００２に対して堅く保持される可撓性フラップ部（一般には、基礎摺動面隣接貯水シール要素）８０を特徴とする、基礎摺動面隣接水ゲート・パネル６００１に固定して取付可能な上部貯水シール要素６０００と、水ゲート・パネル一致可能シール要素６００３と、長手方向隅部シール要素６００４および厚さ減少ヒンジ可能上部オーバフロー直交水ゲート・パネル縁部一致シール要素６００６と、当接シール／基礎取付要素８２とを含む。基礎摺動面６００２という語は、基礎の一部または基礎へのアタッチメント（例えば、当接板）として、水ゲート・パネルの回転時に貯水シール（すなわち、基礎摺動面隣接貯水シール要素８０）が摺動する面である材料を含むものである。ダム設定における基礎は、余水路または当接部等のダム（通常はコンクリート）の本体であり、はるかに小型の貯水の適用では、基礎は本体（下にある部分および側部）である。制水の適用では、基礎は、基本的に、補足の制水部分を加える前に存在する固体の本体部分であり、補足部分を取り付けるものである。補強コード７９を設けることにより、弾性動作が強化される。可撓性部分（または厚さ減少ヒンジ可能上部オーバフロー直交水ゲート・パネル縁部一致水シール要素）８１により、当接シールが関連するブラダ・ヒンジ・フラップと共に曲がる（図６９の部分８６２）。部分８２は、好ましくは、厚さ（Ｄ）および長さ（Ｂ）が関連する空気ブラダに一致する。当接シール装置は、ダムの余水路等の基礎に装置を取り付けるのに役立つ当接シール／基礎取付要素８２をさらに含む。この取付要素は、当接シール／基礎クランプ可能保持要素（例えば、ほぼ平坦である）と、当接シール／基礎クランプ保持強化要素とを含む。当接シール／基礎クランプ可能保持要素６００５は、ほぼ平坦な上面または下面を有する場合にほぼ平坦であると呼ばれる（ほぼ平らなクランプ可能保持要素に当てはまる用語上の定義）ことに注目されたい。可撓性フラップ部８０は、例えばステンレス鋼またはエポキシで仕上げされた当接部に対して使用されるポリエチレン等の低摩擦仕上材料を組み込む。前記仕上げは、ＵＨＭＷ（超高分子量）ポリエチレン当接板の場合には不要である。当接シール／基礎クランプ保持強化要素６００７は、コンマ型インサート２１等のほぼ円形横断面のインサートを有する。当接シール／基礎取付要素８２は、楔型当接シール／基礎クランプ保持要素（関連して、図１０の部分１０参照）を含み、据付け構成隣接楔型ゲート・パネル・アクチュエータ／基礎取付要素外形を有するように構成される。
【０１７７】
基礎摺動面隣接貯水シール要素は、当接板隣接貯水シール要素（当接板に隣接して配置可能である（または実際に配置される）ことを意味する）、またはコンクリート基礎摺動面隣接貯水シール要素（コンクリート基礎摺動面に隣接して配置可能である（または実際に配置される）ことを意味する）である。当接板は、ポリマー（ポリエチレン等）、ステンレス鋼、ゴム、または低摩擦摩耗材料である。摺動面の適合性に関する限定は確かにあるが、ポリエチレン（および一般にポリマー）が、ゴム、ステンレス鋼、およびコンクリートに対して最もよく（すなわち最小の摩擦で）摺動する。基礎摺動面隣接貯水シール要素は、ポリマー（ポリエチレン等）シール要素である低摩擦摩耗貯水シール要素を含む。ポリエチレンは、超高分子量ポリエチレン・シール要素とすることができ、かつ／または高密度ポリエチレン・シール要素とすることができる。ポリマー・シール要素は、ＥＰＤＭ（エチレン−プロピレン−ジエン−メチレン）ゴムを含む補強エラストマーと共加硫されるか、または、ＥＰＤＭゴムおよびクロロブチルを含む補強エラストマーと共加硫される。さらに、基礎摺動面隣接貯水シール要素は、ゴムシール要素またはステンレス鋼シール要素を代わりに含むこともできる。基礎摺動面隣接貯水シール要素を、おそらく補強プライ強化バイアスと共に弾性的に角度偏倚させて、基礎摺動面とのシールを強化することもできる。厚さ減少ヒンジ可能上部オーバフロー直交水ゲート・パネル縁部一致シール要素は、当接シール／基礎クランプ面１０５１のほぼすべての近接部に当接するように構成された、垂直オーバフロー直交当接シール／基礎クランプ面当接隅部増強縁部要素６０１０を含む。さらに、厚さ減少ヒンジ可能上部オーバフロー直交水ゲート・パネル縁部一致シール要素および当接シール／基礎取付要素は、締まりシール幅に寸法付けされ、これは据付け時に堅い圧縮嵌めを可能にするように要素の幅が僅かに大きくなっている（例えば、おそらく０．６３５ｃｍ（０．２５インチ））ことを意味する。発熱体６０１２（どのタイプのヒータ（例えば電気）でもよい）が据え付けられ（おそらく基礎摺動面隣接貯水シール要素内へ、またはシール要素の長さにほぼ沿って発熱体を一体に加硫することにより）、基礎摺動面隣接貯水シール要素が発熱体に熱反応して、摺動を妨げる氷の形成を防止することができる。ほぼ長さに沿ってという語は、長さの大部分のみにほぼ沿っていることを含む。
【０１７８】
図９３、図９４、図９５、図９６、および図９７は、図９７に示す楔型クランプ・システムと組み合わせて使用されるように構成された、本発明の一態様による当接シールを示す。楔部８４は、横断面が隣接ヒンジ部材８６に一致するように構成される。曲げ可能な部分８１により、ゲート・パネル９１４が上下するにつれて当接シール７５をヒンジ部材８６と共に曲げることができる。補強部分８５はゲート・パネル９１４にクランプされる。可撓性部分８０は、弾性力と水圧との組合せにより封止位置に保持されながら、隣接当接板９６６に載置される。面８７は、好ましくは、僅かな締まり嵌めにより隣接ヒンジ部材８６に装着される。可撓性部分８０は、例えばＵＨＭＷポリエチレンから構成される低摩擦面８８を特徴とする。シール面８９は、好ましくは、隣接当接板に密に嵌合するように設計される。当接シールのこの部分の走行距離が短いため、低摩擦仕上８８は、一般に、必要ではなく、また望ましいものではないが、それにもかかわらず、ある理由である適用に含まれる。
【０１７９】
図１００、図１０１、図１０２、および図１０３は、本発明の一態様による膨張式ダム（または膨張式エラストマー・ダム）を示す。スワール誘導リブ９３が交互方向に設けられて、前記膨張式ダム上の水の流れ方向を変化させて主な流れ方向に垂直な水平成分を含むようにする。組み合わせると、前記水平流れ成分は、膨張したダムの本体に垂直な速度成分を含む対向循環流れパターン９６、９７を形成する。このようにして、フィン９５の効果が増強される。フィン構成のみの場合よりも高い越水度で、安定した動作を行うことが可能である。応力除去形材９４により、膨張したダムの内部応力が低下し、片持ちフィン装備９５の剛性が増加する。膨張式ダム９８３は、クランプ１０１および余水路溝１０２により、ダム余水路または基礎９９５に固定される。
【０１８０】
貯水構造からあふれる破片による破壊に対する耐性を維持し、かつ小型船にあまり害を与えずに維持しながら、揺動または振動するナップの不都合な破壊をもたらすおそれのある影響を避けるナップ曝気装置も、本発明の技術の範囲内にある。ナップ曝気装置は、頭上流れモード動的物体衝撃可撓性ナップ切断要素９５００と、前記頭上流れモード動的物体衝撃可撓性ナップ切断要素が反応する、切り離し可能な可撓性ナップ切断要素／貯水要素取付要素９５０１とを含む。切り離し可能な可撓性ナップ切断要素／貯水要素取付要素９５０１という語は、ナップ切断装置の取外しを可能にする部分（例えば、磁石および／またはボルト孔を含む）を示す。頭上流れモード動的物体衝撃可撓性ナップ切断要素という語は、ナップ切断要素が、頭上の流れの中を流れると予想される動的物体からの衝撃を、破損または実質的な塑性変形なしに吸収して曲がるのに十分な可撓性を有する（弾性的である、すなわち衝撃後に衝撃前の構成に実質的に戻ることを意味する）ことを意味する。ゴム製の筏、および他の小型船（乗客がいるものもいないものも）は、頭上の流れと共に流れると予想される物品である。ここでは、乗客の安全が問題であり、十分に可撓性のあるナップ切断装置は、ゴム製の筏がぶつかったときに、多くの可撓性でないナップ切断装置のようにパンクしたり切断されたりするのではなく、曲がるようになっている。ナップ切断要素は、補強弾性ナップ切断装置である。
【０１８１】
別のナップ曝気装置は、ナップ切断要素９５０５と、前記ナップ切断要素が反応する、切り離し可能なナップ切断要素／貯水要素取付要素９５０６と、前記ナップ切断要素が反応する、頭上流れモード動的物体衝撃撓み要素９５０７とを含む。基本的に、この第２の装置では、衝撃時の曲げが、ナップ切断装置自体によってではなく（このタイプの曲げはエラストマーから作られたナップ切断装置により可能になる）、ナップ切断装置が反応する（アタッチメント等により）、コイルばね要素または可撓性取付軸（例として）等の別個の撓み要素により提供される。この撓み要素は、頭上の流れの中を流れると予想される動的物体からの衝撃を、破損または実質的な塑性変形なしに吸収するように曲がる（弾性的に、すなわち衝撃後に衝撃前の構成に実質的に戻ることを意味する）。取付要素と見られるものが衝撃時の撓みを可能にするのに役立つ場合（可撓性軸の場合）、取付要素は単に取付けを可能にする部分として定義され（おそらく、エポキシ樹脂で接着し、後から取り外すことのできる、軸の底部または軸の底部の表面に留め具孔がある）、装置の異なる要素の分離性を維持する。
【０１８２】
改良された貯水制御システム動作維持装置は、収納構成で、貯水構造（ダム等）の外観を損なうことのない過度水ゲート・パネル回転防止要素を含む。改良された貯水制御システム動作維持装置は、伸張可能過度底部ヒンジ留め水ゲート・パネル回転防止要素７０２０（例として、ナイロン、エラストマー材料、またはエラストマー・コードから作られ、水ゲート・パネルの過度の回転を防止することができる、抑制ストラップ等の引張りに強い材料）と、伸張可能過度底部ヒンジ留め水ゲート・パネル回転防止要素が反応する、端部近接水ゲート・パネル・アクチュエータ７００３の対向面端部７００２間に固定して設定される、下部過度ゲート回転防止要素／基礎取付要素７００１（伸張可能過度底部ヒンジ留め水ゲート・パネル回転防止要素を基礎に取り付けるのに役立つ）と、伸張可能過度底部ヒンジ留め水ゲート・パネル回転防止要素１０３に反応する、過度ゲート回転防止要素／ゲート・パネル取付要素（伸張可能過度底部ヒンジ留め水ゲート・パネル回転防止要素７０２０を水ゲート・パネル７０５２の一部に取り付けるのに役立つ）とを含む。端部隣接水ゲート・パネル・アクチュエータ７００３は、端部隣接膨張式水ゲート・パネル作動ブラダ７００５であり、端部隣接膨張式水ゲート・パネル作動ブラダ７００６の最下流縁部がほぼ滴面１０６に位置する。さらに、各端部近接水ゲート・パネル・アクチュエータ７００３は少なくとも１つの水ゲート・アクチュエータ／基礎取付要素７００７に反応し、取付要素７００７は楔型ゲート・パネル・アクチュエータ／基礎クランプ保持要素７００８とすることができる。この場合、装置は、近接する楔型ゲート・パネル・アクチュエータ／基礎クランプ保持要素７００９のほぼ対向端部間に配置される、楔型ゲート・パネル・アクチュエータ／基礎クランプ保持要素置換インサート１０５をさらに含む。このインサートは、隣接水ゲート・アクチュエータ／基礎外形模倣インサート１０５とも呼ばれる。端部近接水ゲート・パネル・アクチュエータは、膨張式アクチュエータの代わりに端部近接水ゲート・パネル浮遊要素とすることができる。伸張可能過度底部ヒンジ留め水ゲート・パネル回転防止要素長さ７０１０、上部過度ゲート回転防止要素／ゲート・パネル取付要素位置７０１１、および下部過度ゲート回転防止要素／基礎取付要素位置７０１２は相関して、前記伸張可能過度底部ヒンジ留め水ゲート・パネル回転防止要素７０２０の最下流端部が下降構成（図１０５）で制水ゲート・パネル要素７０５２のほぼ下に位置することにより、下降構成１０４で突出する過度ゲート・パネル回転防止装置の目障りな外観をなくす。伸張可能過度底部ヒンジ留め水ゲート・パネル回転防止要素７０２０は、伸張可能折畳み式過度底部ヒンジ留め水ゲート・パネル回転防止要素１０３とすることができ、これは、要素７０２０を折り曲げたり、伸縮させたり、巻き付けたりすることができ、または、例えば、張力解除時に引張モード形状から異なる収納構成への再構成を受けやすいことを意味する。前記改良された貯水制御システム装置を含む、作動可能な水ゲート・パネル制水システム（すなわち、水ゲート・パネル・アクチュエータ、ゲート・パネル、およびシール装置）も本発明の技術の範囲内であると考えられる。
【０１８３】
当接部の領域で過度水ゲート・パネル回転防止要素の本発明の特異な構成に対応する、別の改良貯水制御システム動作維持装置は、伸張可能過度底部ヒンジ留め水ゲート・パネル回転防止要素と、前記伸張可能過度底部ヒンジ留め水ゲート・パネル回転防止要素７０２０が反応する、水ゲート・パネル・アクチュエータとほぼ垂直な基礎面（図１１４，図１１５参照）との間に固定して設定される、下部過度ゲート回転防止要素／基礎取付要素７０１２と、前記伸張可能過度底部ヒンジ留め水ゲート・パネル回転防止要素７０１０に反応する、上部過度ゲート回転防止要素／ゲート・パネル取付要素７０１１とを含む。装置は、楔型ゲート・パネル・アクチュエータ／基礎クランプ保持要素９５７２とほぼ垂直な基礎面９５７１とのほぼ間に配置される、楔型ゲート・パネル・アクチュエータ／基礎クランプ保持要素置換インサート１０５をさらに含む。勿論、この置換インサートおよび他の置換インサートは、隣接する水ゲート・パネル間の間隙のほぼ下方に過度ゲート・パネル回転防止要素を見えないように配置することに対応するために行われる膨張式ブラダの短縮により存在しない、膨張式水ゲート・パネル・アクチュエータ／基礎取付要素の長さに取って代るものである。この配置は、膨張式ブラダの下流（またはアクチュエータが貯水流側にあるシステムでは上流）に配置される過度ゲート・パネル回転防止要素（例えば、抑制ストラップ）の長さが、例えば下降構成で、ストラップの突出を生じさせる長さを超えないように、膨張式ブラダの横断面の大きさを不十分なレベルまで減少させる手法にとって好ましい。
【０１８４】
下降構成の制水ゲート・システムの外観を改良するための関連する方法は、伸張可能過度底部ヒンジ留め水ゲート・パネル回転防止要素７０２０を寸法付けする（例えば製造プロセスにより形作ることを意味する）ステップと、前記伸張可能過度底部ヒンジ留め水ゲート・パネル回転防止要素７０２０が反応する、近接垂直突出流れ制御要素７０３０の近位端部７０２９の間に固定して設定される、下部過度ゲート回転防止要素／基礎取付要素７０１２を設定するステップと、前記伸張可能折畳み式過度底部ヒンジ留め水ゲート・パネル回転防止要素７０２０に反応する上部過度ゲート回転防止要素／ゲート・パネル取付要素を設定するステップとを含む。垂直突出流れ制御要素７０３０は、水ゲート・パネル・アクチュエータ（膨張式水ゲート・パネル・アクチュエータ・ブラダもしくは浮遊式水ゲート・パネル・アクチュエータ等）または当接面のような基礎摺動面等の、垂直に突出する流れ制御要素とすることができる。一実施例では、方法が、楔型ゲート・パネル・アクチュエータ／基礎クランプ保持要素置換インサートを、楔型内部パネル・シール／基礎クランプ保持要素の下方、および近接垂直突出流れ制御要素の貯水流れ近接（アクチュエータがゲート・パネルの下流側にある構成では上流を意味し、アクチュエータがゲート・パネルの上流側にある構成では下流を意味する）対向端部（対向して面する）間に設定するステップをさらに含む。方法は、伸張可能過度底部ヒンジ留め水ゲート・パネル回転防止要素７０２０の長さを、下部過度ゲート回転防止要素／基礎取付要素７０１２および上部過度ゲート回転防止要素／ゲート・パネル取付要素７０１１に相関させて、弛緩された抑制のない構成（例えば、折り畳まれた、かつ／または折り曲げられた構成）の、伸張可能過度底部ヒンジ留め水ゲート・パネル回転防止要素７０４０の最下流端部７０２１が下降制水ゲート・パネル９１４の下に位置するようにするステップをさらに含む。
【０１８５】
図１０４、図１０５、図１０６、図１０７は、本発明による底部ヒンジ留め空気作動ゲートを示す。例えば、抑制ストラップ１００３が空気ブラダ３３３の端部に配置され、空気ブラダの大きさを最大化または最適化できるようになっている。一般に、２．５メートルの高さを超えるゲートについては、空気ブラダを、滴線１０６を超えて延びることなく、できるだけ大きく作るべきである。これにより、下降ゲート・パネル９１４の真下から突出する従来の抑制ストラップ１０４が生じる。突出する抑制ストラップを望ましくないと考える顧客や所有者もいる。ゲート・パネル９１４は、好ましくは、凸状に湾曲して十分な曲げ強さを提供し、端部で抑制ストラップ荷重を受ける。空気ブラダ３３４を十分に短縮して、上昇位置および下降位置で抑制ストラップ１０３用の間隙を作ることができる。例えば補強ゴムから作られるインサート１０５を使用して、抑制ストラップ１０３用に設けられる追加の間隙Ｃにより直接隣接しない空気ブラダ３３４間に、クランプ・システムを入れることができる。
【０１８６】
図６７は、好ましいヒンジ手段の詳細を示す。可動ガセット８０６が可動ヒンジ・チューブ１ａに溶接される。固定ガセット８０４は、アクチュエータ・ガイド・チューブ８０４ａおよび固定ヒンジ・チューブ８０１ｃに溶接される。ヒンジ・チューブ８０１ａ、８０１ｃは、ワイヤ・ロープ８０１ｂにより適切な関係に保持され、このワイヤ・ロープ８０１ｂは、ヒンジ・チューブ８０１ａ、８０１ｃの周りで螺旋の８の字をたどる。ワイヤ・ロープ８０１ｂは、ガセット８０６とガセット８０４との間でコンクリートに埋め込まれることにより、滑らないようになっている。ワイヤ・ロープ８０１ｂとヒンジ・チューブ８０１ａ、８０１ｃとの転がり接触ゾーンには、コンクリートまたは他の固定手段が残らない。コンクリートで固定されたワイヤ・ロープの場合、ヒンジを修理する必要が生じると、ガセット間のコンクリートが高圧水噴射により選択的に除去される。
【０１８７】
図６８は、図６７に示す構成の平面図である。
【０１８８】
図３６は、図３５のゲート・アセンブリに示すヒンジの、ゲート下降位置での詳細横断面を示す。ゲート・パネル４０１は、コード４５が「８の字」のパターンで通る長孔４０２を組み込むことにより、ゲート・パネル４０１を固定要素４９に接続する。固定要素４９は、コード４５を切断しないように角丸の縁部を有し、取付ボルト４１６により、埋め込まれたフレーム４０６に固定される。
【０１８９】
図３９および図４０に関し、図３９はゲート・アセンブリ・ヒンジの平面図であり、図４０はゲート・アセンブリ・ヒンジの側面図上の縁部を示す。固定構造部材４０９が可撓性引張部材４４５により可動構造部材４４２に接続され、可撓性引張部材４４５は、構造部材４０９、４４２の角丸の縁部長孔４０２を通過する。上部エラストマー・カバー４１２は、構造部材４０９、４４２と可撓性引張部材４４５とに結合される。可撓性引張部材４４５は、構造部材４０９、４４２間に転がり接触が生じる場合を除いて、構造部材４０９、４４２に結合される。
【０１９０】
図４１では、可撓性引張部材４４５が管状部材４３８に巻き付き、転がり動作４４０のない領域で管状部材４３８に結合されるが、転がり接触４４１の領域では管状部材４３８に結合されない。管状部材４３８は、構造部材４３９に接続され、構造部材４３９は、ヒンジ構造および固定構造の残りの部分の一部を成すか、またはこれに取り付けられる。
【０１９１】
図では、３つの異なるヒンジ、すなわち「Ｓ型」ヒンジ、一体型８の字ヒンジ、およびモジュラ型８の字ヒンジを示し、各々が本発明の主題の範囲内にある。図９８、図９９に示すヒンジは、「Ｗ型」ヒンジと呼ばれる。制水に加えて多くの適用を含む一般的な文脈では、ヒンジ自体に進歩性があり、各々が特許可能であると考えられる。
【０１９２】
前記の説明から容易に理解できるように、本発明の基本概念は、種々の方法で具現化される。本発明は、制水およびアクチュエータ技術、ならびに適宜の制水または作動を達成するための装置を含む。本出願では、記載された種々の装置により達成される結果の一部として、かつ使用に固有のステップとして、制水技術が開示される。これらの技術は、意図したように、かつ記載したように、単に装置を使用することの自然な結果である。さらに、一部の装置が開示されているが、これらの装置はある方法を達成するだけでなく、いくつかの方法で変化させることができることを理解すべきである。前記の説明のすべてに関して、これらの面のすべてが本開示に含まれることを理解すべきであることが重要である。
【０１９３】
本出願に含まれる記述は、基本的な説明としての働きをするものである。読者は、特定の記述がすべての実施例を明示的に説明するものではなく、多くの代替形態が暗黙的にあることに注意すべきである。また、記述は、本発明の包括的な性質を完全に説明するわけではなく、各特徴または要素が、多様な代替要素または等価要素のより広い機能を実際にどのように表すかを明示的に示すものではない。これらは暗黙的に本開示に含まれる。本発明が装置向けの用語で記載される場合、装置の各要素は暗黙的に機能を果たす。装置クレームが、記載した装置に向けたものとして含まれるだけでなく、方法クレームまたはプロセス・クレームが、本発明および各要素が果たす機能に対応するように含まれる。説明および用語のいずれも、本特許出願に含まれる特許請求の範囲を限定するものではない。
【０１９４】
本発明の本質から逸脱することなく、種々の変更を加えることができることを理解すべきである。このような変更は、暗黙的に記述に含まれる。これらは本発明の範囲内にある。図に明示した実施例、暗黙的な種々の代替形態、広範囲の方法またはプロセス等を含む広範囲の開示は、本開示に含まれ、本特許出願の特許請求の範囲について依拠される。このような言い回しの変更および広範囲の請求が、本出願で達成されることを理解すべきである。本特許出願は、出願人の権利の範囲内にあると考えられるものと同等の広さの特許請求の範囲の基礎についての審査を求めるものであり、本発明の多くの態様を、独立して、かつ全体的なシステムとしてカバーする特許が得られるように設計される。
【０１９５】
さらに、本発明の種々の要素および特許請求の範囲の各々は、種々の方法で達成される。本開示はこのような変形形態の各々を含むものであり、装置実施例、方法実施例またはプロセス実施例の一実施例の変形、またはこれらの要素の単なる変形であると理解されるべきである。特に、本開示は本発明の要素に関連しており、機能または結果のみが同じ場合であっても、各要素についての用語が同等の装置用語または方法用語で表されることを理解すべきである。このような等価の、より広い、またはより包括的な用語は、各要素または動作の記述に含まれるものと考えるべきである。このような用語は、希望に応じて、本発明が受ける暗黙的な広い保護範囲を明示するように置き換えることができる。一例として、すべての動作を、その動作を行うための手段として、またはその動作を生じさせる要素として表すことができることを理解すべきである。同様に、開示された各物理的要素は、物理的要素により促進される動作の開示を含むものと理解すべきである。この最後の点に関し、一例として、「作動させるための手段」または「アクチュエータ」の開示は、明示的に記載されていても、そうでなくても、「作動させる」動作の開示を含むものと理解すべきである。逆に、「作動させる」動作の効果的な開示がある場合、このような開示は「アクチュエータ」および「作動させるための手段」の開示を含むものと理解すべきである。このような変更および代替用語は、記述に明示的に含まれるものと理解すべきである。
【０１９６】
本特許出願で言及された法、法令、法規、または規則、あるいは本特許出願で言及された特許、公報、または他の参照物は、参照により本明細書に組み込まれている。さらに、使用される各用語に関し、本出願での使用が解釈と矛盾することがなければ、各用語について一般的な辞書の定義が組み込まれているものと理解すべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ，ｓｅｃｏｎｄ  ｅｄｉｔｉｏｎに含まれるようなすべての定義、代替用語、類義語が参照により本明細書に組み込まれていることを理解すべきである。最後に、Ｒｅｆｅｒｅｎｃｅｓ  Ｔｏ  Ｂｅ  Ｉｎｃｏｒｐｏｒａｔｅｄ  Ｂｙ  Ｒｅｆｅｒｅｎｃｅ  Ｉｎ  Ａｃｃｏｒｄａｎｃｅ  Ｗｉｔｈ  Ｔｈｅ  Ｐａｔｅｎｔ  Ａｐｐｌｉｃａｔｉｏｎ（本特許出願による参照により組み込むべき参照物）のリストに挙げられるすべての参照物または本発明とともに提出される他の情報陳述が本明細書に添付され、参照により組み込まれる。しかし、前記の各々に関し、参照により組み込まれるこのような情報または陳述が本発明の特許性と矛盾すると考えられる程度まで、この陳述が出願人により明らかに考慮されているわけではない。
【０１９７】
したがって、出願人は、少なくとも、ｉ）本明細書中に開示され記載された制水アクチュエータ装置の各々、ｉｉ）開示され記載された関連する方法、ｉｉｉ）これらの装置および方法の各々と同様の、等価の、かつ暗黙的な変形形態、ｉｖ）開示され記載された、図示した機能の各々を達成する代替設計、ｖ）開示され記載されたものを暗黙的に達成する、図示した機能の各々を達成する代替設計および方法、ｖｉ）別個の独立した発明として図示される各特徴、部品、およびステップ、ｖｉｉ）開示された種々のシステムまたは部品により強化される適用、ｖｉｉｉ）このようなシステムまたは部品により製造される製品、ｉｘ）添付の例を参照して前記した方法および装置、ｘ）開示された要素の各々の種々の組合せおよび順列、および、ｘｉ）提示された独立クレームまたは概念の各々に従属する、潜在的な各従属クレームまたは概念を請求するものと理解すべきである。これに関し、実際的な理由で、潜在的な何百のクレームを加えることを避けるために、出願人は最終的に最初の従属のみを特許請求の範囲に提示することを理解すべきである。１つの独立クレームまたは概念の下で提示される種々の従属または他の要素を、他の独立クレームまたは概念の下の従属または要素として加えることを認める、限定されないが欧州特許規則第１２３条（２）および米国特許法３５ＵＳＣ１３２または他のこの種の法を含む、新規事項についての法の下で必要な程度まで、支持があることを理解すべきである。さらに、移行句「ｃｏｍｐｒｉｓｉｎｇ（含む）」を使用する場合、または使用時には、この句の使用により、従来の請求項の解釈に従って、本明細書中で「オープンエンド形式」の請求項が維持される。したがって、文脈から別の要求がなされない限り、「ｃｏｍｐｒｉｓｅ」という語または「ｃｏｍｐｒｉｓｅｓ」または「ｃｏｍｐｒｉｓｉｎｇ」等の変形は、記載された要素もしくはステップ、または要素もしくはステップの群を含むことを暗に意味するが、他の要素もしくはステップ、または要素もしくはステップの群を排除するものではないことを理解すべきである。この語は、出願人に法律上認められる最も広い保護範囲を与えることができるように、最も拡張した形で解釈すべきである。
【図面の簡単な説明】
【０１９８】
【図１】膨張式ジャッキの破断図である。膨張式膜３は押出成形部材２に巻き付く。ホースを通して事前成形形材１に空気が供給される。
【図２】図１に示す膨張式ジャッキの破断平面図である。膨張式膜３が押出成形部材２を囲む。
【図３】図２の断面図である。押出成形部材２は面８に沿って膨張式膜３に結合されるが、面７に沿っては結合されず、また接触部９の円形面に沿っても結合されない。孔５により、膨張式ジャッキの周囲に加圧流体（例えば、加圧空気）を送ることができる。空気は、連続した長手方向の孔５から通気孔６を通って外へ流れる。
【図４】外部ホースを内部応力除去形材に合わせる、オプションの事前成形エラストマー継手を示す図である。
【図５】外部ホースを内部応力除去形材に合わせる、オプションの事前成形エラストマー継手を示す図である。
【図６】外部ホースを内部応力除去形材に合わせる、オプションの事前成形エラストマー継手を示す図である。
【図７】外部ホースを内部応力除去形材に合わせる、オプションの事前成形エラストマー継手を示す図である。
【図８】収縮状態にある膨張式ジャッキの横断面図である。
【図９】応力除去形材が膨張した装置の側部に固定された、膨張状態にある膨張式ジャッキを示す図である。
【図１０】収縮状態にある膨張式ダム本体を示す図である。膨張式膜３が、楔１１ａ、１１ｂ、１１ｃ、１１ｄ、および１１ｅにより上流端部１０に固定される。外部クランプ力なしに外被が膨張する場合でも、インサート（あるいは周方向に連続した、または一体に隣接した、または継目を横切る）層１２により引裂きが防止される。フィン１４は、補強層１６の下にフィン・インサート１５を含む。
【図１１】膨張構成にある図１０の膨張式ダムを示す図である。膨張式膜３は、フィン１４および応力除去押出成形品２を定位置に保持する。ダム／余水路クランプ１７が、膨張式ダムを余水路の基礎１８（余水路）に対して保持する。
【図１２】単純な矩形クランプ棒１１８を「コンマ型」インサート２１および引裂防止補強材１２と組み合わせて使用する、膨張式ダムの別の実施例を示す図である。応力除去形状２およびフィン・インサート１５を含む膨張式膜３の肉厚部分が、余水路２２の凹部内に位置する。ナット２０がクランプ１１８をアンカ・ボルト１９上に保持する。膨張式ダムとの空気接続部２４は、収縮した膜３の上下隣接部間に空気用の間隙を提供する成形溝２３により、中空の押出成形品５に接続される。より一般的な用語で表すと、膨張式ブラダ膜１００２の少なくとも１つの層の一部が、空気供給継手（または加圧流体要素）２４により形成された空隙１００３と、長手方向空隙囲みインサート要素１００４より囲まれる長手方向空隙５とに流体反応する空隙（膜空隙と呼ぶことができる）を囲むように構成される。膜空隙は、ブラダ内側から長手方向空隙への流体輸送孔にも流体反応する。膨張式ダムは、空気供給継手２４に接続された真空システムにより、内圧を大気圧未満に低下させて収縮するときに、流れ誘発振動損傷を受ける傾向が少ない。これにより、膜３がインサート２に密着し、従来の設計による損傷の問題があるとして知られる位置で、より堅固な構造が生じる。
【図１３】膨張構成にある、図１２に示すものと同様の膨張式ダムを示す図である。インサート２１がクランプ棒１１８に確実に係合する。凹部２２が余水路１８上に見られる。
【図１４】本発明による空気余水路ゲートの横断面図である。除去溝２３が、空気継手２４を中空の応力除去押出成形品２に接続する。ゲート・パネル２４が、ヒンジ保持装置２６によりヒンジ・フラップ２５に固定される。
【図１５】図１４に示す余水路ゲートの収縮した空気ブラダを示す図である。「コンマ」型インサート部材２１は平坦部２８の上流に位置する。平坦部２８を通る孔２９により、図１４のクランプ棒１１８による組立てを行うことができる。ヒンジ・フラップ２５の拡大部２７は、ヒンジ・フラップが図１４のヒンジ保持装置２６の下から引き出されるのを防止する。引裂防止層１２は、クランプされていない状態または緩くクランプされた状態で空気ブラダが破裂するのを防止する。
【図１６】膨張式膜３に成形された空気供給溝２３を示す図である。
【図１７】本発明による膨張式ホースを示す図である。
【図１８】本発明による膨張式ホースを示す図である。
【図１９】４本のワイヤが横切って延びるフレームの斜視図である。ワイヤは、最内層がワイヤ上に位置する膨張式物品の縁部を画定する。後に続く層が分解図で示される。
【図２０】応力除去インサート内の位置決めロッド（またはワイヤ）を示す膨張式物品の隅部の斜視図である。
【図２１】収縮構成にある、膨張式物品の縁部の断面図である。
【図２２】膨張構成にある、膨張式物品の縁部の断面図である。
【図２３】物品の形状および寸法を画定する、ぴんと張ったワイヤまたはケーブル上に配置された、矩形の箱型膨張式物品の解放布層のみの斜視図である。
【図２４】本発明の方法により製造される、余水路ゲート・アクチュエータの断面立面図である。
【図２５】余水路ゲート・システムの他の要素と組み合わせて示す、膨張状態にある図２４の膨張式アクチュエータの断面立面図である。
【図２６】膨張式空気ブラダの内面に成形された空気供給溝を示す、図２５のＡ−Ａ断面図である。
【図２７】縁部画定ワイヤの撓みを制限する目的で補助ワイヤと組み合わせた、縁部画定ワイヤの構成を示す図である。
【図２８】矩形の膨張式空気ブラダの縁部を画定するのに使用される４本のワイヤと、空気ブラダと一体に製造されたヒンジ・フラップの位置を画定するのに使用される第５のワイヤとの構成を示す図である。
【図２９】矩形の膨張式「枕形」を製造するのに使用される、矩形の４つの縁部すべてを画定する単一のワイヤ・ロープの使用を示す図である。
【図３０】前記物品が内部で加硫される型と組み合わせた、膨張式物品の縁部の斜視破断図である。
【図３１】ワイヤに関連するバイアス・プライ層の輪郭を示し、バイアス・プライ層が次にワイヤの周りで折り畳まれる状態を示す図である。
【図３２】硬化中に開放流体通路を維持するのに使用される取り外し可能なチューブと組み合わせた、縁部画定ワイヤ上に配置された両頭ホース・ニップルの斜視図である。
【図３３】確実に一致した、膨張した応力低下収縮ブラダ折り目膜要素の横断面図である。
【図３４】収縮したブラダ折り目付近の、従来設計の膨張式エラストマー・ダムの１タイプの横断面図である。図３４ａは収縮構成であり、図３４ｂは膨張構成である。
【図３５】上昇位置にある、交通に適合した道路洪水保護バリアの断面立面図である。
【図３６】ヒンジと空気ブラダとの接続の詳細を示す、図３５のゲートの詳細断面立面図である。
【図３７】収縮した作動空気ブラダに関連する下降位置にあるゲートを示す、本発明の断面立面図である。
【図３８】作動空気ブラダが膨張した上昇位置にある図３７のゲートを示す、本発明の断面立面図である。
【図３９】ゴム・カバーを示さない、ヒンジ・アセンブリの平面図である。
【図４０】ゴム・カバーを示す、図３９のヒンジのＡ−Ａ断面図である。
【図４１】軽量複合材料から構成されるヒンジを示す図である。
【図４２】上昇位置にある道路洪水バリア・ゲート・アセンブリを示す図である。
【図４３】下降位置にある図４２のゲートを示す図である。
【図４４】下降位置にある、鉄道洪水バリアのために構成されたゲートの断面立面図である。
【図４５】図４４のゲートの断面図である。
【図４６】上昇位置にある図４４のゲートの断面立面図である。
【図４７】図４６に示すゲートの端面図である。
【図４８】上昇位置にある図３７および図３８のゲートの斜視図である。
【図４９】異なるタイプのクランプの横断面図である。
【図５０】上昇位置にある、交通に適合した道路洪水保護バリアの断面立面図である。
【図５１】図５０にあるゲートの側部シールの詳細断面図である。
【図５２】図５０にあるゲートの破断平面図である。
【図５３】図５２のＢ−Ｂ断面立面図である。
【図５４】図５０のゲート・システム用に埋め込まれたフレームの平面図である。
【図５５】代替空気ブラダ接続構成の断面図である。
【図５６】ゲートを下降させた、図５０のヒンジ領域の詳細断面立面図である。
【図５７】ａ、ｂ、ｃはダム余水路上に据え付けられた、本発明の一実施例の下流側から見た斜視図である。
【図５８】ダム余水路上に据え付けられた、図５７の本発明の一実施例の下流側から見た拡大斜視図である。
【図５９】膨張した作動空気ブラダに関連する上昇位置にあるゲートを示す、図５７および図５８に示す本発明の実施例の断面立面図である。
【図６０】洪水保護バリアの形状の、本発明の一実施例の斜視図である。
【図６１】上昇位置にある、図６０の実施例の断面立面図である。
【図６２】作動空気ブラダが膨張構成にある、図６１の実施例を示す。
【図６３】ゲート・パネルが下降位置にある、図６０および図６１の実施例の断面立面図である。
【図６４】空気ブラダが収縮構成にある、図６３の実施例を示す。
【図６５】ａおよびｂは自動トリッピング機構を特徴とする、本発明の一実施例の断面立面図である。
【図６６】図６５の一部を示す図である。
【図６７】図６０〜６３に示す本発明の実施例のヒンジ部の一例の斜視図である。
【図６８】図６０〜６３および図６７に示す本発明の実施例のヒンジ部の一例の平面図である。
【図６９】本発明の一態様による空気ブラダの横断面の写真である。
【図７０】本発明の一態様による空気ブラダの横断面の写真である。
【図７１】本発明の一態様による空気ブラダの横断面の写真である。
【図７２】本発明の一態様による空気継手の横断面の写真である。
【図７３】本発明の一態様による空気継手の横断面の写真である。
【図７４】本発明の一態様による空気継手の横断面の写真である。
【図７５】本発明の一態様による空気ブラダの一部および関連する空気継手の写真である。
【図７６】本発明の一態様による空気ブラダの一部および関連する空気継手の写真である。
【図７７】本発明の一態様による、部分的に構成された空気ブラダの一部および関連する空気継手の写真である。
【図７８】本発明の一態様による空気継手の平面図である。
【図７９】本発明の一態様による図６９の空気継手の立面図である。
【図８０】本発明による図６９〜７９の空気継手の横断面図である。
【図８１】本発明の一態様による当接板の立面図である。
【図８２】本発明の一態様による当接板の水およびゲート側の写真である。
【図８３】本発明の一態様による当接板のコンクリート側の写真である。
【図８４】本発明の一態様による当接板に関連するコンクリート・アンカ・アセンブリの写真である。
【図８５】本発明の一態様による、図８１の当接板の平面図である。
【図８６】本発明の一態様による、図８１および図８５の当接板の詳細横断面図である。
【図８７】本発明の一態様による余水路ゲート・アセンブリの分解図である。
【図８８】本発明の一態様による、図８８の余水路ゲート・システムの斜視図である。
【図８９】本発明の一態様による内部パネル・シールの横断面図である。
【図９０】本発明の一態様による当接シールの一実施例の立面図である。
【図９１】本発明の一態様による、図９０のシールの斜視図である。
【図９２】本発明の一態様による内部パネル・シールの斜視図である。
【図９３】本発明の一態様による当接シールの一実施例の当接仕上側の斜視図である。
【図９４】本発明の一態様による当接シールの一実施例の水側の斜視図である。
【図９５】図８３の一部の拡大図である。
【図９６】図９３の一部の拡大図である。
【図９７】図９３〜８５の当接シールを組み込むゲート・システムの分解図である。
【図９８】上昇位置にあるゲートを示す、本発明の一実施例の横断面図である。
【図９９】下降位置にあるゲートを示す、図９８のゲートの横断面図である。
【図１００】本発明の一実施例による、収縮位置にある膨張式ダムの平面図である。
【図１０１】本発明の一実施例による、収縮位置にある図１００の膨張式ダムの断面立面図である。
【図１０２】前記膨張式ダムが膨張位置にある、図１００および図１０１の膨張式ダム上への水の流れを示す概略横断面図である。
【図１０３】表面テクスチャ特徴がナップの分配に与える影響を示す、図１００〜１０２の膨張式ダムの斜視破断図である。
【図１０４】上昇位置にある、本発明の一実施例の断面立面図である。
【図１０５】下降位置にある、図１０４の実施例の断面立面図である。
【図１０６】図１０４および図１０５の実施例の、上流に面した立面図である。
【図１０７】図１０４、図１０５、および図１０６の実施例の一部の平面図である。
【図１０８】貯水側の、頭上を通行可能な（道路等）膨張式作動貯水装置を示す図である。図１０８のａは上昇構成を示す。図１０８のｂは下降構成を示す。
【図１０９】海（または嵐）の大波用の膨張式作動制水装置を示す図である。図１０９のａは平面図を示す。図１０９のｂは上昇構成を示す。図１０９のｃは下降構成を示す。
【図１１０】浮遊式に上昇可能な、頭上を通行可能な貯水要素を示す図である。図１１０のａは上昇構成を示す。図１１０のｂは下降構成を示す。
【図１１１】膨張式作動流出水ゲート・パネル装置（またはシステム）の複数の当接板（この場合、傾斜構成）を示す図である。
【図１１２】ナップ切断装置を作る材料により撓みが提供される、ナップ曝気装置を示す図である。図１１２のａは取り付けられていない状態の傾斜図を示す。図１１２のｂは取り付けられた状態の側面図を示す。
【図１１３】撓みが衝撃撓み要素により提供される、ナップ曝気装置を示す図である。
【図１１４】膨張式水ゲート・パネル・アクチュエータ装置と近接する基礎（この場合、ダム当接部）との間に位置する、目立たない抑制ストラップを示す図である。
【図１１５】膨張式水ゲート・パネル・アクチュエータ装置と近接する基礎（この場合、ダム当接部）との間に位置する、目立たない抑制ストラップを示す図である。